(57)【要約】本開示は、一般に、健康関連ユーザインタフェースに関する。一部の実施形態では、健康関連データを管理するためのユーザインタフェースが記載される。一部の実施形態では、健康データを閲覧するためのユーザインタフェースが記載される。一部の実施形態では、健康データの共有に関するユーザインタフェースが記載される。
2021530754.tif 000002
【特許請求の範囲】
【請求項１】
方法であって、
ディスプレイ装置を備えた電子装置において、
前記ディスプレイ装置を介して、選択されたときに第１のデータセットの表示を引き起こす第１の通知を含む第１のユーザインタフェースの第１のインスタンスを表示することと、
前記第１のユーザインタフェースの前記第１のインスタンスを表示した後に、前記第１のユーザインタフェースの第２のインスタンスを表示することと、を備え、
前記第１のデータセットが表示されたときに満たされる基準を含む、相互作用基準のセットが満たされたとの判定に従って、及び第１の期間に基づく第１の基準を含む、第１の除去基準のセットが満たされないとの判定に従って、前記第１のユーザインタフェースの前記第２のインスタンスが前記第１の通知を含み、
前記相互作用基準のセットが満たされたとの判定に従って、及び前記第１の除去基準のセットが満たされたとの判定に従って、前記第１のユーザインタフェースの前記第２のインスタンスが前記第１の通知を含まず、
前記相互作用基準のセットが満たされないという判定に従って、及び前記第１の期間よりも長い第２の期間に基づく第２の基準を含む第２の除去基準のセットが満たされないとの判定に従って、前記第１のユーザインタフェースの前記第２のインスタンスが前記第１の通知を含み、
前記相互作用基準のセットが満たされないとの判定に従って、及び前記第２の除去基準のセットが満たされたとの判定に従って、前記第１のユーザインタフェースの前記第２のインスタンスが前記第１の通知を含まない、方法。
【請求項２】
前記第１のユーザインタフェースの前記第１のインスタンスを表示する前に、外部装置から、第２のデータセットを受信することを備え、前記第１のデータセットが、前記第２のデータセットに対応すること、
を更に含む請求項１に記載の方法。
【請求項３】
前記第２のデータセットが、臨床健康データを含む、請求項２に記載の方法。
【請求項４】
前記電子装置が、１つ以上のセンサのセットを含み、前記方法が、更に、
前記第１のユーザインタフェースの前記第１のインスタンスを表示する前に、
前記１つ以上のセンサのセットを介して、第３のデータセットを受信することであって、前記第１のデータセットが前記第３のデータセットに対応する、受信することと、前記第３のデータセットに対応する第２の通知を含む第２のユーザインタフェースを表示することであって、前記第２のユーザインタフェースが、前記第１のユーザインタフェースとは異なる、表示することと、
を備える、請求項１から３のいずれか一項に記載の方法。
【請求項５】
前記第１の通知が、通知の第１のリストに含まれ、前記通知の第１のリストが、時系列又は逆時系列順序に基づいて順序付けられる、
請求項１から４のいずれか一項に記載の方法。
【請求項６】
前記第１の通知が第１の視覚的特性を含み、
前記第１のデータセットが第１のアプリケーションに対応するとの判定に従って、前記第１の視覚的特性が第１の値を有し、
前記第１のデータセットが第２のアプリケーションに対応するとの判定に従って、前記第１の視覚的特性が、前記第１の値とは異なる第２の値を有する、
請求項１から５のいずれか一項に記載の方法。
【請求項７】
前記第１の通知を表示している間に、前記第１の通知の選択に対応する第１の入力を受信することと、
前記第１の入力を受信したことに応答して、前記第１のディスプレイ装置を介して、前記第１のデータセットを含む第２のユーザインタフェースを表示することと、
を更に備える、請求項１から６のいずれか一項に記載の方法。
【請求項８】
前記第１のデータセットが第１のデータタイプに対応し、前記第２のユーザインタフェースが、
選択されたときに、前記第１のデータタイプの第１の値を表示させる第１のアフォーダンスと、
選択されたときに、前記第１の値とは異なる前記第１のデータタイプの第２の値を表示させる第２のアフォーダンスと、
を含む、請求項７に記載の方法。
【請求項９】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、請求項１から８のいずれか一項に記載の方法を行う命令を含む、非一時的コンピュータ可読記憶媒体。
【請求項１０】
電子装置であって、
ディスプレイ装置と、
１つ以上のプロセッサと、
前記１つ以上のプロセッサによって実行されるように構成された１つ以上のプログラムを記憶するメモリと、を備え、前記１つ以上のプログラムが、請求項１から８のいずれか一項に記載の方法を実行する命令を含む、電子装置。
【請求項１１】
電子装置であって、
ディスプレイ装置と、
請求項１から８のいずれか一項に記載の方法を実行する手段と、を備える、電子装置。
【請求項１２】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、
前記ディスプレイ装置を介して、選択されたときに第１のデータセットの表示を引き起こす第１の通知を含む第１のユーザインタフェースの第１のインスタンスを表示し、
前記第１のユーザインタフェースの前記第１のインスタンスを表示した後に、前記第１のユーザインタフェースの第２のインスタンスを表示し、
前記第１のデータセットが表示されたときに満たされる基準を含む、相互作用基準のセットが満たされたとの判定に従って、及び第１の期間に基づく第１の基準を含む、第１の除去基準のセットが満たされないとの判定に従って、前記第１のユーザインタフェースの前記第２のインスタンスが前記第１の通知を含み、
前記相互作用基準のセットが満たされたとの判定に従って、及び前記第１の除去基準のセットが満たされたとの判定に従って、前記第１のユーザインタフェースの前記第２のインスタンスが前記第１の通知を含まず、
前記相互作用基準のセットが満たされないという判定に従って、及び前記第１の期間よりも長い第２の期間に基づく第２の基準を含む第２の除去基準のセットが満たされないとの判定に従って、前記第１のユーザインタフェースの前記第２のインスタンスが前記第１の通知を含み、
前記相互作用基準が満たされないとの判定に従って、及び前記第２の除去基準のセットが満たされたとの判定に従って、前記第１のユーザインタフェースの前記第２のインスタンスが前記第１の通知を含まない、命令を含む、非一時的コンピュータ可読記憶媒体。
【請求項１３】
電子装置であって、
ディスプレイ装置と、
１つ以上のプロセッサと、
前記１つ以上のプロセッサによって実行されるように構成された１つ以上のプログラムを記憶するメモリと、
を備える電子装置であって、前記１つ以上のプログラムが、
前記ディスプレイ装置を介して、選択されたときに第１のデータセットを表示させる第１の通知を含む第１のユーザインタフェースの第１のインスタンスを表示し、
前記第１のユーザインタフェースの前記第１のインスタンスを表示した後に、前記第１のユーザインタフェースの第２のインスタンスを表示し、
前記第１のデータセットが表示されたときに満たされる基準を含む、相互作用基準のセットが満たされたとの判定に従って、及び第１の期間に基づく第１の基準を含む、第１の除去基準のセットが満たされないとの判定に従って、前記第１のユーザインタフェースの前記第２のインスタンスが前記第１の通知を含み、
前記相互作用基準のセットが満たされたとの判定に従って、及び前記第１の除去基準のセットが満たされたとの判定に従って、前記第１のユーザインタフェースの前記第２のインスタンスが前記第１の通知を含まず、
前記相互作用基準のセットが満たされないという判定に従って、及び前記第１の期間よりも長い第２の期間に基づく第２の基準を含む第２の除去基準のセットが満たされないとの判定に従って、前記第１のユーザインタフェースの前記第２のインスタンスが前記第１の通知を含み、
前記相互作用基準が満たされないとの判定に従って、及び前記第２の除去基準のセットが満たされたとの判定に従って、前記第１のユーザインタフェースの前記第２のインスタンスが前記第１の通知を含まない、命令を含む、電子装置。
【請求項１４】
電子装置であって、
ディスプレイ装置と、
前記ディスプレイ装置を介して、選択されたときに第１のデータセットを表示させる第１の通知を含む第１のユーザインタフェースの第１のインスタンスを表示する手段と、
前記第１のユーザインタフェースの前記第１のインスタンスを表示した後に、前記第１のユーザインタフェースの第２のインスタンスを表示する手段と、を備え、
前記第１のデータセットが表示されたときに満たされる基準を含む、相互作用基準のセットが満たされたとの判定に従って、及び第１の期間に基づく第１の基準を含む、第１の除去基準のセットが満たされないとの判定に従って、前記第１のユーザインタフェースの前記第２のインスタンスが前記第１の通知を含み、
前記相互作用基準のセットが満たされたとの判定に従って、及び前記第１の除去基準のセットが満たされたとの判定に従って、前記第１のユーザインタフェースの前記第２のインスタンスが前記第１の通知を含まず、
前記相互作用基準のセットが満たされないという判定に従って、及び前記第１の期間よりも長い第２の期間に基づく第２の基準を含む第２の除去基準のセットが満たされないとの判定に従って、前記第１のユーザインタフェースの前記第２のインスタンスが前記第１の通知を含み、
前記相互作用基準が満たされないとの判定に従って、及び前記第２の除去基準のセットが満たされたとの判定に従って、前記第１のユーザインタフェースの前記第２のインスタンスが前記第１の通知を含まない、命令を含む、電子装置。
【請求項１５】
方法であって、
ディスプレイ装置を備えた電子装置において、
第１の健康データを受信することと、
第１のユーザインタフェースを表示する要求を受信することと、
前記要求を受信したことに応答して、前記ディスプレイ装置を介して、前記第１のユーザインタフェースを表示することであって、前記第１のユーザインタフェースが、
第１の領域であって、
前記第１の健康データに対応するデータのタイプがユーザ入力によって識別されたとの判定に従って、前記第１の健康データの第１の表現を含み、
前記第１の健康データに対応する前記データのタイプがユーザ入力によって識別されないとの判定に従って、前記第１の健康データの前記表現を含まない、第１の領域と、
第２の領域であって、
第１の強調表示基準のセットが満たされたとの判定に従って、前記第１の表現とは異なる前記第１の健康データの第２の表現を含み、
前記第１の強調表示基準のセットが満たされていないとの判定に従って、前記第１の健康データの前記第２の表現を含まない、第２の領域と、を含む、方法。
【請求項１６】
前記健康データが、第１の複数の期間の健康データを含み、
前記健康データの前記第１の表現が、
前記第１の複数の期間のうちの第１の期間に対応する前記健康データの第１の表示と、
前記第１の期間とは異なる前記第１の複数の期間のうちの第２の期間に対応する前記健康データの第２の表示と、
を含む、請求項１５に記載の方法。
【請求項１７】
前記第１の複数の期間の前記第１の期間が、反復時間間隔の特定のインスタンスに対応し、
前記第１の複数の期間の前記第２の期間が、前記反復時間間隔の複数のインスタンスである、
請求項１６に記載の方法。
【請求項１８】
前記健康データが、第２の複数の期間の健康データを含み、
前記健康データの前記第１の表現が、前記第２の複数の期間内の第１の健康事象の発生頻度に対応する前記健康データの第３の表示を含む、
請求項１５から１７のいずれか一項に記載の方法。
【請求項１９】
前記健康データが、第３の複数の期間の健康データを含み、
前記健康データの前記第１の表現が、
前記第３の複数の期間の前記健康データの平均値の第４の表示と、
前記第３の複数の期間のうちの第１の期間の前記健康データの前記値に対応する第５の表示と、
前記複数の期間の前記第１の期間とは異なる、前記第３の複数の期間のうちの第２の期間の前記健康データの前記値に対応する第６の表示と、
を含む、請求項１５から１８のいずれか一項に記載の方法。
【請求項２０】
前記第１の表現が、
第１の身体アクティビティ追跡セッションに対応する第７の表示と、
第２の身体アクティビティ追跡セッションに対応する第８の表示と、
前記第１の身体アクティビティ追跡セッション及び前記第２の身体アクティビティ追跡セッションに基づく前記健康データの第９の表示と、を含む、請求項１５から１９のいずれか一項に記載の方法。
【請求項２１】
前記第１の強調表示基準のセットが、前記健康データの第１の部分と前記健康データの第２の部分との間の関係、前記健康データとのユーザ相互作用の程度、及び前記健康データの表現が表示された期間からなる群から選択される要因に基づく基準を含む、請求項１５から２０のいずれか一項に記載の方法。
【請求項２２】
前記第１の表現が、表現の第１のリストに含まれ、
前記表現の第１のリストが、前記健康データのデータのタイプに基づいて順序付けられる、請求項１５から２１のいずれか一項に記載の方法。
【請求項２３】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、請求項１５から２２のいずれか一項に記載の方法を行う命令を含む、非一時的コンピュータ可読記憶媒体。
【請求項２４】
電子装置であって、
ディスプレイ装置と、
１つ以上のプロセッサと、
前記１つ以上のプロセッサによって実行されるように構成された１つ以上のプログラムを記憶するメモリと、を備え、前記１つ以上のプログラムが、請求項１５から２２のいずれか一項に記載の方法を実行する命令を含む、電子装置。
【請求項２５】
電子装置であって、
ディスプレイ装置と、
請求項１５から２２のいずれか一項に記載の方法を実行する手段と、を備える、電子装置。
【請求項２６】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、
第１の健康データを受信し、
第１のユーザインタフェースを表示する要求を受信し、
前記要求を受信したことに応答して、前記ディスプレイ装置を介して、前記第１のユーザインタフェースを表示し、前記第１のユーザインタフェースが、
第１の領域であって、
前記第１の健康データに対応するデータのタイプがユーザ入力によって識別されたとの判定に従って、前記第１の健康データの第１の表現を含み、
前記第１の健康データに対応する前記データのタイプがユーザ入力によって識別されないとの判定に従って、前記第１の健康データの前記表現を含まない、第１の領域と、
第２の領域であって、
第１の強調表示基準のセットが満たされたとの判定に従って、前記第１の表現とは異なる前記第１の健康データの第２の表現を含み、
前記第１の強調表示基準のセットが満たされていないとの判定に従って、前記第１の健康データの前記第２の表現を含まない、第２の領域と、を含む、命令を含む、非一時的コンピュータ可読記憶媒体。
【請求項２７】
電子装置であって、
表示デバイスと、
１つ以上のプロセッサと、
前記１つ以上のプロセッサによって実行されるように構成された１つ以上のプログラムを記憶するメモリと、
を備える電子装置であって、前記１つ以上のプログラムが、
第１の健康データを受信し、
第１のユーザインタフェースを表示する要求を受信し、
前記要求を受信したことに応答して、前記ディスプレイ装置を介して、前記第１のユーザインタフェースを表示し、前記第１のユーザインタフェースが、
第１の領域であって、
前記第１の健康データに対応するデータのタイプがユーザ入力によって識別されたとの判定に従って、前記第１の健康データの第１の表現を含み、
前記第１の健康データに対応する前記データのタイプがユーザ入力によって識別されないとの判定に従って、前記第１の健康データの前記表現を含まない、第１の領域と、
第２の領域であって、
第１の強調表示基準のセットが満たされたとの判定に従って、前記第１の表現とは異なる前記第１の健康データの第２の表現を含み、
前記第１の強調表示基準のセットが満たされていないとの判定に従って、前記第１の健康データの前記第２の表現を含まない、第２の領域と、を含む、命令を含む、電子装置。
【請求項２８】
電子装置であって、
表示デバイスと、
第１の健康データを受信する手段と、
第１のユーザインタフェースを表示する要求を受信する手段と、
前記要求を受信したことに応答して、前記ディスプレイ装置を介して、前記第１のユーザインタフェースを表示する手段と、を備え、前記第１のユーザインタフェースが、
第１の領域であって、
前記第１の健康データに対応するデータのタイプがユーザ入力によって識別されたとの判定に従って、前記第１の健康データの第１の表現を含み、
前記第１の健康データに対応する前記データのタイプがユーザ入力によって識別されないとの判定に従って、前記第１の健康データの前記表現を含まない、第１の領域と、
第２の領域であって、
第１の強調表示基準のセットが満たされたとの判定に従って、前記第１の表現とは異なる前記第１の健康データの第２の表現を含み、
前記第１の強調表示基準のセットが満たされていないとの判定に従って、前記第１の健康データの前記第２の表現を含まない、第２の領域と、を含む、電子装置。
【請求項２９】
方法であって、
ディスプレイ装置を備えた電子装置において、
特定の健康機関に対応する臨床健康記録データを受信することと、
第１のユーザインタフェースを表示する要求を受信することと、
前記要求を受信したことに応答して、前記ディスプレイ装置を介して、前記第１のユーザインタフェースを表示することと、を備え、前記第１のユーザインタフェースが、
第１のタイプの臨床健康記録に対応する第１の領域であって、
前記第１のタイプの臨床健康記録の第１の臨床健康記録が第１のグラフ化基準のセットを満たしていないとの判定に従って、前記臨床健康記録データに基づく前記第１の臨床健康記録についての第１のテキスト表現であって、前記第１のユーザインタフェースが、前記第１の臨床健康記録のグラフィカル表現を含まない、第１のテキスト表現と、
前記第１の臨床健康が前記第１のグラフ化基準のセットを満たすとの判定に従って、前記臨床健康記録データに基づく前記第１の臨床健康記録についての第１のグラフィカル表現と、を含む、第１の領域と、
第２のタイプの臨床健康記録に対応する第２の領域であって、
前記第２のタイプの臨床健康記録の第２の臨床健康記録が前記第１のグラフ化基準のセットを満たしていないとの判定に従って、前記臨床健康記録データに基づく前記第２の臨床健康記録についての第２のテキスト表現であって、前記ユーザインタフェースが、前記第２の臨床健康記録のグラフィカル表現を含まない、第２のテキスト表現と、
前記第２の臨床健康記録が前記第１のグラフ化基準のセットを満たすとの判定に従って、前記臨床健康記録データに基づく前記第２の臨床健康記録についての第２のグラフィカル表現と、を含む、第２の領域と、を含む、方法。
【請求項３０】
それぞれの臨床健康記録がデータの範囲を含む健康データに対応するとき、前記第１のグラフ化基準のセットが前記それぞれの臨床健康記録に対して満たされる、請求項２９に記載の方法。
【請求項３１】
前記それぞれの臨床健康記録が２値である健康データに対応するとき、前記第１のグラフ化基準のセットが前記それぞれの臨床健康記録に対して満たされない、請求項２９から３０のいずれか一項に記載の方法。
【請求項３２】
前記第１の領域が、臨床健康記録の複数の表現を含み、
前記複数の表現が、日付によって一次的に順序付けられ、前記複数の表現の各表現のそれぞれの臨床健康記録に関連付けられた健康記録タイプによって二次的に順序付けられる、
請求項２９から３１のいずれか一項に記載の方法。
【請求項３３】
前記第１の領域が、臨床健康記録の第２の複数の表現を含み、
前記第２の複数の表現が、健康記録タイプによって一次的に順序付けられ、前記第２の複数の表現の各表現のそれぞれの臨床健康記録に関連付けられた日付によって二次的に順序付けられる、
請求項２９から３２のいずれか一項に記載の方法。
【請求項３４】
前記第１の領域が、第１の日付及び前記第１の日付とは異なる第２の日付と関連付けられた臨床健康記録にそれぞれ対応する臨床健康記録の第３の複数の表現を含み、前記第３の複数の表現が、
前記第１のユーザインタフェースが第１のインタフェースタイプであるとの判定に従って、前記第１の日付によって、及び
前記第１のユーザインタフェースが前記第１のインタフェースタイプとは異なる第２のインタフェースタイプであるとの判定に従って、前記第２の日付によって順序付けられる、
請求項２９から３３のいずれか一項に記載の方法。
【請求項３５】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、請求項２９から３４のいずれか一項に記載の方法を行う命令を含む、非一時的コンピュータ可読記憶媒体。
【請求項３６】
電子装置であって、
表示デバイスと、
１つ以上のプロセッサと、
前記１つ以上のプロセッサによって実行されるように構成された１つ以上のプログラムを記憶するメモリと、を備え、前記１つ以上のプログラムが、請求項２９から３４のいずれか一項に記載の方法を実行する命令を含む、電子装置。
【請求項３７】
電子装置であって、
ディスプレイ装置と、
請求項２９から３４のいずれか一項に記載の方法を実行する手段と、を備える、電子装置。
【請求項３８】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、
特定の健康機関に対応する臨床健康記録データを受信し、
第１のユーザインタフェースを表示する要求を受信し、
前記要求を受信したことに応答して、前記ディスプレイ装置を介して、前記第１のユーザインタフェースを表示し、前記第１のユーザインタフェースが、
第１のタイプの臨床健康記録に対応する第１の領域であって、
前記第１のタイプの臨床健康記録の第１の臨床健康記録が第１のグラフ化基準のセットを満たしていないとの判定に従って、前記臨床健康記録データに基づく前記第１の臨床健康記録についての第１のテキスト表現であって、前記第１のユーザインタフェースが、前記第１の臨床健康記録のグラフィカル表現を含まない、第１のテキスト表現と、
前記第１の臨床健康が前記第１のグラフ化基準のセットを満たすとの判定に従って、前記臨床健康記録データに基づく前記第１の臨床健康記録についての第１のグラフィカル表現と、を含む、第１の領域と、
第２のタイプの臨床健康記録に対応する第２の領域であって、
前記第２のタイプの臨床健康記録の第２の臨床健康記録が前記第１のグラフ化基準のセットを満たしていないとの判定に従って、前記臨床健康記録データに基づく前記第２の臨床健康記録についての第２のテキスト表現であって、前記ユーザインタフェースが、前記第２の臨床健康記録のグラフィカル表現を含まない、第２のテキスト表現と、
前記第２の臨床健康記録が前記第１のグラフ化基準のセットを満たすとの判定に従って、前記臨床健康記録データに基づく前記第２の臨床健康記録についての第２のグラフィカル表現と、を含む、第２の領域と、を含む、命令を含む、非一時的コンピュータ可読記憶媒体。
【請求項３９】
電子装置であって、
表示デバイスと、
１つ以上のプロセッサと、
前記１つ以上のプロセッサによって実行されるように構成された１つ以上のプログラムを記憶するメモリと、
を備える電子装置であって、前記１つ以上のプログラムが、
特定の健康機関に対応する臨床健康記録データを受信し、
第１のユーザインタフェースを表示する要求を受信し、
前記要求を受信したことに応答して、前記ディスプレイ装置を介して、前記第１のユーザインタフェースを表示し、前記第１のユーザインタフェースが、
第１のタイプの臨床健康記録に対応する第１の領域であって、
前記第１のタイプの臨床健康記録の第１の臨床健康記録が第１のグラフ化基準のセットを満たしていないとの判定に従って、前記臨床健康記録データに基づく前記第１の臨床健康記録についての第１のテキスト表現であって、前記第１のユーザインタフェースが、前記第１の臨床健康記録のグラフィカル表現を含まない、第１のテキスト表現と、
前記第１の臨床健康が前記第１のグラフ化基準のセットを満たすとの判定に従って、前記臨床健康記録データに基づく前記第１の臨床健康記録についての第１のグラフィカル表現と、を含む、第１の領域と、
第２のタイプの臨床健康記録に対応する第２の領域であって、
前記第２のタイプの臨床健康記録の第２の臨床健康記録が前記第１のグラフ化基準のセットを満たしていないとの判定に従って、前記臨床健康記録データに基づく前記第２の臨床健康記録についての第２のテキスト表現であって、前記ユーザインタフェースが、前記第２の臨床健康記録のグラフィカル表現を含まない、第２のテキスト表現と、
前記第２の臨床健康記録が前記第１のグラフ化基準のセットを満たすとの判定に従って、前記臨床健康記録データに基づく前記第２の臨床健康記録についての第２のグラフィカル表現と、を含む、第２の領域と、を含む、命令を含む、電子装置。
【請求項４０】
電子装置であって、
表示デバイスと、
特定の健康機関に対応する臨床健康記録データを受信する手段と、
第１のユーザインタフェースを表示する要求を受信する手段と、
前記要求を受信したことに応答して、前記ディスプレイ装置を介して、前記第１のユーザインタフェースを表示する手段と、を備え、前記第１のユーザインタフェースが、
第１のタイプの臨床健康記録に対応する第１の領域であって、
前記第１のタイプの臨床健康記録の第１の臨床健康記録が第１のグラフ化基準のセットを満たしていないとの判定に従って、前記臨床健康記録データに基づく前記第１の臨床健康記録についての第１のテキスト表現であって、前記第１のユーザインタフェースが、前記第１の臨床健康記録のグラフィカル表現を含まない、第１のテキスト表現と、
前記第１の臨床健康が前記第１のグラフ化基準のセットを満たすとの判定に従って、前記臨床健康記録データに基づく前記第１の臨床健康記録についての第１のグラフィカル表現と、を含む、第１の領域と、
第２のタイプの臨床健康記録に対応する第２の領域であって、
前記第２のタイプの臨床健康記録の第２の臨床健康記録が前記第１のグラフ化基準のセットを満たしていないとの判定に従って、前記臨床健康記録データに基づく前記第２の臨床健康記録についての第２のテキスト表現であって、前記ユーザインタフェースが、前記第２の臨床健康記録のグラフィカル表現を含まない、第２のテキスト表現と、
前記第２の臨床健康記録が前記第１のグラフ化基準のセットを満たすとの判定に従って、前記臨床健康記録データに基づく前記第２の臨床健康記録についての第２のグラフィカル表現と、を含む、第２の領域と、を含む、電子装置。
【請求項４１】
方法であって、
ディスプレイ装置を備えた電子装置において、
臨床健康記録データを受信することであって、
第１のタイプの臨床健康記録に対応する第１の臨床健康記録データと、
第２のタイプの臨床健康記録に対応する第２の臨床健康記録データと、を含む、前記臨床健康記録データを受信することと、
第１のユーザインタフェースを表示する要求を受信することと、
前記要求を受信したことに応答して、前記ディスプレイ装置を介して、前記第１のユーザインタフェースを表示することであって、前記第１のユーザインタフェースが、
前記第１の臨床健康記録データに基づいて、前記第１のタイプの臨床健康記録の第１の臨床健康記録のための第１の表現を含む、前記第１のユーザインタフェースを表示することと、
前記第１のユーザインタフェースを表示している間に、前記第１の表現の選択に対応する第１のユーザ入力を受信することと、
前記第１ユーザ入力を受信したことに応答して、
前記ディスプレイ装置を介して、第２のユーザインタフェースを表示することであって、
前記第１の臨床健康記録データに基づいて、前記第１のタイプの臨床健康記録の前記第１の臨床健康記録についての第２の表現であって、前記第１の表現とは異なる、第２の表現と、
前記第１の臨床健康記録データに基づいて、前記第１のタイプの臨床健康記録の第２の臨床健康記録についての第３の表現であって、前記第２の表現とは異なり、前記第１のタイプの前記第２の臨床健康記録が前記第１のタイプの前記第１の臨床健康記録とは異なる、第３の表現と、を含む前記第２のユーザインタフェースを表示することと、
前記第２のユーザインタフェースを表示している間に、前記第３の表現の選択に対応する第２のユーザ入力を受信することと、
前記第２ユーザ入力を受信したことに応答して、
前記ディスプレイ装置を介して、前記第１の臨床健康記録データに基づいて、前記第１のタイプの臨床健康記録の前記第１の臨床健康記録についての第４の表現であって、前記第１の表現とは異なり、前記第２の表現とは異なる第４の表現を含む第３のユーザインタフェースを表示することと、を備える、方法。
【請求項４２】
前記第１のユーザインタフェースを表示する前記要求が、前記ディスプレイ装置を介して、前記第２の臨床健康記録データに基づいて、前記第２のタイプの臨床健康記録の第２の臨床健康記録についての第５の表現を含む第４のユーザインタフェースを表示している間に受信される、請求項４１に記載の方法。
【請求項４３】
前記第４のユーザインタフェースが、臨床健康記録の複数の表現を含み、
前記複数の表現が、日付によって一次的に順序付けられ、前記複数の表現の各表現のそれぞれの臨床健康記録に関連付けられた健康記録タイプによって二次的に順序付けられる、
請求項４２に記載の方法。
【請求項４４】
前記第２のユーザインタフェースが、臨床健康記録の第２の複数の表現を含み、
前記第２の複数の表現が日付によって順序付けられる、
請求項４１から４３のいずれか一項に記載の方法。
【請求項４５】
前記第１の表現が、
第１のグラフィック基準のセットが満たされたとの判定に従って、前記第１の臨床健康記録のグラフィカル表示を含み、
第１のグラフィック基準のセットが満たされていないとの判定に従って、前記第１の臨床健康記録のグラフィカル表示を含まない、請求項４１から４４のいずれか一項に記載の方法。
【請求項４６】
前記第１の表現が、前記第１の臨床健康記録の第１の詳細を含み、
前記第２の表現が、前記第１の臨床健康記録の第１の詳細及び前記第１の詳細とは異なる第２の詳細を含み、
前記第４の表現が、前記第１の臨床健康記録の前記第１の詳細、前記第２の詳細、並びに前記第１及び第２の詳細とは異なる第３の詳細を含む、
請求項４１から４５のいずれか一項に記載の方法。
【請求項４７】
前記第２のユーザインタフェースが、前記第１の臨床健康記録データの第１の部分のグラフィカル表現を含む、
請求項４１から４６のいずれか一項に記載の方法。
【請求項４８】
前記第２のユーザインタフェースが、第１のアフォーダンスを含み、前記方法が、更に、
前記第１のアフォーダンスの選択に対応する入力を受信することと、
前記第１のアフォーダンスの選択に対応する前記入力を受信したことに応答して、第１のフィルタ条件に一致する前記第１の臨床健康記録データの前記第１の部分の第１のサブ部分に対応する前記グラフィカル表現の一部を視覚的に区別することと、を備える、請求項４７に記載の方法。
【請求項４９】
前記第１のタイプの臨床健康記録の前記第１の臨床健康記録が第１のデータソースから受信し、
前記第１のタイプの臨床健康記録の前記第２の臨床健康記録が前記第１のデータソースとは異なる第２のデータソースから受信された、
請求項４１から４８のいずれか一項に記載の方法。
【請求項５０】
前記第４の表現が、前記第１の臨床健康記録のデータソースの表示を含む、請求項４１から４９のいずれか一項に記載の方法。
【請求項５１】
前記第４の表現が、前記第１のタイプの臨床健康記録の一次識別子及び前記第１のタイプの臨床健康記録の二次識別子の表示を含む、請求項４１から５０のいずれか一項に記載の方法。
【請求項５２】
前記第４の表現が、前記第１の臨床健康記録が前記電子装置によって受信されたときに対応する第１の日付の表示と、前記第１の臨床健康記録が作成されたときに対応する第２の日付の表示と、を含む、請求項４１から５１のいずれか一項に記載の方法。
【請求項５３】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、請求項４１から５２のいずれか一項に記載の方法を行う命令を含む、非一時的コンピュータ可読記憶媒体。
【請求項５４】
電子装置であって、
表示デバイスと、
１つ以上のプロセッサと、
前記１つ以上のプロセッサによって実行されるように構成された１つ以上のプログラムを記憶するメモリと、を備え、前記１つ以上のプログラムが、請求項４１から５２のいずれか一項に記載の方法を実行する命令を含む、電子装置。
【請求項５５】
電子装置であって、
ディスプレイ装置と、
請求項４１から５２のいずれか一項に記載の方法を実行する手段と、を備える、電子装置。
【請求項５６】
ディスプレイ装置を備える電子装置の１つ以上のプロセッサによって実行されるように構成された１つ以上のプログラムを記憶する非一時的コンピュータ可読記憶媒体であって、前記１つ以上のプログラムが、
臨床健康記録データを受信することであって、
第１のタイプの臨床健康記録に対応する第１の臨床健康記録データと、
第２のタイプの臨床健康記録に対応する第２の臨床健康記録データと、を含む、前記臨床健康記録データを受信し、
第１のユーザインタフェースを表示する要求を受信し、
前記要求を受信したことに応答して、前記ディスプレイ装置を介して、前記第１のユーザインタフェースを表示することであって、前記第１のユーザインタフェースが、
前記第１の臨床健康記録データに基づいて、前記第１のタイプの臨床健康記録の第１の臨床健康記録のための第１の表現を含む、前記第１のユーザインタフェースを表示し、
前記第１のユーザインタフェースを表示している間に、前記第１の表現の選択に対応する第１のユーザ入力を受信し、
前記第１のユーザ入力を受信したことに応答して、
前記ディスプレイ装置を介して、第２のユーザインタフェースを表示することであって、
前記第１の臨床健康記録データに基づいて、前記第１のタイプの臨床健康記録の前記第１の臨床健康記録についての第２の表現であって、前記第１の表現とは異なる、第２の表現と、
前記第１の臨床健康記録データに基づいて、前記第１のタイプの臨床健康記録の第２の臨床健康記録についての第３の表現であって、前記第２の表現とは異なり、前記第１のタイプの前記第２の臨床健康記録が前記第１のタイプの前記第１の臨床健康記録とは異なる、第３の表現と、を含む前記第２のユーザインタフェースを表示し、
前記第２のユーザインタフェースを表示している間に、前記第３の表現の選択に対応する第２のユーザ入力を受信し、
前記第２ユーザ入力を受信したことに応答して、
前記ディスプレイ装置を介して、前記第１の臨床健康記録データに基づいて、前記第１のタイプの臨床健康記録の前記第１の臨床健康記録についての第４の表現であって、前記第１の表現とは異なり、前記第２の表現とは異なる第４の表現を含む第３のユーザインタフェースを表示する、命令を含む、非一時的コンピュータ可読記憶媒体。
【請求項５７】
電子装置であって、
表示デバイスと、
１つ以上のプロセッサと、
前記１つ以上のプロセッサによって実行されるように構成された１つ以上のプログラムを記憶するメモリと、
を備える電子装置であって、前記１つ以上のプログラムが、
臨床健康記録データを受信することであって、
第１のタイプの臨床健康記録に対応する第１の臨床健康記録データと、
第２のタイプの臨床健康記録に対応する第２の臨床健康記録データと、を含む、前記臨床健康記録データを受信し、
第１のユーザインタフェースを表示する要求を受信し、
前記要求を受信したことに応答して、前記ディスプレイ装置を介して、前記第１のユーザインタフェースを表示することであって、前記第１のユーザインタフェースが、
前記第１の臨床健康記録データに基づいて、前記第１のタイプの臨床健康記録の第１の臨床健康記録のための第１の表現を含む、前記第１のユーザインタフェースを表示し、
前記第１のユーザインタフェースを表示している間に、前記第１の表現の選択に対応する第１のユーザ入力を受信し、
前記第１のユーザ入力を受信したことに応答して、
前記ディスプレイ装置を介して、第２のユーザインタフェースを表示することであって、
前記第１の臨床健康記録データに基づいて、前記第１のタイプの臨床健康記録の前記第１の臨床健康記録についての第２の表現であって、前記第１の表現とは異なる、第２の表現と、
前記第１の臨床健康記録データに基づいて、前記第１のタイプの臨床健康記録の第２の臨床健康記録についての第３の表現であって、前記第２の表現とは異なり、前記第１のタイプの前記第２の臨床健康記録が前記第１のタイプの前記第１の臨床健康記録とは異なる、第３の表現と、を含む前記第２のユーザインタフェースを表示し、
前記第２のユーザインタフェースを表示している間に、前記第３の表現の選択に対応する第２のユーザ入力を受信し、
前記第２のユーザ入力を受信したことに応答して、
前記ディスプレイ装置を介して、前記第１の臨床健康記録データに基づいて、前記第１のタイプの臨床健康記録の前記第１の臨床健康記録についての第４の表現であって、前記第１の表現とは異なり、前記第２の表現とは異なる第４の表現を含む第３のユーザインタフェースを表示する、命令を含む、電子装置。
【請求項５８】
電子装置であって、
表示デバイスと、
臨床健康記録データを受信することであって、
第１のタイプの臨床健康記録に対応する第１の臨床健康記録データと、
第２のタイプの臨床健康記録に対応する第２の臨床健康記録データと、を含む、前記臨床健康記録データを受信する手段と、
第１のユーザインタフェースを表示する要求を受信する手段と、
前記要求を受信したことに応答して、前記ディスプレイ装置を介して、前記第１のユーザインタフェースを表示する手段であって、前記第１のユーザインタフェースが、
前記第１の臨床健康記録データに基づいて、前記第１のタイプの臨床健康記録の第１の臨床健康記録のための第１の表現を含む、前記第１のユーザインタフェースを表示する手段と、
前記第１のユーザインタフェースを表示している間に、前記第１の表現の選択に対応する第１のユーザ入力を受信する手段と、
前記第１のユーザ入力を受信したことに応答して、
前記ディスプレイ装置を介して、第２のユーザインタフェースを表示する手段であって、
前記第１の臨床健康記録データに基づいて、前記第１のタイプの臨床健康記録の前記第１の臨床健康記録についての第２の表現であって、前記第１の表現とは異なる、第２の表現と、
前記第１の臨床健康記録データに基づいて、前記第１のタイプの臨床健康記録の第２の臨床健康記録についての第３の表現であって、前記第２の表現とは異なり、前記第１のタイプの前記第２の臨床健康記録が前記第１のタイプの前記第１の臨床健康記録とは異なる、第３の表現と、を含む前記第２のユーザインタフェースを表示する手段と、
前記第２のユーザインタフェースを表示している間に、前記第３の表現の選択に対応する第２のユーザ入力を受信する手段と、
前記第２のユーザ入力を受信したことに応答して、
前記ディスプレイ装置を介して、前記第１の臨床健康記録データに基づいて、前記第１のタイプの臨床健康記録の前記第１の臨床健康記録についての第４の表現であって、前記第１の表現とは異なり、前記第２の表現とは異なる第４の表現を含む第３のユーザインタフェースを表示する手段と、を備える、電子装置。
【請求項５９】
方法であって、
第１のユーザと関連付けられた、ディスプレイ装置を備える電子装置において、
第１のユーザインタフェースを表示する要求を受信することと、
前記第１の要求を受信したことに応答して、前記ディスプレイ装置を介して、前記第１のユーザインタフェースを表示することであって、前記第１のユーザインタフェースが、
第１のカテゴリアフォーダンスを含む第１の部分と、
第２のユーザアカウントに対応する第１の共有アフォーダンスを含む第２の部分と、を含む、前記第１のユーザインタフェースを表示することと、
前記第１のユーザインタフェースを表示している間に、
前記第１のカテゴリアフォーダンスの選択に対応する第１のユーザ入力を受信することと、
前記第１の共有アフォーダンスの選択に対応する第２のユーザ入力を受信することと、
第１のユーザ入力を受信したことに応答して、ディスプレイ装置を介して、第１のカテゴリについての第１のユーザアカウントに関連付けられた第１の健康データの表現を含む第２のユーザインタフェースを表示することと、
前記第２のユーザ入力を受信したことに応答して、前記ディスプレイ装置を介して、第３のユーザインタフェースを表示することであって、
第１の部分であって、
前記第１のカテゴリについての前記第２のユーザアカウントに関連付けられた健康データに対応する第２のカテゴリアフォーダンスを含む第１の部分を含む前記第３のユーザインタフェースを表示することと、
前記第３のユーザインタフェースを表示している間に、前記第２のカテゴリアフォーダンスの選択に対応する第３のユーザ入力を受信することと、
前記第３のユーザ入力を受信したことに応答して、前記ディスプレイ装置を介して、前記第１のカテゴリについての前記第２のユーザアカウントに関連付けられた健康データの表現を含む第４のユーザインタフェースを表示することと、を備える、方法。
【請求項６０】
前記第１のカテゴリについての前記第１のユーザアカウントに関連付けられた前記第１の健康データがまた、第２のカテゴリについての前記第１のユーザアカウントに関連付けられる、請求項５９に記載の方法。
【請求項６１】
前記第４のユーザインタフェースが、前記第１のカテゴリについての前記第２のユーザアカウントに関連付けられた健康データの前記表現を変更するためのオプションを含まない、請求項５９から６０のいずれか一項に記載の方法。
【請求項６２】
前記第１のユーザインタフェースを表示している間に、検索文字列の入力に対応する１つ以上の入力を含む、前記電子装置にアクセス可能な健康データを検索する要求に対応する第１の入力のセットを受信することと、
前記入力のセットを受信したことに応答して、複数の検索結果を表示することであって、
前記第１のユーザアカウントに関連付けられた第２の健康データの表現を含む、１つ以上の検索結果の第１のセットであって、前記第１のユーザアカウントに関連付けられた前記第２の健康データが第１のソースに関連付けられている、１つ以上の検索結果の第１のセットと、
前記第１のユーザアカウントに関連付けられた第３の健康データの表現を含む、１つ以上の検索結果の第２のセットであって、前記第１のユーザアカウントに関連付けられた前記第３の健康データが前記第１のソースとは異なる第２のソースに関連付けられている、１つ以上の検索結果の第２のセットと、を含む、前記複数の検索結果を表示することと、
を更に備える、請求項５９から６１のいずれか一項に記載の方法。
【請求項６３】
前記複数の検索結果を表示することが、前記第１のユーザインタフェースの前記第１の部分及び前記第２の部分の表示を停止することを含む、
請求項６２に記載の方法。
【請求項６４】
前記第１のユーザインタフェースが、選択されたときに、第１の外部ソースから受信された前記第１のユーザアカウントに関連付けられた健康データの表現を表示する、第１の健康記録アフォーダンスを含む第３の部分を含む、請求項５９から６３のいずれか一項に記載の方法。
【請求項６５】
前記第１のカテゴリについての前記第１のユーザアカウントに関連付けられた健康データの前記表現が、フォーマット基準のセットを満たす健康データに対応し、
前記第３の部分が、第１のアフォーダンスを含み、前記方法が、更に、
前記第１アフォーダンスの選択に対応する第４のユーザ入力を受信することと、
前記第４のユーザ入力を受信したことに応答して、前記フォーマット基準のセットを満たさない健康データのセットを表示することと、を備える、
請求項６４に記載の方法。
【請求項６６】
ディスプレイ装置を備える、第１のユーザアカウントに関連付けられた電子装置の１つ以上のプロセッサによって実行されるように構成された１つ以上のプログラムを記憶する非一時的コンピュータ可読記憶媒体であって、前記１つ以上のプログラムが、請求項５９から６５のいずれか一項に記載の方法を行う命令を含む、非一時的コンピュータ可読記憶媒体。
【請求項６７】
第１のユーザアカウントに関連付けられた電子装置であって、
表示デバイスと、
１つ以上のプロセッサと、
前記１つ以上のプロセッサによって実行されるように構成された１つ以上のプログラムを記憶するメモリと、を備え、前記１つ以上のプログラムが、請求項５９から６５のいずれか一項に記載の方法を実行する命令を含む、電子装置。
【請求項６８】
第１のユーザアカウントに関連付けられた電子装置であって、
ディスプレイ装置と、
請求項５９から６５のいずれか一項に記載の方法を実行する手段と、
を備える、電子装置。
【請求項６９】
ディスプレイ装置を備える、第１のユーザアカウントに関連付けられた電子装置の１つ以上のプロセッサによって実行されるように構成された１つ以上のプログラムを記憶する非一時的コンピュータ可読記憶媒体であって、前記１つ以上のプログラムが、
第１のユーザインタフェースを表示する要求を受信し、
前記第１の要求を受信したことに応答して、前記ディスプレイ装置を介して、前記第１のユーザインタフェースを表示することであって、前記第１のユーザインタフェースが、
第１のカテゴリアフォーダンスを含む第１の部分と、
第２のユーザアカウントに対応する第１の共有アフォーダンスを含む第２の部分と、を含む、前記第１のユーザインタフェースを表示し、
前記第１のユーザインタフェースを表示している間に、
前記第１のカテゴリアフォーダンスの選択に対応する第１のユーザ入力を受信し、
前記第１の共有アフォーダンスの選択に対応する第２のユーザ入力を受信し、
第１のユーザ入力を受信したことに応答して、ディスプレイ装置を介して、第１のカテゴリについての第１のユーザアカウントに関連付けられた第１の健康データの表現を含む第２のユーザインタフェースを表示し、
前記第２のユーザ入力を受信したことに応答して、前記ディスプレイ装置を介して、第３のユーザインタフェースを表示することであって、
第１の部分であって、
前記第１のカテゴリについての前記第２のユーザアカウントに関連付けられた健康データに対応する第２のカテゴリアフォーダンスを含む第１の部分を含む前記第３のユーザインタフェースを表示し、
前記第３のユーザインタフェースを表示している間に、前記第２のカテゴリアフォーダンスの選択に対応する第３のユーザ入力を受信し、
前記第３のユーザ入力を受信したことに応答して、前記ディスプレイ装置を介して、前記第１のカテゴリについての前記第２のユーザアカウントに関連付けられた健康データの表現を含む第４のユーザインタフェースを表示する、命令を含む、非一時的コンピュータ可読記憶媒体。
【請求項７０】
第１のユーザアカウントに関連付けられた電子装置であって、
表示デバイスと、
１つ以上のプロセッサと、
前記１つ以上のプロセッサによって実行されるように構成された１つ以上のプログラムを記憶するメモリと、
を備える電子装置であって、前記１つ以上のプログラムが、
第１のユーザインタフェースを表示する要求を受信し、
前記第１の要求を受信したことに応答して、前記ディスプレイ装置を介して、前記第１のユーザインタフェースを表示することであって、前記第１のユーザインタフェースが、
第１のカテゴリアフォーダンスを含む第１の部分と、
第２のユーザアカウントに対応する第１の共有アフォーダンスを含む第２の部分と、を含む、前記第１のユーザインタフェースを表示し、
前記第１のユーザインタフェースを表示している間に、
前記第１のカテゴリアフォーダンスの選択に対応する第１のユーザ入力を受信し、
前記第１の共有アフォーダンスの選択に対応する第２のユーザ入力を受信し、
第１のユーザ入力を受信したことに応答して、ディスプレイ装置を介して、第１のカテゴリについての第１のユーザアカウントに関連付けられた第１の健康データの表現を含む第２のユーザインタフェースを表示し、
前記第２のユーザ入力を受信したことに応答して、前記ディスプレイ装置を介して、第３のユーザインタフェースを表示することであって、
第１の部分であって、
前記第１のカテゴリについての前記第２のユーザアカウントに関連付けられた健康データに対応する第２のカテゴリアフォーダンスを含む第１の部分を含む前記第３のユーザインタフェースを表示し、
前記第３のユーザインタフェースを表示している間に、前記第２のカテゴリアフォーダンスの選択に対応する第３のユーザ入力を受信し、
前記第３のユーザ入力を受信したことに応答して、前記ディスプレイ装置を介して、前記第１のカテゴリについての前記第２のユーザアカウントに関連付けられた健康データの表現を含む第４のユーザインタフェースを表示する、命令を含む、電子装置。
【請求項７１】
第１のユーザアカウントに関連付けられた電子装置であって、
表示デバイスと、
第１のユーザインタフェースを表示する要求を受信する手段と、
前記要求を受信したことに応答して、前記ディスプレイ装置を介して、前記第１のユーザインタフェースを表示する手段であって、前記第１のユーザインタフェースが、
第１のカテゴリアフォーダンスを含む第１の部分と、
第２のユーザアカウントに対応する第１の共有アフォーダンスを含む第２の部分と、を含む、前記第１のユーザインタフェースを表示する手段と、
前記第１のユーザインタフェースを表示している間に、
前記第１のカテゴリアフォーダンスの選択に対応する第１のユーザ入力を受信し、
前記第１の共有アフォーダンスの選択に対応する第２のユーザ入力を受信する手段と、
前記第１のユーザ入力を受信したことに応答して、前記ディスプレイ装置を介して、前記第１のカテゴリについての前記第１のユーザアカウントに関連付けられた第１の健康データの表現を含む第２のユーザインタフェースを表示する手段と、
前記第２のユーザ入力を受信したことに応答して、前記ディスプレイ装置を介して、第３のユーザインタフェースを表示する手段であって、
第１の部分であって、
前記第１のカテゴリについての前記第２のユーザアカウントに関連付けられた健康データに対応する第２のカテゴリアフォーダンスを含む第１の部分を含む前記第３のユーザインタフェースを表示する手段と、
前記第３のユーザインタフェースを表示している間に、前記第２のカテゴリアフォーダンスの選択に対応する第３のユーザ入力を受信する手段と、
前記第３のユーザ入力を受信したことに応答して、前記ディスプレイ装置を介して、前記第１のカテゴリについての前記第２のユーザアカウントに関連付けられた健康データの表現を含む第４のユーザインタフェースを表示する手段と、を備える、電子装置。
【請求項７２】
方法であって、
ディスプレイ装置を備える第１の電子装置において、
前記第１の電子装置に関連付けられた健康データを共有する要求を受信することと、
前記要求を受信したことに応答して、第１の時間において、前記ディスプレイ装置を介して、選択されたときに、前記第１の電子装置に関連付けられた健康データを第２の電子装置と共有するためのプロセスを開始する第１のアフォーダンスを含む第１の通知を表示することと、
前記通知を表示している間に、前記第１のアフォーダンスの選択に対応する第１のユーザ入力を受信することと、
前記第１のユーザ入力を受信したことに応答して、前記第１の電子装置に関連付けられた健康データを前記第２の電子装置と共有するためのプロセスを開始することと、
前記第１のユーザ入力を受信した後に、
前記第１の電子装置に関連付けられた健康データを前記第２の電子装置と共有することと、
第２の時間において、前記ディスプレイ装置を介して、健康データの前記共有に対応する第２の通知を表示することであって、前記第２の通知が、選択されたときに、前記第１の電子装置に関連付けられた健康データの前記第２の電子装置との共有を終了するためのプロセスを開始する第２のアフォーダンスを含む、前記第２の通知を表示することと、を備える、方法。
【請求項７３】
前記第２の通知を表示している間に、前記第２のアフォーダンスの選択に対応する入力を含む１つ以上の入力のセットを受信することと、
前記１つ以上の入力のセットを受信したことに応答して、前記第１の電子装置に関連付けられた健康データを前記第２の電子装置と共有することを停止することと、
を更に備える、請求項７２に記載の方法。
【請求項７４】
前記第１のユーザ入力を受信した後に、前記第１の電子装置に関連付けられた健康データを第３の電子装置と共有することと、
前記１つ以上の入力のセットを受信した後に、前記第１の電子装置に関連付けられた健康データを前記第３の電子装置と共有し続けることと、
を更に備える、請求項７３に記載の方法。
【請求項７５】
前記第１の通知が、選択されたときに、
前記第１の電子装置に、前記第１の電子装置と関連付けられた健康データを前記第２の電子装置と共有するためのプロセスを開始させることを取り止めさせ、
前記第１の電子装置に、前記第１の電子装置に関連付けられた健康データを受け入れる要求を第４の電子装置に送信させる、第３のアフォーダンスを含む、請求項７２から７４のいずれか一項に記載の方法。
【請求項７６】
前記第１の通知が、選択されたときに、
前記第１の電子装置に、前記第１の電子装置と関連付けられた健康データを前記第２の電子装置と共有するためのプロセスを開始させることを取り止めさせ、
前記第１の電子装置に、前記第１の電子装置に関連付けられた健康データを受け入れる要求を第５の電子装置に送信させる、第４のアフォーダンスを含む、請求項７２から７５のいずれか一項に記載の方法。
【請求項７７】
前記第１の電子装置が、第１のユーザアカウントと関連付けられており、第２の電子装置が、前記第１のユーザアカウントとは異なる第２のユーザアカウントと関連付けられている、請求項７２から７６のいずれか一項に記載の方法。
【請求項７８】
ディスプレイ装置を備える第１の電子装置の１つ以上のプロセッサによって実行されるように構成された１つ以上のプログラムを記憶する非一時的コンピュータ可読記憶媒体であって、前記１つ以上のプログラムが、請求項７２から７７のいずれか一項に記載の方法を行う命令を含む、非一時的コンピュータ可読記憶媒体。
【請求項７９】
第１の電子装置であって、
表示デバイスと、
１つ以上のプロセッサと、
前記１つ以上のプロセッサによって実行されるように構成された１つ以上のプログラムを記憶するメモリと、を備え、前記１つ以上のプログラムが、請求項７２から７７のいずれか一項に記載の方法を実行する命令を含む、第１の電子装置。
【請求項８０】
第１の電子装置であって、
ディスプレイ装置と、
請求項７２から７７のいずれか一項に記載の方法を実行する手段と、を備える、第１の電子装置。
【請求項８１】
ディスプレイ装置を備える第１の電子装置の１つ以上のプロセッサによって実行されるように構成された１つ以上のプログラムを記憶する非一時的コンピュータ可読記憶媒体であって、前記１つ以上のプログラムが、
前記第１の電子装置に関連付けられた健康データを共有する要求を受信し、
前記要求を受信したことに応答して、第１の時間において、前記ディスプレイ装置を介して、選択されたときに、前記第１の電子装置に関連付けられた健康データを第２の電子装置と共有するためのプロセスを開始する第１のアフォーダンスを含む第１の通知を表示し、
前記通知を表示している間に、前記第１のアフォーダンスの選択に対応する第１のユーザ入力を受信し、
前記第１のユーザ入力を受信したことに応答して、前記第１の電子装置に関連付けられた健康データを前記第２の電子装置と共有するためのプロセスを開始し、
前記第１のユーザ入力を受信した後に、
前記第１の電子装置に関連付けられた健康データを前記第２の電子装置と共有し、
前記ディスプレイ装置を介して、健康データの前記共有に対応する第２の通知を表示することであって、前記第２の通知が、選択されたときに、前記第１の電子装置に関連付けられた健康データの前記第２の電子装置との共有を終了するためのプロセスを開始する第２のアフォーダンスを含む、前記第２の通知を表示する、命令を含む、非一時的コンピュータ可読記憶媒体。
【請求項８２】
第１の電子装置であって、
表示デバイスと、
１つ以上のプロセッサと、
前記１つ以上のプロセッサによって実行されるように構成された１つ以上のプログラムを記憶するメモリと、
を備える電子装置であって、前記１つ以上のプログラムが、
前記第１の電子装置に関連付けられた健康データを共有する要求を受信し、
前記要求を受信したことに応答して、第１の時間において、前記ディスプレイ装置を介して、選択されたときに、前記第１の電子装置に関連付けられた健康データを第２の電子装置と共有するためのプロセスを開始する第１のアフォーダンスを含む第１の通知を表示し、
通知を表示している間に、前記第１のアフォーダンスの選択に対応する第１のユーザ入力を受信し、
前記第１のユーザ入力を受信したことに応答して、前記第１の電子装置に関連付けられた健康データを前記第２の電子装置と共有するためのプロセスを開始し、
前記第１のユーザ入力を受信した後に、
前記第１の電子装置に関連付けられた健康データを前記第２の電子装置と共有し、
前記ディスプレイ装置を介して、健康データの前記共有に対応する第２の通知を表示することであって、前記第２の通知が、選択されたときに、前記第１の電子装置に関連付けられた健康データの前記第２の電子装置との共有を終了するためのプロセスを開始する第２のアフォーダンスを含む、前記第２の通知を表示する、命令を含む、第１の電子装置。
【請求項８３】
第１の電子装置であって、
表示デバイスと、
前記第１の電子装置に関連付けられた健康データを共有する要求を受信する手段と、
前記要求を受信したことに応答して、第１の時間において、前記ディスプレイ装置を介して、選択されたときに、前記第１の電子装置に関連付けられた健康データを第２の電子装置と共有するためのプロセスを開始する第１のアフォーダンスを含む第１の通知を表示する手段と、
前記通知を表示している間に、前記第１のアフォーダンスの選択に対応する第１のユーザ入力を受信する手段と、
前記第１のユーザ入力を受信したことに応答して、前記第１の電子装置に関連付けられた健康データを前記第２の電子装置と共有するためのプロセスを開始する手段と、
前記第１のユーザ入力を受信した後に、
前記第１の電子装置に関連付けられた健康データを前記第２の電子装置と共有し、
前記ディスプレイ装置を介して、健康データの前記共有に対応する第２の通知を表示することであって、前記第２の通知が、選択されたときに、前記第１の電子装置に関連付けられた健康データの前記第２の電子装置との共有を終了するためのプロセスを開始する第２のアフォーダンスを含む、前記第２の通知を表示する手段と、を備える、第１の電子装置。
【発明の詳細な説明】
【技術分野】
【０００１】
（関連出願の相互参照）
本出願は、「ＨＥＡＬＴＨ  ＡＰＰＬＩＣＡＴＩＯＮ  ＵＳＥＲ  ＩＮＴＥＲＦＡＣＥＳ」と題され、２０２０年５月２１日に出願された米国特許出願第１６／８８０，７１４号、及び「ＨＥＡＬＴＨ  ＡＰＰＬＩＣＡＴＩＯＮ  ＵＳＥＲ  ＩＮＴＥＲＦＡＣＥＳ」と題され、２０１９年６月１日に出願された米国仮特許出願第６２／８５６，０６１号の優先権を主張するものであり、これらのそれぞれの内容は、全ての目的のためにそれらの全体が参照により本明細書に組み込まれる。
【０００２】
本開示は、一般に、コンピュータユーザインタフェースに関し、より具体的には、健康情報及び機能を管理するための技術及びユーザインタフェースに関する。
【背景技術】
【０００３】
電子装置は、ユーザについての健康関連情報を収集し、記憶し、アクセスする。そのような装置は、電子装置を使用して健康情報及び対応する機能を管理する能力をユーザに提供する。
【発明の概要】
【０００４】
しかしながら、電子装置を使用して健康情報及び機能を管理するための一部の技術は、一般に煩雑かつ非効率である。例えば、一部の既存の技術は、複数回のキー押下又はキーストロークを含むことができる、複雑かつ時間のかかるユーザインタフェースを使用している。既存の技術は、必要以上の時間を要し、ユーザの時間及びデバイスのエネルギを浪費する。後者の問題は、バッテリ動作式デバイスにおいては特に重大である。
【０００５】
したがって、本技術は、健康情報及び機能を管理するための、より速く、より効率的な方法及びインタフェースを有する電子装置を提供する。そのような方法及びインタフェースは、健康情報及び機能を管理するための他の方法を任意選択的に補完する又は置き換える。そのような方法及びインタフェースは、ユーザにかかる認識的負担を低減させ、より効率的なヒューマン−マシンインタフェースを作成する。バッテリ動作式コンピューティングデバイスの場合、そのような方法及びインタフェースは、電力を節約し、バッテリ充電の間隔を長くする。
【０００６】
一部の実施形態によれば、方法が記載される。一部の実施形態では、ディスプレイ装置を備える電子装置において方法が実行される。一部の実施形態では、方法は、ディスプレイ装置を介して、選択されたときに第１のデータセットの表示を引き起こす第１の通知を含む第１のユーザインタフェースの第１のインスタンスを表示することと、第１のユーザインタフェースの第１のインスタンスを表示した後に、第１のユーザインタフェースの第２のインスタンスを表示することと、を備え、第１のデータセットが表示されたときに満たされる基準を含む相互作用基準のセットが満たされたとの判定に従って、及び第１の期間に基づく第１の基準を含む第１の除去基準のセットが満たされないとの判定に従って、第１のユーザインタフェースの第２のインスタンスが第１の通知を含み、相互作用基準のセットが満たされたとの判定に従って、及び第１の除去基準のセットが満たされたとの判定に従って、第１のユーザインタフェースの第２のインスタンスが第１の通知を含まず、相互作用基準のセットが満たされないという判定に従って、及び第１の期間よりも長い第２の期間に基づく第２の基準を含む第２の除去基準のセットが満たされないとの判定に従って、第１のユーザインタフェースの第２のインスタンスが第１の通知を含み、相互作用基準が満たされないとの判定に従って、及び第２の除去基準のセットが満たされたとの判定に従って、第１のユーザインタフェースの第２のインスタンスが第１の通知を含まない。
【０００７】
一部の実施形態では、ディスプレイ装置を備える電子装置の１つ以上のプロセッサによって実行されるように構成された１つ以上のプログラムを記憶する非一時的コンピュータ可読記憶媒体が記載される。一部の実施形態では、１つ以上のプログラムは、ディスプレイ装置を介して、選択されたときに第１のデータセットの表示を引き起こす第１の通知を含む第１のユーザインタフェースの第１のインスタンスを表示することと、第１のユーザインタフェースの第１のインスタンスを表示した後に、第１のユーザインタフェースの第２のインスタンスを表示することと、を備え、第１のデータセットが表示されたときに満たされる基準を含む相互作用基準のセットが満たされたとの判定に従って、及び第１の期間に基づく第１の基準を含む第１の除去基準のセットが満たされないとの判定に従って、第１のユーザインタフェースの第２のインスタンスが第１の通知を含み、相互作用基準のセットが満たされたとの判定に従って、及び第１の除去基準のセットが満たされたとの判定に従って、第１のユーザインタフェースの第２のインスタンスが第１の通知を含まず、相互作用基準のセットが満たされないという判定に従って、及び第１の期間よりも長い第２の期間に基づく第２の基準を含む第２の除去基準のセットが満たされないとの判定に従って、第１のユーザインタフェースの第２のインスタンスが第１の通知を含み、相互作用基準のセットが満たされないとの判定に従って、及び第２の除去基準のセットが満たされたとの判定に従って、第１のユーザインタフェースの第２のインスタンスが第１の通知を含まない。
【０００８】
一部の実施形態では、ディスプレイ装置を備える電子装置の１つ以上のプロセッサによって実行されるように構成された１つ以上のプログラムを記憶する一時的コンピュータ可読記憶媒体が記載される。一部の実施形態では、１つ以上のプログラムは、ディスプレイ装置を介して、選択されたときに第１のデータセットの表示を引き起こす第１の通知を含む第１のユーザインタフェースの第１のインスタンスを表示することと、第１のユーザインタフェースの第１のインスタンスを表示した後に、第１のユーザインタフェースの第２のインスタンスを表示することと、を備え、第１のデータセットが表示されたときに満たされる基準を含む相互作用基準のセットが満たされたとの判定に従って、及び第１の期間に基づく第１の基準を含む第１の除去基準のセットが満たされないとの判定に従って、第１のユーザインタフェースの第２のインスタンスが第１の通知を含み、相互作用基準のセットが満たされたとの判定に従って、及び第１の除去基準のセットが満たされたとの判定に従って、第１のユーザインタフェースの第２のインスタンスが第１の通知を含まず、相互作用基準のセットが満たされないという判定に従って、及び第１の期間よりも長い第２の期間に基づく第２の基準を含む第２の除去基準のセットが満たされないとの判定に従って、第１のユーザインタフェースの第２のインスタンスが第１の通知を含み、相互作用基準が満たされないとの判定に従って、及び第２の除去基準のセットが満たされたとの判定に従って、第１のユーザインタフェースの第２のインスタンスが第１の通知を含まない。
【０００９】
いくつかの実施形態によれば、電子装置が記載される。一部の実施形態では、電子装置は、ディスプレイ装置と、１つ以上のプロセッサと、１つ以上のプロセッサによって実行されるように構成された１つ以上のプログラムを記憶するメモリと、を含み、１つ以上のプログラムが、ディスプレイ装置を介して、選択されたときに第１のデータセットの表示を引き起こす第１の通知を含む第１のユーザインタフェースの第１のインスタンスを表示することと、第１のユーザインタフェースの第１のインスタンスを表示した後に、第１のユーザインタフェースの第２のインスタンスを表示することと、を備え、第１のデータセットが表示されたときに満たされる基準を含む相互作用基準のセットが満たされたとの判定に従って、及び第１の期間に基づく第１の基準を含む第１の除去基準のセットが満たされないとの判定に従って、第１のユーザインタフェースの第２のインスタンスが第１の通知を含み、相互作用基準のセットが満たされたとの判定に従って、及び第１の除去基準のセットが満たされたとの判定に従って、第１のユーザインタフェースの第２のインスタンスが第１の通知を含まず、相互作用基準のセットが満たされないという判定に従って、及び第１の期間よりも長い第２の期間に基づく第２の基準を含む第２の除去基準のセットが満たされないとの判定に従って、第１のユーザインタフェースの第２のインスタンスが第１の通知を含み、相互作用基準のセットが満たされないとの判定に従って、及び第２の除去基準のセットが満たされたとの判定に従って、第１のユーザインタフェースの第２のインスタンスが第１の通知を含まない。
【００１０】
いくつかの実施形態によれば、電子装置が記載される。一部の実施形態では、電子装置は、ディスプレイ装置と、ディスプレイ装置を介して、選択されたときに第１のデータセットの表示を引き起こす第１の通知を含む第１のユーザインタフェースの第１のインスタンスを表示する手段と、第１のユーザインタフェースの第１のインスタンスを表示した後に、第１のユーザインタフェースの第２のインスタンスを表示する手段と、を含み、第１のデータセットが表示されたときに満たされる基準を含む相互作用基準のセットが満たされたとの判定に従って、及び第１の期間に基づく第１の基準を含む第１の除去基準のセットが満たされないとの判定に従って、第１のユーザインタフェースの第２のインスタンスが第１の通知を含み、相互作用基準のセットが満たされたとの判定に従って、及び第１の除去基準のセットが満たされたとの判定に従って、第１のユーザインタフェースの第２のインスタンスが第１の通知を含まず、相互作用基準のセットが満たされないという判定に従って、及び第１の期間よりも長い第２の期間に基づく第２の基準を含む第２の除去基準のセットが満たされないとの判定に従って、第１のユーザインタフェースの第２のインスタンスが第１の通知を含み、相互作用基準のセットが満たされないとの判定に従って、及び第２の除去基準のセットが満たされたとの判定に従って、第１のユーザインタフェースの第２のインスタンスが第１の通知を含まない。
【００１１】
一部の実施形態によれば、方法が記載される。一部の実施形態では、ディスプレイ装置を備える電子装置において方法が実行される。一部の実施形態では、方法は、第１の健康データを受信することと、第１のユーザインタフェースを表示する要求を受信することと、要求を受信したことに応答して、ディスプレイ装置を介して、第１の健康データに対応するデータの種類がユーザ入力によって識別されたとの判定に従って、第１の健康データの第１の表現を含み、及び第１の健康データに対応するデータの種類がユーザ入力によって識別されていないとの判定に従って、第１の健康データの表現を含まない、第１の領域と、第１の強調表示基準のセットが満たされたとの判定に従って、第１の表現とは異なる第１の健康データの第２の表現を含み、及び第１の強調表示基準のセットが満たされないとの判定に従って、第１の健康データの第２の表現を含まない、第２の領域と、を含む第１のユーザインタフェースを表示することと、を備える。
【００１２】
一部の実施形態では、ディスプレイ装置を備える電子装置の１つ以上のプロセッサによって実行されるように構成された１つ以上のプログラムを記憶する非一時的コンピュータ可読記憶媒体が記載される。一部の実施形態では、１つ以上のプログラムは、第１の健康データを受信し、第１のユーザインタフェースを表示する要求を受信することと、要求を受信したことに応答して、ディスプレイ装置を介して、第１の健康データに対応するデータの種類がユーザ入力によって識別されたとの判定に従って、第１の健康データの第１の表現を含み、及び第１の健康データに対応するデータの種類がユーザ入力によって識別されていないとの判定に従って、第１の健康データの表現を含まない、第１の領域と、第１の強調表示基準のセットが満たされたとの判定に従って、第１の表現とは異なる第１の健康データの第２の表現を含み、及び第１の強調表示基準のセットが満たされないとの判定に従って、第１の健康データの第２の表現を含まない、第２の領域と、を含む第１のユーザインタフェースを表示する、命令を備える。
【００１３】
一部の実施形態では、ディスプレイ装置を備える電子装置の１つ以上のプロセッサによって実行されるように構成された１つ以上のプログラムを記憶する一時的コンピュータ可読記憶媒体が記載される。一部の実施形態では、１つ以上のプログラムは、第１の健康データを受信し、第１のユーザインタフェースを表示する要求を受信することと、要求を受信したことに応答して、ディスプレイ装置を介して、第１の健康データに対応するデータの種類がユーザ入力によって識別されたとの判定に従って、第１の健康データの第１の表現を含み、及び第１の健康データに対応するデータの種類がユーザ入力によって識別されていないとの判定に従って、第１の健康データの表現を含まない、第１の領域と、第１の強調表示基準のセットが満たされたとの判定に従って、第１の表現とは異なる第１の健康データの第２の表現を含み、及び第１の強調表示基準のセットが満たされないとの判定に従って、第１の健康データの第２の表現を含まない、第２の領域と、を含む第１のユーザインタフェースを表示する、命令を備える。
【００１４】
いくつかの実施形態によれば、電子装置が記載される。一部の実施形態では、電子装置は、ディスプレイ装置と、１つ以上のプロセッサと、１つ以上のプロセッサによって実行されるように構成された１つ以上のプログラムを記憶するメモリと、を含み、１つ以上のプログラムが、第１の健康データを受信し、第１のユーザインタフェースを表示する要求を受信することと、要求を受信したことに応答して、ディスプレイ装置を介して、第１の健康データに対応するデータの種類がユーザ入力によって識別されたとの判定に従って、第１の健康データの第１の表現を含み、及び第１の健康データに対応するデータの種類がユーザ入力によって識別されていないとの判定に従って、第１の健康データの表現を含まない、第１の領域と、第１の強調表示基準のセットが満たされたとの判定に従って、第１の表現とは異なる第１の健康データの第２の表現を含み、及び第１の強調表示基準のセットが満たされないとの判定に従って、第１の健康データの第２の表現を含まない、第２の領域と、を含む第１のユーザインタフェースを表示する、命令を含む。
【００１５】
いくつかの実施形態によれば、電子装置が記載される。一部の実施形態では、電子装置は、ディスプレイ装置と、第１の健康データを受信する手段と、第１のユーザインタフェースを表示する要求を受信する手段と、要求を受信したことに応答して、ディスプレイ装置を介して、第１の健康データに対応するデータの種類がユーザ入力によって識別されたとの判定に従って、第１の健康データの第１の表現を含み、及び第１の健康データに対応するデータの種類がユーザ入力によって識別されていないとの判定に従って、第１の健康データの表現を含まない、第１の領域と、第１の強調表示基準のセットが満たされたとの判定に従って、第１の表現とは異なる第１の健康データの第２の表現を含み、及び第１の強調表示基準のセットが満たされないとの判定に従って、第１の健康データの第２の表現を含まない、第２の領域と、を含む第１のユーザインタフェースを表示する手段と、を含む。
【００１６】
一部の実施形態によれば、方法が記載される。一部の実施形態では、ディスプレイ装置を備える電子装置において方法が実行される。一部の実施形態では、方法は、特定の健康機関に対応する臨床健康記録データを受信することと、第１のユーザインタフェースを表示する要求を受信することと、要求を受信したことに応答して、ディスプレイ装置を介して、第１のタイプの臨床健康記録に対応する第１の領域であって、第１のタイプの臨床健康記録の第１の臨床健康記録が第１のグラフ化基準のセットを満たしていないという判定に従って、第１のユーザインタフェースが第１の臨床健康記録のグラフィカル表現を含まない場合、臨床健康記録データに基づく第１の臨床健康記録についての第１のテキスト表現と、第１の臨床健康が第１のグラフ化基準のセットを満たすとの判定に従って、臨床健康記録データに基づく第１の臨床健康記録についての第１のグラフィカル表現と、を含む第１の領域と、第２のタイプの臨床健康記録に対応する第２の領域であって、第２のタイプの臨床健康記録の第２の臨床健康記録が第１のグラフ化基準のセットを満たしていないとの判定に従って、ユーザインタフェースが第２の臨床健康記録についてのグラフィカル表現を含まない場合、臨床健康記録データに基づく第２の臨床健康記録についての第２のテキスト表現と、第２の臨床健康記録が第１のグラフ化基準のセットを満たすとの判定に従って、臨床健康記録データに基づく第２の臨床健康記録についての第２のグラフィカル表現と、を含む第２の領域と、を含む第１のユーザインタフェースを表示することと、を備える。
【００１７】
一部の実施形態では、ディスプレイ装置を備える電子装置の１つ以上のプロセッサによって実行されるように構成された１つ以上のプログラムを記憶する非一時的コンピュータ可読記憶媒体が記載される。一部の実施形態では、１つ以上のプログラムは、特定の健康機関に対応する臨床健康記録データを受信し、第１のユーザインタフェースを表示する要求を受信することと、要求を受信したことに応答して、ディスプレイ装置を介して、第１のタイプの臨床健康記録に対応する第１の領域であって、第１のタイプの臨床健康記録の第１の臨床健康記録が第１のグラフ化基準のセットを満たしていないという判定に従って、第１のユーザインタフェースが第１の臨床健康記録のグラフィカル表現を含まない場合、臨床健康記録データに基づく第１の臨床健康記録についての第１のテキスト表現と、第１の臨床健康が第１のグラフ化基準のセットを満たすとの判定に従って、臨床健康記録データに基づく第１の臨床健康記録についての第１のグラフィカル表現と、を含む第１の領域と、第２のタイプの臨床健康記録に対応する第２の領域であって、第２のタイプの臨床健康記録の第２の臨床健康記録が第１のグラフ化基準のセットを満たしていないとの判定に従って、ユーザインタフェースが第２の臨床健康記録についてのグラフィカル表現を含まない場合、臨床健康記録データに基づく第２の臨床健康記録についての第２のテキスト表現と、第２の臨床健康記録が第１のグラフ化基準のセットを満たすとの判定に従って、臨床健康記録データに基づく第２の臨床健康記録についての第２のグラフィカル表現と、を含む第２の領域と、を含む第１のユーザインタフェースを表示する、命令を備える。
【００１８】
一部の実施形態では、ディスプレイ装置を備える電子装置の１つ以上のプロセッサによって実行されるように構成された１つ以上のプログラムを記憶する一時的コンピュータ可読記憶媒体が記載される。一部の実施形態では、１つ以上のプログラムは、特定の健康機関に対応する臨床健康記録データを受信し、第１のユーザインタフェースを表示する要求を受信することと、要求を受信したことに応答して、ディスプレイ装置を介して、第１のタイプの臨床健康記録に対応する第１の領域であって、第１のタイプの臨床健康記録の第１の臨床健康記録が第１のグラフ化基準のセットを満たしていないという判定に従って、第１のユーザインタフェースが第１の臨床健康記録のグラフィカル表現を含まない場合、臨床健康記録データに基づく第１の臨床健康記録についての第１のテキスト表現と、第１の臨床健康が第１のグラフ化基準のセットを満たすとの判定に従って、臨床健康記録データに基づく第１の臨床健康記録についての第１のグラフィカル表現と、を含む第１の領域と、第２のタイプの臨床健康記録に対応する第２の領域であって、第２のタイプの臨床健康記録の第２の臨床健康記録が第１のグラフ化基準のセットを満たしていないとの判定に従って、ユーザインタフェースが第２の臨床健康記録についてのグラフィカル表現を含まない場合、臨床健康記録データに基づく第２の臨床健康記録についての第２のテキスト表現と、第２の臨床健康記録が第１のグラフ化基準のセットを満たすとの判定に従って、臨床健康記録データに基づく第２の臨床健康記録についての第２のグラフィカル表現と、を含む第２の領域と、を含む第１のユーザインタフェースを表示する、命令を備える。
【００１９】
いくつかの実施形態によれば、電子装置が記載される。一部の実施形態では、電子装置は、ディスプレイ装置と、１つ以上のプロセッサと、１つ以上のプロセッサによって実行されるように構成された１つ以上のプログラムを記憶するメモリと、を含み、１つ以上のプログラムが、特定の健康機関に対応する臨床健康記録データを受信し、第１のユーザインタフェースを表示する要求を受信することと、要求を受信したことに応答して、ディスプレイ装置を介して、第１のタイプの臨床健康記録に対応する第１の領域であって、第１のタイプの臨床健康記録の第１の臨床健康記録が第１のグラフ化基準のセットを満たしていないという判定に従って、第１のユーザインタフェースが第１の臨床健康記録のグラフィカル表現を含まない場合、臨床健康記録データに基づく第１の臨床健康記録についての第１のテキスト表現と、第１の臨床健康が第１のグラフ化基準のセットを満たすとの判定に従って、臨床健康記録データに基づく第１の臨床健康記録についての第１のグラフィカル表現と、を含む第１の領域と、第２のタイプの臨床健康記録に対応する第２の領域であって、第２のタイプの臨床健康記録の第２の臨床健康記録が第１のグラフ化基準のセットを満たしていないとの判定に従って、ユーザインタフェースが第２の臨床健康記録についてのグラフィカル表現を含まない場合、臨床健康記録データに基づく第２の臨床健康記録についての第２のテキスト表現と、第２の臨床健康記録が第１のグラフ化基準のセットを満たすとの判定に従って、臨床健康記録データに基づく第２の臨床健康記録についての第２のグラフィカル表現と、を含む第２の領域と、を含む第１のユーザインタフェースを表示することと、を備える。
【００２０】
いくつかの実施形態によれば、電子装置が記載される。一部の実施形態では、電子装置は、ディスプレイ装置と、特定の健康機関に対応する臨床健康記録データを受信する手段と、第１のユーザインタフェースを表示する要求を受信する手段と、要求を受信したことに応答して、ディスプレイ装置を介して、第１のタイプの臨床健康記録に対応する第１の領域であって、第１のタイプの臨床健康記録の第１の臨床健康記録が第１のグラフ化基準のセットを満たしていないという判定に従って、第１のユーザインタフェースが第１の臨床健康記録のグラフィカル表現を含まない場合、臨床健康記録データに基づく第１の臨床健康記録についての第１のテキスト表現と、第１の臨床健康が第１のグラフ化基準のセットを満たすとの判定に従って、臨床健康記録データに基づく第１の臨床健康記録についての第１のグラフィカル表現と、を含む第１の領域と、第２のタイプの臨床健康記録に対応する第２の領域であって、第２のタイプの臨床健康記録の第２の臨床健康記録が第１のグラフ化基準のセットを満たしていないとの判定に従って、ユーザインタフェースが第２の臨床健康記録についてのグラフィカル表現を含まない場合、臨床健康記録データに基づく第２の臨床健康記録についての第２のテキスト表現と、第２の臨床健康記録が第１のグラフ化基準のセットを満たすとの判定に従って、臨床健康記録データに基づく第２の臨床健康記録についての第２のグラフィカル表現と、を含む第２の領域と、を含む第１のユーザインタフェースを表示する手段と、を含む。
【００２１】
一部の実施形態によれば、方法が記載される。一部の実施形態では、ディスプレイ装置を備える電子装置において方法が実行される。一部の実施形態では、方法は、第１のタイプの臨床健康記録に対応する第１の臨床健康記録データと、第２のタイプの臨床健康記録に対応する第２の臨床健康記録データと、を含む、臨床健康記録データを受信することと、第１のユーザインタフェースを表示する要求を受信することと、要求を受信したことに応答して、ディスプレイ装置を介して、第１のタイプの臨床健康記録の第１の臨床健康記録について、第１の臨床健康記録データに基づく第１の表現を含む第１のユーザインタフェースを表示することと、第１のユーザインタフェースを表示している間に、第１の表現の選択に対応する第１のユーザ入力を受信することと、第１のユーザ入力を受信したことに応答して、ディスプレイ装置を介して、第１のタイプの臨床健康記録の第１の臨床健康記録について、第１の臨床健康記録データに基づく第２の表現であって、第１の表現とは異なる第２の表現と、第１のタイプの臨床健康記録の第２の臨床健康記録について、第１の臨床健康記録データに基づく第３の表現であって、第２の表現とは異なり、第１のタイプの第２の臨床健康記録が第１のタイプの第１の臨床健康記録とは異なる第３の表現と、を含む第２のユーザインタフェースを表示することと、第２のユーザインタフェースを表示している間に、第３の表現の選択に対応する第２のユーザ入力を受信することと、第２のユーザ入力を受信したことに応答して、ディスプレイ装置を介して、第１のタイプの臨床健康記録の第１の臨床健康記録について、第１の臨床健康記録データに基づく第４の表現であって、第１の表現とは異なり、第２の表現とは異なる第４の表現を含む第３のユーザインタフェースを表示することと、を備える。
【００２２】
一部の実施形態では、ディスプレイ装置を備える電子装置の１つ以上のプロセッサによって実行されるように構成された１つ以上のプログラムを記憶する非一時的コンピュータ可読記憶媒体が記載される。一部の実施形態では、１つ以上のプログラムは、第１のタイプの臨床健康記録に対応する第１の臨床健康記録データと、第２のタイプの臨床健康記録に対応する第２の臨床健康記録データと、を含む、臨床健康記録データを受信し、第１のユーザインタフェースを表示する要求を受信することと、要求を受信したことに応答して、ディスプレイ装置を介して、第１のタイプの臨床健康記録の第１の臨床健康記録について、第１の臨床健康記録データに基づく第１の表現を含む第１のユーザインタフェースを表示することと、第１のユーザインタフェースを表示している間に、第１の表現の選択に対応する第１のユーザ入力を受信することと、第１のユーザ入力を受信したことに応答して、ディスプレイ装置を介して、第１のタイプの臨床健康記録の第１の臨床健康記録について、第１の臨床健康記録データに基づく第２の表現であって、第１の表現とは異なる第２の表現と、第１のタイプの臨床健康記録の第２の臨床健康記録について、第１の臨床健康記録データに基づく第３の表現であって、第２の表現とは異なり、第１のタイプの第２の臨床健康記録が第１のタイプの第１の臨床健康記録とは異なる第３の表現と、を含む第２のユーザインタフェースを表示することと、第２のユーザインタフェースを表示している間に、第３の表現の選択に対応する第２のユーザ入力を受信することと、第２のユーザ入力を受信したことに応答して、ディスプレイ装置を介して、第１のタイプの臨床健康記録の第１の臨床健康記録について、第１の臨床健康記録データに基づく第４の表現であって、第１の表現とは異なり、第２の表現とは異なる第４の表現を含む第３のユーザインタフェースを表示することと、を備える。
【００２３】
一部の実施形態では、ディスプレイ装置を備える電子装置の１つ以上のプロセッサによって実行されるように構成された１つ以上のプログラムを記憶する一時的コンピュータ可読記憶媒体が記載される。一部の実施形態では、１つ以上のプログラムは、第１のタイプの臨床健康記録に対応する第１の臨床健康記録データと、第２のタイプの臨床健康記録に対応する第２の臨床健康記録データと、を含む、臨床健康記録データを受信し、第１のユーザインタフェースを表示する要求を受信することと、要求を受信したことに応答して、ディスプレイ装置を介して、第１のタイプの臨床健康記録の第１の臨床健康記録について、第１の臨床健康記録データに基づく第１の表現を含む第１のユーザインタフェースを表示することと、第１のユーザインタフェースを表示している間に、第１の表現の選択に対応する第１のユーザ入力を受信することと、第１のユーザ入力を受信したことに応答して、ディスプレイ装置を介して、第１のタイプの臨床健康記録の第１の臨床健康記録について、第１の臨床健康記録データに基づく第２の表現であって、第１の表現とは異なる第２の表現と、第１のタイプの臨床健康記録の第２の臨床健康記録について、第１の臨床健康記録データに基づく第３の表現であって、第２の表現とは異なり、第１のタイプの第２の臨床健康記録が第１のタイプの第１の臨床健康記録とは異なる第３の表現と、を含む第２のユーザインタフェースを表示することと、第２のユーザインタフェースを表示している間に、第３の表現の選択に対応する第２のユーザ入力を受信することと、第２のユーザ入力を受信したことに応答して、ディスプレイ装置を介して、第１のタイプの臨床健康記録の第１の臨床健康記録について、第１の臨床健康記録データに基づく第４の表現であって、第１の表現とは異なり、第２の表現とは異なる第４の表現を含む第３のユーザインタフェースを表示する、命令を備える。
【００２４】
いくつかの実施形態によれば、電子装置が記載される。一部の実施形態では、電子装置は、ディスプレイ装置と、１つ以上のプロセッサと、１つ以上のプロセッサによって実行されるように構成された１つ以上のプログラムを記憶するメモリと、を含み、１つ以上のプログラムが、第１のタイプの臨床健康記録に対応する第１の臨床健康記録データと、第２のタイプの臨床健康記録に対応する第２の臨床健康記録データと、を含む、臨床健康記録データを受信し、第１のユーザインタフェースを表示する要求を受信することと、要求を受信したことに応答して、ディスプレイ装置を介して、第１のタイプの臨床健康記録の第１の臨床健康記録について、第１の臨床健康記録データに基づく第１の表現を含む第１のユーザインタフェースを表示することと、第１のユーザインタフェースを表示している間に、第１の表現の選択に対応する第１のユーザ入力を受信することと、第１のユーザ入力を受信したことに応答して、ディスプレイ装置を介して、第１のタイプの臨床健康記録の第１の臨床健康記録について、第１の臨床健康記録データに基づく第２の表現であって、第１の表現とは異なる第２の表現と、第１のタイプの臨床健康記録の第２の臨床健康記録について、第１の臨床健康記録データに基づく第３の表現であって、第２の表現とは異なり、第１のタイプの第２の臨床健康記録が第１のタイプの第１の臨床健康記録とは異なる第３の表現と、を含む第２のユーザインタフェースを表示することと、第２のユーザインタフェースを表示している間に、第３の表現の選択に対応する第２のユーザ入力を受信することと、第２のユーザ入力を受信したことに応答して、ディスプレイ装置を介して、第１のタイプの臨床健康記録の第１の臨床健康記録について、第１の臨床健康記録データに基づく第４の表現であって、第１の表現とは異なり、第２の表現とは異なる第４の表現を含む第３のユーザインタフェースを表示することと、を備える。
【００２５】
いくつかの実施形態によれば、電子装置が記載される。一部の実施形態では、電子装置は、ディスプレイ装置と、第１のタイプの臨床健康記録に対応する第１の臨床健康記録データと、第２のタイプの臨床健康記録に対応する第２の臨床健康記録データと、を含む、臨床健康記録データを受信する手段と、第１のユーザインタフェースを表示する要求を受信する手段と、要求を受信したことに応答して、ディスプレイ装置を介して、第１のタイプの臨床健康記録の第１の臨床健康記録について、第１の臨床健康記録データに基づく第１の表現を含む第１のユーザインタフェースを表示する手段と、第１のユーザインタフェースを表示している間に、第１の表現の選択に対応する第１のユーザ入力を受信する手段と、第１のユーザ入力を受信したことに応答して、ディスプレイ装置を介して、第１のタイプの臨床健康記録の第１の臨床健康記録について、第１の臨床健康記録データに基づく第２の表現であって、第１の表現とは異なる第２の表現と、第１のタイプの臨床健康記録の第２の臨床健康記録について、第１の臨床健康記録データに基づく第３の表現であって、第２の表現とは異なり、第１のタイプの第２の臨床健康記録が第１のタイプの第１の臨床健康記録とは異なる第３の表現と、を含む第２のユーザインタフェースを表示する手段と、第２のユーザインタフェースを表示している間に、第３の表現の選択に対応する第２のユーザ入力を受信する手段と、第２のユーザ入力を受信したことに応答して、ディスプレイ装置を介して、第１のタイプの臨床健康記録の第１の臨床健康記録について、第１の臨床健康記録データに基づく第４の表現であって、第１の表現とは異なり、第２の表現とは異なる第４の表現を含む第３のユーザインタフェースを表示する手段と、を含む。
【００２６】
一部の実施形態によれば、方法が記載される。一部の実施形態では、方法は、電子装置が第１のユーザアカウントに関連付けられている、ディスプレイ装置を備える電子装置において実行される。一部の実施形態では、方法は、第１のユーザインタフェースを表示する要求を受信することと、第１の要求を受信したことに応答して、ディスプレイ装置を介して、第１のカテゴリアフォーダンスを含む第１の部分と、第２のユーザアカウントに対応する第１の共有アフォーダンスを含む第２の部分と、を含む第１のユーザインタフェースを表示することと、第１のユーザインタフェースを表示している間に、第１のカテゴリアフォーダンスの選択に対応する第１のユーザ入力を受信することと、第１の共有アフォーダンスの選択に対応する第２のユーザ入力を受信することと、第１のユーザ入力を受信したことに応答して、ディスプレイ装置を介して、第１のカテゴリについての第１のユーザアカウントに関連付けられた第１の健康データの表現を含む第２のユーザインタフェースを表示することと、第２のユーザ入力を受信したことに応答して、ディスプレイ装置を介して、第１のカテゴリの第２のユーザアカウントに関連付けられた健康データに対応する第２のカテゴリアフォーダンスを含む第１の部分を含む第３のユーザインタフェースを表示することと、第３のユーザインタフェースを表示している間に、第２のカテゴリアフォーダンスの選択に対応する第３のユーザ入力を受信することと、第３のユーザ入力を受信したことに応答して、ディスプレイ装置を介して、第１のカテゴリについての第２のユーザアカウントに関連付けられた健康データの表現を含む第４のユーザインタフェースを表示することと、を備える。
【００２７】
一部の実施形態では、ディスプレイ装置を備える、第１のユーザアカウントに関連付けられた電子装置の１つ以上のプロセッサによって実行されるように構成された１つ以上のプログラムを記憶する非一時的コンピュータ可読記憶媒体が記載される。一部の実施形態では、１つ以上のプログラムは、第１のユーザインタフェースを表示する要求を受信し、第１の要求を受信したことに応答して、ディスプレイ装置を介して、第１のカテゴリアフォーダンスを含む第１の部分と、第２のユーザアカウントに対応する第１の共有アフォーダンスを含む第２の部分と、を含む第１のユーザインタフェースを表示することと、第１のユーザインタフェースを表示している間に、第１のカテゴリアフォーダンスの選択に対応する第１のユーザ入力を受信することと、第１の共有アフォーダンスの選択に対応する第２のユーザ入力を受信することと、第１のユーザ入力を受信したことに応答して、ディスプレイ装置を介して、第１のカテゴリについての第１のユーザアカウントに関連付けられた第１の健康データの表現を含む第２のユーザインタフェースを表示することと、第２のユーザ入力を受信したことに応答して、ディスプレイ装置を介して、第１のカテゴリの第２のユーザアカウントに関連付けられた健康データに対応する第２のカテゴリアフォーダンスを含む第１の部分を含む第３のユーザインタフェースを表示することと、第３のユーザインタフェースを表示している間に、第２のカテゴリアフォーダンスの選択に対応する第３のユーザ入力を受信することと、第３のユーザ入力を受信したことに応答して、ディスプレイ装置を介して、第１のカテゴリについての第２のユーザアカウントに関連付けられた健康データの表現を含む第４のユーザインタフェースを表示することと、を備える。
【００２８】
一部の実施形態では、ディスプレイ装置を備える、第１のユーザアカウントに関連付けられた電子装置の１つ以上のプロセッサによって実行されるように構成された１つ以上のプログラムを記憶する一時的コンピュータ可読記憶媒体が記載される。一部の実施形態では、１つ以上のプログラムは、第１のユーザインタフェースを表示する要求を受信し、第１の要求を受信したことに応答して、ディスプレイ装置を介して、第１のカテゴリアフォーダンスを含む第１の部分と、第２のユーザアカウントに対応する第１の共有アフォーダンスを含む第２の部分と、を含む第１のユーザインタフェースを表示することと、第１のユーザインタフェースを表示している間に、第１のカテゴリアフォーダンスの選択に対応する第１のユーザ入力を受信することと、第１の共有アフォーダンスの選択に対応する第２のユーザ入力を受信することと、第１のユーザ入力を受信したことに応答して、ディスプレイ装置を介して、第１のカテゴリについての第１のユーザアカウントに関連付けられた第１の健康データの表現を含む第２のユーザインタフェースを表示することと、第２のユーザ入力を受信したことに応答して、ディスプレイ装置を介して、第１のカテゴリの第２のユーザアカウントに関連付けられた健康データに対応する第２のカテゴリアフォーダンスを含む第１の部分を含む第３のユーザインタフェースを表示することと、第３のユーザインタフェースを表示している間に、第２のカテゴリアフォーダンスの選択に対応する第３のユーザ入力を受信することと、第３のユーザ入力を受信したことに応答して、ディスプレイ装置を介して、第１のカテゴリについての第２のユーザアカウントに関連付けられた健康データの表現を含む第４のユーザインタフェースを表示することと、を備える。
【００２９】
一部の実施形態によれば、第１のユーザアカウントに関連付けられた電子装置が開示される。一部の実施形態では、電子装置は、ディスプレイ装置と、１つ以上のプロセッサと、１つ以上のプロセッサによって実行されるように構成された１つ以上のプログラムを記憶するメモリと、を含み、１つ以上のプログラムが、第１のユーザインタフェースを表示する要求を受信し、第１の要求を受信したことに応答して、ディスプレイ装置を介して、第１のカテゴリアフォーダンスを含む第１の部分と、第２のユーザアカウントに対応する第１の共有アフォーダンスを含む第２の部分と、を含む第１のユーザインタフェースを表示することと、第１のユーザインタフェースを表示している間に、第１のカテゴリアフォーダンスの選択に対応する第１のユーザ入力を受信することと、第１の共有アフォーダンスの選択に対応する第２のユーザ入力を受信することと、第１のユーザ入力を受信したことに応答して、ディスプレイ装置を介して、第１のカテゴリについての第１のユーザアカウントに関連付けられた第１の健康データの表現を含む第２のユーザインタフェースを表示することと、第２のユーザ入力を受信したことに応答して、ディスプレイ装置を介して、第１のカテゴリの第２のユーザアカウントに関連付けられた健康データに対応する第２のカテゴリアフォーダンスを含む第１の部分を含む第３のユーザインタフェースを表示することと、第３のユーザインタフェースを表示している間に、第２のカテゴリアフォーダンスの選択に対応する第３のユーザ入力を受信することと、第３のユーザ入力を受信したことに応答して、ディスプレイ装置を介して、第１のカテゴリについての第２のユーザアカウントに関連付けられた健康データの表現を含む第４のユーザインタフェースを表示することと、を備える。
【００３０】
一部の実施形態によれば、第１のユーザアカウントに関連付けられた電子装置が開示される。一部の実施形態では、電子装置は、ディスプレイ装置と、第１のユーザインタフェースを表示する要求を受信する手段と、第１の要求を受信したことに応答して、ディスプレイ装置を介して、第１のカテゴリアフォーダンスを含む第１の部分と、第２のユーザアカウントに対応する第１の共有アフォーダンスを含む第２の部分と、を含む第１のユーザインタフェースを表示する手段と、第１のユーザインタフェースを表示している間に、第１のカテゴリアフォーダンスの選択に対応する第１のユーザ入力を受信し、第１の共有アフォーダンスの選択に対応する第２のユーザ入力を受信する手段と、第１のユーザ入力を受信したことに応答して、ディスプレイ装置を介して、第１のカテゴリについての第１のユーザアカウントに関連付けられた第１の健康データの表現を含む第２のユーザインタフェースを表示する手段と、第２のユーザ入力を受信したことに応答して、ディスプレイ装置を介して、第１のカテゴリの第２のユーザアカウントに関連付けられた健康データに対応する第２のカテゴリアフォーダンスを含む第１の部分を含む第３のユーザインタフェースを表示する手段と、第３のユーザインタフェースを表示している間に、第２のカテゴリアフォーダンスの選択に対応する第３のユーザ入力を受信する手段と、第３のユーザ入力を受信したことに応答して、ディスプレイ装置を介して、第１のカテゴリについての第２のユーザアカウントに関連付けられた健康データの表現を含む第４のユーザインタフェースを表示する手段と、を含む。
【００３１】
一部の実施形態によれば、方法が記載される。一部の実施形態では、ディスプレイ装置を備える第１の電子装置において方法が実行される。一部の実施形態では、方法は、第１の電子装置に関連付けられた健康データを共有する要求を受信することと、要求を受信したことに応答して、第１の時間において、ディスプレイ装置を介して、選択されたときに、第１の電子装置に関連付けられた健康データを第２の電子装置と共有するためのプロセスを開始する第１のアフォーダンスを含む第１の通知を表示することと、通知を表示している間に、第１のアフォーダンスの選択に対応する第１のユーザ入力を受信することと、第１のユーザ入力を受信したことに応答して、第１の電子装置に関連付けられた健康データを第２の電子装置と共有するためのプロセスを開始することと、第１のユーザ入力を受信した後に、第１の電子装置に関連付けられた健康データを第２の電子装置と共有することと、第２の時間において、ディスプレイ装置を介して、健康データの共有に対応する第２の通知であって、選択されたときに、第１の電子装置に関連付けられた健康データの第２の電子装置との共有を終了させるプロセスを開始する第２のアフォーダンスを含む第２の通知を表示することと、を備える。
【００３２】
一部の実施形態では、ディスプレイ装置を備える第１の電子装置の１つ以上のプロセッサによって実行されるように構成された１つ以上のプログラムを記憶する非一時的コンピュータ可読記憶媒体が記載される。一部の実施形態では、１つ以上のプログラムは、第１の電子装置に関連付けられた健康データを共有する要求を受信し、要求を受信したことに応答して、第１の時間において、ディスプレイ装置を介して、選択されたときに、第１の電子装置に関連付けられた健康データを第２の電子装置と共有するためのプロセスを開始する第１のアフォーダンスを含む第１の通知を表示することと、通知を表示している間に、第１のアフォーダンスの選択に対応する第１のユーザ入力を受信することと、第１のユーザ入力を受信したことに応答して、第１の電子装置に関連付けられた健康データを第２の電子装置と共有するためのプロセスを開始することと、第１のユーザ入力を受信した後に、第１の電子装置に関連付けられた健康データを第２の電子装置と共有することと、第２の時間において、ディスプレイ装置を介して、健康データの共有に対応する第２の通知であって、選択されたときに、第１の電子装置に関連付けられた健康データの第２の電子装置との共有を終了させるプロセスを開始する第２のアフォーダンスを含む第２の通知を表示することと、を備える。
【００３３】
一部の実施形態では、ディスプレイ装置を備える第１の電子装置の１つ以上のプロセッサによって実行されるように構成された１つ以上のプログラムを記憶する一時的コンピュータ可読記憶媒体が記載される。一部の実施形態では、１つ以上のプログラムは、第１の電子装置に関連付けられた健康データを共有する要求を受信し、要求を受信したことに応答して、第１の時間において、ディスプレイ装置を介して、選択されたときに、第１の電子装置に関連付けられた健康データを第２の電子装置と共有するためのプロセスを開始する第１のアフォーダンスを含む第１の通知を表示することと、通知を表示している間に、第１のアフォーダンスの選択に対応する第１のユーザ入力を受信することと、第１のユーザ入力を受信したことに応答して、第１の電子装置に関連付けられた健康データを第２の電子装置と共有するためのプロセスを開始することと、第１のユーザ入力を受信した後に、第１の電子装置に関連付けられた健康データを第２の電子装置と共有することと、第２の時間において、ディスプレイ装置を介して、健康データの共有に対応する第２の通知であって、選択されたときに、第１の電子装置に関連付けられた健康データの第２の電子装置との共有を終了させるプロセスを開始する第２のアフォーダンスを含む第２の通知を表示することと、を備える。
【００３４】
いくつかの実施形態によれば、第１の電子装置が説明される。一部の実施形態では、第１の電子装置は、ディスプレイ装置と、１つ以上のプロセッサと、１つ以上のプロセッサによって実行されるように構成された１つ以上のプログラムを記憶するメモリと、を含み、１つ以上のプログラムが、第１の電子装置に関連付けられた健康データを共有する要求を受信し、要求を受信したことに応答して、第１の時間において、ディスプレイ装置を介して、選択されたときに、第１の電子装置に関連付けられた健康データを第２の電子装置と共有するためのプロセスを開始する第１のアフォーダンスを含む第１の通知を表示することと、通知を表示している間に、第１のアフォーダンスの選択に対応する第１のユーザ入力を受信することと、第１のユーザ入力を受信したことに応答して、第１の電子装置に関連付けられた健康データを第２の電子装置と共有するためのプロセスを開始することと、第１のユーザ入力を受信した後に、第１の電子装置に関連付けられた健康データを第２の電子装置と共有することと、第２の時間において、ディスプレイ装置を介して、健康データの共有に対応する第２の通知であって、選択されたときに、第１の電子装置に関連付けられた健康データの第２の電子装置との共有を終了させるプロセスを開始する第２のアフォーダンスを含む第２の通知を表示することと、を備える。
【００３５】
いくつかの実施形態によれば、第１の電子装置が説明される。一部の実施形態では、第１の電子装置は、ディスプレイ装置と、第１の電子装置に関連付けられた健康データを共有する要求を受信する手段と、要求を受信したことに応答して、第１の時間において、ディスプレイ装置を介して、選択されたときに、第１の電子装置に関連付けられた健康データを第２の電子装置と共有するためのプロセスを開始する第１のアフォーダンスを含む第１の通知を表示する手段と、通知を表示している間に、第１のアフォーダンスの選択に対応する第１のユーザ入力を受信する手段と、第１のユーザ入力を受信したことに応答して、第１の電子装置に関連付けられた健康データを第２の電子装置と共有するためのプロセスを開始する手段と、第１のユーザ入力を受信した後に、第１の電子装置に関連付けられた健康データを第２の電子装置と共有し、第２の時間において、ディスプレイ装置を介して、健康データの共有に対応する第２の通知であって、選択されたときに、第１の電子装置に関連付けられた健康データの第２の電子装置との共有を終了させるプロセスを開始する第２のアフォーダンスを含む第２の通知を表示する手段と、を含む。
【００３６】
これらの機能を実行する実行可能な命令は、任意選択的に、１つ以上のプロセッサによって実行されるように構成された非一時的コンピュータ可読記憶媒体又は他のコンピュータプログラム製品内に含まれる。これらの機能を実行する実行可能な命令は、任意選択的に、１つ以上のプロセッサによって実行されるように構成された一時的コンピュータ可読記憶媒体又は他のコンピュータプログラム製品内に含まれる。
【００３７】
したがって、健康情報及び機能を管理するための、より速く、より効率的な方法及びインタフェースが装置に提供され、それによって、そのような装置の有効性、効率、及びユーザ満足度が増す。そのような方法及びインタフェースは、健康情報及び機能を管理するための他の方法を補完する又は置き換えることができる。
【図面の簡単な説明】
【００３８】
説明される様々な実施形態をより良く理解するため、以下の図面と併せて、以下の「発明を実施するための形態」が参照されるべきであり、類似の参照番号は、以下の図の全てを通じて、対応する部分を指す。
【００３９】
【図１Ａ】いくつかの実施形態に係るタッチ感知ディスプレイを有するポータブル多機能デバイスを示すブロック図である。
【００４０】
【図１Ｂ】いくつかの実施形態に係るイベント処理のための例示的な構成要素を示すブロック図である。
【００４１】
【図２】いくつかの実施形態に係るタッチスクリーンを有するポータブル多機能デバイスを示す。
【００４２】
【図３】いくつかの実施形態に係る、ディスプレイ及びタッチ感知面を有する例示的な多機能デバイスのブロック図である。
【００４３】
【図４Ａ】いくつかの実施形態に係るポータブル多機能デバイス上のアプリケーションのメニューの例示的なユーザインタフェースを示す。
【００４４】
【図４Ｂ】いくつかの実施形態に係るディスプレイとは別個のタッチ感知面を有する多機能デバイスの例示的なユーザインタフェースを示す。
【００４５】
【図５Ａ】いくつかの実施形態に係るパーソナル電子装置を示す。
【００４６】
【図５Ｂ】いくつかの実施形態に係るパーソナル電子装置を示すブロック図である。
【００４７】
【図５Ｃ】いくつかの実施形態に係るタッチ感知ディスプレイ及び強度センサを有するパーソナル電子装置の例示的な構成要素を示す。
【図５Ｄ】いくつかの実施形態に係るタッチ感知ディスプレイ及び強度センサを有するパーソナル電子装置の例示的な構成要素を示す。
【００４８】
【図５Ｅ】いくつかの実施形態に係るパーソナル電子装置の例示的な構成要素及びユーザインタフェースを示す。
【図５Ｆ】いくつかの実施形態に係るパーソナル電子装置の例示的な構成要素及びユーザインタフェースを示す。
【図５Ｇ】いくつかの実施形態に係るパーソナル電子装置の例示的な構成要素及びユーザインタフェースを示す。
【図５Ｈ】いくつかの実施形態に係るパーソナル電子装置の例示的な構成要素及びユーザインタフェースを示す。
【００４９】
【図６Ａ】一部の実施形態に係る、電子装置を使用した健康データの閲覧に関する例示的なユーザインタフェースを示す。
【図６Ｂ】一部の実施形態に係る、電子装置を使用した健康データの閲覧に関する例示的なユーザインタフェースを示す。
【図６Ｃ】一部の実施形態に係る、電子装置を使用した健康データの閲覧に関する例示的なユーザインタフェースを示す。
【図６Ｄ１】一部の実施形態に係る、電子装置を使用した健康データの閲覧に関する例示的なユーザインタフェースを示す。
【図６Ｄ２】一部の実施形態に係る、電子装置を使用した健康データの閲覧に関する例示的なユーザインタフェースを示す。
【図６Ｄ３】一部の実施形態に係る、電子装置を使用した健康データの閲覧に関する例示的なユーザインタフェースを示す。
【図６Ｄ４】一部の実施形態に係る、電子装置を使用した健康データの閲覧に関する例示的なユーザインタフェースを示す。
【図６Ｅ】一部の実施形態に係る、電子装置を使用した健康データの閲覧に関する例示的なユーザインタフェースを示す。
【図６Ｆ】一部の実施形態に係る、電子装置を使用した健康データの閲覧に関する例示的なユーザインタフェースを示す。
【図６Ｇ】一部の実施形態に係る、電子装置を使用した健康データの閲覧に関する例示的なユーザインタフェースを示す。
【図６Ｈ】一部の実施形態に係る、電子装置を使用した健康データの閲覧に関する例示的なユーザインタフェースを示す。
【図６Ｉ】一部の実施形態に係る、電子装置を使用した健康データの閲覧に関する例示的なユーザインタフェースを示す。
【図６Ｊ】一部の実施形態に係る、電子装置を使用した健康データの閲覧に関する例示的なユーザインタフェースを示す。
【図６Ｋ１】一部の実施形態に係る、電子装置を使用した健康データの閲覧に関する例示的なユーザインタフェースを示す。
【図６Ｋ２】一部の実施形態に係る、電子装置を使用した健康データの閲覧に関する例示的なユーザインタフェースを示す。
【図６Ｌ】一部の実施形態に係る、電子装置を使用した健康データの閲覧に関する例示的なユーザインタフェースを示す。
【図６Ｍ１】一部の実施形態に係る、電子装置を使用した健康データの閲覧に関する例示的なユーザインタフェースを示す。
【図６Ｍ２】一部の実施形態に係る、電子装置を使用した健康データの閲覧に関する例示的なユーザインタフェースを示す。
【図６Ｍ３】一部の実施形態に係る、電子装置を使用した健康データの閲覧に関する例示的なユーザインタフェースを示す。
【図６Ｍ４】一部の実施形態に係る、電子装置を使用した健康データの閲覧に関する例示的なユーザインタフェースを示す。
【図６Ｎ】一部の実施形態に係る、電子装置を使用した健康データの閲覧に関する例示的なユーザインタフェースを示す。
【図６Ｏ１】一部の実施形態に係る、電子装置を使用した健康データの閲覧に関する例示的なユーザインタフェースを示す。
【図６Ｏ２】一部の実施形態に係る、電子装置を使用した健康データの閲覧に関する例示的なユーザインタフェースを示す。
【図６Ｐ１】一部の実施形態に係る、電子装置を使用した健康データの閲覧に関する例示的なユーザインタフェースを示す。
【図６Ｐ２】一部の実施形態に係る、電子装置を使用した健康データの閲覧に関する例示的なユーザインタフェースを示す。
【図６Ｑ】一部の実施形態に係る、電子装置を使用した健康データの閲覧に関する例示的なユーザインタフェースを示す。
【図６Ｒ１】一部の実施形態に係る、電子装置を使用した健康データの閲覧に関する例示的なユーザインタフェースを示す。
【図６Ｒ２】一部の実施形態に係る、電子装置を使用した健康データの閲覧に関する例示的なユーザインタフェースを示す。
【図６Ｓ】一部の実施形態に係る、電子装置を使用した健康データの閲覧に関する例示的なユーザインタフェースを示す。
【図６ＳＡ】一部の実施形態に係る、電子装置を使用した健康データの閲覧に関する例示的なユーザインタフェースを示す。
【図６ＳＢ】一部の実施形態に係る、電子装置を使用した健康データの閲覧に関する例示的なユーザインタフェースを示す。
【図６Ｔ１】一部の実施形態に係る、電子装置を使用した健康データの閲覧に関する例示的なユーザインタフェースを示す。
【図６Ｔ２】一部の実施形態に係る、電子装置を使用した健康データの閲覧に関する例示的なユーザインタフェースを示す。
【図６Ｕ】一部の実施形態に係る、電子装置を使用した健康データの閲覧に関する例示的なユーザインタフェースを示す。
【図６Ｖ】一部の実施形態に係る、電子装置を使用した健康データの閲覧に関する例示的なユーザインタフェースを示す。
【図６Ｗ】一部の実施形態に係る、電子装置を使用した健康データの閲覧に関する例示的なユーザインタフェースを示す。
【図６Ｘ１】一部の実施形態に係る、電子装置を使用した健康データの閲覧に関する例示的なユーザインタフェースを示す。
【図６Ｘ２】一部の実施形態に係る、電子装置を使用した健康データの閲覧に関する例示的なユーザインタフェースを示す。
【図６Ｙ】一部の実施形態に係る、電子装置を使用した健康データの閲覧に関する例示的なユーザインタフェースを示す。
【図６Ｚ】一部の実施形態に係る、電子装置を使用した健康データの閲覧に関する例示的なユーザインタフェースを示す。
【００５０】
【図７Ａ】一部の実施形態に係る、電子装置を使用して通知を管理するための方法を示すフロー図である。
【図７Ｂ】一部の実施形態に係る、電子装置を使用して通知を管理するための方法を示すフロー図である。
【００５１】
【図８Ａ】一部の実施形態に係る、電子装置を使用した健康関連情報の表示を管理するための方法を示すフロー図である。
【図８Ｂ】一部の実施形態に係る、電子装置を使用した健康関連情報の表示を管理するための方法を示すフロー図である。
【００５２】
【図９Ａ】一部の実施形態に係る、電子装置を使用した臨床健康記録表現の表示を管理するための方法を示すフロー図である。
【図９Ｂ】一部の実施形態に係る、電子装置を使用した臨床健康記録表現の表示を管理するための方法を示すフロー図である。
【００５３】
【図１０Ａ】一部の実施形態に係る、電子装置を使用した臨床健康記録表現の表示を管理するための方法を示すフロー図である。
【図１０Ｂ】一部の実施形態に係る、電子装置を使用した臨床健康記録表現の表示を管理するための方法を示すフロー図である。
【００５４】
【図１１Ａ】一部の実施形態に係る、電子装置を使用した様々なユーザアカウントについての健康関連情報の表示を管理するための方法を示すフロー図である。
【図１１Ｂ】一部の実施形態に係る、電子装置を使用した様々なユーザアカウントについての健康関連情報の表示を管理するための方法を示すフロー図である。
【図１１Ｃ】一部の実施形態に係る、電子装置を使用した様々なユーザアカウントについての健康関連情報の表示を管理するための方法を示すフロー図である。
【００５５】
【図１２Ａ１】一部の実施形態に係る、電子装置を使用した健康データの閲覧に関する例示的なユーザインタフェースを示す。
【図１２Ａ２】一部の実施形態に係る、電子装置を使用した健康データの閲覧に関する例示的なユーザインタフェースを示す。
【図１２Ｂ１】一部の実施形態に係る、電子装置を使用した健康データの閲覧に関する例示的なユーザインタフェースを示す。
【図１２Ｂ２】一部の実施形態に係る、電子装置を使用した健康データの閲覧に関する例示的なユーザインタフェースを示す。
【図１２Ｃ】一部の実施形態に係る、電子装置を使用した健康データの閲覧に関する例示的なユーザインタフェースを示す。
【図１２Ｄ】一部の実施形態に係る、電子装置を使用した健康データの閲覧に関する例示的なユーザインタフェースを示す。
【図１２Ｅ】一部の実施形態に係る、電子装置を使用した健康データの閲覧に関する例示的なユーザインタフェースを示す。
【図１２Ｆ】一部の実施形態に係る、電子装置を使用した健康データの閲覧に関する例示的なユーザインタフェースを示す。
【図１２Ｇ】一部の実施形態に係る、電子装置を使用した健康データの閲覧に関する例示的なユーザインタフェースを示す。
【図１２Ｈ】一部の実施形態に係る、電子装置を使用した健康データの閲覧に関する例示的なユーザインタフェースを示す。
【図１２Ｉ】一部の実施形態に係る、電子装置を使用した健康データの閲覧に関する例示的なユーザインタフェースを示す。
【００５６】
【図１３Ａ】一部の実施形態に係る、電子装置を使用した健康データの共有に関する例示的なユーザインタフェースを示す。
【図１３Ｂ】一部の実施形態に係る、電子装置を使用した健康データの共有に関する例示的なユーザインタフェースを示す。
【図１３Ｃ】一部の実施形態に係る、電子装置を使用した健康データの共有に関する例示的なユーザインタフェースを示す。
【図１３Ｄ】一部の実施形態に係る、電子装置を使用した健康データの共有に関する例示的なユーザインタフェースを示す。
【図１３Ｅ】一部の実施形態に係る、電子装置を使用した健康データの共有に関する例示的なユーザインタフェースを示す。
【図１３Ｆ】一部の実施形態に係る、電子装置を使用した健康データの共有に関する例示的なユーザインタフェースを示す。
【図１３Ｇ】一部の実施形態に係る、電子装置を使用した健康データの共有に関する例示的なユーザインタフェースを示す。
【００５７】
【図１４Ａ】一部の実施形態に係る、健康データの共有に関する方法を示すフロー図である。
【図１４Ｂ】一部の実施形態に係る、健康データの共有に関する方法を示すフロー図である。
【００５８】
【図１５Ａ】一部の実施形態に係る、電子装置を使用した健康データの閲覧に関する例示的なユーザインタフェースを示す。
【図１５Ｂ】一部の実施形態に係る、電子装置を使用した健康データの閲覧に関する例示的なユーザインタフェースを示す。
【図１５Ｃ】一部の実施形態に係る、電子装置を使用した健康データの閲覧に関する例示的なユーザインタフェースを示す。
【図１５Ｄ】一部の実施形態に係る、電子装置を使用した健康データの閲覧に関する例示的なユーザインタフェースを示す。
【図１５Ｅ】一部の実施形態に係る、電子装置を使用した健康データの閲覧に関する例示的なユーザインタフェースを示す。
【図１５Ｆ】一部の実施形態に係る、電子装置を使用した健康データの閲覧に関する例示的なユーザインタフェースを示す。
【発明を実施するための形態】
【００５９】
以下の説明は、例示的な方法、パラメータなどについて記載する。しかしながら、そのような説明は、本開示の範囲に対する限定として意図されるものではなく、代わりに例示的な実施形態の説明として提供されることを認識されたい。
【００６０】
健康情報及び機能を管理するための効率的な方法及びインタフェースを提供する電子装置が必要とされている。例えば、適時に健康関連通知を提供し、有用な通知の表示を停止することが有利である。別の例では、ユーザに対する特定の健康関連情報を強調することが有利である。そのような技術は、健康情報及び機能を管理するユーザの認識的負担を軽減し、それによって生産性を高めることができる。更に、このような技法は、普通なら冗長なユーザ入力に浪費されるプロセッサ及びバッテリの電力を低減させることができる。
【００６１】
以下に、図１Ａ〜図１Ｂ、図２、図３、図４Ａ〜図４Ｂ、及び図５Ａ〜図５Ｈは、イベント通知を管理する技法を行うための例示的なデバイスの説明を提供する。図６Ａ〜図６Ｚは、一部の実施形態に係る、電子装置を使用した健康データの閲覧に関する例示的なユーザインタフェースを示す。図７Ａ〜図７Ｂは、一部の実施形態に係る、電子装置を使用して通知を管理するための方法を示すフロー図である。図８Ａ〜図８Ｂは、一部の実施形態に係る、電子装置を使用した健康関連情報の表示を管理するための方法を示すフロー図である。図９Ａ〜図９Ｂは、一部の実施形態に係る、電子装置を使用した臨床健康記録表現の表示を管理するための方法を示すフロー図である。図１０Ａ〜図１０Ｂは、一部の実施形態に係る、電子装置を使用した臨床健康記録表現の表示を管理するための方法を示すフロー図である。図１１Ａ〜図１１Ｃは、一部の実施形態に係る、電子装置を使用した様々なユーザアカウントについての健康関連情報の表示を管理するための方法を示すフロー図である。図６Ａ〜図６Ｚのユーザインタフェースは、図７Ａ〜図７Ｂ、図８Ａ〜図８Ｂ、図９Ａ〜図９Ｂ、図１０Ａ〜図１０Ｂ、図１１Ａ〜図１１Ｃのプロセスを含む後述するプロセスを示すために使用される。図１２ＡＡ〜図１２Ｉは、一部の実施形態に係る、電子装置を使用した健康データの閲覧に関する例示的なユーザインタフェースを示す。図１３Ａ〜図１３Ｇは、一部の実施形態に係る、電子装置を使用した健康データの共有に関する例示的なユーザインタフェースを示す。図１４Ａ〜図１４Ｂは、一部の実施形態に係る、健康データの共有に関する方法を示すフロー図である。図１３Ａ〜図１３Ｇのユーザインタフェースは、図１４Ａ〜図１４Ｂのプロセスを含む後述するプロセスを示すために使用される。図１５Ａ〜図１５Ｆは、一部の実施形態に係る、電子装置を使用した健康データの閲覧に関する例示的なユーザインタフェースを示す。
【００６２】
以下の説明では、様々な要素について説明するために、「第１の」、「第２の」などの用語を使用するが、これらの要素は、それらの用語によって限定されるべきではない。これらの用語は、ある要素を別の要素と区別するためにのみ使用される。例えば、記載する様々な実施形態の範囲から逸脱することなく、第１のタッチを第２のタッチと呼ぶこともでき、同様に第２のタッチを第１のタッチと呼ぶこともできる。第１のタッチ及び第２のタッチはどちらもタッチであるが、これらは同じタッチではない。
【００６３】
本明細書に記載する様々な実施形態の説明で使用される術語は、特定の実施形態を説明することのみを目的とし、限定的であることは意図されていない。記載する様々な実施形態の説明及び添付の特許請求の範囲では、単数形の「ａ（１つ、一）」、「ａｎ（１つ、一）」、及び「ｔｈｅ（その、この）」は、文脈上別途明白に記載しない限り、複数形も同様に含むことが意図される。また、本明細書で使用されるとき、用語「及び／又は」は、関連する列挙された項目のうちの１つ以上のいずれか及び全ての考えられる組み合わせを指し、かつこれを含むことを理解されたい。用語「ｉｎｃｌｕｄｅｓ（含む）」、「ｉｎｃｌｕｄｉｎｇ（含む）」、「ｃｏｍｐｒｉｓｅｓ（含む、備える）」、及び／又は「ｃｏｍｐｒｉｓｉｎｇ（含む、備える）」は、本明細書で使用する場合、述べられた特徴、整数、ステップ、動作、要素、及び／又は構成要素の存在を指定するが、１つ以上の他の特徴、整数、ステップ、動作、要素、構成要素、及び／又はそれらのグループの存在又は追加を除外しないことが更に理解されるであろう。
【００６４】
「〜の場合（if）」という用語は、任意選択的に、文脈に応じて、「〜とき（when）」若しくは「〜とき（upon）」、又は「〜と判定したことに応じて（in response to determining）」若しくは「〜を検出したことに応じて（in response to detecting）」を意味すると解釈される。同様に、「〜と判定された場合（if it is determined）」又は「［記載の状態又はイベント］が検出された場合（if [a stated condition or event] is detected）」という語句は、任意選択的に、文脈に応じて、「〜と判定したとき（upon determining）」若しくは「〜と判定したことに応じて（in response to determining）」、又は「［記載の状態又はイベント］を検出したとき（upon detecting [the stated condition or event]）」若しくは「［記載の状態又はイベント］を検出したことに応じて（in response to detecting [the stated condition or event]）」を意味すると解釈される。
【００６５】
電子装置、そのようなデバイス用のユーザインタフェース、及びそのようなデバイスを使用する関連するプロセスの実施形態が説明される。いくつかの実施形態では、デバイスは、ＰＤＡ機能及び／又は音楽プレーヤ機能などの他の機能も含む、携帯電話などのポータブル通信デバイスである。ポータブル多機能デバイスの例示的な実施形態としては、カリフォルニア州クパチーノのＡｐｐｌｅ  Ｉｎｃ．からのｉＰｈｏｎｅ（登録商標）、ｉＰｏｄ  Ｔｏｕｃｈ（登録商標）、及びｉＰａｄ（登録商標）のデバイスが挙げられるが、これらに限定されない。任意選択的に、タッチ感知面（例えば、タッチスクリーンディスプレイ及び／又はタッチパッド）を有するラップトップ又はタブレットコンピュータなどの他のポータブル電子装置も使用される。また、いくつかの実施形態では、デバイスはポータブル通信デバイスではなく、タッチ感知面（例えば、タッチスクリーンディスプレイ及び／又はタッチパッド）を有するデスクトップコンピュータであることも理解されたい。一部の実施形態では、電子装置は、（例えば、無線通信を介して、有線通信を介して）ディスプレイ生成構成要素と通信するコンピュータシステムである。ディスプレイ生成構成要素は、ＣＲＴディスプレイを介した表示、ＬＥＤディスプレイを介した表示、又は画像投影を介した表示などの視覚出力を提供するように構成されている。一部の実施形態では、ディスプレイ生成構成要素は、コンピュータシステムと一体化される。一部の実施形態では、ディスプレイ生成構成要素は、コンピュータシステムとは別個である。本明細書で使用される場合、コンテンツを「表示する」とは、コンテンツを視覚的に生成するために、有線又は無線接続を介して、データ（例えば、画像データ又はビデオデータ）を、統合又は外部のディスプレイ生成構成要素に送信することにより、コンテンツ（例えば、ディスプレイコントローラ１５６によってレンダリング又はデコードされたビデオデータ）を表示させることを含む。
【００６６】
以下の論考では、ディスプレイ及びタッチ感知面を含む電子装置について説明する。しかしながら、電子装置は、任意選択的に、物理キーボード、マウス、及び／又はジョイスティックなどの１つ以上の他の物理ユーザインタフェースデバイスを含むことを理解されたい。
【００６７】
デバイスは、典型的には、描画アプリケーション、プレゼンテーションアプリケーション、ワードプロセッシングアプリケーション、ウェブサイト作成アプリケーション、ディスクオーサリングアプリケーション、スプレッドシートアプリケーション、ゲームアプリケーション、電話アプリケーション、テレビ会議アプリケーション、電子メールアプリケーション、インスタントメッセージングアプリケーション、トレーニングサポートアプリケーション、写真管理アプリケーション、デジタルカメラアプリケーション、デジタルビデオカメラアプリケーション、ウェブブラウジングアプリケーション、デジタル音楽プレーヤアプリケーション、及び／又はデジタルビデオプレーヤアプリケーションのうちの１つ以上などの様々なアプリケーションに対応する。
【００６８】
本デバイス上で実行される様々なアプリケーションは、タッチ感知面などの、少なくとも１つの共通の物理ユーザインタフェースデバイスを、任意選択的に使用する。タッチ感知面の１つ以上の機能、並びにデバイス上に表示される対応する情報は、アプリケーションごとに、及び／又はそれぞれのアプリケーション内で、任意選択的に、調整及び／又は変更される。このように、デバイスの共通の物理アーキテクチャ（タッチ感知面など）は、任意選択的に、ユーザにとって直観的かつ透明なユーザインタフェースを備える様々なアプリケーションをサポートする。
【００６９】
ここで、タッチ感知ディスプレイを備えるポータブルデバイスの実施形態に注意を向ける。図１Ａは、いくつかの実施形態に係るタッチ感知ディスプレイシステム１１２を有するポータブル多機能デバイス１００を示すブロック図である。タッチ感知ディスプレイ１１２は、便宜上「タッチスクリーン」と呼ばれることがあり、「タッチ感知ディスプレイシステム」として知られている又は呼ばれることがある。デバイス１００は、メモリ１０２（任意選択的に、１つ以上のコンピュータ可読記憶媒体を含む）、メモリコントローラ１２２、１つ以上の処理ユニット（ＣＰＵ）１２０、周辺機器インタフェース１１８、ＲＦ回路１０８、オーディオ回路１１０、スピーカ１１１、マイクロフォン１１３、入出力（Ｉ／Ｏ）サブシステム１０６、他の入力コントロールデバイス１１６、及び外部ポート１２４を含む。デバイス１００は、任意選択的に、１つ以上の光センサ１６４を含む。デバイス１００は、任意選択的に、デバイス１００上の接触の強度を検出する１つ以上の接触強度センサ１６５（例えば、デバイス１００のタッチ感知ディスプレイシステム１１２などのタッチ感知面）を含む。デバイス１００は、任意選択的に、デバイス１００上で触知出力を生成する（例えばデバイス１００のタッチ感知ディスプレイシステム１１２又はデバイス３００のタッチパッド３５５などのタッチ感知面上で触知出力を生成する）１つ以上の触知出力生成器１６７を含む。これらの構成要素は、任意選択的に、１つ以上の通信バス又は信号ライン１０３を介して通信する。
【００７０】
本明細書及び特許請求の範囲では、タッチ感知面上の接触の「強度」という用語は、タッチ感知面上の接触（例えば、指の接触）の力若しくは圧力（単位面積当たりの力）、又はタッチ感知面上の接触の力若しくは圧力に対する代理（プロキシ）を指す。接触の強度は、少なくとも４つの別個の値を含み、より典型的には、数百の（例えば、少なくとも２５６の）別個の値を含む、値の範囲を有する。接触の強度は、任意選択的に、様々な手法、及び様々なセンサ又はセンサの組み合わせを使用して、判定（又は測定）される。例えば、タッチ感知面の下又はそれに隣接する１つ以上の力センサは、任意選択的に、タッチ感知面上の様々なポイントにおける力を測定するために使用される。一部の実装形態では、複数の力センサからの力測定値は、接触の推定される力を判定するために組み合わされる（例えば、加重平均）。同様に、スタイラスの感圧性先端部は、任意選択的に、タッチ感知面上のスタイラスの圧力を判定するために使用される。あるいは、タッチ感知面上で検出される接触エリアのサイズ及び／若しくはその変化、接触に近接するタッチ感知面の電気容量及び／若しくはその変化、並びに／又は、接触に近接するタッチ感知面の抵抗及び／若しくはその変化は、任意選択的に、タッチ感知面上の接触の力又は圧力の代替物として使用される。一部の実装形態では、接触の力又は圧力のための代替測定値は、強度閾値を超えているかどうかを判定するために直接使用される（例えば、強度閾値は、代替測定値に対応する単位で記述される）。一部の実装形態では、接触力又は圧力に対する代理測定は、推定される力又は圧力に変換され、推定される力又は圧力は、強度閾値を超過したかどうかを判定するために使用される（例えば、強度閾値は、圧力の単位で測定される圧力閾値である）。接触の強度をユーザ入力の属性として使用することにより、アフォーダンスを（例えば、タッチ感知ディスプレイ上に）表示するための、及び／又は、ユーザ入力を（例えば、タッチ感知ディスプレイ、タッチ感知面、又は、ノブ若しくはボタンなどの物理的／機械的制御部を介して）受信するための面積が制限されている、低減されたサイズの装置上で、通常であればユーザによってアクセスすることを不可能とすることができる追加の装置機能への、ユーザのアクセスが可能となる。
【００７１】
本明細書及び特許請求の範囲で使用されるように、用語「触知出力」は、ユーザの触覚でユーザによって検出されることになる、デバイスの従前の位置に対するそのデバイスの物理的変位、デバイスの構成要素（例えば、タッチ感知面）の、そのデバイスの別の構成要素（例えば、筐体）に対する物理的変位、又は、デバイスの質量中心に対する構成要素の変位を指す。例えば、デバイス又はデバイスの構成要素が、タッチに敏感なユーザの表面（例えば、ユーザの手の指、手のひら、又は他の部分）に接触している状況では、物理的変位によって生成された触知出力は、そのデバイス又はデバイスの構成要素の物理的特性の認識される変化に相当する触感として、ユーザによって解釈されることになる。例えば、タッチ感知面（例えば、タッチ感知ディスプレイ又はトラックパッド）の移動は、ユーザによって、物理アクチュエータボタンの「ダウンクリック」又は「アップクリック」として、任意選択的に解釈される。場合によっては、ユーザの動作により物理的に押された（例えば、変位された）タッチ感知面に関連付けられた物理アクチュエータボタンの移動がないときでさえ、ユーザは「ダウンクリック」又は「アップクリック」などの触感を感じる。別の例として、タッチ感知面の移動は、タッチ感知面の平滑度に変化がない場合であっても、ユーザによって、そのタッチ感知面の「粗さ」として、任意選択的に解釈又は感知される。そのようなユーザによるタッチの解釈は、ユーザの個人的な感覚認知に左右されるが、大多数のユーザに共通する、多くのタッチの感覚認知が存在する。したがって、触知出力が、ユーザの特定の感覚認知（例えば、「アップクリック」「ダウンクリック」、「粗さ」）に対応するものと記述される場合、別途記載のない限り、生成された触知出力は、典型的な（又は、平均的な）ユーザの記述された感覚認知を生成するデバイス、又はデバイスの構成要素の物理的変位に対応する。
【００７２】
デバイス１００は、ポータブル多機能デバイスの一例に過ぎず、デバイス１００は、任意選択的に、示されているものよりも多くの構成要素又は少ない構成要素を有するものであり、任意選択的に、２つ以上の構成要素を組み合わせるものであり、又は、任意選択的に、それらの構成要素の異なる構成若しくは配置を有するものであることを理解されたい。図１Ａに示す様々な構成要素は、１つ以上の信号処理回路及び／又は特定用途向け集積回路を含む、ハードウェア、ソフトウェア、又はハードウェアとソフトウェアの両方の組み合わせで実施される。
【００７３】
メモリ１０２は、任意選択的に、高速ランダムアクセスメモリを含み、また任意選択的に、１つ以上の磁気ディスク記憶デバイス、フラッシュメモリデバイス、又は他の不揮発性ソリッドステートメモリデバイスなどの不揮発性メモリを含む。メモリコントローラ１２２は、任意選択的に、デバイス１００の他の構成要素によるメモリ１０２へのアクセスを制御する。
【００７４】
周辺機器インタフェース１１８は、デバイスの入力及び出力周辺機器をＣＰＵ１２０及びメモリ１０２に結合するために使用することができる。１つ以上のプロセッサ１２０は、メモリ１０２に記憶された様々なソフトウェアプログラム及び／又は命令セットを動作させる又は実行して、デバイス１００のための様々な機能を実行し、データを処理する。いくつかの実施形態では、周辺機器インタフェース１１８、ＣＰＵ１２０、及びメモリコントローラ１２２は、任意選択的に、チップ１０４などの単一のチップ上で実施される。いくつかの他の実施形態では、それらは別々のチップ上に任意選択的に実装される。
【００７５】
ＲＦ（ｒａｄｉｏ  ｆｒｅｑｕｅｎｃｙ）（無線周波数）回路１０８は、電磁信号とも呼ばれるＲＦ信号を送受信する。ＲＦ回路１０８は、電気信号を電磁信号に、又は電磁信号を電気信号に変換し、電磁信号を介して通信ネットワーク及び他の通信装置と通信する。ＲＦ回路１０８は、任意選択的に、これらの機能を実行するための周知の回路を含み、それらの回路としては、限定するものではないが、アンテナシステム、ＲＦ送受信機、１つ以上の増幅器、同調器、１つ以上の発振器、デジタル信号プロセッサ、ＣＯＤＥＣチップセット、加入者識別モジュール（subscriber identity module、ＳＩＭ）カード、メモリなどが挙げられる。ＲＦ回路１０８は、任意選択的に、ワールドワイドウェブ（World Wide Web、ＷＷＷ）とも呼ばれるインターネット、イントラネット、並びに／又はセルラー電話ネットワーク、無線ローカルエリアネットワーク（local area network、ＬＡＮ）及び／若しくはメトロポリタンエリアネットワーク（metropolitan area network、ＭＡＮ）などの無線ネットワークなどのネットワークと、また他のデバイスと、無線通信によって通信する。ＲＦ回路１０８は、任意選択的に、短距離通信無線機などによって近距離通信（near field Communication、ＮＦＣ）フィールドを検出する良く知られている回路を含む。無線通信は、任意選択的に、それだけに限定されるものではないが、動き通信用のグローバルシステム（Global System for Mobile Communications、ＧＳＭ）、拡張データＧＳＭ環境（Enhanced Data GSM Environment、ＥＤＧＥ）、高速ダウンリンクパケットアクセス（high-speed downlink packet access、ＨＳＤＰＡ）、高速アップリンクパケットアクセス（high-speed uplink packet access、ＨＳＵＰＡ）、エボリューションデータオンリ（Evolution,Data-Only、ＥＶ−ＤＯ）、ＨＳＰＡ、ＨＳＰＡ＋、デュアルセルＨＳＰＡ（Dual-Cell HSPA、ＤＣ−ＨＳＰＤＡ）、ロングタームエボリューション（long term evolution、ＬＴＥ）、近距離通信（ＮＦＣ）、広帯域符号分割多元接続（wideband code division multiple access、Ｗ−ＣＤＭＡ）、符号分割多元接続（code division multiple access、ＣＤＭＡ）、時分割多元接続（time division multiple access、ＴＤＭＡ）、Ｂｌｕｅｔｏｏｔｈ（登録商標）、Ｂｌｕｅｔｏｏｔｈローエネルギ（Bluetooth Low Energy、ＢＴＬＥ（登録商標））、ワイヤレスフィデリティ（Wireless Fidelity、Ｗｉ−Ｆｉ（登録商標））（例えば、ＩＥＥＥ  ８０２．１１ａ、ＩＥＥＥ  ８０２．１１ｂ、ＩＥＥＥ  ８０２．１１ｇ、ＩＥＥＥ  ８０２．１１ｎ、及び／若しくはＩＥＥＥ  ８０２．１１ａｃ）、ボイスオーバインターネットプロトコル（voice over Internet Protocol、ＶｏＩＰ）、Ｗｉ−ＭＡＸ（登録商標）、電子メール用プロトコル（例えば、インターネットメッセージアクセスプロトコル（Internet message access protocol、ＩＭＡＰ）及び／若しくはポストオフィスプロトコル（post office protocol、ＰＯＰ））、インスタントメッセージング（例えば、拡張可能なメッセージング及びプレゼンスプロトコル（extensible messaging and presence protocol、ＸＭＰＰ）、インスタントメッセージング及びプレゼンスレベレイジングエクステンションのためのセッション開始プロトコル（Session Initiation Protocol for Instant Messaging and Presence Leveraging Extensions、ＳＩＭＰＬＥ）、インスタントメッセージング及びプレゼンスサービス（Instant Messaging and Presence Service、ＩＭＰＳ））、並びに／若しくはショートメッセージサービス（Short Message Service、ＳＭＳ）、又は本明細書の出願日の時点でまだ開発されていない通信プロトコルを含む任意の他の適した通信プロトコルを含む、複数の通信規格、プロトコル、及び技術のうちのいずれかを使用する。
【００７６】
オーディオ回路１１０、スピーカ１１１、及びマイクロフォン１１３は、ユーザとデバイス１００との間のオーディオインタフェースを提供する。オーディオ回路１１０は、周辺機器インタフェース１１８からオーディオデータを受信し、このオーディオデータを電気信号に変換し、この電気信号をスピーカ１１１に送信する。スピーカ１１１は、電気信号を人間の可聴音波に変換する。また、オーディオ回路１１０は、マイクロフォン１１３によって音波から変換された電気信号を受信する。オーディオ回路１１０は、電気信号をオーディオデータに変換し、このオーディオデータを処理のために周辺機器インタフェース１１８に送信する。オーディオデータは、任意選択的に、周辺機器インタフェース１１８によって、メモリ１０２及び／若しくはＲＦ回路１０８から取得され、かつ／又はメモリ１０２及び／若しくはＲＦ回路１０８に伝送される。いくつかの実施形態では、オーディオ回路１１０はまた、ヘッドセットジャック（例えば、図２の２１２）を含む。ヘッドセットジャックは、オーディオ回路１１０と、出力専用ヘッドホン又は出力（例えば片耳又は両耳用のヘッドホン）及び入力（例えばマイクロフォン）の両方を備えるヘッドセットなどの着脱可能なオーディオ入出力周辺機器との間のインタフェースを提供する。
【００７７】
Ｉ／Ｏサブシステム１０６は、タッチスクリーン１１２及び他の入力コントロールデバイス１１６などのデバイス１００上の入出力周辺機器を、周辺機器インタフェース１１８に結合する。Ｉ／Ｏサブシステム１０６は、任意選択的に、ディスプレイコントローラ１５６、光センサコントローラ１５８、深度カメラコントローラ１６９、強度センサコントローラ１５９、触覚フィードバックコントローラ１６１、及び、他の入力デバイス若しくは制御デバイス用の１つ以上の入力コントローラ１６０を含む。１つ以上の入力コントローラ１６０は、他の入力コントロールデバイス１１６からの電気信号の受信／他の入力コントロールデバイス１１６への電気信号の送信を行う。他の入力コントロールデバイス１１６は、任意選択的に、物理ボタン（例えば、プッシュボタン、ロッカボタンなど）、ダイヤル、スライダスイッチ、ジョイスティック、クリックホイールなどを含む。いくつかの代替的な実施形態では、入力コントローラ（単数又は複数）１６０は、任意選択的に、キーボード、赤外線ポート、ＵＳＢポート、及びマウスなどのポインタデバイスのうちのいずれかに結合される（又はいずれにも結合されない）。１つ以上のボタン（例えば、図２の２０８）は、任意選択的に、スピーカ１１１及び／又はマイクロフォン１１３の音量コントロールのための上下ボタンを含む。１つ以上のボタンは、任意選択的に、プッシュボタン（例えば、図２の２０６）を含む。一部の実施形態では、電子装置は、（例えば、無線通信を介して、有線通信を介して）１つ以上の入力装置と通信するコンピュータシステムである。いくつかの実施形態では、１つ以上の入力デバイスは、タッチ感知面（例えば、タッチ感知ディスプレイの一部としてのトラックパッド）を含む。一部の実施形態では、１つ以上の入力装置は、入力としてユーザのジェスチャ（例えば、ハンドジェスチャ）を追跡するためなど、１つ以上のカメラセンサ（例えば、１つ以上の光学センサ１６４及び／又は１つ以上の深度カメラセンサ１７５）を含む。一部の実施形態では、１つ以上の入力装置は、コンピュータシステムと一体化される。一部の実施形態では、１つ以上の入力装置は、コンピュータシステムとは別個である。
【００７８】
全体として参照により本明細書に組み込まれている、２００５年１２月２３日出願の米国特許出願第１１／３２２，５４９号、「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」、米国特許第７，６５７，８４９号に記載されているように、プッシュボタンの素早い押下は、任意選択的に、タッチスクリーン１１２のロックを係合解除し、又は任意選択的に、タッチスクリーン上のジェスチャを使用してデバイスをアンロックするプロセスを開始する。プッシュボタン（例えば、２０６）のより長い押下は、任意選択的に、デバイス１００への電力をオン又はオフにする。ボタンのうちの１つ以上の機能性は、任意選択的に、ユーザによってカスタマイズ可能である。タッチスクリーン１１２は、仮想又はソフトボタン及び１つ以上のソフトキーボードを実装するために使用される。
【００７９】
タッチ感知ディスプレイ１１２は、デバイスとユーザとの間の入力インタフェース及び出力インタフェースを提供する。ディスプレイコントローラ１５６は、タッチスクリーン１１２からの電気信号の受信、及び／又はタッチスクリーン１１２への電気信号の送信を行う。タッチスクリーン１１２は、ユーザに対して視覚出力を表示する。この視覚出力は、グラフィック、テキスト、アイコン、ビデオ、及びそれらの任意の組み合わせ（総称して「グラフィック」）を任意選択的に含む。いくつかの実施形態では、視覚出力の一部又は全ては、任意選択的に、ユーザインタフェースオブジェクトに対応する。
【００８０】
タッチスクリーン１１２は、触覚及び／又は触知接触に基づくユーザからの入力を受け入れるタッチ感知面、センサ、又はセンサのセットを有する。タッチスクリーン１１２及びディスプレイコントローラ１５６は（メモリ１０２内の任意の関連モジュール及び／又は命令セットとともに）、タッチスクリーン１１２上で接触（及び任意の接触の移動又は中断）を検出し、検出された接触をタッチスクリーン１１２上に表示されたユーザインタフェースオブジェクト（例えば、１つ以上のソフトキー、アイコン、ウェブページ又は画像）との対話に変換する。例示的な実施形態では、タッチスクリーン１１２とユーザとの間の接触点は、ユーザの指に対応する。
【００８１】
タッチスクリーン１１２は、任意選択的に、ＬＣＤ（液晶ディスプレイ）技術、ＬＰＤ（発光ポリマーディスプレイ）技術、又はＬＥＤ（発光ダイオード）技術を使用するが、他の実施形態では、他のディスプレイ技術も使用される。タッチスクリーン１１２及びディスプレイコントローラ１５６は、任意選択的に、それだけに限定されるものではないが、容量性、抵抗性、赤外線、及び表面音波の技術、並びにタッチスクリーン１１２との１つ以上の接触点を判定する他の近接センサアレイ又は他の要素を含む、現在知られている又は今後開発される複数のタッチ感知技術のうちのいずれかを使用して、接触及びそのあらゆる動き又は中断を検出する。例示的な実施形態では、カリフォルニア州クパチーノのＡｐｐｌｅ  Ｉｎｃ．からのｉＰｈｏｎｅ（登録商標）及びｉＰｏｄ  Ｔｏｕｃｈ（登録商標）に見られるものなどの、投影型相互静電容量感知技術が使用される。
【００８２】
タッチスクリーン１１２のいくつかの実施形態におけるタッチ感知ディスプレイは、任意選択的に、それぞれ全体として参照により本明細書に組み込まれている、米国特許第６，３２３，８４６号（Ｗｅｓｔｅｒｍａｎら）、第６，５７０，５５７号（Ｗｅｓｔｅｒｍａｎら）、及び／若しくは第６，６７７，９３２号（Ｗｅｓｔｅｒｍａｎ）、並びに／又は米国特許公報第２００２／００１５０２４Ａ１号という米国特許に記載されているマルチタッチ感知タッチパッドに類似している。しかし、タッチスクリーン１１２はデバイス１００からの視覚出力を表示するのに対して、タッチ感知タッチパッドは視覚出力を提供しない。
【００８３】
タッチスクリーン１１２のいくつかの実施形態におけるタッチ感知ディスプレイは、（１）２００６年５月２日出願の米国特許出願第１１／３８１，３１３号、「Ｍｕｌｔｉｐｏｉｎｔ  Ｔｏｕｃｈ  Ｓｕｒｆａｃｅ  Ｃｏｎｔｒｏｌｌｅｒ」、（２）２００４年５月６日出願の米国特許出願第１０／８４０，８６２号、「Ｍｕｌｔｉｐｏｉｎｔ  Ｔｏｕｃｈｓｃｒｅｅｎ」、（３）２００４年７月３０日出願の米国特許出願第１０／９０３，９６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（４）２００５年１月３１日出願の米国特許出願第１１／０４８，２６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（５）２００５年１月１８日出願の米国特許出願第１１／０３８，５９０号、「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」、（６）２００５年９月１６日出願の米国特許出願第１１／２２８，７５８号、「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」、（７）２００５年９月１６日出願の米国特許出願第１１／２２８，７００号、「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」、（８）２００５年９月１６日出願の米国特許出願第１１／２２８，７３７号、「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」、及び（９）２００６年３月３日出願の米国特許出願第１１／３６７，７４９号、「Ｍｕｌｔｉ−Ｆｕｎｃｔｉｏｎａｌ  Ｈａｎｄ−Ｈｅｌｄ  Ｄｅｖｉｃｅ」という出願に記載されている。これらの出願は全て、全体として参照により本明細書に組み込まれている。
【００８４】
タッチスクリーン１１２は、任意選択的に、１００ｄｐｉを超えるビデオ解像度を有する。一部の実施形態では、タッチスクリーンは、約１６０ｄｐｉのビデオ解像度を有する。ユーザは、任意選択的に、スタイラス、指などの任意の適した物体又は付属物を使用して、タッチスクリーン１１２に接触する。一部の実施形態では、ユーザインタフェースは、指ベースの接触及びジェスチャを主に扱うように設計されるが、これは、タッチスクリーン上の指の接触面積がより大きいため、スタイラスベースの入力ほど精密でない可能性がある。一部の実施形態では、デバイスは、指による粗い入力を、ユーザによって所望されているアクションを実行するための、正確なポインタ／カーソルの位置又はコマンドに変換する。
【００８５】
いくつかの実施形態では、タッチスクリーンに加えて、デバイス１００は、任意選択的に、特定の機能をアクティブ化又は非アクティブ化するためのタッチパッドを含む。一部の実施形態では、タッチパッドは、タッチスクリーンとは異なり、視覚出力を表示しない、デバイスのタッチ感知エリアである。タッチパッドは、任意選択的に、タッチスクリーン１１２又はタッチスクリーンによって形成されるタッチ感知面の拡張部とは別個のタッチ感知面である。
【００８６】
デバイス１００は、様々な構成要素に電力を供給する電力システム１６２も含む。電力システム１６２は、任意選択的に、電力管理システム、１つ以上の電源（例えば、バッテリ、交流（ＡＣ））、再充電システム、停電検出回路、電力コンバータ又はインバータ、電力状態インジケータ（例えば、発光ダイオード（ＬＥＤ））、並びにポータブルデバイス内での電力の生成、管理、及び分配に関連付けられた任意の他の構成要素を含む。
【００８７】
また、デバイス１００は、任意選択的に、１つ以上の光センサ１６４を含む。図１Ａは、Ｉ／Ｏサブシステム１０６内の光センサコントローラ１５８に結合された光センサを示す。光センサ１６４は、任意選択的に、電荷結合デバイス（charge-coupled device、ＣＣＤ）又は相補的金属酸化物半導体（complementary metal-oxide semiconductor、ＣＭＯＳ）フォトトランジスタを含む。光センサ１６４は、１つ以上のレンズを通って投影された環境からの光を受信し、その光を、画像を表すデータに変換する。光センサ１６４は、撮像モジュール１４３（カメラモジュールとも呼ばれる）と連携して、任意選択的に、静止画像又はビデオをキャプチャする。いくつかの実施形態では、光センサは、デバイスの前面にあるタッチスクリーンディスプレイ１１２とは反対に、デバイス１００の裏面に位置し、したがってタッチスクリーンディスプレイは、静止画像及び／又はビデオ画像の取得のためのビューファインダとして使用することが有効である。いくつかの実施形態では、光センサは、デバイスの前面に配置し、したがってユーザの画像が、任意選択的に、テレビ会議のために入手され、ユーザは、他のテレビ会議参加者をタッチスクリーンディスプレイ上で見る。いくつかの実施形態では、光センサ１６４の位置は、ユーザによって（例えば、デバイス筐体内でレンズ及びセンサを回転させることによって）変更することができ、したがって単一の光センサ１６４が、タッチスクリーンディスプレイとともに、テレビ会議にも静止画像及び／又はビデオ画像の取得にも使用される。
【００８８】
デバイス１００はまた、任意選択的に、１つ以上の深度カメラセンサ１７５を含む。図１Ａは、Ｉ／Ｏサブシステム１０６内の深度カメラコントローラ１６９に結合された深度カメラセンサを示す。深度カメラセンサ１７５は、環境からデータを受信して、視点（例えば、深度カメラセンサ）からのシーン内の対象物（例えば、顔面）の３次元モデルを作成する。いくつかの実施形態では、撮像モジュール１４３（カメラモジュールとも呼ばれる）と連携して、深度カメラセンサ１７５は、任意選択的に、撮像モジュール１４３によってキャプチャされた画像の種々の部分の深度マップを決定するために使用される。いくつかの実施形態では、ユーザが他のテレビ会議参加者をタッチスクリーンディスプレイ上で見ている間に、深度情報を有するユーザの画像が、任意選択的に、テレビ会議のために取得されるように、及び、深度マップデータを有する自撮り画像をキャプチャするように、デバイス１００の前面に深度カメラセンサが配置されている。いくつかの実施形態では、深度カメラセンサ１７５は、デバイスの背面に、あるいはデバイス１００の背面及び前面に配置されている。いくつかの実施形態では、深度カメラセンサ１７５の位置は、ユーザによって（例えば、デバイスハウジング内でレンズ及びセンサを回転させることによって）変更することができ、したがって深度カメラセンサ１７５が、タッチスクリーンディスプレイとともに、テレビ会議にも静止画像及び／又はビデオ画像の取得にも使用される。
【００８９】
デバイス１００はまた、任意選択的に、１つ以上の接触強度センサ１６５を含む。図１Ａは、Ｉ／Ｏサブシステム１０６内の強度センサコントローラ１５９に結合された接触強度センサを示す。接触強度センサ１６５は、任意選択的に、１つ以上のピエゾ抵抗ひずみゲージ、容量性力センサ、電気力センサ、圧電力センサ、光学力センサ、容量性タッチ感知面、又は他の強度センサ（例えば、タッチ感知面上の接触の力（若しくは圧力）を測定するために使用されるセンサ）を含む。接触強度センサ１６５は、接触強度情報（例えば、圧力情報、又は圧力情報に対するプロキシ）を環境から受信する。いくつかの実施形態では、少なくとも１つの接触強度センサは、タッチ感知面（例えばタッチ感知ディスプレイシステム１１２）と並置される、又はそれに近接される。いくつかの実施形態では、少なくとも１つの接触強度センサが、デバイス１００の前面に配置されたタッチスクリーンディスプレイ１１２の反対側である、デバイス１００の背面に配置されている。
【００９０】
また、デバイス１００は、任意選択的に、１つ以上の近接センサ１６６を含む。図１Ａは、周辺機器インタフェース１１８に結合された近接センサ１６６を示す。代わりに、近接センサ１６６は、任意選択的に、Ｉ／Ｏサブシステム１０６内の入力コントローラ１６０に結合される。近接センサ１６６は、任意選択的に、全体として参照により本明細書に組み込まれている、米国特許出願第１１／２４１，８３９号、「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／２４０，７８８号、「Ｐｒｏｘｉｍｉｔｙ  Ｄｅｔｅｃｔｏｒ  Ｉｎ  Ｈａｎｄｈｅｌｄ  Ｄｅｖｉｃｅ」第１１／６２０，７０２号、「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、第１１／５８６，８６２号、「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、及び同第１１／６３８，２５１号、「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」で説明されるように機能するものであり、これらの出願は、全体が参照により本明細書に組み込まれる。いくつかの実施形態では、多機能デバイスが、ユーザの耳の近くに配置される場合（例えば、ユーザが電話通話を行っている場合）、近接センサは、タッチスクリーン１１２をオフにして無効化する。
【００９１】
装置１００はまた、任意選択的に、１つ以上の触知出力生成器１６７を含む。図１Ａは、Ｉ／Ｏサブシステム１０６内の触覚フィードバックコントローラ１６１に結合された触知出力生成器を示す。触知出力生成器１６７は、任意選択的に、スピーカ若しくは他のオーディオ構成要素などの１つ以上の電気音響デバイス、及び／又はモータ、ソレノイド、電気活性ポリマー、圧電アクチュエータ、静電アクチュエータ、若しくは他の触知出力生成構成要素（例えば、デバイス上で電気信号を触知出力に変換する構成要素）などのエネルギを直線の動きに変換する電気機械デバイスを含む。接触強度センサ１６５は、触覚フィードバックモジュール１３３から触知フィードバック生成命令を受信し、デバイス１００のユーザが感知することが可能な触知出力をデバイス１００上に生成する。いくつかの実施形態では、少なくとも１つの触知出力生成器は、タッチ感知面（例えば、タッチ感知ディスプレイシステム１１２）と並置される、又はそれに近接しており、任意選択的に、タッチ感知面を垂直方向（例えば、デバイス１００の表面の内／外）に、又は水平方向（例えば、デバイス１００の表面と同じ平面内の前後）に移動させることによって、触知出力を生成する。いくつかの実施形態では、少なくとも１つの触知出力生成器センサが、デバイス１００の前面に配置されたタッチスクリーンディスプレイ１１２の反対側である、デバイス１００の背面に配置されている。
【００９２】
また、デバイス１００は、任意選択的に、１つ以上の加速度計１６８を含む。図１Ａは、周辺機器インタフェース１１８に結合された加速度計１６８を示す。代わりに、加速度計１６８は、任意選択的に、Ｉ／Ｏサブシステム１０６内の入力コントローラ１６０に結合される。加速度計１６８は、任意選択的に、どちらも全体として参照により本明細書に組み込まれている、米国特許公開第２００５０１９００５９号、「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」、及び米国特許公開第２００６００１７６９２号、「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」に記載されているように機能する。一部の実施形態では、情報は、１つ以上の加速度計から受信したデータの分析に基づいて、ポートレートビュー又はランドスケープビューでタッチスクリーンディスプレイ上に表示される。デバイス１００は、加速度計１６８に加えて、磁気計並びにデバイス１００の場所及び向き（例えば、縦方向又は横方向）に関する情報を取得するためのＧＰＳ（又はＧＬＯＮＡＳＳ又は他のグローバルナビゲーションシステム）受信機を任意選択的に含む。
【００９３】
いくつかの実施形態では、メモリ１０２内に記憶されているソフトウェア構成要素は、オペレーティングシステム１２６、通信モジュール（又は命令セット）１２８、接触／動きモジュール（又は命令セット）１３０、グラフィックモジュール（又は命令セット）１３２、テキスト入力モジュール（又は命令セット）１３４、全地球測位システム（Global Positioning System、ＧＰＳ）モジュール（又は命令セット）１３５、及びアプリケーション（又は命令セット）１３６を含む。更に、いくつかの実施形態では、メモリ１０２（図１Ａ）又は３７０（図３）は、図１Ａ及び図３に示すように、デバイス／グローバル内部状態１５７を記憶する。デバイス／グローバル内部状態１５７は、現在アクティブ状態のアプリケーションがある場合に、どのアプリケーションがアクティブであるかを示すアクティブアプリケーション状態、どのアプリケーション、ビュー、又は他の情報がタッチスクリーンディスプレイ１１２の様々な領域を占めているかを示す表示状態、デバイスの様々なセンサ及び入力コントロールデバイス１１６から取得した情報を含むセンサ状態、並びにデバイスの位置及び／又は姿勢に関する位置情報、のうちの１つ以上を含む。
【００９４】
オペレーティングシステム１２６（例えば、Ｄａｒｗｉｎ（登録商標）、ＲＴＸＣ（登録商標）、ＬＩＮＵＸ（登録商標）、ＵＮＩＸ（登録商標）、ＯＳ  Ｘ（登録商標）、ｉＯＳ（登録商標）、ＷＩＮＤＯＷＳ（登録商標）、又はＶｘＷｏｒｋｓ（登録商標）などの組み込み型オペレーティングシステム）は、一般的なシステムタスク（例えば、メモリ管理、記憶デバイスの制御、電力管理など）を制御及び管理する様々なソフトウェア構成要素及び／又はドライバを含み、様々なハードウェア構成要素とソフトウェア構成要素との間の通信を容易にする。
【００９５】
通信モジュール１２８は、１つ以上の外部ポート１２４を介して他のデバイスとの通信を容易にし、ＲＦ回路１０８及び／又は外部ポート１２４が受信したデータを処理するための様々なソフトウェア構成要素をも含む。外部ポート１２４（例えば、ユニバーサルシリアルバス（Universal Serial Bus、ＵＳＢ）、ＦＩＲＥＷＩＲＥ（登録商標）など）は、直接的に、又はネットワーク（例えばインターネット、無線ＬＡＮなど）を介して間接的に、他のデバイスに結合するように適合されている。一部の実施形態では、外部ポートは、ｉＰｏｄ（登録商標）（Ａｐｐｌｅ  Ｉｎｃ．の商標）デバイス上で使用される３０ピンコネクタと同じ若しくは類似であり、かつ／又はそれに適合しているマルチピン（例えば、３０ピン）コネクタである。
【００９６】
接触／動きモジュール１３０は、任意選択的に、タッチスクリーン１１２（ディスプレイコントローラ１５６と連携して）及び他のタッチ感知デバイス（例えば、タッチパッド又は物理クリックホイール）との接触を検出する。接触／動きモジュール１３０は、接触が生じたか否かを判定すること（例えば、指を下ろすイベントを検出すること）、接触の強度（例えば、接触の力若しくは圧力、又は接触の力若しくは圧力の代替物）を判定すること、接触の移動が存在するか否かを判定し、タッチ感知面を横断する移動を追跡すること（例えば、指をドラッグする１つ以上のイベントを検出すること）、及び接触が停止したか否かを判定すること（例えば、指を上げるイベント又は接触の中断を検出すること）などの、接触の検出に関する様々な動作を実行するための、様々なソフトウェア構成要素を含む。接触／動きモジュール１３０は、タッチ感知面から接触データを受信する。一連の接触データによって表される、接触点の移動を判定することは、任意選択的に、接触点の速さ（大きさ）、速度（大きさ及び方向）、及び／又は加速度（大きさ及び／又は方向の変化）を判定することを含む。これらの動作は、任意選択的に、単一の接触（例えば、１本の指の接触）又は複数の同時接触（例えば、「マルチタッチ」／複数の指の接触）に適用される。いくつかの実施形態では、接触／動きモジュール１３０及びディスプレイコントローラ１５６は、タッチパッド上の接触を検出する。
【００９７】
いくつかの実施形態では、接触／動きモジュール１３０は、ユーザによって動作が実行されたか否かを判定するための（例えば、ユーザがアイコン上で「クリック」したか否かを判定するための）、１つ以上の強度閾値のセットを使用する。いくつかの実施形態では、強度閾値の少なくとも１つのサブセットが、ソフトウェアパラメータに従って判定される（例えば、強度閾値は、特定の物理アクチュエータのアクティブ化閾値によって判定されるのではなく、デバイス１００の物理ハードウェアを変化させることなく調整することができる）。例えば、トラックパッド又はタッチスクリーンディスプレイのマウス「クリック」閾値は、トラックパッド又はタッチスクリーンディスプレイハードウェアを変化させることなく、広範囲の既定閾値のうちのいずれかに設定することができる。加えて、一部の実装形態では、デバイスのユーザは、強度閾値のセットのうちの１つ以上を調整するソフトウェア設定が提供される（例えば、システムレベルのクリック「強度」パラメータによって、個々の強度閾値を調整すること、及び／又は複数の強度閾値を一度に調整することによる）。
【００９８】
接触／動きモジュール１３０は、任意選択的に、ユーザによるジェスチャ入力を検出する。タッチ感知面上の異なるジェスチャは、異なる接触パターンを有する（例えば検出される接触の動き、タイミング、及び／又は強度が異なる）。したがって、ジェスチャは、任意選択的に、特定の接触パターンを検出することによって検出される。例えば、指タップジェスチャを検出することは、指ダウンイベントを検出し、それに続いて指ダウンイベントと同じ位置（又は実質的に同じ位置）（例えば、アイコンの位置）で指アップ（リフトオフ）イベントを検出することを含む。別の例として、タッチ感知面上で指スワイプジェスチャを検出することは、指ダウンイベントを検出し、それに続いて１つ以上の指ドラッグイベントを検出し、その後それに続いて指アップ（リフトオフ）イベントを検出することを含む。
【００９９】
グラフィックモジュール１３２は、表示されるグラフィックの視覚的な影響（例えば、輝度、透明度、彩度、コントラスト、又は他の視覚的特性）を変化させる構成要素を含めて、タッチスクリーン１１２又は他のディスプレイ上にグラフィックをレンダリング及び表示する様々な既知のソフトウェア構成要素を含む。本明細書では、「グラフィック」という用語は、それだけに限定されるものではないが、文字、ウェブページ、アイコン（ソフトキーを含むユーザインタフェースオブジェクトなど）、デジタル画像、ビデオ、アニメーションなどを含む、ユーザに表示することができる任意のオブジェクトを含む。
【０１００】
いくつかの実施形態では、グラフィックモジュール１３２は、使用されることになるグラフィックを表すデータを記憶する。各グラフィックには、任意選択的に、対応するコードが割り当てられる。グラフィックモジュール１３２は、アプリケーションなどから、必要に応じて、座標データ及び他のグラフィック特性データとともに、表示されることとなるグラフィックを指定する１つ以上のコードを受信し、次にディスプレイコントローラ１５６に出力する画面の画像データを生成する。
【０１０１】
触覚フィードバックモジュール１３３は、デバイス１００とのユーザ対話に応じて、デバイス１００上の１つ以上の場所で触知出力を生成するために、触知出力生成器（単数又は複数）１６７によって使用される命令を生成するための、様々なソフトウェア構成要素を含む。
【０１０２】
テキスト入力モジュール１３４は、任意選択で、グラフィックモジュール１３２の構成要素であり、様々なアプリケーション（例えば、連絡先１３７、電子メール１４０、ＩＭ１４１、ブラウザ１４７、及びテキスト入力を必要とする任意の他のアプリケーション）でテキストを入力するためのソフトキーボードを提供する。
【０１０３】
ＧＰＳモジュール１３５は、デバイスの位置を判定し、この情報を様々なアプリケーションで使用するために（例えば、位置に基づくダイヤル発呼で使用するために電話１３８へ、写真／ビデオのメタデータとしてカメラ１４３へ、並びに、気象ウィジェット、地域のイエローページウィジェット、及び地図／ナビゲーションウィジェットなどの、位置に基づくサービスを提供するアプリケーションへ）提供する。
【０１０４】
アプリケーション１３６は、任意選択的に、以下のモジュール（又は命令セット）又はそれらのサブセット若しくはスーパーセットを含む。
●連絡先モジュール１３７（アドレス帳又は連絡先リストと呼ばれることもある）、
●電話モジュール１３８、
●テレビ会議モジュール１３９、
●電子メールクライアントモジュール１４０、
●インスタントメッセージング（Instant messaging、ＩＭ）モジュール１４１、
●トレーニングサポートモジュール１４２、
●静止画像及び／又はビデオ画像用のカメラモジュール１４３、
●画像管理モジュール１４４、
●ビデオプレーヤモジュール、
●音楽プレーヤモジュール、
●ブラウザモジュール１４７、
●カレンダモジュール１４８、
●任意選択的に気象ウィジェット１４９−１、株価ウィジェット１４９−２、計算機ウィジェット１４９−３、アラーム時計ウィジェット１４９−４、辞書ウィジェット１４９−５、及びユーザによって入手された他のウィジェット、並びにユーザ作成ウィジェット１４９−６のうちの１つ以上を含むウィジェットモジュール１４９、
●ユーザ作成ウィジェット１４９−６を作成するためのウィジェット作成モジュール１５０、
●検索モジュール１５１、
●ビデオプレーヤモジュール及び音楽プレーヤモジュールを一体化したビデオ及び音楽プレーヤモジュール１５２、
●メモモジュール１５３、
●地図モジュール１５４、並びに／又は、
●オンラインビデオモジュール１５５。
【０１０５】
任意選択的にメモリ１０２に記憶される他のアプリケーション１３６の例としては、他のワードプロセッシングアプリケーション、他の画像編集アプリケーション、描画アプリケーション、プレゼンテーションアプリケーション、ＪＡＶＡ（登録商標）対応アプリケーション、暗号化、デジタル著作権管理、音声認識、及び音声複製が挙げられる。
【０１０６】
タッチスクリーン１１２、ディスプレイコントローラ１５６、接触／動きモジュール１３０、グラフィックモジュール１３２、及びテキスト入力モジュール１３４と連携して、連絡先モジュール１３７は、任意選択的に、アドレス帳に名前（単数又は複数）を追加すること、アドレス帳から名前（単数又は複数）を削除すること、電話番号（単数又は複数）、電子メールアドレス（単数又は複数）、実際の住所（単数又は複数）、又は他の情報を名前に関連付けること、画像を名前に関連付けること、名前を分類して並べ替えること、電話番号又は電子メールアドレスを提供して、電話１３８、テレビ会議モジュール１３９、電子メール１４０、又はＩＭ１４１による通信を開始及び／又は促進することなどを含めて、アドレス帳又は連絡先リスト（例えば、メモリ１０２又はメモリ３７０内の連絡先モジュール１３７のアプリケーション内部状態１９２内に記憶される）を管理するために使用される。
【０１０７】
ＲＦ回路１０８、オーディオ回路１１０、スピーカ１１１、マイクロフォン１１３、タッチスクリーン１１２、ディスプレイコントローラ１５６、接触／動きモジュール１３０、グラフィックモジュール１３２、及びテキスト入力モジュール１３４と連携して、電話モジュール１３８は、任意選択的に、電話番号に対応する文字シーケンスの入力、連絡先モジュール１３７内の１つ以上の電話番号へのアクセス、入力された電話番号の修正、それぞれの電話番号のダイヤル、会話の実施、会話が終了したときの通話停止又はハングアップのために使用される。前述したように、無線通信は、任意選択的に、複数の通信規格、プロトコル、及び技術のうちのいずれかを使用する。
【０１０８】
ＲＦ回路１０８、オーディオ回路１１０、スピーカ１１１、マイクロフォン１１３、タッチスクリーン１１２、ディスプレイコントローラ１５６、光センサ１６４、光センサコントローラ１５８、接触／動きモジュール１３０、グラフィックモジュール１３２、テキスト入力モジュール１３４、連絡先モジュール１３７、及び電話モジュール１３８と連携して、テレビ会議モジュール１３９は、ユーザ命令に従ってユーザと１人以上の他の参加者との間のテレビ会議を開始、実行、及び終了するための実行可能な命令を含む。
【０１０９】
ＲＦ回路１０８、タッチスクリーン１１２、ディスプレイコントローラ１５６、接触／動きモジュール１３０、グラフィックモジュール１３２、及びテキスト入力モジュール１３４と連携して、電子メールクライアントモジュール１４０は、ユーザ命令に応じて電子メールを作成、送信、受信、及び管理するための実行可能な命令を含む。画像管理モジュール１４４と連携して、電子メールクライアントモジュール１４０は、カメラモジュール１４３で撮影された静止画像又はビデオ画像を有する電子メールの作成及び送信を非常に容易にする。
【０１１０】
ＲＦ回路１０８、タッチスクリーン１１２、ディスプレイコントローラ１５６、接触／動きモジュール１３０、グラフィックモジュール１３２、及びテキスト入力モジュール１３４と連携して、インスタントメッセージングモジュール１４１は、インスタントメッセージに対応する文字シーケンスの入力、以前に入力された文字の修正、それぞれのインスタントメッセージの送信（例えば、電話通信ベースのインスタントメッセージ向けのショートメッセージサービス（Short Message Service、ＳＭＳ）若しくはマルチメディアメッセージサービス（Multimedia Message Service、ＭＭＳ）プロトコル、又はインターネットベースのインスタントメッセージ向けのＸＭＰＰ、ＳＩＭＰＬＥ、若しくはＩＭＰＳを使用する）、インスタントメッセージの受信、及び受信したインスタントメッセージの閲覧のための実行可能な命令を含む。いくつかの実施形態では、送信及び／又は受信されるインスタントメッセージは、任意選択的に、ＭＭＳ及び／又は拡張メッセージングサービス（Enhanced Messaging Service、ＥＭＳ）でサポートされるグラフィック、写真、オーディオファイル、ビデオファイル、及び／又は他の添付ファイルを含む。本明細書では、「インスタントメッセージング」とは、電話通信ベースのメッセージ（例えば、ＳＭＳ又はＭＭＳを使用して送信されるメッセージ）と、インターネットベースのメッセージ（例えば、ＸＭＰＰ、ＳＩＭＰＬＥ、又はＩＭＰＳを使用して送信されるメッセージ）との両方を指す。
【０１１１】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、地図モジュール１５４、及び音楽プレーヤモジュールと連携して、トレーニングサポートモジュール１４２は、トレーニング（例えば、時間、距離、及び／又はカロリー燃焼目標を有する）を作成し、トレーニングセンサ（スポーツデバイス）と通信し、トレーニングセンサデータを受信し、トレーニングをモニタするために使用されるセンサを較正し、トレーニングのための音楽を選択及び再生し、並びに、トレーニングデータを表示、記憶、及び送信するための実行可能な命令を含む。
【０１１２】
タッチスクリーン１１２、ディスプレイコントローラ１５６、光センサ（単数又は複数）１６４、光センサコントローラ１５８、接触／動きモジュール１３０、グラフィックモジュール１３２、及び画像管理モジュール１４４と連携して、カメラモジュール１４３は、静止画像若しくはビデオ（ビデオストリームを含む）のキャプチャ及びメモリ１０２内への記憶、静止画像若しくはビデオの特性の修正、又はメモリ１０２からの静止画像若しくはビデオの削除のための実行可能な命令を含む。
【０１１３】
タッチスクリーン１１２、ディスプレイコントローラ１５６、接触／動きモジュール１３０、グラフィックモジュール１３２、テキスト入力モジュール１３４、及びカメラモジュール１４３と連携して、画像管理モジュール１４４は、静止画像及び／又はビデオ画像の配置、修正（例えば、編集）、あるいはその他の操作、ラベル付け、削除、提示（例えば、デジタルスライドショー又はアルバムにおける）、及び記憶のための実行可能な命令を含む。
【０１１４】
ＲＦ回路１０８、タッチスクリーン１１２、ディスプレイコントローラ１５６、接触／動きモジュール１３０、グラフィックモジュール１３２、及びテキスト入力モジュール１３４と連携して、ブラウザモジュール１４７は、ウェブページ又はその一部分、並びにウェブページにリンクされた添付ファイル及び他のファイルの検索、リンク、受信、及び表示を含めて、ユーザ命令に従ってインターネットをブラウジングするための実行可能な命令を含む。
【０１１５】
ＲＦ回路１０８、タッチスクリーン１１２、ディスプレイコントローラ１５６、接触／動きモジュール１３０、グラフィックモジュール１３２、テキスト入力モジュール１３４、電子メールクライアントモジュール１４０、及びブラウザモジュール１４７と連携して、カレンダモジュール１４８は、ユーザの指示に従い、カレンダ及びカレンダに関連付けられたデータ（例えば、カレンダアイテム、ｔｏ  ｄｏリストなど）を作成し、表示し、修正し、記憶するための実行可能な命令を含む。
【０１１６】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連携して、ウィジェットモジュール１４９は、任意選択的にユーザによってダウンロード及び使用されるミニアプリケーション（例えば、気象ウィジェット１４９−１、株価ウィジェット１４９−２、計算機ウィジェット１４９−３、アラーム時計ウィジェット１４９−４、及び辞書ウィジェット１４９−５）、又はユーザによって作成されるミニアプリケーション（例えば、ユーザ作成ウィジェット１４９−６）である。いくつかの実施形態では、ウィジェットは、ＨＴＭＬ（Hypertext Markup Language、ハイパーテキストマークアップ言語）ファイル、ＣＳＳ（Cascading Style Sheets、カスケーディングスタイルシート）ファイル、及びＪａｖａＳｃｒｉｐｔファイルを含む。いくつかの実施形態では、ウィジェットは、ＸＭＬ（Extensible Markup Language、拡張可能マークアップ言語）ファイル及びＪａｖａＳｃｒｉｐｔファイル（例えば、Ｙａｈｏｏ！ウィジェット）を含む。
【０１１７】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連携して、ウィジェットクリエータモジュール１５０は、任意選択的に、ウィジェットを作成する（例えば、ウェブページのユーザ指定部分をウィジェットにする）ために、ユーザによって使用される。
【０１１８】
タッチスクリーン１１２、ディスプレイコントローラ１５６、接触／動きモジュール１３０、グラフィックモジュール１３２、及びテキスト入力モジュール１３４と連携して、検索モジュール１５１は、ユーザ命令に従って１つ以上の検索基準（例えば、１つ以上のユーザ指定検索語）に一致するメモリ１０２内の文字、音楽、サウンド、画像、ビデオ、及び／又は他のファイルを検索するための実行可能な命令を含む。
【０１１９】
タッチスクリーン１１２、ディスプレイコントローラ１５６、接触／動きモジュール１３０、グラフィックモジュール１３２、オーディオ回路１１０、スピーカ１１１、ＲＦ回路１０８、及びブラウザモジュール１４７と連携して、ビデオ及び音楽プレーヤモジュール１５２は、ＭＰ３又はＡＡＣファイルなどの１つ以上のファイル形式で記憶された録音済みの音楽及び他のサウンドファイルをユーザがダウンロード及び再生できるようにする実行可能な命令、並びにビデオを（例えば、タッチスクリーン１１２上又は外部ポート１２４を介して接続された外部のディスプレイ上に）表示、提示、又は別の方法で再生するための実行可能な命令を含む。いくつかの実施形態では、デバイス１００は、任意選択的に、ｉＰｏｄ（Ａｐｐｌｅ  Ｉｎｃ．の商標）などのＭＰ３プレーヤの機能を含む。
【０１２０】
タッチスクリーン１１２、ディスプレイコントローラ１５６、接触／動きモジュール１３０、グラフィックモジュール１３２、及びテキスト入力モジュール１３４と連携して、メモモジュール１５３は、ユーザ命令に従ってメモ、ｔｏ  ｄｏリストなどを作成及び管理するための実行可能な命令を含む。
【０１２１】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、及びブラウザモジュール１４７と連携して、地図モジュール１５４は、任意選択的に、ユーザ命令に従って、地図及び地図に関連付けられたデータ（例えば、運転方向、特定の場所又はその付近の店舗及び他の対象地点に関するデータ、並びに他の場所ベースのデータ）を受信、表示、修正、及び記憶するために使用される。
【０１２２】
タッチスクリーン１１２、ディスプレイコントローラ１５６、接触／動きモジュール１３０、グラフィックモジュール１３２、オーディオ回路１１０、スピーカ１１１、ＲＦ回路１０８、テキスト入力モジュール１３４、電子メールクライアントモジュール１４０、及びブラウザモジュール１４７と連携して、オンラインビデオモジュール１５５は、ユーザが特定のオンラインビデオへのアクセス、特定のオンラインビデオのブラウジング、受信（例えば、ストリーミング及び／又はダウンロードによる）、再生（例えば、タッチスクリーン上又は外部ポート１２４を介して接続された外部ディスプレイ上）、特定のオンラインビデオへのリンクを有する電子メールの送信、並びにＨ．２６４などの１つ以上のファイル形式のオンラインビデオの他の管理を行うことを可能にする命令を含む。いくつかの実施形態では、特定のオンラインビデオへのリンクを送信するために、電子メールクライアントモジュール１４０ではなく、インスタントメッセージングモジュール１４１が使用される。オンラインビデオアプリケーションについての追加の説明は、その内容が全体として参照により本明細書に組み込まれている、２００７年６月２０日出願の米国仮特許出願第６０／９３６，５６２号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」、及び２００７年１２月３１日出願の米国特許出願第１１／９６８，０６７号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」において見ることができる。
【０１２３】
上記で特定したモジュール及びアプリケーションはそれぞれ、前述した１つ以上の機能及び本出願に記載する方法（例えば、本明細書に記載するコンピュータにより実装される方法及び他の情報処理方法）を実行する実行可能な命令のセットに対応する。これらのモジュール（例えば、命令セット）は、別個のソフトウェアプログラム、手順、又はモジュールとして実施する必要はなく、したがって、様々な実施形態において、これらのモジュールの様々なサブセットが、任意選択的に、組み合わされ、又は他の形で再構成される。例えば、ビデオプレーヤモジュールは、任意選択的に、音楽プレーヤモジュールと組み合わされて、単一のモジュール（例えば、図１Ａのビデオ及び音楽プレーヤモジュール１５２）にされる。一部の実施形態では、メモリ１０２は、任意選択的に、上記で特定されたモジュール及びデータ構造のサブセットを記憶する。更に、メモリ１０２は、上記で説明されていない追加のモジュール及びデータ構造を任意選択的に記憶する。
【０１２４】
いくつかの実施形態では、デバイス１００は、そのデバイスにおける既定の機能のセットの動作がタッチスクリーン及び／又はタッチパッドのみを介して実行されるデバイスである。デバイス１００が動作するための主要な入力コントロールデバイスとしてタッチスクリーン及び／又はタッチパッドを使用することにより、任意選択的に、デバイス１００上の物理的な入力コントロールデバイス（プッシュボタン、ダイヤルなど）の数が削減される。
【０１２５】
タッチスクリーン及び／又はタッチパッドを通じてのみ実行される既定の機能のセットは、任意選択的に、ユーザインタフェース間のナビゲーションを含む。いくつかの実施形態では、タッチパッドは、ユーザによってタッチされたときに、デバイス１００上に表示される任意のユーザインタフェースから、メインメニュー、ホームメニュー、又はルートメニューにデバイス１００をナビゲートする。このような実施形態では、「メニューボタン」は、タッチパッドを使用して実装される。一部の他の実施形態では、メニューボタンは、タッチパッドではなく、物理プッシュボタン又はその他の物理入力コントロールデバイスである。
【０１２６】
図１Ｂは、いくつかの実施形態に係るイベント処理のための例示的な構成要素を示すブロック図である。いくつかの実施形態では、メモリ１０２（図１Ａ）又は３７０（図３）は、イベントソータ１７０（例えば、オペレーティングシステム１２６内）と、それぞれのアプリケーション１３６−１（例えば、前述のアプリケーション１３７〜１５１、１５５、３８０〜３９０のうちのいずれか）とを含む。
【０１２７】
イベントソータ１７０は、イベント情報を受信し、イベント情報を配信するアプリケーション１３６−１、及びアプリケーション１３６−１のアプリケーションビュー１９１を判定する。イベントソータ１７０は、イベントモニタ１７１及びイベントディスパッチャモジュール１７４を含む。一部の実施形態では、アプリケーション１３６−１は、アプリケーションがアクティブ又は実行中であるときにタッチ感知ディスプレイ１１２上に表示される現在のアプリケーションビュー（単数又は複数）を示すアプリケーション内部状態１９２を含む。いくつかの実施形態では、デバイス／グローバル内部状態１５７は、どのアプリケーション（単数又は複数）が現在アクティブであるかを判定するためにイベントソータ１７０によって使用され、アプリケーション内部状態１９２は、イベント情報が配信されるアプリケーションビュー１９１を判定するためにイベントソータ１７０によって使用される。
【０１２８】
いくつかの実施形態では、アプリケーション内部状態１９２は、アプリケーション１３６−１が実行を再開するときに使用すべき再開情報、アプリケーション１３６−１によって表示されている情報を示す又は表示する準備ができたユーザインタフェース状態情報、ユーザがアプリケーション１３６−１の前の状態又はビューに戻ることを可能にする状態キュー、及びユーザによって行われた前のアクションのリドゥ／アンドゥキューのうちの１つ以上などの追加の情報を含む。
【０１２９】
イベントモニタ１７１は、周辺機器インタフェース１１８からイベント情報を受信する。イベント情報は、サブイベント（例えば、マルチタッチジェスチャの一部としてのタッチ感知ディスプレイ１１２上のユーザタッチ）に関する情報を含む。周辺機器インタフェース１１８は、Ｉ／Ｏサブシステム１０６、又は近接センサ１６６、加速度計（単数又は複数）１６８、及び／若しくは（オーディオ回路１１０を介した）マイクロフォン１１３などのセンサから受信する情報を送信する。周辺機器インタフェース１１８がＩ／Ｏサブシステム１０６から受信する情報は、タッチ感知ディスプレイ１１２又はタッチ感知面からの情報を含む。
【０１３０】
いくつかの実施形態では、イベントモニタ１７１は、所定の間隔で周辺機器インタフェース１１８に要求を送信する。それに応じて、周辺機器インタフェース１１８は、イベント情報を送信する。他の実施形態では、周辺機器インタフェース１１８は、重要なイベント（例えば、所定のノイズ閾値を上回る及び／又は所定の持続時間を超える入力の受信）があるときのみイベント情報を送信する。
【０１３１】
いくつかの実施形態では、イベントソータ１７０はまた、ヒットビュー判定モジュール１７２及び／又はアクティブイベント認識部判定モジュール１７３を含む。
【０１３２】
ヒットビュー判定モジュール１７２は、タッチ感知ディスプレイ１１２が２つ以上のビューを表示するとき、サブイベントが１つ以上のビュー内のどこで行われたかを判定するソフトウェア手順を提供する。ビューは、ユーザがディスプレイ上で見ることができる制御装置及び他の要素から構成されている。
【０１３３】
アプリケーションに関連付けられたユーザインタフェースの別の態様は、本明細書ではアプリケーションビュー又はユーザインタフェースウインドウと呼ばれることもあるビューのセットであり、その中で情報が表示され、タッチに基づくジェスチャが生じる。タッチが検出される（それぞれのアプリケーションの）アプリケーションビューは、任意選択的に、アプリケーションのプログラム階層又はビュー階層内のプログラムレベルに対応する。例えば、タッチが検出される最下位レベルビューは、任意選択的に、ヒットビューと呼ばれ、また、適切な入力として認識されるイベントのセットは、任意選択的に、タッチによるジェスチャを開始する初期タッチのヒットビューに少なくとも部分的に基づいて決定される。
【０１３４】
ヒットビュー判定モジュール１７２は、タッチに基づくジェスチャのサブイベントに関連する情報を受信する。アプリケーションが階層状に構成された複数のビューを有するとき、ヒットビュー判定モジュール１７２は、サブイベントを処理すべき階層内の最下位のビューとして、ヒットビューを特定する。ほとんどの状況では、ヒットビューは、開始サブイベント（例えば、イベント又は潜在的イベントを形成するサブイベントシーケンス内の第１のサブイベント）が行われる最も低いレベルのビューである。ヒットビューがヒットビュー判定モジュール１７２によって特定されると、このヒットビューは、典型的には、ヒットビューとして特定されたのと同じタッチ又は入力ソースに関係する全てのサブイベントを受信する。
【０１３５】
アクティブイベント認識部判定モジュール１７３は、ビュー階層内のどのビュー（単数又は複数）がサブイベントの特定のシーケンスを受信すべきかを判定する。いくつかの実施形態では、アクティブイベント認識部判定モジュール１７３は、ヒットビューのみがサブイベントの特定のシーケンスを受信すべきであると判定する。他の実施形態では、アクティブイベント認識部判定モジュール１７３は、サブイベントの物理位置を含む全てのビューがアクティブに関わりがあるビューであると判定し、したがって、全てのアクティブに関わりがあるビューが、サブイベントの特定のシーケンスを受信すべきであると判定する。他の実施形態では、タッチサブイベントが１つの特定のビューに関連付けられたエリアに完全に限定された場合でも、階層内の上位のビューは、依然としてアクティブに関わりがあるビューであり続ける。
【０１３６】
イベントディスパッチャモジュール１７４は、イベント情報をイベント認識部（例えばイベント認識部１８０）にディスパッチする。アクティブイベント認識部判定モジュール１７３を含む実施形態では、イベントディスパッチャモジュール１７４は、アクティブイベント認識部判定モジュール１７３により判定されたイベント認識部にイベント情報を配信する。いくつかの実施形態では、イベントディスパッチャモジュール１７４は、それぞれのイベント受信部１８２によって取得されるイベント情報をイベントキューに記憶する。
【０１３７】
いくつかの実施形態では、オペレーティングシステム１２６は、イベントソータ１７０を含む。あるいは、アプリケーション１３６−１がイベントソータ１７０を含む。更に他の実施形態では、イベントソータ１７０は、独立型のモジュールであり、又は接触／動きモジュール１３０などのメモリ１０２内に記憶されている別のモジュールの一部分である。
【０１３８】
いくつかの実施形態では、アプリケーション１３６−１は、それぞれがアプリケーションのユーザインタフェースのそれぞれのビュー内で発生するタッチイベントを処理するための命令を含む、複数のイベント処理部１９０及び１つ以上のアプリケーションビュー１９１を含む。アプリケーション１３６−１の各アプリケーションビュー１９１は、１つ以上のイベント認識部１８０を含む。典型的には、それぞれのアプリケーションビュー１９１は、複数のイベント認識部１８０を含む。他の実施形態では、イベント認識部１８０のうちの１つ以上は、ユーザインタフェースキット、又は、アプリケーション１３６−１が方法及び他の属性を継承する上位レベルのオブジェクトなどの、別個のモジュールの一部である。いくつかの実施形態では、それぞれのイベント処理部１９０は、データ更新部１７６、オブジェクト更新部１７７、ＧＵＩ更新部１７８、及び／又はイベントソータ１７０から受信されたイベントデータ１７９、のうちの１つ以上を含む。イベント処理部１９０は、任意選択的に、データ更新部１７６、オブジェクト更新部１７７、又はＧＵＩ更新部１７８を利用し又は呼び出して、アプリケーション内部状態１９２を更新する。あるいは、アプリケーションビュー１９１のうちの１つ以上が、１つ以上のそれぞれのイベント処理部１９０を含む。また、いくつかの実施形態では、データ更新部１７６、オブジェクト更新部１７７、及びＧＵＩ更新部１７８のうちの１つ以上は、それぞれのアプリケーションビュー１９１に含まれる。
【０１３９】
それぞれのイベント認識部１８０は、イベントソータ１７０からイベント情報（例えば、イベントデータ１７９）を受信し、このイベント情報からイベントを特定する。イベント認識部１８０は、イベント受信部１８２及びイベント比較部１８４を含む。いくつかの実施形態では、イベント認識部１８０はまた、メタデータ１８３及びイベント配信命令１８８（任意選択的にサブイベント配信命令を含む）の少なくともサブセットも含む。
【０１４０】
イベント受信部１８２は、イベントソータ１７０からイベント情報を受信する。イベント情報は、サブイベント、例えば、タッチ又はタッチの移動についての情報を含む。サブイベントに応じて、イベント情報はまた、サブイベントの位置などの追加の情報を含む。サブイベントがタッチの動きに関わるとき、イベント情報はまた任意選択的に、サブイベントの速さ及び方向を含む。一部の実施形態では、イベントは、１つの向きから別の向きへの（例えば、縦向きから横向きへ、又はその逆の）デバイスの回転を含み、イベント情報は、デバイスの現在の向き（デバイスの姿勢とも呼ぶ）についての対応する情報を含む。
【０１４１】
イベント比較部１８４は、イベント情報を、定義済みのイベント又はサブイベントの定義と比較し、その比較に基づいて、イベント又はサブイベントを判定するか、あるいはイベント又はサブイベントの状態を判定若しくは更新する。いくつかの実施形態では、イベント比較部１８４は、イベント定義１８６を含む。イベント定義１８６は、例えばイベント１（１８７−１）及びイベント２（１８７−２）などのイベント（例えば、既定のサブイベントのシーケンス）の定義を含む。いくつかの実施形態では、イベント（１８７）内のサブイベントは、例えば、タッチの開始、タッチの終了、タッチの移動、タッチの取り消し、及び複数のタッチを含む。一実施例では、イベント１（１８７−１）についての定義は、表示されたオブジェクト上のダブルタップである。ダブルタップは、例えば、所定の段階に対する表示オブジェクト上の第１のタッチ（タッチ開始）、所定の段階に対する第１のリフトオフ（タッチ終了）、所定の段階に対する表示オブジェクト上の第２のタッチ（タッチ開始）、及び所定の段階に対する第２のリフトオフ（タッチ終了）を含む。別の実施例では、イベント２（１８７−２）の定義は、表示されたオブジェクト上のドラッグである。ドラッグは、例えば、所定の段階に対する表示オブジェクト上のタッチ（又は接触）、タッチ感知ディスプレイ１１２にわたるタッチの移動、及びタッチのリフトオフ（タッチ終了）を含む。いくつかの実施形態では、イベントは、１つ以上の関連付けられたイベント処理部１９０に関する情報も含む。
【０１４２】
いくつかの実施形態では、イベント定義１８７は、それぞれのユーザインタフェースオブジェクトについてのイベントの定義を含む。いくつかの実施形態では、イベント比較部１８４は、どのユーザインタフェースオブジェクトがサブイベントに関連付けられているかを判定するヒットテストを実行する。例えば、タッチ感知ディスプレイ１１２上に３つのユーザインタフェースオブジェクトが表示されているアプリケーションビュー内で、タッチ感知ディスプレイ１１２上でタッチが検出されたとき、イベント比較部１８４は、ヒットテストを実行して、３つのユーザインタフェースオブジェクトのうちのどれがタッチ（サブイベント）に関連付けられているかを判定する。表示された各オブジェクトが、それぞれのイベント処理部１９０に関連付けられている場合、イベント比較部は、ヒットテストの結果を用いて、どのイベント処理部１９０をアクティブ化すべきかを判定する。例えば、イベント比較部１８４は、ヒットテストをトリガするサブイベント及びオブジェクトに関連付けられたイベント処理部を選択する。
【０１４３】
いくつかの実施形態では、それぞれのイベント１８７の定義は、サブイベントのシーケンスがイベント認識部のイベントタイプに対応するか否かが判定されるまで、イベント情報の配信を遅らせる遅延アクションも含む。
【０１４４】
それぞれのイベント認識部１８０が一連のサブイベントがイベント定義１８６のイベントのいずれとも一致しないと判断した場合、それぞれのイベント認識部１８０は、イベント不可能、イベント失敗、又はイベント終了の状態に入り、その後は、タッチに基づくジェスチャの次のサブイベントを無視する。この状況では、ヒットビューについてアクティブのままである他のイベント認識部があれば、そのイベント認識部は、進行中のタッチによるジェスチャのサブイベントの追跡及び処理を続行する。
【０１４５】
いくつかの実施形態では、それぞれのイベント認識部１８０は、イベント配信システムがどのようにサブイベント配信を実行すべきかをアクティブに関与しているイベント認識部に示す構成可能なプロパティ、フラグ、及び／又はリストを有するメタデータ１８３を含む。いくつかの実施形態では、メタデータ１８３は、イベント認識部が互いにどのように対話するか、又はイベント認識部が互いにどのように対話することが可能となるかを示す構成可能なプロパティ、フラグ、及び／又はリストを含む。いくつかの実施形態では、メタデータ１８３は、サブイベントがビュー階層又はプログラム階層における多様なレベルに配信されるかを示す構成可能なプロパティ、フラグ、及び／又はリストを含む。
【０１４６】
いくつかの実施形態では、それぞれのイベント認識部１８０は、イベントの１つ以上の特定のサブイベントが認識されるときに、イベントに関連付けられたイベント処理部１９０をアクティブ化する。いくつかの実施形態では、それぞれのイベント認識部１８０は、イベントに関連付けられたイベント情報をイベント処理部１９０に配信する。イベント処理部１９０をアクティブ化することは、それぞれのヒットビューにサブイベントを送信する（及び、送信を延期する）こととは別個である。いくつかの実施形態では、イベント認識部１８０は、認識したイベントに関連付けられたフラグを投入し、そのフラグに関連付けられたイベント処理部１９０は、そのフラグを捕らえ、既定のプロセスを実行する。
【０１４７】
いくつかの実施形態では、イベント配信命令１８８は、イベント処理部をアクティブ化することなくサブイベントについてのイベント情報を配信するサブイベント配信命令を含む。代わりに、サブイベント配信命令は、一連のサブイベントと関連付けられたイベント処理部に、又はアクティブに関与しているビューにイベント情報を配信する。一連のサブイベント又はアクティブに関与しているビューと関連付けられたイベント処理部は、イベント情報を受信し、所定の処理を実行する。
【０１４８】
いくつかの実施形態では、データ更新部１７６は、アプリケーション１３６−１で使用されるデータを作成及び更新する。例えば、データ更新部１７６は、連絡先モジュール１３７で使用される電話番号を更新し、又はビデオプレーヤモジュールで使用されるビデオファイルを記憶する。いくつかの実施形態では、オブジェクト更新部１７７は、アプリケーション１３６−１で使用されるオブジェクトを作成及び更新する。例えば、オブジェクト更新部１７７は、新たなユーザインタフェースオブジェクトを作成し、又はユーザインタフェースオブジェクトの位置を更新する。ＧＵＩ更新部１７８は、ＧＵＩを更新する。例えば、ＧＵＩ更新部１７８は、表示情報を準備し、タッチ感知ディスプレイ上に表示するために表示情報をグラフィックモジュール１３２に送る。
【０１４９】
いくつかの実施形態では、イベント処理部（単数又は複数）１９０は、データ更新部１７６、オブジェクト更新部１７７、及びＧＵＩ更新部１７８を含む又はそれらへのアクセスを有する。いくつかの実施形態では、データ更新部１７６、オブジェクト更新部１７７、及びＧＵＩ更新部１７８は、それぞれのアプリケーション１３６−１又はアプリケーションビュー１９１の単一モジュールに含まれる。他の実施形態では、それらは、２つ以上のソフトウェアモジュールに含まれる。
【０１５０】
タッチ感知ディスプレイ上のユーザのタッチのイベント処理に関する前述の記載は、入力デバイスを用いて多機能デバイス１００を動作させるための他の形態のユーザ入力にも適用されるが、その全てがタッチスクリーン上で開始されるわけではないことを理解されたい。例えば、キーボードの単一又は複数の押圧若しくは保持と任意選択的に連携される、マウスの移動及びマウスボタンの押圧、タッチパッド上のタップ、ドラッグ、スクロールなどの接触の移動、ペンスタイラス入力、デバイスの移動、口頭による命令、検出された眼球運動、バイオメトリック入力、並びに／又はそれらの任意の組み合わせを、任意選択的に、認識するイベントを定義するサブイベントに対応する入力として利用する。
【０１５１】
図２は、いくつかの実施形態に係る、タッチスクリーン１１２を有するポータブル多機能デバイス１００を示す。タッチスクリーンは、任意選択的に、ユーザインタフェース（user interface、ＵＩ）２００内に１つ以上のグラフィックを表示する。本実施形態、並びに以下で説明される他の実施形態では、ユーザは、例えば、１本以上の指２０２（図には正確な縮尺では描かれていない）又は１つ以上のスタイラス２０３（図には正確な縮尺では描かれていない）を使用して、グラフィック上でジェスチャを実施することによって、それらのグラフィックのうちの１つ以上を選択することが可能となる。一部の実施形態では、１つ以上のグラフィックの選択は、ユーザが、その１つ以上のグラフィックとの接触を中断する場合に実施される。いくつかの実施形態では、ジェスチャは、１回以上のタップ、１回以上のスワイプ（左から右へ、右から左へ、上向きに及び／若しくは下向きに）、並びに／又は、デバイス１００と接触した指のローリング（右から左へ、左から右へ、上向きに及び／若しくは下向きに）を、任意選択で含む。一部の実装形態又は状況では、グラフィックとの不測の接触は、そのグラフィックを選択するものではない。例えば、選択に対応するジェスチャがタップである場合、アプリケーションアイコンの上をスイープするスワイプジェスチャは、任意選択的に、対応するアプリケーションを選択するものではない。
【０１５２】
デバイス１００はまた、任意選択的に、「ホーム」ボタン又はメニューボタン２０４などの１つ以上の物理ボタンを含む。前述したように、メニューボタン２０４は、任意選択的に、任意選択的にデバイス１００上で実行される１組のアプリケーション内の任意のアプリケーション１３６へナビゲートするために使用される。あるいは、いくつかの実施形態では、メニューボタンは、タッチスクリーン１１２上に表示されるＧＵＩ内のソフトキーとして実装される。
【０１５３】
いくつかの実施形態では、デバイス１００は、タッチスクリーン１１２、メニューボタン２０４、デバイスの電源をオン／オフにしてデバイスをロックするプッシュボタン２０６、音量調整ボタン２０８、加入者識別モジュール（ＳＩＭ）カードスロット２１０、ヘッドセットジャック２１２、及びドッキング／充電用外部ポート１２４を含む。プッシュボタン２０６は、任意選択的に、ボタンを押し下げて、既定の期間にわたってボタンを押し下げた状態に保持することによって、デバイスの電源をオン／オフするため、ボタンを押し下げて、既定の時間が経過する前にボタンを解放することによってデバイスをロックするため、及び／又はデバイスをロック解除する、若しくはロック解除プロセスを開始するために、使用される。代替的実施形態では、デバイス１００はまた、マイクロフォン１１３を介して、一部の機能をアクティブ化又は非アクティブ化するための口頭入力も受け入れる。デバイス１００はまた、任意選択的に、タッチスクリーン１１２上の接触の強度を検出する１つ以上の接触強度センサ１６５、及び／又はデバイス１００のユーザに対する触知出力を生成する１つ以上の触知出力生成器１６７を含む。
【０１５４】
図３は、いくつかの実施形態に係る、ディスプレイ及びタッチ感知面を有する例示的な多機能デバイスのブロック図である。デバイス３００は、ポータブル型である必要はない。いくつかの実施形態では、デバイス３００は、ラップトップコンピュータ、デスクトップコンピュータ、タブレットコンピュータ、マルチメディアプレーヤデバイス、ナビゲーションデバイス、教育的デバイス（子供の学習玩具など）、ゲームシステム、又は制御デバイス（例えば、家庭用又は業務用コントローラ）である。デバイス３００は、典型的には、１つ以上の処理ユニット（ＣＰＵ）３１０、１つ以上のネットワーク又は他の通信インタフェース３６０、メモリ３７０、及びこれらの構成要素を相互接続する１つ以上の通信バス３２０を含む。通信バス３２０は、任意選択的に、システム構成要素間の通信を相互接続及び制御する回路（チップセットと呼ばれることもある）を含む。デバイス３００は、ディスプレイ３４０を含む入出力（Ｉ／Ｏ）インタフェース３３０を含み、ディスプレイ３４０は、典型的には、タッチスクリーンディスプレイである。Ｉ／Ｏインタフェース３３０はまた、任意選択的に、キーボード及び／又はマウス（若しくは他のポインティングデバイス）３５０と、タッチパッド３５５と、デバイス３００上に触知出力を生成する触知出力生成器３５７（例えば、図１Ａを参照して前述した触知出力生成器１６７に類似している）と、センサ３５９（例えば、図１Ａを参照して前述した接触強度センサ１６５に類似している光、加速度、近接、タッチ感知、及び／又は接触強度センサ）とを含む。メモリ３７０は、ＤＲＡＭ、ＳＲＡＭ、ＤＤＲ  ＲＡＭ、又は他のランダムアクセスソリッドステートメモリデバイスなどの高速ランダムアクセスメモリを含み、任意選択的に、１つ以上の磁気ディスク記憶デバイス、光ディスク記憶デバイス、フラッシュメモリデバイス、又は他の不揮発性ソリッドステート記憶デバイスなどの不揮発性メモリを含む。メモリ３７０は、任意選択で、ＣＰＵ（単数又は複数）３１０からリモートに位置する１つ以上の記憶デバイスを含む。いくつかの実施形態では、メモリ３７０は、ポータブル多機能デバイス１００（図１Ａ）のメモリ１０２内に記憶されているプログラム、モジュール、及びデータ構造に類似したプログラム、モジュール、及びデータ構造、又はそのサブセットを記憶する。更に、メモリ３７０は、任意選択で、ポータブル多機能デバイス１００のメモリ１０２に存在しない追加のプログラム、モジュール、及びデータ構造を記憶する。例えば、デバイス３００のメモリ３７０は、任意選択的に、描画モジュール３８０、プレゼンテーションモジュール３８２、ワードプロセッシングモジュール３８４、ウェブサイト作成モジュール３８６、ディスクオーサリングモジュール３８８、及び／又はスプレッドシートモジュール３９０を記憶するのに対して、ポータブル多機能デバイス１００（図１Ａ）のメモリ１０２は、任意選択的に、これらのモジュールを記憶しない。
【０１５５】
図３の上記で特定した要素はそれぞれ、任意選択的に、前述したメモリデバイスのうちの１つ以上の中に記憶される。上記で特定したモジュールはそれぞれ、前述した機能を実行する命令セットに対応する。上記で特定したモジュール又はプログラム（例えば、命令セット）は、別個のソフトウェアプログラム、手順、又はモジュールとして実施する必要はなく、したがって様々な実施形態では、これらのモジュールの様々なサブセットは、任意選択的に、組み合わされ、又は他の形で再構成される。いくつかの実施形態では、メモリ３７０は、任意選択で、上記で特定されたモジュール及びデータ構造のサブセットを記憶する。更に、メモリ３７０は、上記で説明されていない追加のモジュール及びデータ構造を任意選択的に記憶する。
【０１５６】
次に、任意選択的に例えばポータブル多機能デバイス１００上で実施されるユーザインタフェースの実施形態に注意を向ける。
【０１５７】
図４Ａは、いくつかの実施形態に係るポータブル多機能デバイス１００上のアプリケーションのメニューの例示的なユーザインタフェースを示す。同様のユーザインタフェースは、デバイス３００上に任意選択的に実装される。いくつかの実施形態では、ユーザインタフェース４００は、以下の要素、又はそれらのサブセット若しくはスーパーセットを含む。
●セルラー信号及びＷｉ−Ｆｉ（登録商標）信号などの無線通信（単数又は複数）のための信号強度インジケータ（単数又は複数）４０２、
●時刻４０４、
●Ｂｌｕｅｔｏｏｔｈ（登録商標）インジケータ４０５、
●バッテリ状態インジケータ４０６、
●以下のような、頻繁に使用されるアプリケーションのアイコンを有するトレイ４０８
○不在着信又はボイスメールメッセージの数のインジケータ４１４を任意選択的に含む、「電話」とラベル付けされた、電話モジュール１３８のアイコン４１６、
○未読電子メールの数のインジケータ４１０を任意選択的に含む、「メール」とラベル付けされた、電子メールクライアントモジュール１４０のアイコン４１８、
○「ブラウザ」とラベル付けされた、ブラウザモジュール１４７のアイコン４２０、及び
○「ｉＰｏｄ」とラベル付けされた、ｉＰｏｄ（Ａｐｐｌｅ  Ｉｎｃ．の商標）モジュール１５２とも呼ばれるビデオ及び音楽プレーヤモジュール１５２のアイコン４２２、及び
●以下のような、他のアプリケーションのアイコン、
○「メッセージ」とラベル付けされた、ＩＭモジュール１４１のアイコン４２４、
○「カレンダ」とラベル付けされた、カレンダモジュール１４８のアイコン４２６、
○「写真」とラベル付けされた、画像管理モジュール１４４のアイコン４２８、
○「カメラ」とラベル付けされた、カメラモジュール１４３のアイコン４３０、
○「オンラインビデオ」とラベル付けされた、オンラインビデオモジュール１５５のアイコン４３２、
○「株価」とラベル付けされた、株価ウィジェット１４９−２のアイコン４３４、
○「地図」とラベル付けされた、地図モジュール１５４のアイコン４３６、
○「天気」とラベル付けされた、気象ウィジェット１４９−１のアイコン４３８、
○「時計」とラベル付けされた、アラーム時計ウィジェット１４９−４のアイコン４４０、
○「トレーニングサポート」とラベル付けされた、トレーニングサポートモジュール１４２のアイコン４４２、
○「メモ」とラベル付けされた、メモモジュール１５３のアイコン４４４、及び
○デバイス１００及びその様々なアプリケーション１３６についての設定へのアクセスを提供する、「設定」とラベル付けされた、設定アプリケーション又はモジュールのアイコン４４６。
【０１５８】
図４Ａに示すアイコンラベルは、単なる例示であることに留意されたい。例えば、ビデオ及び音楽プレーヤモジュール１５２のためのアイコン４２２は、「音楽」又は「音楽プレーヤ」と表示される、他のラベルが、様々なアプリケーションアイコンのために、任意選択的に使用される。一部の実施形態では、それぞれのアプリケーションアイコンに関するラベルは、それぞれのアプリケーションアイコンに対応するアプリケーションの名前を含む。一部の実施形態では、特定のアプリケーションアイコンのラベルは、その特定のアプリケーションアイコンに対応するアプリケーションの名前とは異なる。
【０１５９】
図４Ｂは、ディスプレイ４５０（例えば、タッチスクリーンディスプレイ１１２）とは別個のタッチ感知面４５１（例えば、図３のタブレット又はタッチパッド３５５）を有するデバイス（例えば、図３のデバイス３００）上の例示的なユーザインタフェースを示す。デバイス３００はまた、任意選択的に、タッチ感知面４５１上の接触の強度を検出する１つ以上の接触強度センサ（例えば、センサ３５９のうちの１つ以上）、及び／又はデバイス３００のユーザに対する触知出力を生成する１つ以上の触知出力生成器３５７を含む。
【０１６０】
以下の例のうちのいくつかは、タッチスクリーンディスプレイ１１２（タッチ感知面及びディスプレイが組み合わされている）上の入力を参照して与えられるが、いくつかの実施形態では、デバイスは、図４Ｂに示すディスプレイとは別個のタッチ感知面上の入力を検出する。いくつかの実施形態では、タッチ感知面（例えば、図４Ｂの４５１）は、ディスプレイ（例えば、４５０）上の１次軸（例えば、図４Ｂの４５３）に対応する１次軸（例えば、図４Ｂの４５２）を有する。これらの実施形態によれば、デバイスは、ディスプレイ上のそれぞれの場所に対応する場所（例えば、図４Ｂでは、４６０は４６８に対応し、４６２は４７０に対応する）で、タッチ感知面４５１との接触（例えば、図４Ｂの４６０及び４６２）を検出する。このようにして、タッチ感知面（例えば、図４Ｂの４５１）上でデバイスによって検出されるユーザ入力（例えば、接触４６０及び４６２、並びにこれらの動き）は、タッチ感知面がディスプレイとは別個であるとき、多機能デバイスのディスプレイ（例えば、図４Ｂの４５０）上のユーザインタフェースを操作するために、デバイスによって使用される。同様の方法が、本明細書に記載の他のユーザインタフェースに任意選択的に使用されることを理解されたい。
【０１６１】
加えて、以下の例は、主に指入力（例えば、指接触、指タップジェスチャ、指スワイプジェスチャ）を参照して与えられるが、一部の実施形態では、指入力のうちの１つ以上は、別の入力デバイスからの入力（例えば、マウスベースの入力又はスタイラス入力）に置き換えられることを理解されたい。例えば、スワイプジェスチャは、（例えば、接触の代わりの）マウスクリックに続けた、（例えば、接触の移動の代わりの）スワイプの経路に沿ったカーソルの移動によって、任意選択的に置き換えられる。別の例として、タップジェスチャは、任意選択的に、カーソルがタップジェスチャの位置の上に位置する間はマウスクリックと置き換えられる（例えば、接触を検出して、それに続いて接触の検出を停止する代わりに）。同様に、複数のユーザ入力が同時に検出されるとき、複数のコンピュータマウスが、任意選択的に、同時に使用され、又はマウス及び指の接触が、任意選択的に、同時に使用されることを理解されたい。
【０１６２】
図５Ａは、例示的なパーソナル電子装置５００を示す。デバイス５００は、本体５０２を含む。いくつかの実施形態では、デバイス５００は、デバイス１００及び３００（例えば、図１Ａ〜４Ｂ）に関して説明する特徴のうちのいくつか又は全てを含むことができる。いくつかの実施形態では、デバイス５００は、タッチ感知ディスプレイスクリーン５０４、以下ではタッチスクリーン５０４、を有する。あるいは、又はタッチスクリーン５０４に加えて、デバイス５００は、ディスプレイ及びタッチ感知面を有する。デバイス１００及び３００と同様に、いくつかの実施形態では、タッチスクリーン５０４（又はタッチ感知面）は、任意選択的に、加えられている接触（例えば、タッチ）の強度を検出する１つ以上の強度センサを含む。タッチスクリーン５０４（又はタッチ感知面）の１つ以上の強度センサは、タッチの強度を表す出力データを提供することができる。デバイス５００のユーザインタフェースは、タッチの強度に基づいてタッチに応答することができ、これは、異なる強度のタッチが、デバイス５００上で異なるユーザインタフェース動作を呼び出すことができることを意味する。
【０１６３】
タッチ強度を検出及び処理する例示的な技法は、例えば、それぞれ全体として参照により本明細書に組み込まれている、国際特許第ＷＯ／２０１３／１６９８４９号として公開された、２０１３年５月８日出願の国際特許出願第ＰＣＴ／ＵＳ２０１３／０４００６１号、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｄｉｓｐｌａｙｉｎｇ  Ｕｓｅｒ  Ｉｎｔｅｒｆａｃｅ  Ｏｂｊｅｃｔｓ  Ｃｏｒｒｅｓｐｏｎｄｉｎｇ  ｔｏ  ａｎ  Ａｐｐｌｉｃａｔｉｏｎ」、及び国際特許第ＷＯ／２０１４／１０５２７６号として公開された、２０１３年１１月１１日出願の国際特許出願第ＰＣＴ／ＵＳ２０１３／０６９４８３号、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｔｒａｎｓｉｔｉｏｎｉｎｇ  Ｂｅｔｗｅｅｎ  Ｔｏｕｃｈ  Ｉｎｐｕｔ  ｔｏ  Ｄｉｓｐｌａｙ  Ｏｕｔｐｕｔ  Ｒｅｌａｔｉｏｎｓｈｉｐｓ」という関連出願に見られる。
【０１６４】
いくつかの実施形態では、デバイス５００は、１つ以上の入力機構５０６及び５０８を有する。入力機構５０６及び５０８は、含まれる場合、物理的機構とすることができる。物理的入力機構の例としては、プッシュボタン及び回転可能機構が挙げられる。いくつかの実施形態では、デバイス５００は、１つ以上のアタッチメント機構を有する。そのようなアタッチメント機構は、含まれる場合、例えば帽子、アイウェア、イアリング、ネックレス、シャツ、ジャケット、ブレスレット、腕時計のバンド、チェーン、ズボン、ベルト、靴、財布、バックパックなどにデバイス５００を取り付けることを可能にすることができる。これらのアタッチメント機構は、ユーザがデバイス５００を着用することを可能にする。
【０１６５】
図５Ｂは、例示的なパーソナル電子装置５００を示す。いくつかの実施形態では、デバイス５００は、図１Ａ、図１Ｂ、及び図３に関して説明した構成要素のうちのいくつか又は全てを含むことができる。デバイス５００は、Ｉ／Ｏセクション５１４を１つ以上のコンピュータプロセッサ５１６及びメモリ５１８に動作可能に結合するバス５１２を有する。Ｉ／Ｏセクション５１４は、ディスプレイ５０４に接続することができ、ディスプレイ５０４は、タッチ感知構成要素５２２と、任意選択的に強度センサ５２４（例えば、接触強度センサ）とを有することができる。加えて、Ｉ／Ｏセクション５１４は、Ｗｉ−Ｆｉ、Ｂｌｕｅｔｏｏｔｈ（登録商標）、近距離通信（ＮＦＣ）、セルラー、及び／又は他の無線通信技法を使用してアプリケーション及びオペレーティングシステムデータを受信する通信ユニット５３０に接続することができる。デバイス５００は、入力機構５０６及び／又は５０８を含むことができる。入力機構５０６は、任意選択的に、例えば回転可能入力デバイス又は押下可能及び回転可能入力デバイスである。いくつかの例では、入力機構５０８は、任意選択的にボタンである。
【０１６６】
いくつかの例では、入力機構５０８は、任意選択的にマイクロフォンである。パーソナル電子装置５００は、任意選択的に、ＧＰＳセンサ５３２、加速度計５３４、方向センサ５４０（例えば、コンパス）、ジャイロスコープ５３６、動きセンサ５３８、及び／又はこれらの組み合わせなどの様々なセンサを含み、これらのセンサは全て、Ｉ／Ｏセクション５１４に動作可能に接続することができる。
【０１６７】
パーソナル電子装置５００のメモリ５１８は、コンピュータ実行可能命令を記憶する１つ以上の非一時的コンピュータ可読記憶媒体を含み得、それらの命令は、１つ以上のコンピュータプロセッサ５１６によって実行されると、例えば、プロセス７００〜１１００（図７Ａ〜図７Ｂ、図８Ａ〜図８Ｂ、図９Ａ〜図９Ｂ、図１０Ａ〜図１０Ｂ、図１１Ａ〜図１１Ｃ）及び１４００（図１４Ａ〜１４Ｂ）を含めた、以下に説明する技術をコンピュータプロセッサに実行させることができる。コンピュータ可読記憶媒体は、命令実行システム、装置、又はデバイスによって使用するための、又は命令実行システム、装置、又はデバイスに接続されているコンピュータ実行可能命令を、有形に含み又は記憶することができる任意の媒体とすることができる。いくつかの実施例では、記憶媒体は、一時的コンピュータ可読記憶媒体である。いくつかの実施例では、記憶媒体は、非一時的コンピュータ可読記憶媒体である。非一時的コンピュータ可読記憶媒体は、それだけに限定されるものではないが、磁気、光学、及び／又は半導体記憶装置を含むことができる。そのような記憶装置の例としては、磁気ディスク、ＣＤ、ＤＶＤ、又はＢｌｕ−ｒａｙ技術に基づく光学ディスク、並びにフラッシュ、ソリッドステートドライブなどの常駐ソリッドステートメモリなどが挙げられる。パーソナル電子装置５００は、図５Ｂの構成要素及び構成に限定されるものではなく、他の又は追加の構成要素を複数の構成で含むことができる。
【０１６８】
本明細書では、「アフォーダンス」という用語は、任意選択的にデバイス１００、３００、及び／又は５００（図１Ａ、図３、及び図５Ａ〜５Ｂ）のディスプレイスクリーン上に表示されるユーザ対話グラフィカルユーザインタフェースオブジェクトを指す。例えば、画像（例えば、アイコン）、ボタン、及び文字（例えば、ハイパーリンク）はそれぞれ、意選択的に、アフォーダンスを構成する。
【０１６９】
本明細書で使用される「フォーカスセレクタ」という用語は、ユーザが対話しているユーザインタフェースの現在の部分を示す入力要素を指す。カーソル又は他の場所マーカを含むいくつかの実装形態では、カーソルが「フォーカスセレクタ」として作用し、したがってカーソルが特定のユーザインタフェース要素（例えば、ボタン、ウインドウ、スライダ、又は他のユーザインタフェース要素）の上に位置する間に、タッチ感知面（例えば、図３のタッチパッド３５５又は図４Ｂのタッチ感知面４５１）上で入力（例えば、押下入力）が検出されたとき、特定のユーザインタフェース要素が、検出された入力に従って調整される。タッチスクリーンディスプレイ上のユーザインタフェース要素との直接対話を有効化するタッチスクリーンディスプレイ（例えば、図１Ａのタッチ感知ディスプレイシステム１１２又は図４Ａのタッチスクリーン１１２）を含むいくつかの実装形態では、タッチスクリーン上の検出された接触が「フォーカスセレクタ」として作用し、したがってタッチスクリーンディスプレイ上の特定のユーザインタフェース要素（例えば、ボタン、ウインドウ、スライダ、又は他のユーザインタフェース要素）の場所で入力（例えば、接触による押下入力）が検出されたとき、特定のユーザインタフェース要素が、検出された入力に従って調整される。一部の実装形態では、タッチスクリーンディスプレイ上の対応するカーソルの移動又は接触の移動（例えば、フォーカスを１つのボタンから別のボタンへ動かすためにタブキー又は矢印キーを使用することによる）なく、フォーカスがユーザインタフェースの１つの領域からユーザインタフェースの別の領域へ動かされ、これらの実装形態では、フォーカスセレクタは、ユーザインタフェースの種々の領域間でのフォーカスの移動に従って移動する。フォーカスセレクタがとる特有の形態にかかわらず、フォーカスセレクタは、概して、ユーザインタフェース要素（又はタッチスクリーンディスプレイ上の接触）であり、ユーザの意図する対話をユーザインタフェースによって通信するように、ユーザによって制御される（例えば、ユーザが対話することを意図しているユーザインタフェースの要素をデバイスに示すことによる）。例えば、タッチ感知面（例えば、タッチパッド又はタッチスクリーン）上で押圧入力が検出されている間の、対応のボタンの上のフォーカスセレクタ（例えば、カーソル、接触、又は選択ボックス）の位置は、その対応のボタンを（そのデバイスのディスプレイ上に示される他のユーザインタフェース要素ではなく）アクティブ化することをユーザが意図していることを示すものである。
【０１７０】
本明細書及び特許請求の範囲で使用される、接触の「特性強度」という用語は、接触の１つ以上の強度に基づく、その接触の特性を指す。一部の実施形態では、特性強度は複数の強度サンプルに基づく。特性強度は、任意選択的に、既定の数の強度サンプル、すなわち、既定のイベント（例えば、接触を検出した後、接触のリフトオフを検出する前、接触の移動の開始を検出する前若しくは後、接触の終了を検出する前、接触の強度の増大を検出する前若しくは後、及び／又は、接触の強度の減少を検出する前若しくは後の）に関連する既定の期間（例えば、０．０５、０．１、０．２、０．５、１、２、５、１０秒）の間に収集された強度サンプルのセットに基づく。接触の特性強度は、任意選択的に、接触の強度の最大値、接触の強度の平均（mean）値、接触の強度の平均（average）値、接触の強度の上位１０パーセンタイル値、接触の強度の最大の２分の１の値、接触の強度の最大の９０パーセントの値などのうちの１つ以上に基づいている。一部の実施形態では、特性強度を判定する際に（例えば、特性強度が経時的な接触の強度の平均であるときに）、接触の持続期間が使用される。一部の実施形態では、特性強度は、ユーザによって動作が実行されたかどうかを判定するために、１つ以上の強度閾値のセットと比較される。例えば、１組の１つ以上の強度閾値は、任意選択的に、第１の強度閾値及び第２の強度閾値を含む。この例では、第１の閾値を超過しない特性強度を有する接触は、第１の動作をもたらし、第１の強度閾値を超過するが第２の強度閾値を超過しない特性強度を有する接触は、第２の動作をもたらし、第２の閾値を超過する特性強度を有する接触は、第３の動作をもたらす。いくつかの実施形態では、特性強度と１つ以上の閾値との間の比較は、第１の動作を実行するべきか、それとも第２の動作を実行するべきかを判定するために使用されるのではなく、１つ以上の動作を実行するべきか否か（例えば、それぞれの動作を実行するべきか、それともそれぞれの動作を実行するのを取り止めるべきか）を判定するために使用される。
【０１７１】
図５Ｃは、複数の強度センサ５２４Ａ〜５２４Ｄによってタッチ感知ディスプレイスクリーン５０４上で複数の接触５５２Ａ〜５５２Ｅを検出することを示す。図５Ｃは、追加として、強度単位に対する強度センサ５２４Ａ〜５２４Ｄの現在の強度測定値を示す強度ダイアグラムを含む。この例では、強度センサ５２４Ａ及び５２４Ｄの強度測定値はそれぞれ９強度単位であり、強度センサ５２４Ｂ及び５２４Ｃの強度測定値はそれぞれ７強度単位である。いくつかの実装形態では、集約強度は、複数の強度センサ５２４Ａ〜５２４Ｄの強度測定値の和であり、この例では３２強度単位である。いくつかの実施形態では、各接触に、集約強度の一部分であるそれぞれの強度が割り当てられる。図５Ｄは、力の中心５５４からの距離に基づいて、集約強度を接触５５２Ａ〜５５２Ｅに割り当てることを示す。この例では、接触５５２Ａ、５５２Ｂ、及び５５２Ｅのそれぞれに、集約強度の８強度単位の接触の強度が割り当てられ、接触５５２Ｃ及び５５２Ｄのそれぞれに、集約強度の４強度単位の接触の強度が割り当てられる。より一般的には、一部の実装例では、各接触ｊは、所定の数学関数Ｉｊ＝Ａ・（Ｄｊ／ΣＤｉ）に従って、合計の強度Ａの一部分である、それぞれの強度Ｉｊが割り当てられ、ここで、Ｄｊは、力の中心からそれぞれの接触ｊまでの距離であり、ΣＤｉは、力の中心から全てのそれぞれ接触（例えば、ｉ＝１から最後まで）までの距離の和である。図５Ｃ〜図５Ｄを参照して説明した動作は、デバイス１００、３００又は５００と類似若しくは同一の電子装置を使用して行うことができる。いくつかの実施形態では、接触の特性強度は、接触の１つ以上の強度に基づいている。いくつかの実施形態では、強度センサは、単一の特性強度（例えば、単一の接触の単一の特性強度）を判定するために使用される。強度ダイアグラムは、表示ユーザインタフェースの一部ではなく、読み手の助けになるように図５Ｃ〜図５Ｄに含まれていることに留意されたい。
【０１７２】
一部の実施形態では、特性強度を判定する目的のために、ジェスチャの一部分が特定される。例えば、タッチ感知面は、任意選択的に、開始場所から遷移して終了場所に到達する連続するスワイプ接触を受信し、その時点で接触の強度が増大する。この例では、終了場所での接触の特性強度は、任意選択的に、スワイプ接触全体ではなく、連続するスワイプ接触の一部分のみ（例えば、スワイプ接触のうち終了場所の部分のみ）に基づいている。いくつかの実施形態では、任意選択的に、接触の特性強度を判定する前に、平滑化アルゴリズムがスワイプ接触の強度に適用される。例えば、平滑化アルゴリズムは、任意選択的に、非加重移動平均平滑化アルゴリズム、三角平滑化アルゴリズム、中央値フィルタ平滑化アルゴリズム、及び／又は指数平滑化アルゴリズムのうちの１つ以上を含む。いくつかの状況では、これらの平滑化アルゴリズムは、特性強度を判定する目的のために、スワイプ接触の強度の小幅な上昇又は降下を排除する。
【０１７３】
タッチ感知面上の接触の強度は、任意選択的に、接触検出強度閾値、軽い押下の強度閾値、深い押下の強度閾値、及び／又は１つ以上の他の強度閾値などの１つ以上の強度閾値に対して特徴付けられる。一部の実施形態では、軽い押圧強度閾値は、通常、物理マウスのボタン又はトラックパッドをクリックすることに関連付けられた動作をデバイスが実行する強度に相当する。一部の実施形態では、深い押圧強度閾値は、通常、物理マウスのボタン又はトラックパッドをクリックすることに関連付けられた動作とは異なる動作をデバイスが実行する強度に相当する。一部の実施形態では、軽い押圧強度閾値を下回る（例えば、それを下回ると接触が検出されなくなる公称接触検出強度閾値を上回る）特性強度を有する接触が検出されたとき、デバイスは、軽い押圧強度閾値又は深い押圧強度閾値に関連付けられた動作を実行することなく、タッチ感知面上の接触の移動に従ってフォーカスセレクタを動かす。一般に、特に明記しない限り、これらの強度閾値は、ユーザインタフェース図の様々なセットの間で一貫している。
【０１７４】
軽い押圧強度閾値を下回る強度から、軽い押圧強度閾値と深い押圧強度閾値との間の強度への、接触の特性強度の増大は、「軽い押圧」の入力と呼ばれることがある。深い押圧強度閾値を下回る強度から、深い押圧強度閾値を上回る強度への、接触の特性強度の増大は、「深い押圧」の入力と呼ばれることがある。接触検出強度閾値を下回る強度から、接触検出強度閾値と軽い押圧強度閾値との間の強度への、接触の特性強度の増大は、タッチ面上の接触の検出と呼ばれることがある。接触検出強度閾値を上回る強度から、接触検出強度閾値を下回る強度への、接触の特性強度の減少は、タッチ面からの接触のリフトオフの検出と呼ばれることがある。一部の実施形態では、接触検出強度閾値はゼロである。一部の実施形態では、接触検出強度閾値は、ゼロより大きい。
【０１７５】
本明細書に記載する一部の実施形態では、それぞれの押圧入力を含むジェスチャを検出したことに応じて、又はそれぞれの接触（若しくは複数の接触）によって実行されたそれぞれの押圧入力を検出したことに応じて、１つ以上の動作が実行され、それぞれの押圧入力は、押圧入力強度閾値を上回る接触（又は複数の接触）の強度の増大を検出したことに少なくとも部分的に基づいて検出される。一部の実施形態では、それぞれの動作は、押圧入力強度閾値を上回るそれぞれの接触の強度の増大（例えば、それぞれの押圧入力の「ダウンストローク」）を検出したことに応じて実行される。一部の実施形態では、押圧入力は、押圧入力強度閾値を上回るそれぞれの接触の強度の増大、及びそれに続く押圧入力強度閾値を下回る接触の強度の減少を含み、それぞれの動作は、それに続く押圧入力閾値を下回るそれぞれの接触の強度の減少（例えば、それぞれの押圧入力の「アップストローク」）を検出したことに応じて実行される。
【０１７６】
図５Ｅ〜５Ｈは、図５Ｅの軽い押下の強度閾値（例えば、「ＩＴＬ」）を下回る強度から、図５Ｈの深い押下の強度閾値（例えば、「ＩＴＤ」）を上回る強度への、接触５６２の強度の増大に対応する押下入力を含むジェスチャの検出を示す。接触５６２によって実行されるジェスチャは、タッチ感知面５６０上で検出され、所定の領域５７４内に表示されたアプリケーションアイコン５７２Ａ〜５７２Ｄを含む表示ユーザインタフェース５７０上では、アプリ２に対応するアプリケーションアイコン５７２Ｂの上にカーソル５７６が表示される。いくつかの実施形態では、ジェスチャは、タッチ感知ディスプレイ５０４上に検出される。強度センサは、タッチ感知面５６０上の接触の強度を検出する。デバイスは、接触５６２の強度が深い押下の強度閾値（例えば、「ＩＴＤ」）を上回ってピークに達したと判定する。接触５６２は、タッチ感知面５６０上で維持される。ジェスチャの検出に応じて、ジェスチャ中に深い押下の強度閾値（例えば、「ＩＴＤ」）を上回る強度を有する接触５６２に従って、図５Ｆ〜５Ｈに示すように、アプリ２に対して最近開いた文書の縮尺が低減された表現５７８Ａ〜５７８Ｃ（例えば、サムネイル）が表示される。いくつかの実施形態では、１つ以上の強度閾値と比較されるこの強度は、接触の特性強度である。接触５６２に対する強度ダイアグラムは、表示ユーザインタフェースの一部ではなく、読み手の助けになるように図５Ｅ〜５Ｈに含まれていることに留意されたい。
【０１７７】
いくつかの実施形態では、表現５７８Ａ〜５７８Ｃの表示は、アニメーションを含む。例えば、図５Ｆに示すように、表現５７８Ａが、アプリケーションアイコン５７２Ｂに近接して最初に表示される。アニメーションが進むにつれて、図５Ｇに示すように、表現５７８Ａは上方へ動き、表現５７８Ｂが、アプリケーションアイコン５７２Ｂに近接して表示される。次いで、図５Ｈに示すように、表現５７８Ａが上方へ動き、表現５７８Ｂが表現５７８Ａに向かって上方へ動き、表現５７８Ｃが、アプリケーションアイコン５７２Ｂに近接して表示される。表現５７８Ａ〜５７８Ｃは、アイコン５７２Ｂの上にアレイを形成する。いくつかの実施形態では、アニメーションは、図５Ｆ〜５Ｇに示すように、接触５６２の強度に従って進行し、接触５６２の強度が深い押下の強度閾値（例えば、「ＩＴＤ」）に向かって増大するにつれて、表現５７８Ａ〜５７８Ｃが現れ、上方へ動く。いくつかの実施形態では、アニメーションの進行が基づいている強度は、接触の特性強度である。図５Ｅ〜５Ｈを参照して説明する動作は、デバイス１００、３００、又は５００に類似又は同一の電子装置を使用して実行することができる。
【０１７８】
一部の実施形態では、デバイスは、「ジッタ」と呼ばれる場合がある偶発的な入力を回避するために強度ヒステリシスを採用し、デバイスは、押圧入力強度閾値との既定の関係を有するヒステリシス強度閾値を定義又は選択する（例えば、ヒステリシス強度閾値は、押圧入力強度閾値よりも低いＸ強度単位であり、又はヒステリシス強度閾値は、押圧入力強度閾値の７５％、９０％、若しくは何らかの妥当な割合である）。したがって、一部の実施形態では、押圧入力は、押圧入力強度閾値を上回るそれぞれの接触の強度の増大、及びそれに続く押圧入力強度閾値に対応するヒステリシス強度閾値を下回る接触の強度の減少を含み、それぞれの動作は、それに続くヒステリシス強度閾値を下回るそれぞれの接触の強度の減少（例えば、それぞれの押圧入力の「アップストローク」）を検出したことに応じて実行される。同様に、一部の実施形態では、押圧入力は、デバイスが、ヒステリシス強度閾値以下の強度から押圧入力強度閾値以上の強度への接触の強度の増大、及び任意選択的に、その後のヒステリシス強度以下の強度への接触の強度の減少を検出するときにのみ検出され、それぞれの動作は、押圧入力（例えば、状況に応じて、接触の強度の増大又は接触の強度の減少）を検出したことに応じて実行される。
【０１７９】
説明を容易にするために、押圧入力強度閾値に関連付けられた押圧入力、又は押圧入力を含むジェスチャに応じて実行される動作の説明は、任意選択的に、押圧入力強度閾値を上回る接触の強度の増大、ヒステリシス強度閾値を下回る強度から押圧入力強度閾値を上回る強度への接触の強度の増大、押圧入力強度閾値を下回る接触の強度の減少、及び／又は押圧入力強度閾値に対応するヒステリシス強度閾値を下回る接触の強度の減少のいずれかを検出したことに応じてトリガされる。更に、押圧入力強度閾値を下回る接触の強度の減少を検出したことに応じて実行されるように動作が記載される例では、動作は、任意選択的に、押圧入力強度閾値に対応し、かつそれよりも低いヒステリシス強度閾値を下回る接触の強度の減少を検出したことに応じて実行される。
【０１８０】
本明細書では、「インストール済みアプリケーション」は、電子装置（例えば、デバイス１００、３００、及び／又は５００）上へダウンロードされ、デバイス上で起動する準備ができた（例えば、開かれた）ソフトウェアアプリケーションを指す。いくつかの実施形態では、ダウンロードされたアプリケーションは、ダウンロードされたパッケージからプログラム部分を抽出し、抽出された部分をコンピュータシステムのオペレーティングシステムと統合するインストールプログラムによって、インストール済みアプリケーションになる。
【０１８１】
本明細書では、「開いているアプリケーション」又は「実行中のアプリケーション」という用語は、保持された状態情報（例えば、デバイス／グローバル内部状態１５７及び／又はアプリケーション内部状態１９２の一部として）を有するソフトウェアアプリケーションを指す。開いている又は実行中のアプリケーションは、任意選択的に、以下のタイプのアプリケーションのうちのいずれか１つである。
●アプリケーションが使用されているデバイスのディスプレイスクリーン上に現在表示されているアクティブアプリケーション、
●現在表示されていないが、アプリケーションに対する１つ以上のプロセスが１つ以上のプロセッサによって処理されている背景アプリケーション（又は背景プロセス）、並びに
●稼働していないが、メモリ（揮発性及び不揮発性それぞれ）内に記憶されており、かつアプリケーションの実行を再開するために使用することができる状態情報を有する、中断又は休止状態アプリケーション。
【０１８２】
本明細書では、「閉じているアプリケーション」という用語は、保持された状態情報を有していないソフトウェアアプリケーションを指す（例えば、閉じているアプリケーションに対する状態情報は、デバイスのメモリ内に記憶されていない）。したがって、アプリケーションを閉じることは、アプリケーションに対するアプリケーションプロセスを停止及び／又は除去し、アプリケーションに対する状態情報をデバイスのメモリから除去することを含む。概して、第１のアプリケーション中に第２のアプリケーションを開いても、第１のアプリケーションは閉じない。第２のアプリケーションが表示されており、かつ第１のアプリケーションが表示を終了されたとき、第１のアプリケーションは背景アプリケーションになる。
【０１８３】
次に、ポータブル多機能デバイス１００、デバイス３００、又はデバイス５００などの電子装置上で実施されるユーザインタフェース（「ＵＩ」）及び関連プロセスの実施形態に注意を向ける。
【０１８４】
図６Ａ〜図６Ｚは、一部の実施形態に係る、健康データの閲覧に関する例示的なユーザインタフェースを示す。これらの図におけるユーザインタフェースは、図７Ａ〜図７Ｂ、図８Ａ〜図８Ｂ、図９Ａ〜図９Ｂ、図１０Ａ〜図１０Ｂ、及び図１１Ａ〜図１１Ｃにおけるプロセスを含む、後述するプロセスを例示するために使用される。
【０１８５】
図６Ａは、第１の時間（例えば、９：４５）においてタッチ感知ディスプレイ装置６０２を介してロックユーザインタフェース６０４を表示する第１の電子装置６００（例えば、電話）を示す。一部の実施例では、第１の電子装置６００は、装置１００、３００、又は５００の１つ以上の特徴を含む。
【０１８６】
一部の実施例では、ロックユーザインタフェース６０４は、第１の電子装置が非アクティブモードから遷移するときに表示されるユーザインタフェースに関する。図６Ａに示すように、ロックユーザインタフェース６０４は、第１の電子装置６００上で実行されているプロセスによって発行された（例えば、第１の電子装置６００によって表示された）複数の通知（例えば、通知６０４ａ及び通知６０４ｂ）を含む。
【０１８７】
一部の実施例では、通知６０４ａは、（アイコン６０４ａａによって示されるように）アクティビティアプリケーションに対応するアクティビティプロセスによって発行された。一部の実施例では、アクティビティアプリケーションに対応するユーザインタフェース要素は、アイコン６０４ａａ（又は、アイコン６０４ａａのより小さい又はより大きいバージョンなどの、アイコン６０４ａａの一部の変型）を含む。図６Ａに示すように、通知６０４ａは、（１）通知６０４ａが発行された時間（例えば、９：４５を指す、「現在」を示す時間６０４ａｄ）、及び（２）通知６０４ａが発行された理由に関する説明（例えば、６０４ａｃ）を含む。
【０１８８】
一部の実施例では、通知６０４ｂは、（アイコン６０４ｂａによって示されるように）臨床健康記録（clinical health record、ＣＨＲ）アプリケーションに対応するＣＨＲプロセスによって発行された。一部の実施例では、ＣＨＲアプリケーションに対応するユーザインタフェース要素は、アイコン６０４ｂａ（又は、アイコン６０４ｂａのより小さい又はより大きいバージョンなどの、アイコン６０４ｂａの一部の変型）を含む。図６Ａに示すように、通知６０４ｂは、（１）通知６０４ｂが発行された時間（例えば、「「午前８：００」を示す時間６０４ｂｄ）、及び（２）通知６０４ｂが発行された理由に関する説明（例えば、６０４ｂｃ）を含む。
【０１８９】
図６Ｂは、第１の時間の後の第２の時間（例えば、１０：２４）においてタッチ感知ディスプレイ装置６０８を介して通知６１０を表示する第２の電子装置６０６（例えば、腕時計）を示す。一部の実施例では、第２の電子装置６０６は、装置１００、３００、５００、又は６００の１つ以上の特徴を含む。
【０１９０】
一部の実施例では、通知６１０は、第２の電子装置６０６上で実行されている聴覚アプリケーション（アイコン６１０ａによって示されるような）に対応する聴覚プロセスによって発行された（例えば、第２の電子装置６０６によって表示された）。一部の実施例では、聴覚アプリケーションに対応するユーザインタフェース要素は、アイコン６１０ａ（又はアイコン６１０ａのより小さい又はより大きいバージョンなどのアイコン６１０ａの一部の変型）を含む。図６Ｂに示すように、通知６１０は、通知６１０が発行された理由に関する説明（例えば、６１０ｂ）を含む。
【０１９１】
図６Ｃは、第２の時間の後の第３の時間にタッチ感知ディスプレイ装置６０２を介してホームユーザインタフェース６１２を表示する第１の電子装置６００を示す。ホームユーザインタフェース６１２は、複数のアイコンを含み、各アイコンは、異なるアプリケーションに対応する。例えば、ホームユーザインタフェース６１２は、健康アプリケーションを開始するため、及び／又は健康アプリケーションのユーザインタフェースを表示するための健康アイコン６１２ａを含む。
【０１９２】
図６Ｃは、健康アイコン６１２ａに対応するユーザ入力６１３を受信する第１の電子装置６００を示す。一部の実施例では、ユーザ入力６１３は、タッチ感知ディスプレイ装置６０２を介して受信され、健康アイコン６１２ａの選択（例えば、健康アイコン６１２ａ上のタップジェスチャ）に対応する。他の実施例では、マウスを介したクリックなどの他の形態の入力を使用することができる。一部の実施例では、ユーザ入力６１３は、図６ＤＡに示すように、健康アプリケーションのユーザインタフェースの表示などの異なるユーザインタフェースをタッチ感知ディスプレイ装置６０２を介して表示させる。
【０１９３】
図６ＤＡ〜図６ＤＤは、第３の時間の後の第４の時間にタッチ感知ディスプレイ装置６０２を介して要約ユーザインタフェース６１４を表示する第１の電子装置６００を示す。一部の実施例では、要約ユーザインタフェース６１４は、健康アプリケーションのユーザインタフェースである。図６ＤＡ〜図６ＤＤに示すように、要約ユーザインタフェース６１４は、異なるアフォーダンスを含む複数の領域を含み、領域は、通知領域（例えば、第１の通知アフォーダンス６１６、第２の通知アフォーダンス６１８、及び第３の通知アフォーダンス６２０を含む通知領域）、ロギング領域（例えば、ロギングアフォーダンス６２２を含むロギング領域）、お気に入り領域（例えば、第１のお気に入りアフォーダンス６２６ａ、第２のお気に入りアフォーダンス６２６ｂ、第３のお気に入りアフォーダンス６２６ｃ、第４のお気に入りアフォーダンス６２６ｄ、第５のお気に入りアフォーダンス６２６ｅ、第６のお気に入りアフォーダンス６２６ｆを含み、全ての健康データアフォーダンス６２８を示すお気に入り領域）、強調表示領域（例えば、第１の強調表示アフォーダンス６３０、第２の強調表示アフォーダンス６３２を含み、全ての強調表示アフォーダンス６３４を示す強調表示領域）、健康記録領域（例えば、第１の健康記録アフォーダンス６３６、第２の健康記録アフォーダンス６３８を含み、全ての記録アフォーダンス６４０を示す健康記録領域）、教育領域、健康領域からのより多くの情報、及びアプリ領域を含む。
【０１９４】
一部の実施例では、通知領域は、健康アプリケーションにログインされたアカウントに関連付けられた装置によって発行／表示された健康関連通知のアフォーダンスを含む。例えば、健康関連通知は、第１の電子装置６００（例えば、図６Ａに示されるような通知６０４ａ及び通知６０４ｂ）又は第１の電子装置６００又はアカウント（例えば、図６Ｂに示すような通知６１０）のいずれかにリンクされた（例えば、双方とも、スマートフォン及び対応するスマートウォッチによって実行されるような単一のアカウント又はペアリングにログインされた）別の電子装置（例えば、第２の電子装置６０６）からのものとすることができる。そのような実施例では、通知領域は、健康関連通知が最初に表示された後に見ることができる１つの場所における健康関連通知に関連付けられた情報を表示する場所である。
【０１９５】
上述したように、通知領域は、第１の通知アフォーダンス６１６、第２の通知アフォーダンス６１８、及び第３の通知アフォーダンス６２０を含む。一部の実施例では、第１の通知アフォーダンス６１６は、通知６１０に対応する（例えば、情報を含む）。一部の実施例では、第２の通知アフォーダンス６１８は、通知６０４ａに対応する（例えば、情報を含む）。一部の実施例では、第３の通知アフォーダンス６２０は、通知６０４ｂに対応する（例えば、情報を含む）。図６ＤＡに示すように、通知領域内の通知アフォーダンスは、対応する通知が最初に発行された日付によって順序付けられる（例えば、直近の通知は最初であり、次の直近の通知は次のものであるなど）。
【０１９６】
一部の実施例では、通知アフォーダンスは、特定の時間量が経過した後に通知領域から除去される。一部の実施例では、特定の時間量は、それぞれの通知アフォーダンスに関連付けられたユーザ相互作用の量、又はアフォーダンスに関連するデータに基づいて変化する。例えば、第１の通知アフォーダンスは、第１の通知アフォーダンス（又は、第１の通知アフォーダンスに対応する通知）がユーザによって相互作用され及び第２の通知アフォーダンスがユーザによって相互作用されない場合、第２の通知アフォーダンスよりも迅速に除去される。別の実施例では、第１の通知アフォーダンスは、第１の通知アフォーダンス（又は、第１の通知アフォーダンスに対応する通知）が、第２の通知アフォーダンス（又は、第２の通知アフォーダンスに対応する通知）よりも長い時間にわたって表示されるとき、第２の通知アフォーダンスよりも迅速に除去される。別の実施例では、第１の通知アフォーダンスは、第１の通知アフォーダンス（又は、第１の通知アフォーダンスに対応する通知）が、第２の通知アフォーダンス（又は、第２の通知アフォーダンスに対応する通知）に関連付けられた健康データのタイプよりも多くユーザによって閲覧される（又は相互作用される）健康データのタイプに関連付けられている場合、第２の通知アフォーダンスよりも迅速に除去される。別の実施例では、第１の通知アフォーダンスは、第１の通知アフォーダンス（又は、第１の通知アフォーダンスに対応する通知）が、第２の通知アフォーダンス（又は、第２の通知アフォーダンスに対応する通知）よりも多くの情報（例えば、より詳細な情報）又は（例えば、健康アプリケーションによって定義されるような）より重要な情報を有する場合、第２の通知アフォーダンスよりも迅速に除去される。別の実施例では、第１の通知アフォーダンスは、第１の通知アフォーダンスに対応するデータが別の装置（例えば、装置６０８）上で閲覧される場合（例えば、第１の通知アフォーダンスが装置６００上で相互作用されていない場合であっても）、第２の通知アフォーダンスよりも迅速に除去される。そのような除去基準は、図６Ｆ〜図６Ｈに関して更に記載される。
【０１９７】
第１の通知アフォーダンス６１６は、アイコン６１６ａによって表されるアプリケーション（例えば、聴覚アプリケーション）によって第１の通知アフォーダンス６１６に対応する通知（例えば、通知６１０）が発行されたことを示すアイコン６１６ａを含む。第１の通知アフォーダンス６１６は、第１の通知アフォーダンス６１６の残りの部分から視覚的に区別可能なヘッダを含み、ヘッダは、タイトル６１６ｂ（どの第１の通知アフォーダンス６１６が関連するかを示す）及び時間６１６ｃ（第１の通知アフォーダンス６１６に対応する通知が最初に発行された時間を示す）を含む。一実施例では、ヘッダは、聴覚用途に対応する特定のパターン又は色であることによって、第１の通知アフォーダンス６１６の残りの部分と視覚的に区別される。一部の実施例では、聴覚用途に関連するユーザインタフェース要素は、特定のパターン又は色である要素を含む。図６ＤＡに示すように、第１の通知アフォーダンス６１６は、（一部の実施例では）第１の通知アフォーダンス６１６に対応する通知に含まれるコンテンツの少なくとも一部であるコンテンツ６１６ｄを含む。
【０１９８】
第２の通知アフォーダンス６１８は、アイコン６１８ａによって表されるアプリケーション（例えば、アクティビティアプリケーション）によって第２の通知アフォーダンス６１８に対応する通知（例えば、通知６０４ａ）が発行されたことを示すアイコン６１８ａを含む。第２の通知アフォーダンス６１８は、第２の通知アフォーダンス６１８の残りの部分と視覚的に区別可能な（及び第１の通知アフォーダンス６１６及び第３の通知アフォーダンス６２０のヘッダと視覚的に区別可能な）ヘッダを含み、ヘッダは、タイトル６１８ｂ（どの第２の通知アフォーダンス６１８が関連するかを示す）及び時間６１８ｃ（第２の通知アフォーダンス６１８に対応する通知が最初に発行された時間を示す）を含む。一実施例では、ヘッダは、アクティビティアプリケーションに対応する特定のパターン又は色であることによって他の要素と視覚的に区別される。一部の実施例では、アクティビティアプリケーションに関連するユーザインタフェース要素は、特定のパターン又は色である要素を含む。図６ＤＡに示すように、第２の通知アフォーダンス６１８は、（一部の実施例では）第２の通知アフォーダンス６１８に対応する通知に含まれるコンテンツの少なくとも一部であるコンテンツ６１８ｄを含む。
【０１９９】
第３の通知アフォーダンス６２０は、アイコン６２０ａによって表されるアプリケーション（例えば、ＣＨＲアプリケーション）によって第３の通知アフォーダンス６２０に対応する通知（例えば、通知６０４ｂ）が発行されたことを示すアイコン６２０ａを含む。第３の通知アフォーダンス６２０は、第３の通知アフォーダンス６２０の残りの部分と視覚的に区別可能な（及び第１の通知アフォーダンス６１６及び第２の通知アフォーダンス６１８のヘッダと視覚的に区別可能な）ヘッダを含み、ヘッダは、タイトル６２０ｂ（どの第３の通知アフォーダンス６２０が関連するかを示す）及び時間６２０ｃ（第３の通知アフォーダンス６２０に対応する通知が最初に発行された時間を示す）を含む。一実施例では、ヘッダは、ＣＨＲアプリケーションに対応する特定のパターン又は色であることによって他の要素と視覚的に区別される。一部の実施例では、ＣＨＲアプリケーションに関連するユーザインタフェース要素は、特定のパターン又は色である要素を含む。図６ＤＡに示すように、第３の通知アフォーダンス６２０は、アイコン６２０ｄと、（一部の実施例では）第３の通知アフォーダンス６２０に対応する通知に含まれるコンテンツの少なくとも一部であるコンテンツ６２０ｅとを含む。一部の実施例では、アイコン６２０ｄは、第３の通知アフォーダンス６２０に関連付けられた通知を生成した臨床機関に対応する。そのような例では、アイコン６２０ｄは、アイコン６２０ａとは異なる。
【０２００】
一部の実施例では、通知アフォーダンスの選択は、健康アプリケーションのユーザインタフェースを表示させ、ユーザインタフェースは、対応するアプリケーションに関連付けられる。例えば、第１の通知アフォーダンス６１６の選択は、健康アプリケーションのユーザインタフェースを表示させ、ユーザインタフェースは、（図６Ｅに示されて以下で更に記載されるように、聴覚データ室と呼ばれることもある）聴覚アプリケーションからの情報を含む。
【０２０１】
一部の実施例では、ロギング領域は、データを記録するためのアフォーダンスを含む。例えば、ロギングアフォーダンス６２２は、サイクルの記録に関連する。ロギングアフォーダンス６２２は、ロギングアフォーダンス６２２に対応するロギングアプリケーション（例えば、サイクル追跡アプリケーション）を表すアイコン６２２ａを含む。ロギングアフォーダンス６２２はまた、ロギングアフォーダンス６２２を記載しかつユーザがロギングアプリケーションに関連付けられた情報を記録したことを示すコンテンツ６２２ｂを含む。ロギングアフォーダンス６２２はまた、ロギング基準が満たされているかどうかを示すグラフィック６２２ｃも含む（例えば、ロギング基準が満たされないとき、グラフィック６２２ｃは、ユーザが最小回数記録していないことを示す正符号であり、ロギング基準が満たされたとき、グラフィック６２２ｃは、ユーザが最小回数記録したことを示すチェックマークである）。一部の実施例では、ロギングアフォーダンス６２２は、選択されたときに、ユーザがサイクルを記録することを可能にするユーザインタフェースを表示させる。他の実施例では、ロギングアフォーダンス６２２を選択する動作は、サイクルを記録させる。
【０２０２】
一部の実施例では、ロギングアフォーダンス６２２の一部に関連付けられた色又はパターン（例えば、語「サイクル追跡」のフォント色）は、ロギングアプリケーションに対応する特定の色又はパターンである。特定の色又はパターンは、一部の実施例では、ロギングアプリケーションに対応する健康アプリケーション内に表示されるユーザ要素の少なくとも一部に使用される。一部の実施例では、特定の色又はパターンは、他のアプリケーション（例えば、アクティビティアプリケーション、聴覚アプリケーション、ＣＨＲアプリケーション、又は他のロギングアプリケーション）に使用される色／パターンと視覚的に異なる。
【０２０３】
一部の実施例では、お気に入り領域は、ユーザが自身のお気に入りのうちの１つとして指示した健康関連データについてのアフォーダンスを含む（図６Ｉに示されて後述するように）。一部の実施例では、ユーザがお気に入りを示す前に、お気に入り領域は、（例えば、ユーザによって所有されている装置、ユーザの相互作用など、デフォルトのお気に入り、又はそれらの任意の組み合わせに基づいて）ユーザが気に入るとシステムが判定した健康関連データに対応する１つ以上の既定のアフォーダンスを含む。
【０２０４】
上述したように、お気に入り領域は、第１のお気に入りアフォーダンス６２６ａ、第２のお気に入りアフォーダンス６２６ｂ、第３のお気に入りアフォーダンス６２６ｃ、第４のお気に入りアフォーダンス６２６ｄ、第５のお気に入りアフォーダンス６２６ｅ、第６のお気に入りアフォーダンス６２６ｆを含み、全ての健康データアフォーダンス６２８を示す。第１のお気に入りアフォーダンス６２６ａ、第２のお気に入りアフォーダンス６２６ｂ、及び第３のお気に入りアフォーダンス６２６ｃは、例えば、アイコン６２６ａａによって示されるように、アクティビティアプリケーションからの健康データに対応する。
【０２０５】
一部の実施例では、各お気に入りアフォーダンスの少なくとも一部は、対応するアプリケーションを表すように視覚的に区別される（例えば、タイトル６２６ａｂのフォント色は、一部の実施例では、アクティビティアプリケーションに対応する）。一部の実施例では、各お気に入りアフォーダンスを視覚的に区別可能にする要素は、異なるユーザインタフェース要素にわたって一貫している（例えば、色が視覚的に区別可能な要素である場合、アクティビティアプリケーションに対応する他のユーザインタフェース要素は、同じ色を含む（例えば、一部の実施例では、第２の通知アフォーダンス６１８内のヘッダは、第１のお気に入りアフォーダンス６２６ａにおける「アクティビティ」のフォントと同じ色である））。
【０２０６】
図６ＤＡに示すように、第１のお気に入りアフォーダンス６２６ａは、最後の時間の健康データ６２６ａｃ（例えば、移動、運動、及び起立指標）のタイムスタンプを含む。
【０２０７】
図６ＤＢに示すように、第４のお気に入りアフォーダンス６２６ｄは、図６ＤＡに示されるアイコン６２２ａのより小さいバージョンであるアイコン６２６ｄａを含む。そのような対応は、一部の実施例では、同じアプリケーションに関連する異なるユーザインタフェース要素がアプリケーションを表すための同じアイコンを含むことを示す。アイコン６２６ｅａ及びアイコン６２６ｆａは、異なるアプリケーションに対応するアイコンの更なる例である。加えて、一部の実施例では、タイトル６２６ｄｂは、コンテンツ６２２ｂ内の「サイクル追跡」と同様に着色されて、双方が同じアプリケーションに関連することを更に示す。
【０２０８】
一部の実施例では、全ての健康データアフォーダンス６２８は、健康アプリケーションに関連付けられたアカウントに対応する全ての健康データの表現を含むユーザインタフェースを表示させる。そのようなユーザインタフェースの例を図１２ＡＡ〜図１２ＡＢに示す。
【０２０９】
一部の実施例では、強調表示領域は、健康アプリケーションによって識別される期間にわたる健康データのグラフィカル表現を含む。例えば、特定のグラフィカル表現は、強調表示基準を満たすときに表示され、強調表示基準を満たさないときは表示されない。一部の実施例では、強調表示基準は、期間内の健康データ間の差異、ユーザが特定のグラフィックを見るのに費やした時間、ユーザによるインタフェース６１４の特定のグラフィック若しくは要素との相互作用、又はこれらの任意の組み合わせに基づく。
【０２１０】
図６ＤＢは、タッチ感知ディスプレイ装置６０２を介して要約ユーザインタフェース６１４の強調表示領域内に第１の強調表示アフォーダンス６３０を表示する電子装置を示す。第１の強調表示アフォーダンス６３０は、第１の強調表示アフォーダンス６３０が心拍数アプリケーションに一次的に関連することを示すアイコン６３０ａを含む（一部の実施例では、第１の強調表示アフォーダンス６３０は、第１の強調表示アフォーダンス６３０が第２のアプリケーションからのデータに基づくように第２のアプリケーション（例えば、トレーニングアプリケーション）に二次的に関連する）。一部の実施例では、第１の強調表示アフォーダンス６３０の一部は、第１の強調表示アフォーダンス６３０が、心拍数アプリケーションに一次的に関連することを識別するために視覚的に区別される（例えば、一部の実施例では、タイトル６３０ｂのフォント色は、心拍数アプリケーションに対応する特定の色である）。第１の強調表示アフォーダンス６３０はまた、第１の強調表示アフォーダンス６３０によって示される情報（例えば、トレーニング中に到達した値の範囲など）を示すための説明６３０ｃも含む。
【０２１１】
図６ＤＢに示すように、第１の強調表示アフォーダンス６３０は、トレーニング中の心拍数の表現を有するグラフ６３０ｄを含む。グラフ６３０ｄは、トレーニング中の心拍数の最小値を示す最小指示６３０ｅと、トレーニング中の心拍数の最大値を示す最大指示６３０ｆとを含む。そのような指示は、最小及び最大を特定するために、トレーニングに対応する期間中の心拍数を異なる時間で比較することによって決定される。
【０２１２】
図６ＤＣは、タッチ感知ディスプレイ装置６０２を介して要約ユーザインタフェース６１４の強調表示領域内に第２の強調表示アフォーダンス６３２を表示する電子装置を示す。第２の強調表示アフォーダンス６３２は、第２の強調表示アフォーダンス６３２が環境オーディオアプリケーションに関連することを示すアイコン６３０ａを含む。一部の実施例では、第２の強調表示アフォーダンス６３２の一部は、第２の強調表示アフォーダンス６３２が環境オーディオアプリケーションに関連することを識別するために視覚的に区別される（例えば、一部の実施例では、タイトル６３２ｂのフォント色は、環境オーディオアプリケーションに対応する特定の色である）。第２の強調表示アフォーダンス６３２はまた、第２の強調表示アフォーダンス６３２によって示される情報を示すための説明６３２ｃも含む（例えば、どのように今日の平均環境オーディオレベルが昨日の平均よりも４ｄＢ高いなど）。
【０２１３】
図６ＤＣに示すように、第２の強調表示アフォーダンス６３２は、今日の平均表現（例えば、６３２ｄ）及び昨日の平均表現（例えば、６３２ｅ）を有するグラフを含む。図６ＤＣに示すように、今日の平均表現及び昨日の平均表現のそれぞれは、平均のグラフィカル表現及び平均のテキスト表現を含む。一部の実施例では、グラフは、同じ長さの期間間で比較した単一の健康データ指標の量を表す。
【０２１４】
上述したように、強調表示領域はまた、全ての強調表示アフォーダンス６３４を示すことを含む。一部の実施例では、全ての強調表示アフォーダンス６３４の選択は、図６ＭＡ〜図６ＭＤに示されるような全ての強調表示ユーザインタフェースなどの健康アプリケーションに対応するユーザインタフェースを表示させる。
【０２１５】
一部の実施例では、健康記録領域は、健康アプリケーションに関連付けられたアカウントに関する健康記録データを送信した各臨床機関に対応するアフォーダンス（例えば、第１の健康記録アフォーダンス６３６及び第２の健康記録アフォーダンス６３８）を含む。例えば、第１の健康記録アフォーダンス６３６は、カリフォルニア州パロアルトのＸＹＺ医療センターに対応することを示す（６３６ｄを参照）。別の実施例では、第２の健康記録アフォーダンス６３８は、カリフォルニア州サンノゼのＡＢＣ緊急処置に対応することを示す（６３８ｄを参照）。
【０２１６】
一部の実施例では、健康記録領域内の各アフォーダンスは、アフォーダンスが健康記録に対応することを示すタイトル（例えば、タイトル６３６ａ及びタイトル６３８ａ）を含む。図６ＤＣに示すように、健康記録領域内のそれぞれのアフォーダンスはまた、対応する臨床機関から直近の健康記録が受信されたときの指示を含む（例えば、第１の健康記録アフォーダンス６３６は、午前８：００の時間表示６３６ｂを含み、第２の健康記録アフォーダンス６３８は、午前６：００の時間表示６３８ｂを含む）。一部の実施例では、健康記録領域内のアフォーダンスは、対応する臨床機関から最新の健康記録が受信されたときに基づいて順序付けられる（例えば、第１の健康記録アフォーダンス６３６は、第２の健康記録アフォーダンス６３８に対応する直近の健康記録の後に受信した第１の健康記録アフォーダンス６３６に対応する直近の健康記録に基づいて、第２の健康記録アフォーダンス６３８の上方にある）。他の実施例では、健康記録領域内のアフォーダンスは、健康記録更新が最初にアカウントに対して発行／生成されたときに基づいて順序付けられる（例えば、第１の健康記録アフォーダンス６３６は、第２の健康記録アフォーダンス６３８に対応する第２の健康記録の前に生成された第１の健康記録アフォーダンス６３６に対応する第１の健康記録に基づいて、第２の健康記録アフォーダンス６３８の上方にある）。他の実施例では、健康記録領域内のアフォーダンスは、一次及び二次機関を指定する（例えば、一次機関が二次機関を上回る）などのユーザ定義の順序に基づいて順序付けられる。一部の実施例では、一次機関のみが健康記録領域内に表され、二次機関は、全ての健康記録アフォーダンス６４０を使用してナビゲートされることができる。一部の実施例では、全ての健康記録アフォーダンス６４０の選択は、健康アプリケーションのユーザインタフェースを表示させ、ユーザインタフェースは、健康アプリケーションに関連付けられたアカウントについて受信された全ての健康記録を含む（図６ＯＡ〜図６ＯＢに示すように）。
【０２１７】
一部の実施例では、健康記録領域内の各アフォーダンスは、対応する機関からどの記録が受信されたかの指示を含む。例えば、第１の健康記録アフォーダンス６３６は、薬剤、検査結果、及び他の記録に対応する健康記録がＸＹＺ医療センターから受信されたことを示す指示６３６ｅを含む。一部の実施例では、医療記録が受信されたときに基づいて指示６３６ｅが順序付けられる（例えば、薬剤に対応する健康データを有する健康記録が、検査結果に対応する健康データを有する健康記録よりも最近受信されたことから、薬剤は検査結果よりも前である）。別の実施例では、第２の健康記録アフォーダンス６３８は、薬剤に対応する健康記録がＡＢＣ緊急処置から受信されたことを示す指示６３８ｅを含む。
【０２１８】
一部の実施例では、教育領域は、選択されたときに、ユーザインタフェースに教育コンテンツを表示させるアフォーダンスを含む。一部の実施例では、健康領域からのより多くの情報は、選択されたときに、健康アプリケーションを構成するためにユーザインタフェースを表示させるアフォーダンスを含む。一部の実施例では、アプリ領域は、健康アプリケーションのアカウントに関連すると判定される、異なるアプリケーションに対応するアフォーダンスを含む。
【０２１９】
図６ＤＤに示すように、要約ユーザインタフェース６１４は、現在のユーザインタフェースが関連する健康アプリケーションのセクションを示す（例えば、視覚的に区別可能なアフォーダンス（例えば、太字）は、どのセクションかを示す）ために、要約ユーザインタフェース６１４の底部に１対のアフォーダンス（例えば、要約アフォーダンス６４２ａ及び検索アフォーダンス６４２ｂ）を含む。一部の実施例では、現在のユーザインタフェースが関連しない健康アプリケーションのセクションの選択（例えば、図６ＤＤの検索アフォーダンス６４２ｂ）は、選択されたセクションに対応するユーザインタフェースを表示させる（例えば、検索アフォーダンス６４２ｂが選択される場合、図６ＴＡ〜図６ＴＢに示すように、検索セクションに対応するユーザインタフェースが表示される）。一部の実施例では、現在のユーザインタフェースに関連するセクションに対応するアフォーダンスの選択は、図６ＤＡに示されるような選択されたセクションのホームインタフェース（例えば、図６ＤＡに示されるような要約ユーザインタフェース６１４及び図６ＴＡ〜図６ＴＢに示されるような検索ユーザインタフェース６８４）を表示させる。
【０２２０】
図６ＤＡは、第１の通知アフォーダンス６１６に対応するユーザ入力６１５を受信する第１の電子装置６００を示す。一部の実施例では、ユーザ入力６１５は、タッチ感知ディスプレイ装置６０２を介して受信され、第１の通知アフォーダンス６１６上の選択ジェスチャ（例えば、タップ）に対応する。他の実施例では、マウスを使用したクリックなど、他の形態の選択を使用することができる。一部の実施例では、ユーザ入力６１５は、図６Ｅに示すように、健康アプリケーションの環境オーディオデータ室ユーザインタフェース６４４の表示などの異なるユーザインタフェースをタッチ感知ディスプレイ装置６０２を介して表示させる。
【０２２１】
図６Ｅは、第４の時間の後の第５の時間にタッチ感知ディスプレイ装置６０２を介して環境オーディオデータ室ユーザインタフェース６４４を表示する第１の電子装置６００を示す。一部の実施例では、環境オーディオデータ室ユーザインタフェース６４４は、環境オーディオアプリケーションからの情報を有する健康アプリケーションのユーザインタフェースである。図６Ｅに示すように、環境オーディオデータ室ユーザインタフェース６４４は、１週間にわたって装置によって検出されたノイズレベルを示すデータを有するグラフを含む。一部の実施例では、データは、環境オーディオアプリケーションに関連付けられた場所に記憶され、環境オーディオアプリケーションのユーザインタフェース内で見ることができる。
【０２２２】
環境オーディオデータ室ユーザインタフェース６４４は、異なる時間スケール（例えば、日を示す「Ｄ」、週を示す「Ｗ」、月を示す「Ｍ」、及び年を示す「Ｙ」）を示す時間スケールアフォーダンスを上部に更に含む。図６Ｅに示すように、週を示す時間スケールアフォーダンスが選択され、グラフに、１週間にわたって検出されたノイズレベルを示させる。一部の実施例では、異なる時間スケールアフォーダンスの選択は、グラフを変化させて、選択された時間スケール全体にわたって検出されたノイズレベルを示す。
【０２２３】
図６Ｅに示すように、環境オーディオデータ室ユーザインタフェース６４４は、グラフによって示される情報を示す、ボトムテキストでのアフォーダンスの数を含む。例えば、週全体にわたって平均を示す第１のアフォーダンスと、週全体にわたって毎日の平均を示す第２のアフォーダンスと、週全体の範囲と、環境オーディオアプリケーションによって週に発行されたノイズ通知の数とを示す第３のアフォーダンスが存在する。一部の実施例では、アフォーダンスのうちの１つの選択は、選択されたアフォーダンスに対応するグラフ内のデータを強調表示するようにグラフを変更させる。例えば、平均アフォーダンスの選択は、平均を示すグラフに線を挿入させることができる。別の実施例では、毎日の平均アフォーダンスの選択は、グラフ内の各日ごとに各バーにポイントを挿入させて、それぞれの日の平均を示すことができる。別の実施例では、範囲アフォーダンスの選択は、グラフの一部を強調表示させることができ、その場合、範囲の最小及び最大は、週の全体にわたって生じた。別の実施例では、ノイズ通知アフォーダンスの選択は、グラフの一部を強調表示させ、ノイズ通知が発行される。
【０２２４】
図６Ｆは、第５の時間の後の第６の時間にタッチ感知ディスプレイ装置６０２を介して要約ユーザインタフェース６１４を表示する第１の電子装置６００を示す。一部の実施例では、要約ユーザインタフェース６１４は、（ユーザ入力なしで図６Ｅに示される）環境オーディオデータ室ユーザインタフェース６４４の左上の戻るボタンの選択に対応するユーザ入力に応答して表示される。
【０２２５】
図６Ｆに示されるような要約ユーザインタフェース６１４は、図６ＤＡに示すように要約ユーザインタフェース６１４に対してスクロールダウンされる（例えば、左上のテキスト「要約」及び右上のアカウントのアイコンはもはや表示されない）。図６Ｆは、第１の通知アフォーダンス６１６が相互作用された（例えば、図６ＤＡに示すように選択された）後に、第１の通知アフォーダンス６１６が要約ユーザインタフェース６１４にまだ表示されていることを示す。図６Ｆはまた、第２の通知アフォーダンス６１８及び第３の通知アフォーダンス６２０もまた要約ユーザインタフェース６１４内にまだ表示されていることも示す。
【０２２６】
図６Ｇは、第６の時間の後の第７の時間にタッチ感知ディスプレイ装置６０２を介して要約ユーザインタフェース６１４を表示する第１の電子装置６００を示す。一部の実施形態では、要約ユーザインタフェース６１４は、要約ユーザインタフェース６１４の再表示に対応するユーザ入力に応答して表示される。
【０２２７】
図６Ｇは、第２の通知アフォーダンス６１８及び第３の通知アフォーダンス６２０が第１の通知アフォーダンス６１６の前に受信されたとしても、第１の通知アフォーダンス６１６がもはや要約ユーザインタフェース６１４内に表示されなくなることを示す。そのようなものは、一部の実施例では、相互作用していない通知アフォーダンスよりも短い時間で除去される相互作用される通知アフォーダンスがあることを示す。図６Ｇは、第２の通知アフォーダンス６１８及び第３の通知アフォーダンス６２０が依然として要約ユーザインタフェース６１４内に表示されていることを示す。
【０２２８】
図６Ｈは、第７の時間の後の第８の時間にタッチ感知ディスプレイ装置６０２を介して要約ユーザインタフェース６１４を表示する第１の電子装置６００を示す。一部の実施例では、要約ユーザインタフェース６１４は、（図６Ｇに示すように）第７の時間においてタッチ感知ディスプレイ装置６０２に対して再表示される。
【０２２９】
図６Ｈは、（１）第２の通知アフォーダンス６１８に対応する通知の前に発行された第３の通知アフォーダンス６２０に対応する通知、及び（２）第３の通知アフォーダンス６２０に対応する通知、第３の通知アフォーダンス６２０、第２の通知アフォーダンス６１８に対応する通知、第２の通知アフォーダンス６１８のいずれも、ユーザによって相互作用されていないことに少なくとも部分的に起因して、第３の通知アフォーダンス６２０がもはや要約ユーザインタフェース６１４に表示されないことを示す。そのようなものは、発行されたときに、時系列順に基づいて、相互されない通知アフォーダンスが除去されることを示す（例えば、より古い通知アフォーダンスが最初に除去される）。図６Ｈは、第２の通知アフォーダンス６１８が依然として要約ユーザインタフェース６１４内に表示されていることを示す。
【０２３０】
図６Ｈは、編集アフォーダンス６２４に対応するユーザ入力６２５を受信する第１の電子装置６００を示す。一部の実施例では、ユーザ入力６２５は、タッチ感知ディスプレイ装置６０２を介して受信され、編集アフォーダンス６２４上の選択ジェスチャ（例えば、タップ）に対応する。他の実施例では、マウスを使用したクリックなど、他の形態の選択を使用することができる。一部の実施例では、ユーザ入力６２５は、図６Ｉに示すように、編集ユーザインタフェース６４６の表示などの異なるユーザインタフェースをタッチ感知ディスプレイ装置６０２を介して表示させる。
【０２３１】
図６Ｉは、第８の時間の後の第９の時間にタッチ感知ディスプレイ装置６０２を介して編集ユーザインタフェース６４６を表示する第１の電子装置６００を示す。一部の実施例では、編集ユーザインタフェース６４６は、ユーザが要約ユーザインタフェース６１４のお気に入り領域に表示されるお気に入りを追加及び／又は除去することを可能にする健康アプリケーションのユーザインタフェースである。
【０２３２】
図６Ｉに示すように、編集ユーザインタフェース６４６は、編集ユーザインタフェース６４６のビュー間を切り替えるための既存のデータアフォーダンス６４６ａ及び全てのアフォーダンス６４６ｂを含む。例えば、既存のデータアフォーダンス６４６ａの選択に対応するユーザ入力は、図６Ｉに示されて後述するように、既存のデータビューを表示するために、編集ユーザインタフェース６４６に表示させる。同様に、全てのアフォーダンス６４６ｂの選択に対応するユーザ入力は、編集ユーザインタフェース６４６に、お気に入り領域から追加及び／又は除去するための全ての可能な健康データタイプを含む、全てのデータビュー（図示せず）を表示させる。
【０２３３】
（図６Ｉに示すような）既存のデータアフォーダンス６４６ａに対応するビューでは、編集ユーザインタフェース６４６は、アカウントが少なくとも一部の健康データを有する健康データタイプの表現を含む（例えば、健康データタイプの表現は、健康アプリケーションがアカウントについての健康データタイプの健康データへのアクセスを有するときに表示される（例えば、アカウントに記憶された健康データタイプの少なくとも一部の健康データが存在している））。そのような実施例では、既存のデータアフォーダンス６４６ａに対応するビュー内の編集ユーザインタフェース６４６は、アカウントが健康データを有しない健康データタイプについての任意の表現を含まない（例えば、健康データタイプの表現は、健康アプリケーションがアカウントについての健康データタイプの健康データへのアクセスを有しない場合には表示されない（例えば、アカウントに記憶された健康データタイプの健康データは存在しない））。
【０２３４】
いずれのビューにおいても、健康データタイプの表現の選択は、健康データタイプのお気に入りアフォーダンスを要約ユーザインタフェース６１４のお気に入り領域に追加させることにより、ユーザが要約ユーザインタフェース６１４からの健康データタイプに関する記憶データを閲覧することを可能にする。図６Ｉに示すように、健康データタイプの表現は、表現内の他の表示と視覚的に区別可能な表示を含むことによって選択されるものとして示される。例えば、表現６４６ｃは、表現６４６ｃに対応する健康データタイプのお気に入りアフォーダンスが、要約ユーザインタフェース６１４のお気に入り領域内に表示されることを示す表示を含む。別の実施例では、表現６４６ｄは、表現６４６ｃに対応する健康データタイプのお気に入りアフォーダンスが、要約ユーザインタフェース６１４のお気に入り領域内に表示されないことを示す表示を含む。図６Ｉに示すように、健康データタイプの表現のグループは、編集ユーザインタフェース６４６を介して表示される。例えば、編集ユーザインタフェース６４６は、アクティビティ、身体測定、及び心臓に対応する表現のグループを含み、表現のグループ内の各表現は関連する。
【０２３５】
図６Ｊは、第９の時間の後の第１０の時間にタッチ感知ディスプレイ装置６０２を介して要約ユーザインタフェース６１４を表示する第１の電子装置６００を示す。一部の実施例では、要約ユーザインタフェース６１４は、（ユーザ入力なしで図６Ｉに示される）編集ユーザインタフェース６４６の右上の実行ボタンの選択に対応するユーザ入力に応答して表示される。図６Ｊに示されるような要約ユーザインタフェース６１４は、図６Ｈに示すように、要約ユーザインタフェース６１４に対してスクロールダウンされる（例えば、ロギングアフォーダンス６２２は、もはや図６Ｊに表示されない）。
【０２３６】
図６Ｊは、第２のお気に入りアフォーダンス６２６ｂに対応するユーザ入力６２７を受信する第１の電子装置６００を示す。一部の実施例では、ユーザ入力６２７は、タッチ感知ディスプレイ装置６０２を介して受信され、第２のお気に入りアフォーダンス６２６ｂ上の選択ジェスチャ（例えば、タップ）に対応する。他の実施例では、マウスを使用したクリックなど、他の形態の選択を使用することができる。一部の実施例では、ユーザ入力６２７は、図６ＫＡ〜図６ＫＢに示すように、歩数データ室ユーザインタフェース６４８の表示などの異なるユーザインタフェースをタッチ感知ディスプレイ装置６０２を介して表示させる。
【０２３７】
図６ＫＡ〜図６ＫＢは、第１０の時間の後の第１１の時間にタッチ感知ディスプレイ装置６０２を介して歩数データ室ユーザインタフェース６４８を表示する第１の電子装置６００を示す。一部の実施例では、歩数データ室ユーザインタフェース６４８は、図６Ｊに示すように、要約ユーザインタフェース６１４の第２のお気に入りアフォーダンス６２６ｂの選択に対応するユーザ入力に応答して表示される。
【０２３８】
一部の実施例では、歩数データ室ユーザインタフェース６４８は、アクティビティアプリケーションからの情報を有する健康アプリケーションのユーザインタフェースである。図６ＫＡに示すように、歩数データ室ユーザインタフェース６４８は、１日間の歩数に関連付けられた健康データの表現を有するグラフ６４８ａを含む。一部の実施例では、健康データは、アクティビティアプリケーションに関連付けられた場所に記憶され、アクティビティアプリケーションのユーザインタフェース内で見ることができる。
【０２３９】
歩数データ室ユーザインタフェース６４８は、異なる時間スケール（例えば、日を示す「Ｄ」、週を示す「Ｗ」、月を示す「Ｍ」、及び年を示す「Ｙ」）を示す時間スケールアフォーダンスを上部に更に含む。図６ＫＡに示すように、日を示す時間スケールアフォーダンスが選択され、グラフに、１日にわたって検出された歩数を示す。一部の実施例では、異なる時間スケールアフォーダンスの選択は、グラフを変化させて、選択された時間スケール全体にわたって検出された歩数を示す。
【０２４０】
歩数データ室ユーザインタフェース６４８は、歩数に関連付けられた強調表示を含む強調表示セクションを含む。図６ＫＡに示すように、歩数データ室ユーザインタフェース６４８は、どのように所定期間にわたって歩数が増加したかを示す単一の強調表示（例えば、６４８ｂ）を含む。他の強調表示が強調表示セクションに含まれてもよいことを認識されたい。一部の実施例では、歩数データ室ユーザインタフェース６４８内に表示するための強調表示を特定することは、強調表示領域について上述したのと同様の判定を含む。歩数データ室ユーザインタフェース６４８は、歩数が意味することに関する説明６４８ｃ及び要約ユーザインタフェース６１４内のお気に入り領域に歩数を追加させるための追加アフォーダンス４６８を更に含む。
【０２４１】
図６ＫＢを参照すると、歩数データ室ユーザインタフェース６４８は、（１）歩数に関連する提案されたアプリへのリンク（例えば、アプリストアへのリンク又は第１の電子装置６００上にインストールされたアプリケーションへのリンク）を有する歩数アプリセクション６４８ｅ、（２）歩数に関連する様々な選択肢を有するオプションセクション６４８ｆ、及び（３）選択されたときに、ユーザインタフェースに歩数に関するコンテンツを表示させるアフォーダンスを有する教育セクション６４８ｇを含む。
【０２４２】
図６Ｌは、第１１の時間の後の第１２の時間にタッチ感知ディスプレイ装置６０２を介して要約ユーザインタフェース６１４を表示する第１の電子装置６００を示す。一部の実施例では、要約ユーザインタフェース６１４は、（ユーザ入力なしで図６ＫＡに示される）歩数データ室ユーザインタフェース６４８の左上の要約アフォーダンスに対して戻る選択に対応するユーザ入力に応答して表示される。図６Ｌに示されるような要約ユーザインタフェース６１４は、図６Ｊに示すように、要約ユーザインタフェース６１４に対してスクロールダウンされる（例えば、お気に入り領域はもはや表示されず、強調表示領域が図６Ｌに表示される）。
【０２４３】
図６Ｌは、全ての強調表示アフォーダンス６３４を示すために対応するユーザ入力６３５を受信する第１の電子装置６００を示す。一部の実施例では、ユーザ入力６３５は、タッチ感知ディスプレイ装置６０２を介して受信され、全ての強調表示アフォーダンス６３４を示す選択ジェスチャ（例えば、タップ）に対応する。他の実施例では、マウスを使用したクリックなど、他の形態の選択を使用することができる。一部の実施例では、ユーザ入力６３５は、図６ＭＡ〜図６ＭＤに示すように、全ての強調表示ユーザインタフェース６５０の表示などの異なるユーザインタフェースをタッチ感知ディスプレイ装置６０２を介して表示させる。
【０２４４】
図６ＭＡ〜図６ＭＤは、第１２の時間の後の第１３の時間にタッチ感知ディスプレイ装置６０２を介して全ての強調表示ユーザインタフェース６５０を表示する第１の電子装置６００を示す。一部の実施例では、全ての強調表示ユーザインタフェース６５０は、図６Ｌに示すように、要約ユーザインタフェース６１４における全ての強調表示アフォーダンス６３４の選択に対応するユーザ入力に応答して表示される。
【０２４５】
一部の実施例では、全ての強調表示ユーザインタフェース６５０は、アカウントについての健康アプリケーションによって現在識別されている強調表示のリストを有する健康アプリケーションのユーザインタフェースである（例えば、識別することは、生成された全ての強調表示が、全ての強調表示ユーザインタフェース６５０に含まれていないように、強調表示領域に関して上述した判定に基づいている（例えば、表示基準を満たす強調表示のみが、全ての強調表示ユーザインタフェース６５０に表示される））。図６ＭＡは、上述した要約ユーザインタフェース６１４の強調表示領域内にも表示された、第１の強調表示アフォーダンス６３０及び第２の強調表示アフォーダンス６３２を表示する第１の電子装置６００を示す。
【０２４６】
図６ＭＢは、タッチ感知ディスプレイ装置６０２を介して第３の強調表示アフォーダンス６５２を表示する第１の電子装置６００を示す。第３の強調表示アフォーダンス６５２は、第３の強調表示アフォーダンス６５２が睡眠アプリケーションに関連することを示すアイコン６５２ａを含む。一部の実施例では、第３の強調表示アフォーダンス６５２の一部は、第３の強調表示アフォーダンス６５２が睡眠アプリケーションに関連することを識別するために視覚的に区別される（例えば、一部の実施例では、タイトル６５２ｂのフォント色は、睡眠アプリケーションに対応する特定の色である）。第２の強調表示アフォーダンス６３２はまた、第３の強調表示アフォーダンス６５２によって示される情報（例えば、この週はユーザが平均７時間及び５５分どのように睡眠したかなど）を示すための説明６５２ｃも含む。
【０２４７】
図６ＭＢに示すように、第３の強調表示アフォーダンス６５２は、ユーザが週の各日にどのくらい睡眠したかの表現を有するグラフを含む。グラフはまた、週の平均を視覚的に示す平均線６５２ｅも含む。一部の実施例では、グラフは、サブ期間（例えば、日）に分けられた期間（例えば、週）にわたる平均を表す。
【０２４８】
図６ＭＢは、タッチ感知ディスプレイ装置６０２を介して第４の強調表示アフォーダンス６５４を表示する第１の電子装置６００を示す。第４の強調表示アフォーダンス６５４は、第４の強調表示アフォーダンス６５４が水アプリケーションに一次的に関連することを示すアイコン６５４ａを含む（一部の実施例では、第４の強調表示アフォーダンス６５４は、カレンダアプリケーションに二次的に関連する）。一部の実施例では、第４の強調表示アフォーダンス６５４の一部は、第４の強調表示アフォーダンス６５４が水アプリケーションに関連することを識別するために視覚的に区別される（例えば、一部の実施例では、タイトル６５４ｂのフォント色は、水アプリケーションに対応する特定の色である）。第４の強調表示アフォーダンス６５４はまた、第４の強調表示アフォーダンス６５４によって示される情報（例えば、どのようにユーザが最後の４週間で２１日間水を記録したかなど）を示すための説明６５２ｃも含む。
【０２４９】
図６ＭＢに示すように、第４の強調表示アフォーダンス６５４は、ユーザがそれぞれの日に水を記録したかどうかの指示を有する、各日の表現を有するカレンダ６５４ｄを含む。図６ＭＢに示すように、表現６５４ｆは、いくつかの他の表現から視覚的に区別される（例えば、表現６５４ｆに対応する日にユーザが水を記録したこと及び表現６５４ｅに対応する日に水を記録しなかったことを示す表現６５４ｅ）。一部の実施例では、カレンダ６５４ｄは、同じ長さの期間の間で比較された単一の健康データ指標の頻度を表す。
【０２５０】
図６ＭＣは、タッチ感知ディスプレイ装置６０２を介して第５の強調表示アフォーダンス６５６を表示する第１の電子装置６００を示す。第５の強調表示アフォーダンス６５６は、第５の強調表示アフォーダンス６５６がナビゲーションアプリケーションに一次的に関連することを示すアイコン６５６ａを含む（一部の実施例では、第５の強調表示アフォーダンス６５６は、トレーニングアプリケーションに二次的に関連する）。一部の実施例では、第５の強調表示アフォーダンス６５６の一部は、第５の強調表示アフォーダンス６５６がナビゲーションアプリケーションに一次的に関連することを識別するために視覚的に区別される（例えば、一部の実施例では、タイトル６５６ｂのフォント色は、ナビゲーションアプリケーションに対応する特定の色である）。第５の強調表示アフォーダンス６５６はまた、第５の強調表示アフォーダンス６５６によって示される情報（例えば、ユーザが８：５１の平均ペースで３．１マイルのランニングを記録したことなど）を示すための説明６５６ｃも含む。
【０２５１】
図６ＭＣに示すように、第５の強調表示アフォーダンス６５６は、ランニング経路の地図６５６ｄ内の表示を有する地図６５６ｄを含む。第５の強調表示アフォーダンス６５６はまた、距離測定６５６ｅ（説明６５６ｃに含まれる距離に加えて、それよりも長い）、持続時間６５６ｆ、及びカロリー６５６ｇを含む、ランニングに関するテキスト情報も含む。
【０２５２】
図６ＭＣは、タッチ感知ディスプレイ装置６０２を介して第６の強調表示アフォーダンス６５８を表示する第１の電子装置６００を示す。第６の強調表示アフォーダンス６５８は、第６の強調表示アフォーダンス６５８がトレーニングアプリケーションに関連することを示すアイコン６５８ａを含む。一部の実施例では、第６の強調表示アフォーダンス６５８の一部は、第６の強調表示アフォーダンス６５８がトレーニングアプリケーションに関連することを識別するために視覚的に区別される（例えば、一部の実施例では、タイトル６５８ｂのフォント色は、トレーニングアプリケーションに対応する特定の色である）。第６の強調表示アフォーダンス６５８はまた、第６の強調表示アフォーダンス６５８によって示される情報を示すための説明６５８ｃを含む（例えば、今日はユーザが合計６５００カロリーを燃焼させたなど）。
【０２５３】
図６ＭＣに示すように、第６の強調表示アフォーダンス６５８は、１日に記録された異なるトレーニングの４つの異なる表現を含む。各トレーニングは、トレーニングのタイプに対応するアイコン、トレーニングのタイプの識別情報（例えば、名称）、それぞれのトレーニングの時間の長さ、及びそれぞれのトレーニング中に燃焼するカロリー数に対応するアイコンを含む。一部の実施例では、第６の強調表示アフォーダンス６５８は、１日の心拍データを有する単一の強調表示内に１日の複数のトレーニングを表す。
【０２５４】
図６ＭＤは、タッチ感知ディスプレイ装置６０２を介して第７の強調表示アフォーダンス６６０を表示する第１の電子装置６００を示す。第７の強調表示アフォーダンス６６０は、第７の強調表示アフォーダンス６６０がバイタルアプリケーションに一次的に関連することを示すアイコン６６０ａを含む。一部の実施例では、第７の強調表示アフォーダンス６６０の一部は、第７の強調表示アフォーダンス６６０がバイタルアプリケーションに関連することを識別するために視覚的に区別される（例えば、一部の実施例では、タイトル６６０ｂのフォント色は、バイタルアプリケーションに対応する特定の色である）。第７の強調表示アフォーダンス６６０は、全ての強調表示がそのような説明を有していないことを示す第７の強調表示アフォーダンス６６０によって示される情報を示す説明を含まないことに留意されたい。図６ＭＤに示すように、第７の強調表示アフォーダンス６６０は、どのように１分当たりの拍動が高点から下点まで低減されるかを示す、経時的なユーザについての１分当たりの拍動を示すグラフ６６０ｃを含む。
【０２５５】
図６ＭＤは、タッチ感知ディスプレイ装置６０２を介して第８の強調表示アフォーダンス６６２を表示する第１の電子装置６００を示す。第８の強調表示アフォーダンス６６２は、第８の強調表示アフォーダンス６６２がアクティビティアプリケーションに関連することを示すアイコン６６２ａを含む。一部の実施例では、第８の強調表示アフォーダンス６６２の一部は、第８の強調表示アフォーダンス６６２がアクティビティアプリケーションに関連することを識別するために視覚的に区別される（例えば、一部の実施例では、タイトル６６２ｂのフォント色は、アクティビティアプリケーションに対応する特定の色である）。第８の強調表示アフォーダンス６６２はまた、第８の強調表示アフォーダンス６６２によって示される情報（例えば、ユーザが、この時間帯において通常行われるよりも今日はより多くの歩数を取得したことなど）を示すための説明６６２ｃも含む。
【０２５６】
図６ＭＤに示すように、第８の強調表示アフォーダンス６６２は、１日（例えば、現在の日）についてのアクティビティ指標を以前の平均値と比較するグラフ６６２ｄを含む。例えば、グラフ６６２ｄは、今日の線６６２ｈ及び以前の平均線（第１の部分６６２ｇ及び第２の部分６６２ｉを含む）を含む。今日の線６６２ｈは、現在の時間までの間、１日に進んだときのユーザの歩数を示す。以前の平均線は、現在の日の前の数日の間に平均で進んだときのユーザの歩数を示す。第１の部分６６２ｇは、現在の時間までの時間を表し、第２の部分６６２ｉは、現在の時間の後の時間を表す。グラフ６６２ｄはまた、今日の歩数に関するテキスト表示、及び現在の日の前の数日にわたって平均したこの時間の歩数に関するテキスト表示も含む。一部の実施例では、第６の強調表示アフォーダンス６５８は、情報の瞬間的な更新と今日を比較した期間にわたる平均を表す。
【０２５７】
図６Ｎは、第１３の時間の後の第１４の時間にタッチ感知ディスプレイ装置６０２を介して要約ユーザインタフェース６１４を表示する第１の電子装置６００を示す。一部の実施例では、要約ユーザインタフェース６１４は、（ユーザ入力なしに図６ＭＤに示される）全ての強調表示ユーザインタフェース６５０内の要約アフォーダンス６４２ａの選択に対応するユーザ入力に応答して表示される。図６Ｎに示されるような要約ユーザインタフェース６１４は、図６Ｌに示すように、要約ユーザインタフェース６１４に対してスクロールダウンされる（例えば、強調表示領域はもはや表示されず、健康記録領域が図６Ｎに表示される）。
【０２５８】
図６Ｎは、全ての健康記録アフォーダンス６４０を示すために対応するユーザ入力６４１を受信する第１の電子装置６００を示す。一部の実施例では、ユーザ入力６４１は、タッチ感知ディスプレイ装置６０２を介して受信され、全ての健康記録アフォーダンス６４０を示す選択ジェスチャ（例えば、タップ）に対応する。他の実施例では、マウスを使用したクリックなど、他の形態の選択を使用することができる。一部の実施例では、ユーザ入力６４１は、図６ＯＡから図６ＯＢに示すように、全ての健康データユーザインタフェース６６４の表示などの異なるユーザインタフェースをタッチ感知ディスプレイ装置６０２を介して表示させる。
【０２５９】
図６ＯＡ〜図６ＯＢは、第１４の時間後の第１５の時間にタッチ感知ディスプレイ装置６０２を介して全ての健康データユーザインタフェース６６４を表示する第１の電子装置６００を示す。一部の実施例では、全ての健康データユーザインタフェース６６４は、図６Ｎに示すように、要約ユーザインタフェース６１４を示す全ての健康記録アフォーダンス６４０の選択に対応するユーザ入力に応答して表示される。
【０２６０】
一部の実施例では、全ての健康データユーザインタフェース６６４は、アカウントについて受信された健康データのリストを有する健康アプリケーションのユーザインタフェースである。図６ＯＡに示すように、全ての健康データユーザインタフェース６６４は、全ての健康データユーザインタフェース６６４のビュー間を切り替えるための全てのデータアフォーダンス６６４ａ及び健康記録アフォーダンス６６４ｂを含む。例えば、全てのデータアフォーダンス６６４ａの選択に対応するユーザ入力は、図１２ＡＡに示すように、全ての健康データユーザインタフェース６６４に全てのデータビューを表示させる。同様に、健康記録アフォーダンス６６４ｂの選択に対応するユーザ入力は、全ての健康データユーザインタフェース６６４にアカウントについて受信された全ての健康記録を含む健康記録ビューを表示させる（図６ＯＡ〜図６ＯＢに示すように）。一部の実施例では、全ての健康記録アフォーダンス６４０の選択に応答して、全てのデータビューの代わりに健康記録ビューが表示される。そのような実施例では、全ての健康データアフォーダンス（例えば、図６ＤＢに示されるような全ての健康データアフォーダンス６２８）の選択に応答して、健康記録ビューの代わりに全てのデータビューが表示される。
【０２６１】
健康記録ビューでは、全ての健康データユーザインタフェース６６４は、一部の実施例では、健康記録タイプの表現を含む（例えば、表現６６６はアレルギーについてのものであり、表現６６６ｂは臨床バイタルについてのものであり、表現６６６ｃは状態についてのものであり、表現６６６ｄは予防接種についてのものであり、表現６６６ｅは検査結果についてのものであり、表現６６６ｆは薬剤についてのものであり、表現６６６ｇは処置についてのものである）。そのような実施例では、健康記録タイプの表現は、アルファベット的に順序付けられる（例えば、処置前の薬剤前の検査結果前の予防接種前の状態前の臨床バイタル前のアレルギー）。
【０２６２】
一部の実施例では、健康記録ビュー内の各表現は、健康記録タイプに対応するアイコンを含む（例えば、アイコン６６６ａａはアレルギーに対応し、アイコン６６６ｂａは臨床バイタルに対応し、アイコン６６６ｃａは状態に対応し、アイコン６６６ｄａは予防接種に対応し、アイコン６６６ｅａは検査結果に対応し、アイコン６６６ｆａは薬物に対応し、アイコン６６６ｇａは処置に対応する）。一部の実施例では、健康記録タイプに対応するユーザインタフェース要素を含む健康アプリケーションのユーザインタフェースは、対応するアイコンのバージョンを含む。
【０２６３】
一部の実施例では、健康記録ビュー内の各表現は、それぞれの健康記録タイプに対応する情報のリストを含む。例えば、アレルギーに対応する表現６６６ａは、健康記録が、アカウントに関連付けられたユーザがアレルギー性（例えば、花粉、カビ、アボカド、及び甲殻類）であることを示している品目のリストを含む。一部の実施例では、情報のリストは、最新に基づいて順序付けられる（例えば、健康記録タイプについてより最近に特定された品目は、健康記録タイプについてより過去に特定された品目の前（例えば、上）に順序付けられる）。一部の実施例では、健康記録ビュー内の全ての健康データユーザインタフェース６６４は、健康記録タイプの健康記録が存在しない場合であっても、健康記録タイプの表現を含む。
【０２６４】
図６ＯＢに示すように、全ての健康データユーザインタフェース６６４は、外部アフォーダンス６６６ｈを含む。外部アフォーダンス６６６ｈの選択は、健康アプリケーションのユーザインタフェースを表示させ、ユーザインタフェースは、１つ以上の外部ソース（例えば、第１の電子装置６００の外部のソース）からの情報を含む。図６ＯＢに示すように、全ての健康データユーザインタフェース６６４は、非読み取り可能データアフォーダンス６６６ｉを含む。非読み取り可能データアフォーダンス６６６ｉの選択は、健康アプリケーションのユーザインタフェースを表示させ、ユーザインタフェースは、健康アプリケーションに関連付けられたプロセスによって解析されることができない健康記録の表現を含む。
【０２６５】
図６ＯＡは、表現６６６ｅに対応するユーザ入力６６７を受信する第１の電子装置６００を示す。一部の実施例では、ユーザ入力６６７は、タッチ感知ディスプレイ装置６０２を介して受信され、表現６６６ｅ上の選択ジェスチャ（例えば、タップ）に対応する。他の実施例では、マウスを使用したクリックなど、他の形態の選択を使用することができる。一部の実施例では、ユーザ入力６６７は、図６ＰＡ〜図６ＰＢに示すように、検査結果データ室ユーザインタフェース６６８の表示などの異なるユーザインタフェースをタッチ感知ディスプレイ装置６０２を介して表示させる。
【０２６６】
図６ＰＡ〜図６ＰＢは、第１５の時間後の第１６の時間にタッチ感知ディスプレイ装置６０２を介して検査結果データ室ユーザインタフェース６６８を表示する第１の電子装置６００を示す。一部の実施例では、検査結果データ室ユーザインタフェース６６８は、図６ＯＡに示すように、全ての健康データユーザインタフェース６６４内の表現６６６ｅの選択に対応するユーザ入力に応答して表示される。他の実施例では、検査結果データ室ユーザインタフェース６６８は、検査結果（例えば、他の健康記録タイプがない）が更新されたことを示す、要約ユーザインタフェース６１４内の通知表現に対応するユーザ入力に応答して表示される。他の実施例では、検査結果データ室ユーザインタフェース６６８は、図６ＴＢに示すような検索ユーザインタフェース６８４を使用して検査結果を検索すること及び検索結果内の検査結果データ室ユーザインタフェース６６８に対応するアフォーダンスを選択することに応答して表示される。
【０２６７】
図６ＰＡに示すように、検査結果データ室ユーザインタフェース６６８は、アイコン６６８ａと、健康記録タイプ「検査結果」に対応してこれを示すタイトル６６８ｂとを含む。一部の実施例では、健康記録タイプ「検査結果」に対応するユーザインタフェース要素は、アイコン６６８ａと同様のアイコンを含む。
【０２６８】
図６ＰＡに示すように、検査結果データ室ユーザインタフェース６６８は、最終更新アフォーダンス６６８ｃと、検査結果データ室ユーザインタフェース６６８のビュー間を切り替えるためのＡ−Ｚアフォーダンス６６８ｄとを含む。例えば、最終更新アフォーダンス６６８ｃの選択に対応するユーザ入力は、図６ＰＡ〜図６ＰＢに示すように、検査結果データ室ユーザインタフェース６６８に第１のビューを表示させる。同様に、Ａ−Ｚアフォーダンス６６８ｄの選択に対応するユーザ入力は、図６Ｑに示すように、検査結果データ室ユーザインタフェース６６８に第２のビューを表示させる。
【０２６９】
図６ＰＡ〜図６ＰＢに示すように、検査結果データ室ユーザインタフェース６６８は、複数の領域（例えば、領域６７０及び領域６７２）を含み、各領域は、領域内の健康記録が生成された（例えば、臨床機関によって収集、採取、又は別の方法で作成された）異なる日付に対応する。一部の実施例では、複数の領域は、より最近の日付に対応する領域が、後の日付に対応する領域の前にあるように、日付によって順序付けられる。例えば、検査結果データ室ユーザインタフェース６６８は、（図６ＰＢに示すように）（２０１９年８月１５日に対応するように示される）領域６７２よりもリスト内で高い（例えば、前の）（図６ＰＡに示すように）（２０１９年３月２９日に対応するように示される）領域６７０を含む。
【０２７０】
一部の実施例では、検査結果データ室ユーザインタフェース６６８に含まれる各領域は、健康記録の１つ以上の表現を含む。例えば、領域６７０は、表現６７０ｂ及び表現６７０ｃの２つの別個の健康記録の２つの表現を含む。別の実施例では、領域６７２は、表現６７２ｂ、表現６７２ｃ、及び表現６７２ｄの３つの表現を含む。
【０２７１】
一部の実施例では、領域内の表現は、健康記録に関連付けられた臨床機関に対応するサブ領域に含まれる。例えば、表現６７０ｂ及び表現６７０ｃは、表現６７０ｂ及び表現６７０ｃに対応する健康記録がＸＹＺ医療センターから受信された（例えば、生成された）ことを示す、ＸＹＺ医療センターに対応するサブ領域に含まれる。別の実施例では、表現６７２ｂ、表現６７２ｃ、及び表現６７２ｄは、表現６７２ｂ、表現６７２ｃ、及び表現６７２ｄに対応する健康記録がＡＢＣ緊急処置から受信された（例えば、生成された）ことを示す、ＡＢＣ緊急処置に対応するサブ領域に含まれる。そのようなものは、検査結果データ室ユーザインタフェース６６８は、複数の臨床機関からの表現を含むことができることを示す。
【０２７２】
一部の実施例では、検査結果データ室ユーザインタフェース６６８内の健康記録の表現は、対応する健康記録タイプを示すアイコンを含む（上述したように）。一部の実施例では、検査結果データ室ユーザインタフェース６６８内の健康記録の表現は、それぞれの健康記録に対応する情報を含む。例えば、６７０ｂにおける情報は、対応する健康記録が関連する日付（例えば、２０１９年３月２９日）に収集されたことを示す「収集」という語を含む。
【０２７３】
表現６７０ｂ内の情報は、対応する健康記録を示すグラフを更に含む。表現６７０ｂにおけるグラフは、対応する健康記録に含まれる値（例えば、「１２５ＭＧ／ＤＬ」）の複数の表示と、値に関して定義された範囲（例えば、最小値及び最大値である０から２００）を含む。複数の表示は、テキスト表示（例えば、テキスト）及びグラフィカル表現（例えば、範囲の視覚表現内のドット）を含む。一部の実施例では、値は、値が範囲内にあるときに、特定の基準（例えば、管理機関によって設定された基準などの値が許容可能であるかどうかに関連する基準）を満たすと見なされる。一部の実施例では、範囲は、対応する健康記録に含まれる。他の実施例では、この範囲は、リモートソース（臨床機関など）によって提供されるような健康アプリケーションによって既知である。
【０２７４】
図６ＰＡは、対応する健康記録を示すグラフを含む表現６７０ｃを示す。表現６７０ｃにおけるグラフは、対応する健康記録に含まれる値（例えば、「６．３％」）の複数の表示と、値に関して定義された範囲（例えば、最小値及び最大値である５．７から６．３）を含む。複数の表示は、テキスト表示（例えば、テキスト）及びグラフィカル表現（例えば、範囲の視覚表現内のドット）を含む。一部の実施例では、値は、値が範囲内にあるときに、特定の基準（例えば、管理機関によって設定された基準などの値が許容可能であるかどうかに関連する基準）を満たすと見なされる。一部の実施例では、範囲は、対応する健康記録に含まれる。他の実施例では、この範囲は、リモートソース（臨床機関など）によって提供されるような健康アプリケーションによって既知である。
【０２７５】
図６ＰＢは、対応する健康記録からの情報を含む表現６７２ｂを示す。表現６７２ｂ内の情報は、対応する健康記録に含まれる値（例えば、「４０％」）の単一の表示（例えば、テキスト表示）を含み、値に関して定義された範囲の表示を含まない。一部の実施例では、健康アプリケーションが値の範囲を識別できない（例えば、対応する健康記録は範囲を含まず、及び／又は表示が範囲を提供していない）ことから、表現６７２ｂ内の情報はグラフ（及び／又は範囲の表示）を含まない。
【０２７６】
図６ＰＢは、対応する健康記録からの情報を含む表現６７２ｃを示す。表現６７２ｃ内の情報は、対応する健康記録に含まれる値（例えば、「否定」）の単一の表示（例えば、テキスト表示）を含む。一部の実施例では、値が対応する健康記録についての可能な値の最小数よりも小さい（一部の実施例では、可能な値の最小数は３である）ことから、表現６７２ｂにおける情報は、グラフ（及び／又は範囲の表示）を含まない（例えば、２値はグラフ化されない）。
【０２７７】
図６ＰＢは、対応する健康記録を示すグラフを含む表現６７２ｄを示す。表現６７２ｄにおけるグラフは、対応する健康記録に含まれる値（例えば、「４．５兆」）の複数の表示と、値について定義された範囲（例えば、最小値及び最大値である５．３２から５．７２兆）とを含む。複数の表示は、テキスト表示（例えば、テキスト）及びグラフィカル表現（例えば、範囲の視覚表現内のドット）を含む。一部の実施例では、値は、値が範囲内にあるときに、特定の基準（例えば、管理機関によって設定された基準などの値が許容可能であるかどうかに関連する基準）を満たすと見なされる。一部の実施例では、範囲は、対応する健康記録に含まれる。他の実施例では、この範囲は、リモートソース（臨床機関など）によって提供されるような健康アプリケーションによって既知である。図６ＰＢは、いくつかの表現がグラフを含むことができる一方で、他の表現は、同じ健康記録タイプに対応する表現さえも、グラフを含まないことを示す。そのような結果は、一部の実施例では、範囲を含まない及び／又は２値である健康記録の一部に起因する。
【０２７８】
図６ＰＡは、Ａ−Ｚアフォーダンス６６８ｄに対応するユーザ入力６６９を受信する第１の電子装置６００を示す。一部の実施例では、ユーザ入力６６９は、タッチ感知ディスプレイ装置６０２を介して受信され、Ａ−Ｚアフォーダンス６６８ｄ上の選択ジェスチャ（例えば、タップ）に対応する。他の実施例では、マウスを使用したクリックなど、他の形態の選択を使用することができる。一部の実施例では、ユーザ入力６６９は、図６Ｑに示されるＡ−Ｚビューなどのタッチ感知ディスプレイ装置６０２を介して検査結果データ室ユーザインタフェース６６８の異なるビューを表示させる。
【０２７９】
図６Ｑは、第１６の時間の後の第１７の時間にタッチ感知ディスプレイ装置６０２を介して検査結果データ室ユーザインタフェース６６８のＡ−Ｚビューを表示する第１の電子装置６００を示す。一部の実施例では、Ａ−Ｚビューは、図６ＰＡに示すように、検査結果データ室ユーザインタフェース６６８内のＡ−Ｚアフォーダンス６６８ｄの選択に対応するユーザ入力に応答して表示される。
【０２８０】
図６Ｑに示すように、Ａ−Ｚビューは、最終更新アフォーダンス６６８ｃと、検査結果データ室ユーザインタフェース６６８のビュー間を切り替えるためのＡ−Ｚアフォーダンス６６８ｄとを含む。例えば、最終更新アフォーダンス６６８ｃの選択に対応するユーザ入力は、図６ＰＡ〜図６ＰＢに示すように、検査結果データ室ユーザインタフェース６６８に第１のビューを表示させる。同様に、Ａ−Ｚアフォーダンス６６８ｄの選択に対応するユーザ入力は、図６Ｑに示すように、検査結果データ室ユーザインタフェース６６８に第２のビューを表示させる。
【０２８１】
図６Ｑに示すように、Ａ−Ｚビューは、異なる検査結果のためのアフォーダンスのリストを含み、各アフォーダンスは、異なる種類の検査結果に対応する。一部の実施例では、アフォーダンスのリストは、各アフォーダンスの対応するタイプの検査結果によってアルファベット順に順序付けられる（例えば、コレステロールアフォーダンス（例えば、アフォーダンス６７４ａ）は、クレアチンアフォーダンス（例えば、アフォーダンス６７４ｂ）の前にある）。一部の実施例では、アフォーダンスのリスト内の各アフォーダンスは、対応するタイプの検査結果に関連付けられた健康記録の数に関する指示を含む。例えば、アフォーダンス６７４ａ内の「１２」は、健康システムがコレステロールに対応する１２の健康記録を受信したことを示す。
【０２８２】
図６Ｑは、アフォーダンス６７４ｃに対応するユーザ入力６７５を受信する第１の電子装置６００を示す。一部の実施例では、ユーザ入力６７５は、タッチ感知ディスプレイ装置６０２を介して受信され、アフォーダンス６７４ｃ上の選択ジェスチャ（例えば、タップ）に対応する。他の実施例では、マウスを使用したクリックなど、他の形態の選択を使用することができる。一部の実施例では、ユーザ入力６７５は、図６ＲＡ〜図６ＲＢに示されるヘモグロビンユーザインタフェース６７６などの異なるユーザインタフェースをタッチ感知ディスプレイ装置６０２を介して表示させる。
【０２８３】
図６ＲＡ〜図６ＲＢは、第１７の時間の後の第１８の時間にタッチ感知ディスプレイ装置６０２を介してヘモグロビンユーザインタフェース６７６を表示する第１の電子装置６００を示す。一部の実施例では、ヘモグロビンユーザインタフェース６７６は、図６Ｑに示すように、検査結果データ室ユーザインタフェース６６８内のアフォーダンス６７４ｃの選択に対応するユーザ入力に応答して表示される。一部の実施例では、ヘモグロビンユーザインタフェース６７６は、図６ＰＡに示すように、検査結果データ室ユーザインタフェース６６８内のアフォーダンス６７０ｃの選択に対応するユーザ入力に応答して表示される。一部の実施例では、ヘモグロビンユーザインタフェース６７６は、ヘモグロビンＡ１Ｃに対応する健康記録に基づいた情報を有する健康アプリケーションのユーザインタフェースである。
【０２８４】
図６ＲＡに示すように、ヘモグロビンユーザインタフェース６７６は、１年にわたってヘモグロビンＡ１Ｃに対応する健康記録から得られた値を示すデータを有するグラフを含む。例えば、第１の健康記録は、第１のヘモグロビンＡ１Ｃ試験の結果が６．３％であったことを示すことができ（例えば、第１の健康記録は、アフォーダンス６８０ａに対応する）、第２の健康記録は、第２のヘモグロビンＡ１Ｃ試験の結果が７．３％であったことを示すことができ（例えば、第２の健康記録は、アフォーダンス６８０ｂに対応する）、第３の健康記録は、第３のヘモグロビンＡ１Ｃ試験の結果が６％であったことを示すことができる（例えば、第３の健康記録は、アフォーダンス６８０ｃに対応する）。そのような健康記録により、グラフは、第１の健康記録（例えば、６７６ｃｃ）、第２の健康記録（例えば、６７６ｃａ）、及び第３の健康記録（例えば、６７６ｃｂ）に関する指示を含む。一部の実施例では、グラフはまた、グラフ内の健康記録のうちの１つに関する追加情報を提供する、表現６７６ｃｄも含む。図６ＲＡに示すように、表現６７６ｃｄは、第１の健康記録に関する。一部の実施例では、表現６７６ｃｄは、ヘモグロビンユーザインタフェース６７６を表示させるために、表現６７６ｃｃ上のユーザ入力及び／又は異なるユーザインタフェース６７６に表示されるアフォーダンスの選択に応答して第１の健康記録に関連し、アフォーダンスは、指示６７６ｃｃに関連付けられた健康記録に対応する（例えば、図６ＰＡに示されるアフォーダンス６７０ｃ）。
【０２８５】
図６ＲＡに示すように、ヘモグロビンユーザインタフェース６７６は、異なる時間スケール（例えば、週を示す「Ｗ」、月を示す「Ｍ」、年を示す「Ｙ」、及び５年を示す「５Ｙ」）を示す時間スケールアフォーダンスを上部に含む。図６ＲＡに示すように、年を示す時間スケールアフォーダンスが選択され、グラフに１年にわたる健康記録を示させる。一部の実施例では、異なる時間スケールアフォーダンスの選択は、グラフを変化させて、選択された時間スケール全体にわたって検出された健康記録を示す。
【０２８６】
図６ＲＡに示すように、ヘモグロビンユーザインタフェース６７６は、範囲外アフォーダンス６７８を含む。範囲外アフォーダンス６７８の選択は、上述したように、グラフにおける指示に、定義された範囲外の値に対応して視覚的に区別させる（例えば、強調表示させる）。
【０２８７】
図６ＲＡは、アフォーダンス６８０ａに対応するユーザ入力６８１を受信する第１の電子装置６００を示す。一部の実施例では、ユーザ入力６８１は、タッチ感知ディスプレイ装置６０２を介して受信され、アフォーダンス６８０ａ上の選択ジェスチャ（例えば、タップ）に対応する。他の実施例では、マウスを使用したクリックなど、他の形態の選択を使用することができる。一部の実施例では、ユーザ入力６８１は、図６ＳＡに示す検査結果記録ユーザインタフェース６８２などの異なるユーザインタフェースをタッチ感知ディスプレイ装置６０２を介して表示させる。
【０２８８】
図６ＳＡは、第１８の時間の後の第１９の時間にタッチ感知ディスプレイ装置６０２を介して検査結果記録ユーザインタフェース６８２を表示する第１の電子装置６００を示す。一部の実施例では、検査結果記録ユーザインタフェース６８２は、図６ＲＡに示すように、ヘモグロビンユーザインタフェース６７６内のアフォーダンス６８０ａの選択に対応するユーザ入力に応答して表示される。一部の実施例では、検査結果記録ユーザインタフェース６８２は、特定の健康記録に関する詳細な情報を含む。一部の実施例では、詳細な情報は、特定の健康記録が収集されたときの日付、特定の健康記録が健康アプリケーションによって受信された日付、特定の健康記録の代替名（例えば、リモートソース又は健康アプリケーションのアカウントに関連付けられた他の健康記録のいずれかから識別されるように）、特定の健康記録に関連付けられた臨床機関、及び特定の健康記録に含まれる他の情報を含む。
【０２８９】
図６ＳＡ〜図６ＳＢは、タッチ感知ディスプレイ装置６０２を介してＸＹＺ医療センターユーザインタフェース６９８を表示する第１の電子装置６００を示す。一部の実施例では、ＸＹＺ医療センターユーザインタフェース６９８は、図６ＤＣに示すように、要約ユーザインタフェース６１４の健康記録領域内の第１の健康記録アフォーダンス６３６の選択に対応するユーザ入力に応答して表示される。
【０２９０】
図６ＳＡ〜図６ＳＢに示すように、ＸＹＺ医療センターユーザインタフェース６９８は、複数の領域（例えば、異なる日の領域）を含み、各領域は、領域内の健康記録が生成された（例えば、臨床機関によって収集、採取、又は別の方法で作成された）異なる日付に対応する。一部の実施例では、複数の領域は、より最近の日付に対応する領域が、後の日付に対応する領域の前にあるように、日付によって順序付けられる。例えば、ＸＹＺ医療センターユーザインタフェース６９８は、（図６ＳＣに示すような）２０１８年１１月２日に対応する領域よりもリストにおいて高い（例えば、前の）（図６ＳＢに示すような）２０１９年３月２９日に対応する領域を含む。
【０２９１】
一部の実施例では、ＸＹＺ医療センターユーザインタフェース６９８に含まれる各領域は、１つ以上のサブ領域を含み、各サブ領域は、サブ領域内の異なる健康記録タイプ（例えば、アレルギー、薬剤など）に対応する。一部の実施例では、複数のサブ領域は、アルファベット的に順序付けられる（例えば、薬剤の前のアレルギー）（図示せず）。
【０２９２】
一部の実施例では、ＸＹＺ医療センターユーザインタフェース６９８に含まれる各サブ領域は、健康記録の１つ以上の表現を含む。例えば、サブ領域６９８ａは、表現６７０ｂ（図６ＰＡにも図示及び記載されている）、表現６７０ｃ（図６ＰＡにも図示及び記載されている）、表現６９８ｂ（図６ＰＢに図示及び記載された６７２ｂと同様であるが、ＡＢＣ緊急処置の代わりにＸＹＺ医療センターから）、及び表現６９８ｃ（図６ＰＢに図示及び記載された６７２ｃと同様であるが、ＡＢＣ緊急処置の代わりにＸＹＺ医療センターから）など、４つの別個の健康記録の４つの表現を含む。図６ＳＡ〜図６ＳＢは、いくつかの表現がグラフを含むことができる一方で、他の表現は、同じ健康記録タイプに対応する表現さえも、グラフを含まないことを示す。そのような結果は、一部の実施例では、範囲を含まない及び／又は２値である健康記録の一部に起因する。図６ＳＡ〜図６ＳＢは、単一の臨床機関についてのユーザインタフェースを示しており、同様の技術を複数の臨床機関からの健康記録の表現を有するユーザインタフェースに使用することができることを認識されたい。
【０２９３】
図６ＴＡは、第１９の時間の後の第２０の時間にタッチ感知ディスプレイ装置６０２を介して検索ユーザインタフェース６８４を表示する第１の電子装置６００を示す。一部の実施例では、検索ユーザインタフェース６８４は、要約ユーザインタフェース６１４などの健康アプリケーションの任意のユーザインタフェースにおける検索アフォーダンス６４２ｂの選択に対応するユーザ入力に応答して表示される。
【０２９４】
図６ＴＡに示すように、検索ユーザインタフェース６８４は、健康アプリケーションを検索するために使用する検索クエリを挿入するための検索領域６８４ａを含む。例えば、第１の電子装置６００が、検索領域６８４ａ（例えば、挿入マーカは、検索領域６８４ａ内に位置する）及び検索を実行する要求とともに、文字列に対応するユーザ入力（例えば、キーボードを使用した文字列のユーザタイピング）を受信したとき、第１の電子装置６００は、図６Ｕに示されて更に後述するように、文字列に基づいて健康アプリケーションに関連付けられたデータを検索する。
【０２９５】
図６ＴＡに示すように、検索ユーザインタフェース６８４は、共有健康データアフォーダンス６８４ｂ、健康カテゴリアフォーダンス６８４ｃ、健康記録アフォーダンス６８４ｄ、及び健康コンテンツアフォーダンス６８４ｇの４つのアフォーダンスのグループを含む。一部の実施例では、検索ユーザインタフェース６８４は、第１の電子装置６００が別の装置から共有健康データを受信していない場合に、共有健康データアフォーダンス６８４ｂを含まないような、より少ないアフォーダンスのグループを含む。
【０２９６】
一部の実施例では、共有健康データアフォーダンス６８４ｂのアフォーダンスは、健康アプリケーションに関連付けられたアカウントとリンクされる他のアカウントに関連する。一実施例では、リンクは、１つのアカウントについて記録された健康データが他のアカウントに送信されるように、２つのアカウント間の接続を含む。例えば、図６ＴＡは、共有健康データアフォーダンス６８４ｂがアフォーダンス６８４ｂａを含むことを示す。一部の実施例では、図６ＸＡに示されて後述するように、アフォーダンス６８４ｂａは、アフォーダンス６８４ｂａの選択が「リトル・アップルシード」に関連付けられたアカウントについてのユーザインタフェース（例えば、「リトル・アップルシード」に関連付けられたアカウントに関連付けられた健康データをユーザが閲覧することを可能にするユーザインタフェース）を表示させるように、「リトル・アップルシード」に関連付けられたアカウントに関連する。
【０２９７】
一部の実施例では、健康カテゴリアフォーダンス６８４ｃのアフォーダンスは、健康データタイプのカテゴリに関連する。具体的には、健康カテゴリアフォーダンス６８４ｃは、健康データの階層を表し、ユーザが１つ以上のユーザ入力を介して特定の健康データにナビゲートすることを可能にする。例えば、健康カテゴリアフォーダンス６８４ｃは、アクティビティ健康データタイプ（例えば、アクティビティに対応する健康データのタイプ）に対応するアフォーダンス６８４ｃａを含む。一部の実施例では、アクティビティ健康データタイプは、アクティビティアプリケーションによって記憶された健康データに対応する。別の実施例では、健康カテゴリアフォーダンス６８４ｃは、バイアル健康データタイプ（例えば、バイタルに対応する健康データのタイプ）に対応するアフォーダンス６８４ｃｋを含む。一部の実施例では、バイアル健康データタイプは、バイアルアプリケーションによって記憶された健康データに対応する。
【０２９８】
一部の実施例では、健康カテゴリアフォーダンス６８４ｃのアフォーダンスの選択は、健康アプリケーションのユーザインタフェースを表示させ、ユーザインタフェースは、図６Ｖ〜図６Ｗに示されて後述するすように、それぞれの健康データタイプに関連付けられた健康データを含む。
【０２９９】
一部の実施例では、健康記録アフォーダンス６８４ｄのアフォーダンスは、上述したように、健康記録のカテゴリに関連する。例えば、健康記録アフォーダンス６８４ｄは、健康記録の階層を表し、ユーザが１つ以上のユーザ入力を介して特定の健康記録にナビゲートすることを可能にする。例えば、健康記録アフォーダンス６８４ｄは、検査結果（例えば、健康記録のタイプ）に対応するアフォーダンス６８４ｄｅを含む。一部の実施例では、アフォーダンス６８４ｄｅの選択は、ユーザインタフェースを表示させ、ユーザインタフェースは、検査結果の健康記録を含む。健康記録アフォーダンス６８４ｄはまた、臨床機関に関連するアフォーダンス（例えば、アフォーダンス６８４ｈ）を含む。臨床機関に関連するアフォーダンスの選択は、健康アプリケーションのユーザインタフェースを表示させ、ユーザインタフェースは、臨床機関によって収集された健康記録を含む。全てのアカウントに関連するアフォーダンス（例えば、アフォーダンス６８４ｄｊ）の選択は、健康アプリケーションのユーザインタフェースを表示させ、ユーザインタフェースは、全ての健康記録を含む。
【０３００】
図６ＴＢに示すように、検索ユーザインタフェース６８４は、臨床文書を閲覧するためのアフォーダンス６８４ｅを含む。アフォーダンス６８４ｅの選択は、健康アプリケーションのユーザインタフェースを表示させ、ユーザインタフェースは、臨床文書を含む。図６ＴＢに示すように、検索ユーザインタフェース６８４は、非読み取り可能データ（例えば、健康アプリケーション（又は健康アプリケーションに関連するプロセス）が解析（例えば、解釈又は読み取り）不能なデータ）を閲覧するためのアフォーダンス６８４ｆを含む。アフォーダンス６８４ｆの選択は、健康アプリケーションのユーザインタフェースを表示させ、ユーザインタフェースは、健康アプリケーション（又は健康アプリケーションに関連するプロセス）によって解析することができなかった健康記録の表現を含む。
【０３０１】
一部の実施例では、健康コンテンツアフォーダンス６８４ｇのアフォーダンスは、他の健康コンテンツへのリンクに関連する。例えば、健康コンテンツアフォーダンス６８４ｇは、教育コンテンツを閲覧するためのアフォーダンスを含む。そのようなアフォーダンスの選択は、健康アプリケーションのユーザインタフェースを表示させ、ユーザインタフェースは、教育コンテンツを含む。別の実施例では、健康コンテンツアフォーダンス６８４ｇは、上述した強調表示を閲覧するためのアフォーダンスを含む。そのようなアフォーダンスの選択は、健康アプリケーションのユーザインタフェースを表示させ、ユーザインタフェースは、１つ以上の強調表示表現を含む。
【０３０２】
図６Ｕは、第２０の時間の後の第２１の時間にタッチ感知ディスプレイ装置６０２を介して検索ユーザインタフェース６８４を表示する第１の電子装置６００を示す。一部の実施例では、検索領域６８４ａ内に入力された文字列を検索するユーザ要求に応答して、（図６Ｕに示すように）検索ユーザインタフェース６８４が表示される。例えば、図６Ｕは、ユーザが「血圧」を検索領域６８４ａに入力して、健康アプリケーションを使用して「血圧」の検索に対応する検索結果を表示させることを示す。一部の実施例では、文字列を検索するユーザ要求は、図６ＴＡ〜図６ＴＢに示される検索ユーザインタフェース６８４内の４つのアフォーダンスのグループを置き換える（例えば、表示を停止する）。
【０３０３】
一部の実施例では、検索結果は、異なるソースからのデータを含む。例えば、第１の検索結果６８４ｈは、健康データ（例えば、第１の電子装置６００、又は第１の電子装置６００若しくは健康アプリケーションに関連付けられたアカウントのいずれかにリンクされた別の装置によって検出された健康データ）を含む。図６Ｕに示すように、第１の検索結果６８４ｈは、アカウントに関連付けられたユーザについて検出された血圧の表現を含む。別の実施例では、第２の検索結果６８４ｉは、健康記録データ（例えば、例えば臨床機関から第１の電子装置６００によって受信された健康記録）を含む。図６Ｕに示すように、第２の検索結果６８５ｉは、健康記録に含まれる血圧を含む。
【０３０４】
一部の実施例では、検索結果は、文字列に関連すると判定された強調表示のカテゴリを含む。例えば、図６Ｕは、検索結果が、心臓強調表示アフォーダンス６８５ｊａ（例えば、心臓に関連付けられた強調表示に関連するアフォーダンス）及びバイタル強調表示アフォーダンス６８５ｊｂ（例えば、バイタルに関連付けられた強調表示に関連するアフォーダンス）を含むことを示す。一部の実施例では、強調表示アフォーダンスの選択は、健康アプリケーションのユーザインタフェースを表示させ、ユーザインタフェースは、強調表示のそれぞれのカテゴリに関連する１つ以上の強調表示表現を含む。
【０３０５】
一部の実施例では、検索結果は、文字列（６８４ｋ）に関連すると判定された健康データのカテゴリを含む。そのようなカテゴリは、上述した健康カテゴリアフォーダンス６８４ｃに対応する。例えば、図６Ｕは、検索結果が、心臓カテゴリアフォーダンス６８４ｋａ、バイタルアフォーダンス６８４ｋｂ、及び臨床バイアルアフォーダンス６８４ｋｃを含むことを示す。健康データのカテゴリは、健康記録の階層を表し、ユーザが１つ以上のユーザ入力を介して特定の健康記録にナビゲートすることを可能にする。例えば、健康データのカテゴリに対応するアフォーダンスの選択は、ユーザインタフェースを表示させ、ユーザインタフェースは、カテゴリに対応する健康記録を含む。
【０３０６】
図６Ｖは、第２１の時間の後の第２２の時間にタッチ感知ディスプレイ装置６０２を介してアクティビティユーザインタフェース６８６を表示する第１の電子装置６００を示す。一部の実施例では、アクティビティユーザインタフェース６８６は、検索ユーザインタフェース６８４内のアフォーダンス６８４ｃａの選択に対応するユーザ入力に応答して表示される。
【０３０７】
図６Ｖに示すように、アクティビティユーザインタフェース６８６は、健康アプリケーションに関連付けられたアカウントについてのアクティビティに関する健康データの表現を含む。例えば、アクティビティユーザインタフェース６８６は、強度トレーニング中の心拍数データを有する表現６８６ａを含む。
【０３０８】
図６Ｗは、第２２の時間の後の第２３の時間にタッチ感知ディスプレイ装置６０２を介してバイタルユーザインタフェース６８８を表示する第１の電子装置６００を示す。一部の実施例では、バイアルユーザインタフェース６８８は、検索ユーザインタフェース６８４内のアフォーダンス６８４ｃｋの選択に対応するユーザ入力に応答して表示される。
【０３０９】
図６Ｗに示すように、バイタルユーザインタフェース６８８は、健康アプリケーションに関連付けられたアカウントのバイタルに関連する健康データの表現を含む。例えば、アクティビティユーザインタフェース６８６は、強度トレーニング中の心拍数データを有する表現６８８ａを含む。表現６８８ａは、１つのカテゴリ（例えば、バイタル）に含まれる健康データが別のカテゴリ（例えば、アクティビティ）に含まれることができる例である。そのような結果は、それらが関連付けられている複数のカテゴリを有する健康データに起因する。例えば、図６Ｖ〜図６Ｗに示すように、強度トレーニング中の心拍数は、アクティビティ及びバイタルの双方と関連付けられる。一部の実施例では、健康データは、一次及び二次健康カテゴリを有する。
【０３１０】
図６ＸＡ〜図６ＸＢは、第２３の時間の後の第２４の時間にタッチ感知ディスプレイ装置６０２を介して子検索ユーザインタフェース６９０を表示する第１の電子装置６００を示す。一部の実施例では、子検索ユーザインタフェース６９０及び子検索ユーザインタフェース６９０に含まれるアフォーダンスからナビゲートされるユーザインタフェースは、読み取り専用である（一部の実施例では、ユーザが、健康アプリケーションのアカウントに関連付けられたデータにナビゲートするときにデータを追加／削除／編集することを可能にする、検索ユーザインタフェース６８４と比較して）。一部の実施例では、検索ユーザインタフェース６８４内のアフォーダンス６８４ｂａの選択に対応するユーザ入力に応答して、子検索ユーザインタフェース６９０が表示される。
【０３１１】
一部の実施例では、子検索ユーザインタフェース６９０は、健康アプリケーションに関連付けられたアカウントにリンクされたアカウントについての検索ユーザインタフェース６８４のバージョンである。図６ＸＡ〜図６ＸＢに示すように、子検索ユーザインタフェース６９０は、検索領域６９２ａが健康アプリケーションに関連付けられたアカウントの代わりに、リトル・アップルシードに対応するデータを検索することを除いて、検索ユーザインタフェース６８４内の検索領域６８４ａと同様の）検索領域６９２ａ、健康カテゴリアフォーダンス６９２ｂ（健康カテゴリアフォーダンス６９２ｂが健康アプリケーションに関連付けられたアカウントの代わりに、リトル・アップルシードに対応するデータに関連付けられていることを除いて、検索ユーザインタフェース６８４内の健康カテゴリアフォーダンス６９２ｃと同様）、健康記録アフォーダンス６８４ｃ（健康記録アフォーダンス６９２ｃが健康アプリケーションに関連付けられたアカウントの代わりに、リトル・アップルシードに対応するデータに関連付けられていることを除いて、検索ユーザインタフェース６８４内の健康記録アフォーダンス６８４ｄと同様）、及び健康コンテンツアフォーダンス６９２ｅ（検索ユーザインタフェース６８４内の健康コンテンツアフォーダンス６８４ｇと同様）を含む。一部の実施例では、子検索ユーザインタフェース６９０は、共有健康データアフォーダンス（例えば、共有健康データアフォーダンス６８４ｂａ）を含まない。他の実施例では、子検索ユーザインタフェース６９０は、リトル・アップルシードのアカウントにリンクされている装置についての共有健康データアフォーダンスを含む。
【０３１２】
図６Ｙは、第２４の時間の後の第２５の時間にタッチ感知ディスプレイ装置６０２を介してアクティビティユーザインタフェース６９４を表示する第１の電子装置６００を示す。一部の実施例では、アクティビティユーザインタフェース６９４は、子検索ユーザインタフェース６９０内のアクティビティアフォーダンスの選択に対応するユーザ入力に応答して表示される。
【０３１３】
図６Ｙに示すように、アクティビティユーザインタフェース６９４は、（例えば、指示６９４ａによって示されるように）リトル・アップルシードのアカウントについてのアクティビティに関する健康データの表現を含む。例えば、アクティビティユーザインタフェース６９４は、リトル・アップルシードの強度トレーニング中の心拍数データを有する表現６９４ｃを含む。
【０３１４】
図６Ｚは、第２５の時間の後の第２６の時間にタッチ感知ディスプレイ装置６０２を介してバイタルユーザインタフェース６９６を表示する第１の電子装置６００を示す。一部の実施例では、バイタルユーザインタフェース６９６は、子検索ユーザインタフェース６９０内のバイタルアフォーダンスの選択に対応するユーザ入力に応答して表示される。
【０３１５】
図６Ｚに示すように、バイタルユーザインタフェース６９６は、（例えば、指示６９６ａによって示されるように）リトル・アップルシードのアカウントについてのバイタルに関する健康データの表現を含む。例えば、バイタルユーザインタフェース６９６は、リトル・アップルシードの強度トレーニング中の心拍数データを有する表現６９６ｃを含む。表現６９６ｃは、１つのカテゴリ（例えば、バイタル）に含まれる健康データが別のカテゴリ（例えば、アクティビティ）に含まれることができる例である。そのような結果は、それらが関連付けられている複数のカテゴリを有する健康データに起因する。例えば、図６Ｙ〜図６Ｚに示すように、強度トレーニング中の心拍数は、アクティビティ及びバイタルの双方と関連付けられる。一部の実施例では、健康データは、一次及び二次健康カテゴリを有する。
【０３１６】
図７Ａ〜図７Ｂは、一部の実施形態に係る、電子装置を使用して通知を管理するための方法を示すフロー図である。方法７００は、ディスプレイ装置を有する装置（例えば、１００、３００、５００、６００、６０６）において実行される。方法７００のいくつかの動作は、任意選択的に組み合わされ、いくつかの動作の順序は、任意選択的に変更され、いくつかの動作は、任意選択的に省略される。
【０３１７】
一部の実施形態では、電子装置（例えば、６００、６０６）は、コンピュータシステムである。コンピュータシステムは、任意選択的に、ディスプレイ生成構成要素及び１つ以上の入力装置と通信する（例えば、有線通信、無線通信）。ディスプレイ生成構成要素は、ＣＲＴディスプレイを介した表示、ＬＥＤディスプレイを介した表示、又は画像投影を介した表示などの視覚出力を提供するように構成されている。一部の実施形態では、ディスプレイ生成構成要素は、コンピュータシステムと一体化される。一部の実施形態では、ディスプレイ生成構成要素は、コンピュータシステムとは別個である。１つ以上の入力装置は、ユーザ入力を受けるタッチ感知面などの入力を受けるように構成される。一部の実施形態では、１つ以上の入力装置は、コンピュータシステムと一体化される。一部の実施形態では、１つ以上の入力装置は、コンピュータシステムとは別個である。したがって、コンピュータシステムは、有線又は無線接続を介して、データ（例えば、画像データ又はビデオデータ）を、一体化又は外部ディスプレイ生成構成要素に送信して、（例えば、ディスプレイ装置を使用して）コンテンツを視覚的に生成することができ、１つ以上の入力装置からの入力を、有線又は無線接続で受信することができる。
【０３１８】
後述するように、方法７００は、通知を管理するための直感的な方法を提供する。方法は、通知の閲覧及び通知に対する動作の際のユーザの認識的負担を軽減し、それにより、より効率的なヒューマン−マシンインタフェースを作り出す。バッテリ動作式コンピューティングデバイスの場合、ユーザがより高速かつ効率的に通知の閲覧及び通知に対する動作をすることを可能にすることで、電力を節約し、バッテリ充電間の時間を延ばす。
【０３１９】
電子装置は、ディスプレイ装置を介して、選択されたときに、第１のデータセット（例えば、６４４）（例えば、通知データ、第１の時間に（例えば、外部装置から）生成された又は受信されたデータ、健康データ、センサデータ、バイオメトリックデータ、身体アクティビティデータ、臨床データ）を表示させる第１の通知（例えば、６１６、６１８、６２０）（例えば、通知アフォーダンス）を含む第１のユーザインタフェースの第１のインスタンス（例えば、図６ＤＡに示す６１４）を表示する（７０２）。
【０３２０】
一部の実施形態では、第１の通知は、第１の視覚的特性（７０４）（例えば、色（例えば、６１６ｂ及び６１６ｃを含む６１６のヘッダ内のパターン、６１８ａ、６１８ｂ、及び６１８ｃを含む６１８のヘッダ内のパターン、並びに６２０ａ、６２０ｂ、及び６２０ｃを含む６２０のヘッダ内のパターンとして示される）（例えば、それぞれのアイコンの前景色、背景色、包含（又は除外））を含む。一部の実施形態では、第１のデータセットが第１のアプリケーションに対応する（例えば、それによって生成された）との判定（７０６）に従って、第１の視覚的特性は、第１の値（例えば、青色）を有する。一部の実施形態では、第１のデータセットが第２のアプリケーションに対応するとの判定（７０８）に従って、第１の視覚的特性は、第１の値とは異なる第２の値（例えば、赤色）を有する。
【０３２１】
対応するアプリケーションに基づいて通知の視覚的品質（例えば、色）を指定することは、アプリケーションを識別するのに役立つフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３２２】
第１のユーザインタフェースの第１のインスタンスを表示した後、電子装置は、（例えば、第１のユーザインタフェースを表示する要求に対応する入力に応答して）第１のユーザインタフェースの第２のインスタンス（例えば、図６Ｇに示されるような６１４）を表示する（７１０）。
【０３２３】
第１のデータセットが表示された（例えば、第１のユーザインタフェースの第１のインスタンス内に表示された、第１のユーザインタフェースの後続のインスタンス内に表示された、電子装置上に表示された、（例えば、双方が同じユーザアカウントに関連付けられているため）電子装置と同じ通知を受信する第２の電子装置上に表示された）ときに満たされる基準を含む相互作用基準のセット（第１のデータセットが（例えば、第１の通知の選択を介して）相互作用されたかどうかに関する基準のセット）が満たされたとの判定（７１２）に従って、及び第１の期間（例えば、第１の基準を満たすように超えなければならない期間、第１のデータセットが受信又は生成されたときから判定された期間、第１のデータセットに対応する通知が最初に表示されたときから判定された期間、非ゼロ期間）に基づく第１の基準を含む第１の除去基準のセット（例えば、相互作用したデータに対応する通知の表示が管理される基準のセット）が満たされないとの判定に従って、第１のユーザインタフェースの第２のインスタンスは第１の通知を含む（図６Ｇ〜図６Ｈ）。
【０３２４】
第１の除去基準のセットが満たされたとの判定に従って、及び第１の除去基準のセットが満たされたとの判定に従って（７１４）、第１のユーザインタフェースの第２のインスタンスは、第１の通知を含まない（図６Ｇ〜図６Ｈ）。
【０３２５】
相互作用基準のセットが満たされていないとの判定に従って、及び第２の期間（例えば、第２の基準を満たすように超えなければならない期間、第１のデータセットが受信又は生成されたときから判定された期間、第１の期間よりも長い第１のデータセットに対応する通知が最初に表示されたときから判定される期間）に基づく第２の基準を含む第２の除去基準のセット（例えば、相互作用されていないデータに対応する通知の表示が管理される基準のセット）が満たされないとの判定（７１６）に従って、第１のユーザインタフェースの第２のインスタンスは、第１の通知を含む（図６Ｇ〜図６Ｈ）。一部の実施形態では、第２の期間は、第１の期間よりも長くない。
【０３２６】
相互作用基準のセットが満たされないとの判定に従って、及び第２の除去基準のセットが満たされたとの判定に従って（７１８）、第１のユーザインタフェースの第２のインスタンスは、第１の通知を含まない（図６Ｇ〜図６Ｈ）。一部の実施形態では、通知が相互作用されたかどうかに基づいて変化する期間にわたって、第１のユーザインタフェース内に通知が表示される（又は再表示される）。一部の実施形態では、相互作用されていない通知は、相互作用された通知の期間よりも長い期間にわたって表示される。
【０３２７】
相互作用基準のセット及び除去基準のセットが満たされたかどうかに基づいて第１の通知を表示することは、ユーザが、望ましくない通知を提供することなく、関連する通知を閲覧することを可能にする。更なるユーザ入力を必要とせずに条件のセットが満たされたときに動作を行うことにより、デバイスの操作性が高められ、ユーザ−デバイスインタフェースを（例えば、デバイスを操作する／デバイスと対話するときに適切な入力をもたらすようにユーザを支援し、ユーザの誤りを減らすことによって）より効率的にし、加えて、ユーザがデバイスをより迅速かつ効率的に使用できるようにすることによって、デバイスの電力使用が抑えられ、バッテリ寿命が改善される。
【０３２８】
一部の実施形態では、第１のユーザインタフェースの第１のインスタンスを表示する前に、電子装置は、外部装置（例えば、１つ以上のセンサ（例えば、バイオメトリックセンサ）を含むスマートウォッチ）から、第２のデータセットを受信し、第１のデータセットは、第２のデータセット（例えば、６１０）に対応する。一部の実施形態では、外部装置は、電子装置とペアリングされた関係にある（例えば、双方の装置は、同じユーザアカウントに関連付けられ、永続的関係を有する）。一部の実施形態では、第２のデータセットは、第１のデータセットである。一部の実施形態では、第２のデータセットは、第１のデータセットに含まれる。一部の実施形態では、第１のデータセットは、第２のデータセットから導出される（例えば、それに基づいて計算される）。一部の実施形態では、第２のデータセットは、外部装置の１つ以上のセンサからのセンサデータである。一部の実施形態では、第２のデータセットは、臨床健康データ（例えば、６０４ｂ）（例えば、健康機関からの医療記録、臨床試験検査からの試験結果）を含む。
【０３２９】
一部の実施形態では、電子装置は、１つ以上のセンサ（例えば、バイオメトリックセンサ）のセットを含む。一部の実施形態では、第１のユーザインタフェースの第１のインスタンスを表示する前に、電子装置は、１つ以上のセンサのセットを介して、第３のデータセット（例えば、６０４ａ）を受信する（例えば、検出する）。一部の実施形態では、第１のデータセットは、第３のデータセットに対応する。一部の実施形態では、第３のデータセットは、第１のデータセットである。一部の実施形態では、第３のデータセットは、第１のデータセットに含まれる。一部の実施形態では、第１のデータセットは、第３のデータセットから導出される（例えば、それに基づいて計算される）。一部の実施形態では、第１のユーザインタフェースの第１のインスタンスを表示する前に、電子装置は、第３のデータセットに対応する第２の通知を含む第２のユーザインタフェース（例えば、ロック画面などの健康アプリケーションの要約タブ以外の任意のユーザインタフェース）を表示する。一部の実施形態では、第２のユーザインタフェースは、第１のユーザインタフェースとは異なる。一部の実施形態では、第２の通知は、第１の通知と同じ内容を含む。
【０３３０】
一部の実施形態では、第１の通知は、第１の通知のリストに含まれる。一部の実施形態では、第１の通知のリストは、時系列又は逆時系列順に基づいて（例えば、初期通知発行時間に基づいて、それぞれの通知が選択されたときに表示されるデータが生成又は受信された時間に基づいて）順序付けられる（例えば、図６ＤＡ）。
【０３３１】
時系列又は逆時系列構造に基づいて第１のリストを順序付けることは、通知が生成されたシーケンスに関するフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３３２】
一部の実施形態では、（例えば、第１のユーザインタフェースの第１のインスタンス又は第２のインスタンス内に）第１の通知を表示している間、電子装置は、第１の通知の選択に対応する第１の入力（例えば、６１５）を受信する。一部の実施形態では、第１の入力を受信したことに応答して、電子装置は、第１のディスプレイ装置を介して、（例えば、第１のデータセットを含む）第２のユーザインタフェース（例えば、６４４）を表示する。一部の実施形態では、第１のデータセットは、第１のアプリケーションに対応し、第２のユーザインタフェースは、第１のアプリケーションからの追加のデータ及び／又は情報を含む。
【０３３３】
一部の実施形態では、第１のデータセットは、第１のデータタイプ（例えば、バイオメトリックデータ、センサデータ）に対応する。一部の実施形態では、第２のユーザインタフェースは、選択されたときに、第１のデータタイプの第１の値（例えば、第１の平均）を表示させる第１のアフォーダンスと、選択されたときに、第１の値（例えば、６４４における平均及び毎日の平均アフォーダンス）とは異なる第１のデータタイプの第２の値（例えば、第１の平均とは異なるフィルタ（例えば、時間フィルタ、ソースフィルタ）に基づく第２の平均）を表示させる第２のアフォーダンスとを含む。
【０３３４】
なお、方法７００に関して上述したプロセス（例えば、図７Ａ〜図７Ｂ）の詳細はまた、後述する／上述した方法にも、類似の方式で適用可能であることに留意されたい。例えば、方法８００、９００、１０００、１１００、及び１４００は、方法７００を参照して上述した様々な方法の特性のうちの１つ以上を任意選択的に含む。簡潔にするために、これらの詳細は、以下で繰り返さない。
【０３３５】
図８Ａ〜図８Ｂは、一部の実施形態に係る、電子装置を使用した健康関連情報の表示を管理するための方法を示すフロー図である。方法８００は、ディスプレイ装置を有する装置（例えば、１００、３００、５００、６００）において実行される。方法８００のいくつかの動作は、任意選択的に組み合わされ、いくつかの動作の順序は、任意選択的に変更され、いくつかの動作は、任意選択的に省略される。
【０３３６】
一部の実施形態では、電子装置（例えば、６００）は、コンピュータシステムである。コンピュータシステムは、任意選択的に、ディスプレイ生成構成要素及び１つ以上の入力装置と通信する（例えば、有線通信、無線通信）。ディスプレイ生成構成要素は、ＣＲＴディスプレイを介した表示、ＬＥＤディスプレイを介した表示、又は画像投影を介した表示などの視覚出力を提供するように構成されている。一部の実施形態では、ディスプレイ生成構成要素は、コンピュータシステムと一体化される。一部の実施形態では、ディスプレイ生成構成要素は、コンピュータシステムとは別個である。１つ以上の入力装置は、ユーザ入力を受けるタッチ感知面などの入力を受けるように構成される。一部の実施形態では、１つ以上の入力装置は、コンピュータシステムと一体化される。一部の実施形態では、１つ以上の入力装置は、コンピュータシステムとは別個である。したがって、コンピュータシステムは、有線又は無線接続を介して、データ（例えば、画像データ又はビデオデータ）を、一体化又は外部ディスプレイ生成構成要素に送信して、（例えば、ディスプレイ装置を使用して）コンテンツを視覚的に生成することができ、１つ以上の入力装置からの入力を、有線又は無線接続で受信することができる。
【０３３７】
後述するように、方法８００は、健康関連情報の表示を管理するための直感的な方法を提供する。方法は、健康関連情報を閲覧する際のユーザの認識的負担を軽減し、それによって、より効率的なヒューマン−マシンインタフェースを作り出す。バッテリ動作式コンピューティングデバイスの場合、ユーザがより高速かつ効率的に健康関連情報の閲覧に対する動作をすることを可能にすることで、電力を節約し、バッテリ充電間の時間を延ばす。
【０３３８】
電子装置は、第１の健康データ（例えば、ユーザによって実行される身体アクティビティ、１つ以上のバイオメトリックセンサを介して検出されたデータ）（例えば、６２６ｂを参照）を受信する（８０２）。一部の実施形態では、第１の健康データは、ある期間にわたって受信される。一部の実施形態では、第１の健康データは、１組として一緒に受信される。
【０３３９】
電子装置は、要求（例えば、６１３）（例えば、健康アプリケーションのためのアイコン上でタップするユーザ、又は要約タブのためのアフォーダンス上でタップするユーザなどの健康アプリケーションの要約タブを閲覧する要求）を受信し、第１のユーザインタフェース（例えば、６１４）を表示する（８０４）。
【０３４０】
要求を受信したことに応答して、電子装置は、ディスプレイ装置を介して、第１の領域（例えば、６１４内のお気に入り領域）（８０８）（例えば、お気に入りセクション）を含む第１のユーザインタフェース（例えば、６１４）を表示する（８０６）。第１のユーザ領域は、第１の健康データに対応するデータのタイプ（例えば、アクティビティ、環境ノイズなど）がユーザ入力によって識別された（例えば、ユーザがデータのタイプを選んだ）という判定（８１２）に従って、第１の健康データの第１の表現（例えば、６２６ａ）（例えば、現在の日の間に行われる歩数）を含む。第１のユーザ領域は、第１の健康データに対応するデータのタイプがユーザ入力によって識別されていない（例えば、ユーザがデータのタイプを選ばなかった）との判定（８１４）に従って、第１の健康データの表現を含まない。
【０３４１】
要求を受信したことに応答して、電子装置は、ディスプレイ装置を介して、第２の領域（例えば、６１４内の強調表示領域）（８１０）（例えば、強調表示セクション）を含む第１のユーザインタフェースを表示する（８０６）。第２の領域は、第１の組の強調表示基準のセットが満たされたとの判定（８１６）（例えば、システムは、健康データに対応する表現がユーザに表示されるべきであると判定する）に従って、第１の表現とは異なる第１の健康データの第２の表現（例えば、６３０、６３２、６５２、６５４、６５６、６５８、６６０、６６２）を含む（例えば、第１の期間にわたる第１の健康指標についての健康データを第１の期間とは異なる第２の期間にわたる第１の健康指標についての健康データと比較するグラフィカル表現）。一部の実施形態では、第２の領域内に表示される表現は、ユーザカスタマイズ可能／ユーザ選択可能ではない。一部の実施形態では、第２の領域に表示される表現は、健康データの期間とは異なる期間に対応する健康データと健康データとの比較を含む。第２の領域は、第１の強調表示基準のセットが満たされないとの判定（８１８）（例えば、システムは、健康データに対応する表現がユーザに表示されるべきではないと判定する）に従って、第１の健康データの第２の表現を含まない。
【０３４２】
満たされた第１の強調表示基準のセットに基づいて第１の健康データの第２の表現を含むことにより、装置は、関連情報を表示し、情報が関連しないときに表示空間を使用することを回避することができる。更なるユーザ入力を必要とせずに条件のセットが満たされたときに動作を行うことにより、デバイスの操作性が高められ、ユーザ−デバイスインタフェースを（例えば、デバイスを操作する／デバイスと対話するときに適切な入力をもたらすようにユーザを支援し、ユーザの誤りを減らすことによって）より効率的にし、加えて、ユーザがデバイスをより迅速かつ効率的に使用できるようにすることによって、デバイスの電力使用が抑えられ、バッテリ寿命が改善される。
【０３４３】
一部の実施形態では、健康データは、第１の複数の期間（例えば、日、週、月）の健康データを含む。一部の実施形態では、健康データの第１の表現は、第１の表示（例えば、テキスト表示、グラフィカル表示、第１の複数の期間の第１の期間（例えば、今日）に対応する健康データの第１の指標（例えば、歩数、マイル、カロリー）の表示、及び第１の期間とは異なる第１の複数の期間の第２の期間（例えば、昨日）に対応する健康データの第２の表示（例えば、テキスト表示、グラフィカル表示）を含む。一部の実施形態では、第１の表現は、今日の値を有する棒グラフを、昨日の値と比較して含む（例えば、６３２）。
【０３４４】
異なる期間に異なる指示を提供することは、それぞれの期間に対応する記憶されたデータに関するフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３４５】
一部の実施形態では、第１の複数の期間の第１の期間は、反復時間間隔の特定のインスタンス（例えば、１日の特定時間、１週間又は１か月の特定の日）に対応する。一部の実施形態では、第１の複数の期間の第２の期間は、複数のインスタンスである。一部の実施形態では、反復時間間隔（例えば、複数週の複数の月曜日、複数の日の複数の朝）の健康データにおいて利用可能な反復時間間隔のインスタンスの全てである。一部の実施形態では、第１の表示は、週の月曜日の健康指標の値であり、第２の表示は、全ての月曜日についての健康指標の平均値である（例えば、６６２）。
【０３４６】
一部の実施形態では、健康データは、第２の複数の期間（例えば、日、週、月）の健康データを含む。一部の実施形態では、健康データの第１の表現は、第２の複数の期間内（例えば、日、週、年）内の第１の健康事象（例えば、健康関連事象）の発生の頻度（例えば、比としての、割合としての、一部としての（例えば、先週から４日））に対応する健康データの第３の指示を含む（例えば、６５４）。
【０３４７】
一部の実施形態では、健康データは、第３の複数の期間（例えば、日、週、月）の健康データを含む。一部の実施形態では、健康データの第１の表現は、第３の複数の期間の健康データの平均値の第４の表示（例えば、週の平均）と、第３の複数の期間の第１の期間の健康データの値に対応する第５の表示（例えば、週内の日）と、複数の期間の第１の期間とは異なる第３の複数の期間の第２の期間の健康データの値に対応する第６の表示（例えば、週内の日）（例えば、６５２）と、を含む。
【０３４８】
一部の実施形態では、第１の表現は、第１の身体アクティビティ追跡セッション（例えば、第１のトレーニング）に対応する第７の表示を含む。一部の実施形態では、第１の表現は、第２の身体アクティビティ追跡セッションに対応する第８の表示を含む。一部の実施形態では、第１及び第２の身体アクティビティ追跡セッションは、異なるタイプのトレーニング（例えば、ランニング及び水泳）である。一部の実施形態では、第１の身体アクティビティ追跡セッション及び第２の身体アクティビティ追跡セッションは、同じ期間（例えば、同じ日、同じ週、同じ月）に対応する。一部の実施形態では、健康データの第９の表示（例えば、燃焼された総カロリー、平均ペース）は、第１の身体アクティビティ追跡セッション及び第２の身体アクティビティ追跡セッションに基づく（例えば、６５８）。
【０３４９】
第１及び第２の身体アクティビティ追跡セッションに基づく健康データの表示を表示することは、表示を使用して、セッションの双方についてのフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３５０】
一部の実施形態では、第１の強調表示基準のセットは、健康データの第１の部分（例えば、第１の期間（例えば、日）に対応する部分）と健康データの第２の部分（例えば、第２の期間（例えば、週）に対応する部分）との間の関係（例えば、数学的関係（例えば、差））、健康データとのユーザ相互作用の程度、及び健康データの表現（例えば、任意の表現）が（例えば、電子装置上に）表示された期間からなる群から選択される要因に基づく基準を含む。
【０３５１】
一部の実施形態では、第１の表現は、第１の表現のリストに含まれる。一部の実施形態では、第１の表現のリストは、健康データのデータのタイプに基づいて順序付けられる（例えば、身体アクティビティデータは一緒にグループ化される、心拍関連データは、一緒にグループ化される）（例えば、６６０）。
【０３５２】
なお、方法８００に関して上述したプロセス（例えば、図８Ａ〜図８Ｂ）の詳細はまた、後述する／上述した方法にも、類似の方式で適用可能であることに留意されたい。例えば、方法７００、９００、１０００、１１００、及び１４００は、方法８００を参照して上述した様々な方法の特性のうちの１つ以上を任意選択的に含む。簡潔にするために、これらの詳細は、以下で繰り返さない。
【０３５３】
図９Ａ〜図９Ｂは、一部の実施形態に係る、電子装置を使用した臨床健康記録表現の表示を管理するための方法を示すフロー図である。方法９００は、ディスプレイ装置を有する装置（例えば、１００、３００、５００、６００、６０６）において実行される。方法９００のいくつかの動作は、任意選択的に組み合わされ、いくつかの動作の順序は、任意選択的に変更され、いくつかの動作は、任意選択的に省略される。
【０３５４】
一部の実施形態では、電子装置（例えば、６００、６０６）は、コンピュータシステムである。コンピュータシステムは、任意選択的に、ディスプレイ生成構成要素及び１つ以上の入力装置と通信する（例えば、有線通信、無線通信）。ディスプレイ生成構成要素は、ＣＲＴディスプレイを介した表示、ＬＥＤディスプレイを介した表示、又は画像投影を介した表示などの視覚出力を提供するように構成されている。一部の実施形態では、ディスプレイ生成構成要素は、コンピュータシステムと一体化される。一部の実施形態では、ディスプレイ生成構成要素は、コンピュータシステムとは別個である。１つ以上の入力装置は、ユーザ入力を受けるタッチ感知面などの入力を受けるように構成される。一部の実施形態では、１つ以上の入力装置は、コンピュータシステムと一体化される。一部の実施形態では、１つ以上の入力装置は、コンピュータシステムとは別個である。したがって、コンピュータシステムは、有線又は無線接続を介して、データ（例えば、画像データ又はビデオデータ）を、一体化又は外部ディスプレイ生成構成要素に送信して、（例えば、ディスプレイ装置を使用して）コンテンツを視覚的に生成することができ、１つ以上の入力装置からの入力を、有線又は無線接続で受信することができる。
【０３５５】
後述するように、方法９００は、臨床健康記録表現を管理するための直感的な方法を提供する。方法は、臨床健康記録にアクセスする際のユーザの認識的負担を軽減し、それによって、より効率的なヒューマン−マシンインタフェースを作り出す。バッテリ動作式コンピューティングデバイスの場合、ユーザがより高速かつ効率的に臨床健康記録にアクセスすることを可能にすることで、電力を節約し、バッテリ充電間の時間を延ばす。
【０３５６】
電子装置は、特定の健康機関（例えば、６７２ａ、６９８におけるＸＹＺ医療センター）に対応する臨床健康記録データを受信する（９０２）。電子装置は、要求（例えば、６６７、要約ユーザインタフェース６１４内の第１の健康記録アフォーダンス６３６をタップする）（例えば、ＸＹＺ医療センターの全ての臨床健康記録を閲覧する要求）を受信し、第１のユーザインタフェース（例えば、６６８、６９８）を表示する（９０４）。
【０３５７】
要求を受信したことに応答して、電子装置は、ディスプレイ装置を介して、第１のユーザインタフェース（例えば、６６８、６９８）を表示する（９０６）。第１のユーザインタフェースは、第１のタイプの臨床健康記録（例えば、６６８ｂ、６９８ａ、検査結果領域）に対応する第１の領域（例えば、６７２、６９８ａ）を含む（９０８）。第１の領域は、第１のタイプの臨床健康記録の第１の臨床健康記録が第１のグラフ化基準のセットを満たしていない（例えば、第１の臨床健康記録が、（１）第１の臨床健康記録の範囲を含まないか、又は（２）（一部の実施例では、グラフ化から利益を達成しない）２値情報を含む）との判定（９１２）に従って、臨床健康記録データに基づく第１の臨床健康記録についての第１のテキスト表現（例えば、６７２ｂ、６７２ｃ、６９８ｂ、６９８ｃ）を含み、第１のユーザインタフェースは、第１の臨床健康記録についてのグラフィカル表現（例えば、非テキストグラフィカル表現）を含まない。第１の領域は、第１の臨床健康が第１のグラフ化基準のセットを満たす（例えば、第１の臨床健康記録は、第１の臨床健康記録の範囲を含み、（一部の実施例では、グラフ化から利益を達成する）非２値情報を含む）との判定（９１４）に従って、臨床健康記録データに基づく第１の臨床健康記録についての第１のグラフィカル表現（例えば、６６８内の６７２ｄ）（例えば、６９８内の６７０ｂ及び６７０ｃ）を含む。
【０３５８】
要求を受信したことに応答して、電子装置は、ディスプレイ装置を介して、第２のタイプの臨床健康記録（例えば、薬剤領域）に対応する第２の領域（例えば、６９８内の異なる日付範囲、６６８内の薬剤領域）を含む（９１０）第１のユーザインタフェースを表示する（９０６）。第２の領域は、第２のタイプの臨床健康記録の第２の臨床健康記録が第１のグラフ化基準のセットを満たしていない（例えば、第２の臨床健康記録が、（１）第２の臨床健康記録の範囲を含まないか、又は（２）（一部の実施例では、グラフ化から利益を達成しない）２値情報を含む）との判定（９１６）に従って、臨床健康記録データに基づく第２の臨床健康記録についての第２のテキスト表現を含み、ユーザインタフェースは、第２の臨床健康記録についてのグラフィカル表現を含まない。第２の領域は、第２の臨床健康記録が第１のグラフ化基準のセットを満たす（例えば、第２の臨床健康記録は、第２の臨床健康記録の範囲を含み、（一部の実施例では、グラフ化から利益を達成する）非２値情報を含む）との判定（９１８）に従って、臨床健康記録データに基づく第２の臨床健康記録についての第２のグラフィカル表現を含む。
【０３５９】
健康記録のテキスト表現又はグラフィカル表現を表示することは、健康記録がグラフ化基準を満たすかどうかに関するフィードバックをユーザに提供し、ユーザが、記録に関連する情報により迅速かつ効率的にアクセスすることを可能にする。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３６０】
一部の実施形態では、それぞれの臨床健康記録（例えば、第１の臨床健康記録）がある範囲のデータ（例えば、範囲を定義する最小値及び最大値、それぞれの臨床健康記録に対応するデータ値は、特定の基準（例えば、管理機関によって設定された基準などの、データ値が許容可能であるかどうかに関する基準）を満たすと見なされる）を含む健康データに対応する場合、それぞれの臨床健康記録についての第１のグラフ化基準のセットが満たされる（例えば、第１のグラフ化基準のセットが、臨床保健記録が臨床健康記録の範囲を含むときに満たされる基準を含む）（例えば、６７０ｂ、６７０ｃ）。
【０３６１】
一部の実施形態では、それぞれの臨床健康記録（例えば、第１の臨床健康記録）が２値である（例えば、２値状態（正又は負、アップ又はダウン、規定された又は規定されない）を有する）健康データに対応する場合、それぞれの臨床健康記録についての第１のグラフ化基準のセットは満たされない（例えば、第１のグラフ化基準のセットは、臨床保健記録が非２値数値データを含むときに満たされる基準を含む）（例えば６９８ｃ）。
【０３６２】
一部の実施形態では、第１の領域は、臨床健康記録の複数の表現（例えば、テキスト表現）を含む。一部の実施形態では、複数の表現は、日付によって一次的に順序付けられ（例えば、日付によって時系列に、日付によって逆時系列に）、複数の表現の各表現のそれぞれの臨床健康記録に関連付けられた健康記録タイプによって二次的に順序付けられる。一部の実施形態では、記録タイプは、薬剤、検査結果、症状、病気、治療を含む。
【０３６３】
第１の日付によって表現を順序付けた後、健康記録タイプによって表現を順序付けることは、記録の対応する日付順序及び記録のタイプに関するフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３６４】
一部の実施形態では、第１の領域は、臨床健康記録の第２の複数の表現（例えば、テキスト表現）を含む。一部の実施形態では、第２の複数の表現は、健康記録タイプによって一次的に順序付けられ、第２の複数の表現の各表現のそれぞれの臨床健康記録に関連付けられた日付によって二次的に順序付けられる（例えば、日付によって時系列に、日付によって逆時系列に）。一部の実施形態では、健康記録タイプは、薬剤、検査結果、症状、病気、治療を含む。
【０３６５】
第１の健康記録タイプによって表現を順序付けた後、日付によって表現を順序付けることは、記録の対応するタイプ及び記録の日付順序に関するフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３６６】
一部の実施形態では、第１の領域は、第１の日付（例えば、記録が受信された日付（例えば、電子装置によって受信された））及び第１の日付とは異なる第２の日付（例えば、臨床健康記録の健康事象に対応する日付（例えば、試験が行われた場合、処方が作成された場合）に関連付けられた臨床健康記録にそれぞれ対応する臨床健康記録の第３の複数の表現（例えば、テキスト表現）を含む。一部の実施形態では、第３の複数の表現は、第１のユーザインタフェースが第１のインタフェースタイプ（例えば、要約ユーザインタフェース）のユーザインタフェースであるとの判定に従って、第１の日付によって順序付けられる。一部の実施形態では、第３の複数の表現は、第１のユーザインタフェースが、第１のインタフェースタイプとは異なるユーザインタフェース第２のインタフェースタイプ（例えば、特定のタイプの健康データについてのユーザインタフェース）であるとの判定に従って、第２の日付によって順序付けられる。
【０３６７】
方法９００（例えば、図９Ａ及び図９Ｂ）に関して上述した処理の詳細はまた、以下／上記に記載する方法に類似した方法でも適用可能であることに留意されたい。例えば、方法７００、８００、１０００、１１００、及び１４００は、方法９００を参照して上述した様々な方法の特性のうちの１つ以上を任意選択的に含む。簡潔にするために、これらの詳細は、以下で繰り返さない。
【０３６８】
図１０Ａ〜図１０Ｂは、一部の実施形態に係る、電子装置を使用した臨床健康記録表現の表示を管理するための方法を示すフロー図である。方法１０００は、ディスプレイ装置を有する装置（例えば、１００、３００、５００、６００）において実行される。方法１０００のいくつかの動作は、任意選択的に組み合わされ、いくつかの動作の順序は、任意選択的に変更され、いくつかの動作は、任意選択的に省略される。
【０３６９】
一部の実施形態では、電子装置（例えば、６００）は、コンピュータシステムである。コンピュータシステムは、任意選択的に、ディスプレイ生成構成要素及び１つ以上の入力装置と通信する（例えば、有線通信、無線通信）。ディスプレイ生成構成要素は、ＣＲＴディスプレイを介した表示、ＬＥＤディスプレイを介した表示、又は画像投影を介した表示などの視覚出力を提供するように構成されている。一部の実施形態では、ディスプレイ生成構成要素は、コンピュータシステムと一体化される。一部の実施形態では、ディスプレイ生成構成要素は、コンピュータシステムとは別個である。１つ以上の入力装置は、ユーザ入力を受けるタッチ感知面などの入力を受けるように構成される。一部の実施形態では、１つ以上の入力装置は、コンピュータシステムと一体化される。一部の実施形態では、１つ以上の入力装置は、コンピュータシステムとは別個である。したがって、コンピュータシステムは、有線又は無線接続を介して、データ（例えば、画像データ又はビデオデータ）を、一体化又は外部ディスプレイ生成構成要素に送信して、（例えば、ディスプレイ装置を使用して）コンテンツを視覚的に生成することができ、１つ以上の入力装置からの入力を、有線又は無線接続で受信することができる。
【０３７０】
後述するように、方法１０００は、臨床健康記録表現を管理するための直感的な方法を提供する。方法は、臨床健康記録にアクセスする際のユーザの認識的負担を軽減し、それによって、より効率的なヒューマン−マシンインタフェースを作り出す。バッテリ動作式コンピューティングデバイスの場合、ユーザがより高速かつ効率的に臨床健康記録にアクセスすることを可能にすることで、電力を節約し、バッテリ充電間の時間を延ばす。
【０３７１】
電子装置は、第１のタイプの臨床健康記録（例えば、薬剤）に対応する第１の臨床健康記録データ、及び第２のタイプの臨床健康記録（例えば、検査結果）に対応する第２の臨床健康記録データを含む臨床健康記録データ（例えば、６６８）を受信する（１００２）。電子装置は、要求（例えば、要求（例えば、６６７、健康記録タイプについての全ての臨床健康記録を閲覧するため））を受信し、第１のユーザインタフェース（例えば、６６８）を表示する（１００４）。
【０３７２】
要求を受信したことに応答して、電子装置は、ディスプレイ装置を介して、第１の臨床健康記録データに基づいて、第１のタイプの臨床健康記録の第１の臨床健康記録（例えば、アセトアミノフェンの健康記録（臨床健康記録のタイプが医療である場合））についての第１の表現（例えば、６７４ｃ）を含む第１のユーザインタフェース（例えば、６６８）を表示する（１００６）。
【０３７３】
第１のユーザインタフェースを表示している間に、電子装置は、第１の表現の選択に対応する第１のユーザ入力（例えば、６７５）を受信する（１００８）。
【０３７４】
第１のユーザ入力を受信したことに応答して、電子装置は、ディスプレイ装置を介して、第２のユーザインタフェース（例えば、６７６）（例えば、アセトアミノフェンに対応する異なる健康記録についての表現を有するアセトアミノフェンユーザインタフェース）を表示する（１０１０）。第２のユーザインタフェースは、第１の臨床健康記録データに基づいて、第１のタイプの臨床健康記録の第１の臨床健康記録についての第２の表現（例えば、６８０ａ）を含み（１０１２）、第２の表現は、第１の表現とは異なる（例えば、アセトアミノフェン健康記録についてのより詳細な表現）。第２のユーザインタフェースは、第１の臨床健康記録データに基づいて、第１のタイプの臨床健康記録の第２の臨床健康記録についての第３の表現（例えば、６８０ｂ）（１０１４）を含み、第３の表現は、第２の表現とは異なり、第１のタイプの第２の臨床健康記録は、第１のタイプの第１の臨床健康記録（例えば、別のアセトアミノフェン健康記録のより詳細な表現）とは異なる。
【０３７５】
第２のユーザインタフェースを表示している間に、電子装置は、第３の表現の選択に対応する第２のユーザ入力（例えば、６８１）を受信する（１０１６）。
【０３７６】
第２のユーザ入力を受信したことに応答して、電子装置は、ディスプレイ装置を介して、第１の臨床健康記録データに基づいて、第１のタイプの臨床健康記録の第１の臨床健康記録（例えば、アセトアミノフェン健康記録に関する最も詳細な表現）についての第４の表現を含む第３のユーザインタフェース（例えば、６８２）（例えば、特定のアセトアミノフェン記録の詳細な表現を有するアセトアミノフェンユーザインタフェース）を表示し（１０１８）、第４の表現は、第１の表現とは異なり、第４の表現は、第２の表現とは異なる。
【０３７７】
一部の実施形態では、第１のユーザインタフェースを表示する要求は、ディスプレイ装置を介して、第２の臨床健康記録データに基づいて、第２のタイプの臨床健康記録の第２の臨床健康記録（例えば、コレステロール健康記録（臨床健康記録のタイプが検査結果である場合））についての第５の表現を含む第４のユーザインタフェース（例えば、図１２ＡＡ）を表示している間に受信される。
【０３７８】
一部の実施形態では、第４のユーザインタフェースは、複数の表現（例えば、第１のタイプ及び／又は第２のタイプの臨床健康記録の表現）を含む。一部の実施形態では、複数の表現は、日付によって一次的に順序付けられ（例えば、日付によって時系列に、日付によって逆時系列に）、複数の表現の各表現のそれぞれの臨床健康記録に関連付けられた健康記録タイプによって二次的に順序付けられる。一部の実施形態では、健康記録タイプは、薬剤、検査結果、症状、病気、治療を含む。
【０３７９】
第１の日付によって表現を順序付けた後、健康記録タイプによって表現を順序付けることは、記録の対応する日付順序及び記録のタイプに関するフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３８０】
一部の実施形態では、第２のユーザインタフェースは、第２の複数の表現（例えば、第１のタイプ及び／又は第２のタイプの臨床健康記録の表現）を含む。一部の実施形態では、第２の複数の表現は、日付によって順序付けられる（例えば、日付によって時系列に、日付によって逆時系列に）。
【０３８１】
第１の健康記録タイプによって表現を順序付けた後、日付によって表現を順序付けることは、記録の対応するタイプ及び記録の日付順序に関するフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３８２】
一部の実施形態では、第１のグラフィック基準のセットが満たされたことに応答して、第１の表現は、第１の臨床健康記録のグラフィカル表示（例えば、臨床健康記録内の健康データのグラフ）を含む。一部の実施形態では、臨床健康記録が非２値数値データ（例えば、マルチポイントグラフを提供するのに十分なデータ）を含むときに、第１のグラフィック基準のセットが満たされる。一部の実施形態では、第１のグラフィック基準のセットが満たされないことに応答して、第１の表現は、第１の臨床健康記録（例えば、臨床健康記録における健康データのグラフ）を含まない。一部の実施形態では、臨床健康記録が非２値数値データ（例えば、マルチポイントグラフを提供するのに十分なデータ）を含むときに、第１のグラフィック基準のセットが満たされる。
【０３８３】
一部の実施形態では、第１の表現は、第１の臨床健康記録の第１の詳細（例えば、記録内の第１の情報、第１のデータ片）を含む。一部の実施形態では、第２の表現は、第１の臨床健康記録の第１の詳細及び第１の詳細とは異なる第２の詳細を含む。一部の実施形態では、第４の表現は、第１の臨床健康記録の第１の詳細、第２の詳細、並びに第１及び第２の詳細とは異なる第３の詳細を含む。一部の実施形態では、第１の臨床健康記録の表現は、ユーザインタフェースの階層が横断されるにつれて、より詳細に進行する。
【０３８４】
一部の実施形態では、第２のユーザインタフェースは、第１の臨床健康記録データの第１の部分（例えば、第１の期間に対応する部分）のグラフィカル表現（例えば、グラフ）を含む。一部の実施形態では、グラフィカル表現は、第１の臨床健康記録データの第１のサブ部分と第１の臨床健康記録データの第２のサブ部分との間の関係（例えば、比較）の指標を含む。
【０３８５】
一部の実施形態では、第２のユーザインタフェースは、第１のアフォーダンスを含む。一部の実施形態では、電子装置は、第１のアフォーダンスの選択に対応する入力を受信する。一部の実施形態では、第１のアフォーダンスの選択に対応する入力を受信したことに応答して、電子装置は、第１のフィルタ条件（例えば、第１の臨床健康記録データについての臨床範囲（例えば、健康な範囲）外にあるデータを識別するフィルタ）に一致する第１の臨床健康記録データの第１の部分の第１のサブ部分に対応するグラフィカル表現の一部を視覚的に区別する（例えば、強調する、強調表示する、強調しない）。
【０３８６】
第１のフィルタ条件と一致する態様に対応するグラフィカル表現の一部を視覚的に区別することは、第１のフィルタ条件が一致した旨のフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３８７】
一部の実施形態では、第１のタイプの臨床健康記録の第１の臨床健康記録は、第１のデータソース（例えば、データ供給元、臨床的健康データソース（例えば、臨床医））から受信された（例えば、それから供給された、それによって生成された）。一部の実施形態では、第１のタイプの臨床健康記録の第２の臨床健康記録は、第１のデータソースとは異なる第２のデータソースから受信された。
【０３８８】
一部の実施形態では、第４の表現は、第１の臨床健康記録のデータソース（例えば、データ提供者）の表示を含む。一部の実施形態では、第４の表現は、第１のタイプの臨床健康記録の一次識別子（例えば、ヘモグロビンＡ１ｃなどの一次名）と、第１のタイプの臨床健康記録の二次識別子（例えば、糖化ヘモグロビン、グリコシル化ヘモグロビン、及びＨｂＡ１ｃ）との表示を含む。一部の実施形態では、第４の表現は、第１の臨床健康記録が電子装置によって受信されたときに対応する第１の日付の表示と、第１の臨床健康記録が作成されたときに対応する第２の日付の表示（例えば、電子装置によって作成された、又は外部で作成された）とを含む。
【０３８９】
方法１０００（例えば、図１０Ａ及び図１０Ｂ）に関して上述した処理の詳細はまた、以下／上記に記載する方法に類似した方法でも適用可能であることに留意されたい。例えば、方法７００、８００、９００、１１００、及び１４００は、方法１０００を参照して上述した様々な方法の特性のうちの１つ以上を任意選択的に含む。簡潔にするために、これらの詳細は、以下で繰り返さない。
【０３９０】
図１１Ａ〜図１１Ｃは、一部の実施形態に係る、電子装置を使用した健康関連情報の表示のための方法を示すフロー図である。方法１１００は、ディスプレイ装置を有する装置（例えば、１００、３００、５００、６００）において実行される。方法１１００のいくつかの動作は、任意選択的に組み合わされ、いくつかの動作の順序は、任意選択的に変更され、いくつかの動作は、任意選択的に省略される。
【０３９１】
一部の実施形態では、電子装置（例えば、６００）は、コンピュータシステムである。コンピュータシステムは、任意選択的に、ディスプレイ生成構成要素及び１つ以上の入力装置と通信する（例えば、有線通信、無線通信）。ディスプレイ生成構成要素は、ＣＲＴディスプレイを介した表示、ＬＥＤディスプレイを介した表示、又は画像投影を介した表示などの視覚出力を提供するように構成されている。一部の実施形態では、ディスプレイ生成構成要素は、コンピュータシステムと一体化される。一部の実施形態では、ディスプレイ生成構成要素は、コンピュータシステムとは別個である。１つ以上の入力装置は、ユーザ入力を受けるタッチ感知面などの入力を受けるように構成される。一部の実施形態では、１つ以上の入力装置は、コンピュータシステムと一体化される。一部の実施形態では、１つ以上の入力装置は、コンピュータシステムとは別個である。したがって、コンピュータシステムは、有線又は無線接続を介して、データ（例えば、画像データ又はビデオデータ）を、一体化又は外部ディスプレイ生成構成要素に送信して、（例えば、ディスプレイ装置を使用して）コンテンツを視覚的に生成することができ、１つ以上の入力装置からの入力を、有線又は無線接続で受信することができる。
【０３９２】
後述するように、方法１１００は、健康関連情報を表示するための直感的な方法を提供する。方法は、健康関連情報を閲覧する際のユーザの認識的負担を軽減し、それによって、より効率的なヒューマン−マシンインタフェースを作り出す。バッテリ動作式コンピューティングデバイスの場合、ユーザがより高速かつ効率的に健康関連情報の閲覧に対する動作をすることを可能にすることで、電力を節約し、バッテリ充電間の時間を延ばす。
【０３９３】
電子装置は、要求（例えば、検索ユーザインタフェース６８４を閲覧する要求）（例えば、健康アプリケーションのためのアイコン上でタップするユーザ、又は検索タブのためのアフォーダンス上でタップするユーザなどの健康アプリケーションの検索タブを閲覧する要求）を受信し、第１のユーザインタフェース（例えば、検索ユーザインタフェース６８４）を表示する（１１０２）。
【０３９４】
第１の要求を受信したことに応答して、電子装置は、ディスプレイ装置を介して、第１のユーザインタフェース（例えば、検索ユーザインタフェース６８４）（例えば、健康アプリケーションの検索タブ）を表示する（１１０４）。第１のユーザインタフェースは、第１のカテゴリアフォーダンス（例えば、６８４ｃａ）（例えば、アクティビティアフォーダンス）（例えば、健康データのカテゴリ、バイオメトリックセンサデータのカテゴリ、アクティビティカテゴリ）を含む第１の部分（例えば、６８４ｃ）（例えば、健康カテゴリセクション）を含む（１１０６）。第１のユーザインタフェースは、第２のユーザアカウント（例えば、リトル・アップルシードアカウント）に対応する第１の共有アフォーダンス（例えば、６８４ｂａ）（例えば、リトル・アップルシードアフォーダンス）を含む第２の部分（例えば、６８４ｂ）（例えば、共有健康データセクション）を含む（１１０８）。一部の実施形態では、第２の部分は、第１のユーザアカウントが第１のユーザアカウントと異なる第２のユーザアカウント（例えば、子アカウント）に関連付けられているとの判定に従って、第１のユーザインタフェース内に含まれる。
【０３９５】
第１のユーザインタフェースを表示している間に（１１１０）、電子装置は、第１のカテゴリアフォーダンスの選択に対応する第１のユーザ入力を受信する（１１１２）。第１のユーザインタフェースを表示している間に（１１１０）、電子装置は、第１の共有アフォーダンスの選択に対応する第２のユーザ入力を受信する（１１１４）。
【０３９６】
第１のユーザ入力を受信したことに応答して、電子装置は、ディスプレイ装置を介して、第１のカテゴリ（例えば、アクティビティ）についての第１のユーザアカウントに関連付けられた第１の健康データ（例えば、第１の個別の健康記録）の表現（例えば、６８６ａ）を含む第２のユーザインタフェース（例えば、６８６）（例えば、電子装置に関連付けられたユーザのアカウントについてのアクティビティなどの選択された健康カテゴリの健康データを有するユーザインタフェース）を表示する（１１１６）。
【０３９７】
第２のユーザ入力を受信したことに応答して、電子装置は、ディスプレイ装置を介して、第３のユーザインタフェース（例えば、６９０）（例えば、リトル・アップルシードの健康カテゴリを有するユーザインタフェース）を表示する（１１１８）。第３のユーザインタフェースは、第１の部分（例えば、６９２ｂ）を含む。第１の部分は、第１のカテゴリ（例えば、アクティビティ）についての第２のユーザアカウントに関連付けられた健康データに対応する第２のカテゴリアフォーダンス（例えば、アクティビティアフォーダンス）を含む。
【０３９８】
第３のユーザインタフェースを表示している間に、電子装置は、第２のカテゴリアフォーダンスの選択に対応する第３のユーザ入力を受信する（１１２０）。第３のユーザ入力を受信したことに応答して、電子装置は、ディスプレイ装置を介して、第１のカテゴリについての第２のユーザアカウントに関連付けられた健康データの表現（例えば、６９４ｃ）を含む第４のユーザインタフェース（例えば、６９４）（例えば、リトル・アップルシードのアクティビティなどの選択された健康カテゴリの健康データを有するユーザインタフェース）を表示する（１１２２）。
【０３９９】
一部の実施形態では、第１のカテゴリについての第１のユーザアカウントに関連付けられた第１の健康データはまた、第２のカテゴリについての第１のユーザアカウントに関連付けられている（例えば、第１の健康データは、第１のユーザインタフェースからアクセス可能な複数のカテゴリで表される）。一部の実施形態では、第１のユーザインタフェースは、第１のカテゴリとは異なる第２のカテゴリについての第１のユーザアカウントに関連付けられた健康データに対応する第２のカテゴリアフォーダンスを含み、第２のカテゴリのアフォーダンスに対応するユーザ入力に応答して、第１の健康データ（例えば、６８８）を含む追加の（例えば、第４の）ユーザインタフェースが表示される。
【０４００】
一部の実施形態では、第４のユーザインタフェースは、第１のカテゴリについての第２のユーザアカウントに関連付けられた健康データの表現を変更するための（又は、一部の実施形態では、第１のカテゴリについての第２のユーザアカウントに関連付けられた健康データを変更するための）オプション（例えば、編集アフォーダンス、任意のオプション）を含まない。
【０４０１】
一部の実施形態では、第１のユーザインタフェースを表示している間に、電子装置は、検索文字列（例えば、１つ以上の文字のテキスト文字列）の入力に対応する１つ以上の入力を含む、電子装置にアクセス可能な健康データ（例えば、電子装置上に記憶された健康データ、電子装置にアクセス可能なリモート装置（例えば、サーバ）上に記憶された健康データ）を検索する要求に対応する第１の入力セットを受信する。一部の実施形態では、第１のユーザインタフェースは、検索フィールドを含み、１つ以上の入力は、検索フィールド内に提供される検索文字列の入力に対応する（例えば、図６Ｕ）。
【０４０２】
一部の実施形態では、入力のセットを受信したことに応答して、電子装置は、以下を含む複数の検索結果を表示する：第１のユーザアカウントに関連付けられた第２の健康データの表現を含む１つ以上の検索結果の第１のセットであって、第１のユーザアカウントに関連付けられた第２の健康データが、第１のソース（例えば、電子装置の１つ以上のセンサ、第１のユーザアカウントに関連付けられた外部装置の１つ以上のセンサ、第１のユーザアカウントに関連付けられていない外部装置（例えば、臨床ソース））に関連付けられている、１つ以上の検索結果の第１のセット、及び第１のユーザアカウントに関連付けられた第３の健康データの表現を含む、１つ以上の検索結果の第２のセットであって、第１のユーザアカウントに関連付けられた第３の健康データが第１のソースとは異なる第２のソースに関連付けられている、１つ以上の検索結果の第２のセット（例えば、図６Ｕ）。
【０４０３】
異なるソースからの健康データの表現を含む検索結果を表示することは、単一のユーザインタフェース上の様々なソースからの健康データに関するフィードバックをユーザに提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０４０４】
一部の実施形態では、複数の検索結果を表示することの一部として、電子装置は、第１のユーザインタフェースの第１の部分及び第２の部分（例えば、図６Ｕ）の表示を停止する。
【０４０５】
第１のユーザインタフェースの第１の部分及び第２の部分の表示を停止することにより、装置は、それらの同じ場所に他のコンテンツを表示することを可能にする。コンテンツの表示空間の利用可能性を増加することにより、装置の操作性が改善され、ユーザ−装置インタフェースを（例えば、装置を操作／相互作用するときに適切な入力を提供するようにユーザを支援し、ユーザの誤りを削減することによって）更に効率的にし、加えて、ユーザが装置を更に素早くかつ効率的に使用することを可能にすることによって装置の電力使用を削減し、バッテリ寿命を改善する。
【０４０６】
一部の実施形態では、第１のユーザインタフェースは、選択されたときに、第１の外部ソース（例えば、臨床健康記録、医療専門家によって提供される健康記録）から受信された第１のユーザアカウントに関連付けられた健康データの表現を表示する、第１の健康記録アフォーダンスを含む第３の部分（例えば、６８４ｄ）を含む。
【０４０７】
一部の実施形態では、第１のカテゴリについての第１のユーザアカウントに関連付けられた健康データの表現は、フォーマット基準のセット（例えば、第２のユーザインタフェース内にデータが表示可能であるかどうかを管理する基準のセット）を満たした健康データに対応する。一部の実施形態では、第１の電子装置にアクセス可能な健康データ（例えば、臨床健康データ）は、データが１つ以上の解析プロセスによって解析されることができるフォーマットであるかどうかに基づいて分類される。一部の実施形態では、この第３の部分は、第１のアフォーダンスを含む。いくつかの実施形態では、電子装置は、第１のアフォーダンスの選択に対応する第４のユーザ入力を受信する。一部の実施形態では、第４のユーザ入力を受信したことに応答して、電子装置は、フォーマット基準のセット（例えば、６８４ｆ）を満たさなかった健康データのセットを表示する。
【０４０８】
方法１１００に関して前述したプロセスの詳細（例えば、図１１Ａ〜図１１Ｃ）はまた、後述／前述の方法にも類似の形で適用可能であることに留意されたい。例えば、方法７００、８００、９００、１０００、及び１４００は、方法１１００を参照して上述した様々な方法の特性のうちの１つ以上を任意選択的に含む。簡潔にするために、これらの詳細は、以下で繰り返さない。
【０４０９】
図１２ＡＡ〜図１２ＡＢは、全ての健康データユーザインタフェースを示す。一部の実施例では、全ての健康データユーザインタフェースは、図６ＤＡに示される全ての健康データアフォーダンス６２８の選択に応答して表示される。図１２ＢＡ〜図１２ＢＢは、ＸＹＺ医療センターユーザインタフェースを示す。一部の実施例では、ＸＹＺメディカルセンターユーザインタフェースは、図６ＤＡに示される第３の通知アフォーダンス６２０の選択に応答して表示され、第１の健康記録アフォーダンス６３６は、図６ＤＣに示し、又は図タイトル６７０ａは図６ＰＡに示される。図１２Ｃは、アルブテロールユーザインタフェースを示す。一部の実施例では、アルブテロールユーザインタフェースは、図１２ＢＡにおけるアルブテロールアフォーダンスの選択に応答して表示される。図１２Ｄは、ヘマトクリット値ユーザインタフェースを示す。一部の実施例では、ヘマトクリット値ユーザインタフェースは、図６ＰＢにおけるヘマトクリット値アフォーダンス、図６Ｑにおけるヘマトクリット値アフォーダンス、又は図１２ＢＢにおけるヘマトクリット値アフォーダンスの選択に応答して表示される。図１２Ｅ〜図１２Ｆは、薬剤ユーザインタフェースを示す。一部の実施例では、ユーザインタフェースは、図６ＯＢにおけるアフォーダンス６６６Ｆ、図１２ＡＡにおける薬剤アフォーダンス、又は図１２ＢＡにおける薬剤アフォーダンスの選択に応答して表示される。図１２Ｇ〜図１２Ｉは、プロフィールに関連するユーザインタフェースを示す。一部の実施例では、ユーザインタフェースは、図１２Ｇの上部の写真に一致するユーザインタフェース上の写真を選択することによってナビゲートされる。
【０４１０】
図１３Ａ〜図１３Ｇは、一部の実施形態に係る、健康データの共有に関連する例示的なユーザインタフェースを示す。これらの図におけるユーザインタフェースは、図１４Ａ〜図１４Ｂにおけるプロセスを含む、以下に説明するプロセスを例示するために使用される。
【０４１１】
図１３Ａは、第１の時間にタッチ感知ディスプレイ装置６０２を介して健康ユーザインタフェース１３０４を表示する第１の電子装置６００を示す。一部の実施例では、第１の電子装置６００は、装置１００、３００、５００、６０６の１つ以上の特徴を含む。
【０４１２】
健康ユーザインタフェース１３０４は、第１の電子装置６００に関連付けられたユーザ（例えば、第１の電子装置６００を介して第１のアカウントにログインされるユーザ）の健康データに関連する。健康ユーザインタフェース１３０４は、子供の健康データアフォーダンス１３０４ａを含む、いくつかのアフォーダンスを含む。一部の実施例では、子供の健康データアフォーダンス１３０４ａの選択は、更に後述するように、ユーザインタフェース（例えば、図１３Ｂに示されるような共有ユーザインタフェース１３０６）を表示させる。
【０４１３】
図１３Ａは、子供の健康データアフォーダンス１３０４ａに対応するユーザ入力１３０５を受信する第１の電子装置６００を示す。一部の実施例では、ユーザ入力１３０５は、タッチ感知ディスプレイ装置６０２を介して受信され、子供の健康データアフォーダンス１３０４ａ上の選択ジェスチャ（例えば、タップ）に対応する。他の実施例では、マウスを使用したクリックなど、他の形態の選択を使用することができる。一部の実施例では、ユーザ入力１３０５は、図１３Ｂに示すように、共有ユーザインタフェース１３０６の表示などの異なるユーザインタフェースをタッチ感知ディスプレイ装置６０２を介して表示させる。他の実施例では、ユーザ入力１３０５は、健康データを第１の電子装置６００と共有するように第２の電子装置についての要求を第２の電子装置に送信させる。そのような実施例では、第２の電子装置は、第１のアカウントとは異なるが第１のアカウントにリンクされた第２のアカウントに関連付けられている（例えば、第２のアカウントは、第１のアカウントの子アカウントに対応する）。
【０４１４】
図１３Ｂは、第１の時間の後の第２の時間にタッチ感知ディスプレイ装置６０２を介して共有ユーザインタフェース１３０６を表示する第１の電子装置６００を示す。一部の実施例では、図１３Ａに示すように、健康ユーザインタフェース１３０４上の子供の健康データアフォーダンス１３０４ａの選択に応答して（例えば、任意の追加のユーザ入力なしに）共有ユーザインタフェース１３０６が表示される。
【０４１５】
共有ユーザインタフェース１３０６は、要求アフォーダンス１３０４ａを含む。要求アフォーダンス１３０４ａの選択は、第１の電子装置６００と健康データを共有するために第２の電子装置についての要求を第２の電子装置（例えば、第２の電子装置１３０８）に送信させる。一部の実施例では、共有ユーザインタフェース１３０６を表示する前に、共有を要求するアカウントを識別するために（例えば、エマのアカウントを識別するために）ユーザインタフェースが表示される（図示せず）。
【０４１６】
図１３Ｃは、第２の時間の後の第３の時間にタッチ感知ディスプレイ装置１３１０を介して通知１３１２を表示する第２の電子装置１３０８を示す。一部の実施例では、通知１３１２は、第２の電子装置１３０８上で実行されているプロセスから発行された（例えば、第２の電子装置１３０８によって表示される）通知である。例えば、プロセスは、健康アプリケーションに関連付けられた健康プロセスとすることができる。一部の実施例では、通知１３１２は、第１の電子装置６００に関連付けられたユーザが、図１３Ｂに示すように、健康データを第１の電子装置６００と共有するように第２の電子装置１３０８について要求されたとの判定に応答して発行される。
【０４１７】
図１３Ｃに示すように、通知１３１２は、許可アフォーダンス１３２３ａ及び不許可アフォーダンス１３２３ｂを含む。許可アフォーダンス１３２３ａの選択は、第２の電子装置１３０８に、健康データを第１の電子装置６００に送信するプロセスを開始させる。例えば、第２の電子装置１３０８は、第２の電子装置１３０８に関連付けられた新たな健康データが第１の電子装置６００に送信されて第１の電子装置６００を介して表示されるモードに遷移する。一部の実施例では、許可アフォーダンス１３２３ａの選択はまた、第２の電子装置１３０８に、第１の電子装置６００に古い健康データ（例えば、許可アフォーダンス１３２３ａの選択前に得られた第２の電子装置１３０８に関連付けられた健康データ）を送信するプロセスを開始させる。
【０４１８】
一部の実施例では、不許可アフォーダンス１３２３ｂの選択は、第２の電子装置１３０８に健康データを第１の電子装置６００と共有させない。一部の実施例では、不許可アフォーダンス１３２３ｂの選択はまた、バックアップサーバ上で第２の電子装置１３０８に割り当てられたメモリをなくさせる選択に起因して、第２の電子装置１３０８からの健康データを別の装置（例えば、バックアップサーバ）にバックアップさせない（例えば、第２の電子装置１３０８が不許可アフォーダンス１３２３ｂを選択したときに、健康クラウド空間が第２のアカウントについて作成されない）。他の実施例では、不許可アフォーダンス１３２３ｂの選択は、第２の電子装置１３０８からの健康データを別の装置（例えば、バックアップサーバ）に依然としてバックアップさせる（例えば、第２の電子装置１３０８が不許可アフォーダンス１３２３ｂを選択しない場合には、第２のアカウントについての健康クラウド空間が作成される）。一部の実施例では、第２の電子装置１３０８に関連付けられたバックアップデータは、第１の電子装置６００に関連付けられたバックアップデータとは別個である（例えば、第１の電子装置６００は、第２の電子装置１３０８とは別の位置にその健康データを記憶する）。
【０４１９】
図１３Ｄは、第３の時間の後の第４の時間にタッチ感知ディスプレイ装置６０２を介して健康ユーザインタフェース１３０４を表示する第１の電子装置６００を示す。図１３Ｄに示す健康ユーザインタフェース１３０４は、図１３Ａに示すのと同じユーザインタフェースである。図１３Ｄに示される健康ユーザインタフェース１３０４との差は、第２の電子装置１３０８に関連付けられた複数のアフォーダンスを有する健康データセクション１３１４を含むことである。一部の実施例では、健康データセクション１３１４は、（図１３Ｃに示すように）第２の電子装置１３０８上の許可アフォーダンス１３２３ａの選択に応答して健康ユーザインタフェース１３０４に含まれる。
【０４２０】
健康データセクション１３１４は、健康データアフォーダンス１３１４ａ及び停止アフォーダンス１３１４ｂを含む。一部の実施例では、健康データアフォーダンス１３１４ａは、選択されると、第１の電子装置６００に、エマ（例えば、第２の電子装置１３０８に関連付けられたユーザ）に対応する健康データとともにユーザインタフェース（例えば、健康アプリケーションに対応するユーザインタフェース）を表示させる。そのようなユーザインタフェースの例を図６ＸＡ〜図６ＸＢに示す。
【０４２１】
一部の実施例では、停止アフォーダンス１３１４ｂは、選択されると、第１の電子装置６００に、（１）第２の電子装置１３０８に対応する健康データを受信することを停止させ、（２）第１の電子装置６００に関連付けられたメモリに記憶された第２の電子装置１３０８に対応する任意の健康データを削除させる（例えば、第２の電子装置１３０８に対応する健康データは、第２の電子装置１３０８又は第２の電子装置１３０８に対応する健康データをバックアップするために使用される別の装置（例えば、バックアップサーバ）から削除されない）。
【０４２２】
図１３Ｅは、第４の時間の後の第５の時間にタッチ感知ディスプレイ装置１３１０を介して通知１３１６を表示する第２の電子装置１３０８を示す。一部の実施例では、通知１３１６は、第２の電子装置１３０８上で実行されているプロセスから発行された（例えば、第２の電子装置１３０８によって表示される）通知である。例えば、プロセスは、健康アプリケーションに関連付けられた健康プロセスとすることができる。一部の実施例では、通知１３１６は、第２の電子装置１３０８は、健康データを第１の電子装置６００と共有し始めているため、第２の電子装置１３０８が第１の電子装置６００と健康データを共有しており、所定の非ゼロ量の時間（例えば、数日、数週間、数か月など）が経過したとの判定に応答して発行される。一部の実施例では、複数のそのような通知は、異なる時間に発行される。
【０４２３】
図１３Ｅに示すように、通知１３１８は、ビューアフォーダンス１３１６ａ及び却下アフォーダンス１３１６ｂを含む。ビューアフォーダンス１３１６ａの選択は、第２の電子装置１３０８に、図１３Ｆに示すような共有オプションユーザインタフェース１３１８などの異なるユーザインタフェースをタッチ感知ディスプレイ装置６０２を介して表示させる。他の実施例では、ビューアフォーダンス１３１６ａの選択は、第１の電子装置６００に、（１）第２の電子装置１３０８に対応する健康データを受信することを停止させ、（２）第１の電子装置６００に関連付けられたメモリに記憶された第２の電子装置１３０８に対応する任意の健康データを削除させる（例えば、第２の電子装置１３０８に対応する健康データは、第２の電子装置１３０８又は第２の電子装置１３０８に対応する健康データをバックアップするために使用される別の装置（例えば、バックアップサーバ）から削除されない）。却下アフォーダンス１３１６ｂの選択は、第２の電子装置１３０８に通知１３１６の表示を取り止めさせる。
【０４２４】
図１３Ｅは、ビューアフォーダンス１３１６ａに対応するユーザ入力１３１７を受信する第２の電子装置１３０８を示す。一部の実施例では、ユーザ入力１３１７は、タッチ感知ディスプレイ装置１３１０を介して受信され、ビューアフォーダンス１３１６ａ上の選択ジェスチャ（例えば、タップ）に対応する。他の実施例では、マウスを使用したクリックなど、他の形態の選択を使用することができる。上述したように、一部の実施例では、ユーザ入力１３１７は、異なるユーザインタフェース（例えば、図１３Ｆに示すような共有オプションユーザインタフェース１３１８）を表示させる。
【０４２５】
図１３Ｆは、第５の時間の後の第６の時間にタッチ感知ディスプレイ装置１３１０を介して共有オプションユーザインタフェース１３１８を表示する第２の電子装置１３０８を示す。一部の実施例では、共有オプションユーザインタフェース１３１８は、図１３Ｅに示すように、通知１３１６上のビューアフォーダンス１３１６ａの選択に応答して（例えば、任意の追加のユーザ入力なしに）表示される。
【０４２６】
共有オプションユーザインタフェース１３１８は、停止アフォーダンス１３１８ａ、バックアップアフォーダンス１３１８ｂ、及びオフアフォーダンス１３１８ｃを含む。停止アフォーダンス１３１８ａの選択は、第２の電子装置１３０８に、第１の電子装置６００との健康データの共有を停止するプロセスを開始させる。プロセスは、第１の電子装置６００に、（１）第２の電子装置１３０８に対応する健康データを受信することを停止させ、（２）第１の電子装置６００に関連付けられたメモリに記憶された第２の電子装置１３０８に対応する任意の健康データを削除させる（例えば、第２の電子装置１３０８に対応する健康データは、第２の電子装置１３０８又は第２の電子装置１３０８に対応する健康データをバックアップするために使用される別の装置（例えば、バックアップサーバ）から削除されない）。一部の実施例では、停止アフォーダンス１３１８ａの選択は、複数の装置（第１の電子装置６００に加えて）（例えば、第２の電子装置１３０８が健康データを共有している全ての装置）に、（１）第２の電子装置１３０８に対応する健康データを受信することを停止させ、（２）それぞれの装置６００に関連付けられたメモリに記憶された第２の電子装置１３０８に対応する任意の健康データを削除させる（例えば、第２の電子装置１３０８に対応する健康データは、第２の電子装置１３０８又は第２の電子装置１３０８に対応する健康データをバックアップするために使用される別の装置（例えば、バックアップサーバ）から削除されない）。
【０４２７】
一部の実施例では、停止アフォーダンス１３１８ａの選択は、第２の電子装置１３０８が第２の電子装置１３０８に対応する健康データをバックアップするために使用される別の装置（例えば、バックアップサーバ）と健康データを共有するのを停止しない（例えば、第２の電子装置１３０８は、バックアップサーバへの健康データのバックアップを継続する）。一部の実施例では、停止アフォーダンス１３１８ａの選択はまた、健康データセクション１３１４を第１の電子装置６００上の健康ユーザインタフェース１３０４から除去させる。一部の実施例では、第１の電子装置６００が、本明細書に記載される技術に係る少なくとも１つの他の装置から健康データを受信しているとき、停止アフォーダンス１３１８ａの選択は、第２の電子装置１３０８に関連するユーザインタフェース要素が健康データセクション１３１４から除去されるが、健康データセクション１３１４は、他の装置のために第１の電子装置６００上の健康ユーザインタフェース１３０４に依然として含まれる。
【０４２８】
バックアップアフォーダンス１３１８ｂの選択は、第２の電子装置１３０８に、第２の電子装置１３０８に対応する健康データをバックアップするために使用される別の装置（例えば、バックアップサーバ）への健康データの送信を停止させる。一部の実施例では、バックアップアフォーダンス１３１８ｂの選択はまた、第２の電子装置１３０８に対応する健康データが第２の電子装置１３０８上にのみ記憶されるように、他の装置に第２の電子装置１３０に対応する健康データを削除させる。
【０４２９】
オフアフォーダンス１３１８ｃの選択は、第２の電子装置１３０８に、（１）第２の電子装置１３０８に対応する健康データの収集をオフにさせる、（２）第２の電子装置１３０８に対応する健康データをバックアップするために使用される別の装置（例えば、バックアップサーバ）に送信することを停止させる、（３）第２の電子装置１３０８に対応する健康データが他の装置に記憶されないように第２の電子装置１３０８に対応する健康データを他の装置に削除させる、又は（４）これらの任意の組み合わせを実行させる。
【０４３０】
図１３Ｆは、停止アフォーダンス１３１８ａに対応するユーザ入力１３１９を受信する第２の電子装置１３０８を示す。一部の実施例では、ユーザ入力１３１９は、タッチ感知ディスプレイ装置１３１０を介して受信され、停止アフォーダンス１３１８ａ上の選択ジェスチャ（例えば、タップ）に対応する。他の実施例では、マウスを使用したクリックなど、他の形態の選択を使用することができる。上述したように、一部の実施例では、ユーザ入力１３１８ａは、第２の電子装置１３０８に、第１の電子装置６００との健康データの共有を停止するプロセスを開始させる。プロセスは、第１の電子装置６００に、（１）第２の電子装置１３０８に対応する健康データを受信することを停止させ、（２）第１の電子装置６００に関連付けられたメモリに記憶された第２の電子装置１３０８に対応する任意の健康データを削除させ（例えば、第２の電子装置１３０８に対応する健康データは、第２の電子装置１３０８又は第２の電子装置１３０８に対応する健康データをバックアップするために使用される別の装置（例えば、バックアップサーバ）から削除されない）、及び（３）図１３Ｇに示すように、健康データセクション１３１４を第１の電子装置６００上の健康ユーザインタフェース１３０４から除去させる。
【０４３１】
図１３Ｇは、第６の時間の後の第７の時間にタッチ感知ディスプレイ装置６０２を介して健康ユーザインタフェース１３０４を表示する第１の電子装置６００を示す。図１３Ｇに示すように、健康ユーザインタフェース１３０４は、（図１３Ｄに示すように）健康データセクション１３１４をもはや含まない。
【０４３２】
図１４Ａ〜図１４Ｂは、一部の実施形態に係る、電子装置を使用して共有健康データを管理するための方法を示すフロー図である。方法１４００は、ディスプレイ装置を有する装置（例えば、１００、３００、５００、６００、６０６、１３０８）において実行される。方法１４００のいくつかの動作は、任意選択的に組み合わされ、いくつかの動作の順序は、任意選択的に変更され、いくつかの動作は、任意選択的に省略される。
【０４３３】
一部の実施形態では、電子装置（例えば、６００、６０６、１３０８）は、コンピュータシステムである。コンピュータシステムは、任意選択的に、ディスプレイ生成構成要素及び１つ以上の入力装置と通信する（例えば、有線通信、無線通信）。ディスプレイ生成構成要素は、ＣＲＴディスプレイを介した表示、ＬＥＤディスプレイを介した表示、又は画像投影を介した表示などの視覚出力を提供するように構成されている。一部の実施形態では、ディスプレイ生成構成要素は、コンピュータシステムと一体化される。一部の実施形態では、ディスプレイ生成構成要素は、コンピュータシステムとは別個である。１つ以上の入力装置は、ユーザ入力を受けるタッチ感知面などの入力を受けるように構成される。一部の実施形態では、１つ以上の入力装置は、コンピュータシステムと一体化される。一部の実施形態では、１つ以上の入力装置は、コンピュータシステムとは別個である。したがって、コンピュータシステムは、有線又は無線接続を介して、データ（例えば、画像データ又はビデオデータ）を、一体化又は外部ディスプレイ生成構成要素に送信して、（例えば、ディスプレイ装置を使用して）コンテンツを視覚的に生成することができ、１つ以上の入力装置からの入力を、有線又は無線接続で受信することができる。
【０４３４】
後述するように、方法１４００は、健康データの共有に関連するための直感的な方法を提供する。方法は、共有健康データを管理する際のユーザの認識的負担を軽減し、それによって、より効率的なヒューマン−マシンインタフェースを作り出す。バッテリ動作式のコンピューティングデバイスの場合には、ユーザが共有健康データをより高速かつより効率的に管理することを可能にすることにより、電力が節約され、バッテリ充電の間隔が増す。
【０４３５】
第１の電子装置は、第１の電子装置に関連付けられた（例えば、それによって検出された）健康データを共有する要求（例えば、１３０７）を受信する（１４０２）。一部の実施形態では、共有する要求は、第１の電子装置が健康データを共有することを要求する第２の電子装置に応答して、第１の電子装置に送信される。
【０４３６】
要求を受信したことに応答して、第１の電子装置は、ディスプレイ装置を介して、第１の時間に、選択されると、第１の電子装置に関連付けられた健康データを第２の電子装置と共有するためのプロセスを開始する、第１のアフォーダンス（例えば、１３２３ａ）（例えば、許可アフォーダンス）を含む第１の通知（例えば、１３１２）（例えば、第１の電子装置が第１の電子装置と健康データを共有することを第２の電子装置が要求していることを示す通知）を表示する（１４０４）。
【０４３７】
通知を表示している間に、第１の電子装置は、第１のアフォーダンスの選択に対応する第１のユーザ入力を受信する（１４０６）。
【０４３８】
第１のユーザ入力を受信したことに応答して、第１の電子装置は、第１の電子装置に関連付けられた健康データを第２の電子装置と共有するためのプロセスを開始する（１４０８）。
【０４３９】
第１のユーザ入力を受信した後に（１４１０）、第１の電子装置は、第１の電子装置に関連付けられた健康データを第２の電子装置と共有する（１４１２）。一部の実施形態では、送信は、第１のユーザ入力を受信したことに応答して実行される。第１のユーザ入力を受信した後に（１４１０）、第１の電子装置は、ディスプレイ装置を介して、第２の時間に、健康データの共有に対応する第２の通知（例えば、１３１６）（例えば、第１の電子装置に関連付けられたユーザが健康データを第２の電子装置と共有することを望んでいることを確認する通知）を表示し（１４１４）、第２の通知は、選択されたときに、第１の電子装置に関連付けられた健康データの第２の電子装置との共有を終了するプロセスを開始する、第２のアフォーダンス（例えば、１３１６ａ）を含む。一部の実施形態では、第２の通知は、第１のユーザ入力を受信した数日後など、送信とは異なる時間に表示される。一部の実施形態では、第２の通知は、送信後に表示される。一部の実施形態では、第２の通知を表示している間に、第３のアフォーダンス（例えば、１３１８ａ）の選択に対応する入力を含む１つ以上の入力のセットを受信することと、１つ以上の入力のセット（例えば、１３１９）を受信したことに応答して、第１の電子装置に関連付けられた健康データを第２の電子装置と共有することを停止することと、を備える。
【０４４０】
ユーザが健康データの共有を終了することを可能にする通知を表示することは、健康データが共有されているというフィードバックをユーザに提供し、ユーザが健康データの共有を終了するためにインタフェースにより効率的にアクセスすることを可能にする。改善された視覚フィードバックをユーザに提供し、操作を実行するために必要な入力の数を低減することにより、デバイスの操作性が高められ、（例えば、デバイスを操作する／デバイスと対話する際に、適切な入力を提供するようにユーザを支援し、ユーザの誤りを削減することによって）ユーザ−デバイスインタフェースが更に効率的になる。これにより、追加的に、ユーザがデバイスを更に素早くかつ効率的に使用することを可能にすることによって、電力使用が削減され、デバイスのバッテリ寿命が改善される。
【０４４１】
一部の実施形態では、第２の通知を表示している間に、第１の電子装置は、第２のアフォーダンス（例えば、１３１７）の選択に対応する入力を含む１つ以上の入力のセットを受信する。一部の実施形態では、１つ以上の入力のセットの受信に応答して、第１の電子装置は、第１の電子装置に関連付けられた健康データを第２の電子装置と共有することを停止する。
【０４４２】
一部の実施形態では、第１のユーザ入力を受信した後に、第１の電子装置は、第１の電子装置に関連付けられた健康データを第３の電子装置（例えば、第１の電子装置に関連付けられた健康関連データを記憶するサーバ）と共有する。一部の実施形態では、１つ以上の入力のセットを受信した後、第１の電子装置は、第１の電子装置に関連付けられた健康データを第３の電子装置と共有し続ける（例えば、第２のアフォーダンスの選択は、装置に、健康データの第３の電子装置との共有を停止させない）。
【０４４３】
一部の実施形態では、第１の通知は、選択されると、第１の電子装置に、第１の電子装置に関連付けられた健康データの第２の電子装置との共有プロセスの開始を取り止めさせ（及び、一部の実施形態では、健康データを共有する要求が付与されなかったことを示す情報を第２の電子装置に送信する）、第１の電子装置に、第１の電子装置に関連付けられた健康データを受け入れるために（例えば、健康データを受け入れるための記憶リソースを割り当てるために）第４の電子装置（例えば、第１の電子装置に関連付けられた健康関連データを記憶するサーバ）に要求を送信させる、第３のアフォーダンス（例えば、１３２３ｂ）（例えば、「共有不許可」アフォーダンス）を含む。
【０４４４】
一部の実施形態では、第１の通知は、選択されると、第１の電子装置に、第１の電子装置に関連付けられた健康データの第２の電子装置との共有プロセスの開始を取り止めさせ（及び、一部の実施形態では、健康データを共有する要求が付与されなかったことを示す情報を第２の電子装置に送信する）、第１の電子装置に、第１の電子装置に関連付けられた健康データを受け入れるために（例えば、健康データを受け入れるための記憶リソースを割り当てるために）第５の電子装置（例えば、第１の電子装置に関連付けられた健康関連データを記憶するサーバ）に要求を送信させる、第４のアフォーダンス（例えば、１３２３ｂ）（例えば、「共有不許可」アフォーダンス）を含む。
【０４４５】
一部の実施形態では、第１の電子装置は、第１のユーザアカウント（例えば、一次ユーザアカウント、健康関連ユーザアカウント）に関連付けられ、第２の電子装置は、第１のユーザアカウントとは異なる第２のユーザアカウントに関連付けられている。
【０４４６】
方法１４００（例えば、図１４Ａ及び図１４Ｂ）に関して上述した処理の詳細はまた、以下／上記に記載する方法に類似した方法でも適用可能であることに留意されたい。例えば、方法７００、８００、９００、１０００、及び１１００は、方法１４００を参照して上述した様々な方法の特性のうちの１つ以上を任意選択的に含む。簡潔にするために、これらの詳細は、以下で繰り返さない。
【０４４７】
図１５Ａ〜図５Ｆは、第２の電子装置１３０８上の設定ユーザインタフェース内の、健康ユーザインタフェースを介したフローを示す。
【０４４８】
上記は、説明を目的として、特定の実施形態を参照して記述されている。しかしながら、上記の例示的な論考は、網羅的であること、又は開示される厳密な形態に本発明を限定することを意図するものではない。上記の教示を考慮して、多くの修正及び変形が可能である。これらの実施形態は、本技術の原理、及びその実際の適用を最も良く説明するために、選択及び記載されている。それにより、他の当業者は、意図された具体的な用途に適するような様々な修正を用いて、本技術及び様々な実施形態を最も良好に利用することが可能となる。
【０４４９】
添付図面を参照して、本開示及び例を十分に説明してきたが、様々な変更及び修正が、当業者には明らかとなるであろうことに留意されたい。そのような変更及び修正は、特許請求の範囲によって定義されるような、本開示及び例の範囲内に含まれるものとして理解されたい。
【０４５０】
上述したように、本技術の一態様は、様々なソースから入手可能なデータを収集及び使用して、ユーザに対する健康情報の管理及び配信を向上させることである。本開示は、いくつかの場合では、この収集されたデータが、特定の個人を一意に識別する又は連絡するため若しくは位置を特定するために使用することができる、個人情報データを含むことができることを意図している。そのような個人情報データとしては、人口統計データ、位置ベースのデータ、電話番号、電子メールアドレス、ツイッターＩＤ、自宅の住所、ユーザの健康又はフィットネスのレベルに関するデータ若しくは記録（例えば、バイタルサイン測定値、投薬情報、運動情報）、誕生日、あるいは任意の他の識別情報又は個人情報を挙げることができる。
【０４５１】
本開示は、本技術におけるそのような個人情報データの使用がユーザの利益になる使用であり得る点を認識するものである。例えば、適切な通知及び健康要約をユーザに配信するために、個人情報データが使用されることができる。従って、そのような個人情報データの使用は、ユーザがより効率的にそれらの健康情報を管理することを可能にする。更には、ユーザに利益をもたらす、個人情報データに関する他の使用もまた、本開示によって想到される。例えば、健康データ及びフィットネスデータは、ユーザの全般的なウェルネスについての洞察を提供するために使用されることができ、あるいは、ウェルネスの目標を追求するための技術を使用している個人への、積極的なフィードバックとして使用されることもできる。
【０４５２】
本開示は、そのような個人情報データの収集、分析、開示、伝送、記憶、又は他の使用に関与するエンティティが、確固たるプライバシーポリシー及び／又はプライバシー慣行を遵守するものとなることを想到する。具体的には、そのようなエンティティは、個人情報データを秘密として厳重に保守するための、業界又は政府の要件を満たしているか又は上回るものとして一般に認識されている、プライバシーのポリシー及び慣行を実施し、一貫して使用するべきである。そのようなポリシーは、ユーザによって容易にアクセス可能とするべきであり、データの収集及び／又は使用が変化するにつれて更新されるべきである。ユーザからの個人情報は、そのエンティティの合法的かつ正当な使用のために収集されるべきであり、それらの合法的使用を除いては、共有又は販売されるべきではない。更には、そのような収集／共有は、ユーザに告知して同意を得た後に実施されるべきである。更には、そのようなエンティティは、そのような個人情報データへのアクセスを保護して安全化し、その個人情報データへのアクセスを有する他者が、それらのプライバシーポリシー及び手順を遵守することを保証するための、あらゆる必要な措置を講じることを考慮するべきである。更には、そのようなエンティティは、広く受け入れられているプライバシーのポリシー及び慣行に対する自身の遵守を証明するために、第三者による評価を自らが受けることができる。更には、ポリシー及び慣行は、収集及び／又はアクセスされる具体的な個人情報データのタイプに適合されるべきであり、また、管轄権固有の考慮事項を含めた、適用可能な法令及び規格に適合されるべきである。例えば、アメリカ合衆国では、特定の健康データの収集又はアクセスは、医療保険の相互運用性と説明責任に関する法律（Health Insurance Portability and Accountability Act、ＨＩＰＡＡ）などの、連邦法及び／又は州法によって管理することができ、その一方で、他国における健康データは、他の規制及びポリシーの対象となり得るものであり、それに従って対処されるべきである。それゆえ、各国の異なる個人データのタイプに関して、異なるプライバシー慣行が保たれるべきである。
【０４５３】
前述のことがらにもかかわらず、本開示はまた、個人情報データの使用又は個人情報データへのアクセスを、ユーザが選択的に阻止する実施形態も想到する。すなわち、本開示は、そのような個人情報データへのアクセスを防止又は阻止するように、ハードウェア要素及び／又はソフトウェア要素を提供することができると想到する。例えば、健康情報のアクセス又は記憶の場合において、本技術は、ユーザが、サービスの登録中又はその後のいつでも、個人情報データの収集への参加の「オプトイン」又は「オプトアウト」を選択できるように構成され得る。別の実施例では、ユーザは、特定のタイプの健康関連情報を提供しないことを選択することができる。更に別の実施例では、ユーザは、健康関連情報が維持される期間を制限するか、又は健康関連情報の記憶を完全に禁止するかを選択することができる。「オプトイン」及び「オプトアウト」の選択肢を提供することに加えて、本開示は、個人情報のアクセス又は使用に関する通知を提供することを想到する。例えば、ユーザの個人情報データにアクセスすることとなるアプリのダウンロード時にユーザに通知され、その後、個人情報データがアプリによってアクセスされる直前に再びユーザに注意してもよい。
【０４５４】
更には、本開示の意図は、個人情報データを、非意図的若しくは無許可アクセス又は使用の危険性を最小限に抑える方法で、管理及び処理するべきであるという点である。データの収集を制限し、データがもはや必要とされなくなった時点で削除することによって、危険性を最小限に抑えることができる。更には、適用可能な場合、特定の健康関連アプリケーションにおいて、ユーザのプライバシーを保護するために、データの非特定化を使用することができる。非特定化は、適切な場合には、特定の識別子（例えば、生年月日など）を除去すること、記憶されたデータの量又は特異性を制御すること（例えば、位置データを住所レベルよりも都市レベルで収集すること）、データがどのように記憶されるかを制御すること（例えば、データをユーザ全体にわたって情報集約すること）及び／又は他の方法によって、容易にすることができる。
【０４５５】
それゆえ、本開示は、１つ以上の様々な開示された実施形態を実施するための、個人情報データの使用を広範に網羅するものではあるが、本開示はまた、そのような個人情報データにアクセスすることを必要とせずに、それらの様々な実施形態を実施することもまた可能であることを想到している。すなわち、本技術の様々な実施形態は、そのような個人情報データの全て又は一部分が欠如することにより、実施不可能となるものではない。
【図１Ａ】
2021530754.tif 000003
【図１Ｂ】
2021530754.tif 000004
【図２】
2021530754.tif 000005
【図３】
2021530754.tif 000006
【図４Ａ】
2021530754.tif 000007
【図４Ｂ】
2021530754.tif 000008
【図５Ａ】
2021530754.tif 000009
【図５Ｂ】
2021530754.tif 000010
【図５Ｃ】
2021530754.tif 000011
【図５Ｄ】
2021530754.tif 000012
【図５Ｅ】
2021530754.tif 000013
【図５Ｆ】
2021530754.tif 000014
【図５Ｇ】
2021530754.tif 000015
【図５Ｈ】
2021530754.tif 000016
【図６Ａ】
2021530754.tif 000017
【図６Ｂ】
2021530754.tif 000018
【図６Ｃ】
2021530754.tif 000019
【図６Ｄ１】
2021530754.tif 000020
【図６Ｄ２】
2021530754.tif 000021
【図６Ｄ３】
2021530754.tif 000022
【図６Ｄ４】
2021530754.tif 000023
【図６Ｅ】
2021530754.tif 000024
【図６Ｆ】
2021530754.tif 000025
【図６Ｇ】
2021530754.tif 000026
【図６Ｈ】
2021530754.tif 000027
【図６Ｉ】
2021530754.tif 000028
【図６Ｊ】
2021530754.tif 000029
【図６Ｋ１】
2021530754.tif 000030
【図６Ｋ２】
2021530754.tif 000031
【図６Ｌ】
2021530754.tif 000032
【図６Ｍ１】
2021530754.tif 000033
【図６Ｍ２】
2021530754.tif 000034
【図６Ｍ３】
2021530754.tif 000035
【図６Ｍ４】
2021530754.tif 000036
【図６Ｎ】
2021530754.tif 000037
【図６Ｏ１】
2021530754.tif 000038
【図６Ｏ２】
2021530754.tif 000039
【図６Ｐ１】
2021530754.tif 000040
【図６Ｐ２】
2021530754.tif 000041
【図６Ｑ】
2021530754.tif 000042
【図６Ｒ１】
2021530754.tif 000043
【図６Ｒ２】
2021530754.tif 000044
【図６Ｓ】
2021530754.tif 000045
【図６ＳＡ】
2021530754.tif 000046
【図６ＳＢ】
2021530754.tif 000047
【図６Ｔ１】
2021530754.tif 000048
【図６Ｔ２】
2021530754.tif 000049
【図６Ｕ】
2021530754.tif 000050
【図６Ｖ】
2021530754.tif 000051
【図６Ｗ】
2021530754.tif 000052
【図６Ｘ１】
2021530754.tif 000053
【図６Ｘ２】
2021530754.tif 000054
【図６Ｙ】
2021530754.tif 000055
【図６Ｚ】
2021530754.tif 000056
【図７Ａ】
2021530754.tif 000057
【図７Ｂ】
2021530754.tif 000058
【図８Ａ】
2021530754.tif 000059
【図８Ｂ】
2021530754.tif 000060
【図９Ａ】
2021530754.tif 000061
【図９Ｂ】
2021530754.tif 000062
【図１０Ａ】
2021530754.tif 000063
【図１０Ｂ】
2021530754.tif 000064
【図１１Ａ】
2021530754.tif 000065
【図１１Ｂ】
2021530754.tif 000066
【図１１Ｃ】
2021530754.tif 000067
【図１２Ａ１】
2021530754.tif 000068
【図１２Ａ２】
2021530754.tif 000069
【図１２Ｂ１】
2021530754.tif 000070
【図１２Ｂ２】
2021530754.tif 000071
【図１２Ｃ】
2021530754.tif 000072
【図１２Ｄ】
2021530754.tif 000073
【図１２Ｅ】
2021530754.tif 000074
【図１２Ｆ】
2021530754.tif 000075
【図１２Ｇ】
2021530754.tif 000076
【図１２Ｈ】
2021530754.tif 000077
【図１２Ｉ】
2021530754.tif 000078
【図１３Ａ】
2021530754.tif 000079
【図１３Ｂ】
2021530754.tif 000080
【図１３Ｃ】
2021530754.tif 000081
【図１３Ｄ】
2021530754.tif 000082
【図１３Ｅ】
2021530754.tif 000083
【図１３Ｆ】
2021530754.tif 000084
【図１３Ｇ】
2021530754.tif 000085
【図１４Ａ】
2021530754.tif 000086
【図１４Ｂ】
2021530754.tif 000087
【図１５Ａ】
2021530754.tif 000088
【図１５Ｂ】
2021530754.tif 000089
【図１５Ｃ】
2021530754.tif 000090
【図１５Ｄ】
2021530754.tif 000091
【図１５Ｅ】
2021530754.tif 000092
【図１５Ｆ】
2021530754.tif 000093
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
方法であって、
ディスプレイ装置を備える第１の電子装置において、
前記第１の電子装置に関連付けられた健康データを共有する要求を受信することと、
前記要求を受信したことに応答して、第１の時間において、前記ディスプレイ装置を介して、選択されたときに、前記第１の電子装置に関連付けられた健康データを第２の電子装置と共有するためのプロセスを開始する第１のアフォーダンスを含む第１の通知を表示することと、
前記通知を表示している間に、前記第１のアフォーダンスの選択に対応する第１のユーザ入力を受信することと、
前記第１のユーザ入力を受信したことに応答して、前記第１の電子装置に関連付けられた健康データを前記第２の電子装置と共有するためのプロセスを開始することと、
前記第１のユーザ入力を受信した後に、
前記第１の電子装置に関連付けられた健康データを前記第２の電子装置と共有することと、
第２の時間において、前記ディスプレイ装置を介して、健康データの前記共有に対応する第２の通知を表示することであって、前記第２の通知が、選択されたときに、前記第１の電子装置に関連付けられた健康データの前記第２の電子装置との共有を終了するためのプロセスを開始する第２のアフォーダンスを含む、前記第２の通知を表示することと、を備える、方法。
【請求項２】
前記第２の通知を表示している間に、前記第２のアフォーダンスの選択に対応する入力を含む１つ以上の入力のセットを受信することと、
前記１つ以上の入力のセットを受信したことに応答して、前記第１の電子装置に関連付けられた健康データを前記第２の電子装置と共有することを停止することと、
を更に備える、請求項１に記載の方法。
【請求項３】
前記第１のユーザ入力を受信した後に、前記第１の電子装置に関連付けられた健康データを第３の電子装置と共有することと、
前記１つ以上の入力のセットを受信した後に、前記第１の電子装置に関連付けられた健康データを前記第３の電子装置と共有し続けることと、
を更に備える、請求項２に記載の方法。
【請求項４】
前記第１の通知が、選択されたときに、
前記第１の電子装置に、前記第１の電子装置と関連付けられた健康データを前記第２の電子装置と共有するためのプロセスを開始させることを取り止めさせ、
前記第１の電子装置に、前記第１の電子装置に関連付けられた健康データを受け入れる要求を第４の電子装置に送信させる、第３のアフォーダンスを含む、請求項１から３のいずれか一項に記載の方法。
【請求項５】
前記第１の通知が、選択されたときに、
前記第１の電子装置に、前記第１の電子装置と関連付けられた健康データを前記第２の電子装置と共有するためのプロセスを開始させることを取り止めさせ、
前記第１の電子装置に、前記第１の電子装置に関連付けられた健康データを受け入れる要求を第５の電子装置に送信させる、第４のアフォーダンスを含む、請求項１から４のいずれか一項に記載の方法。
【請求項６】
前記第１の電子装置が、第１のユーザアカウントと関連付けられており、第２の電子装置が、前記第１のユーザアカウントとは異なる第２のユーザアカウントと関連付けられている、請求項１から５のいずれか一項に記載の方法。
【請求項７】
請求項１から６のいずれか一項に記載の方法をコンピュータに実行させる、コンピュータプログラム。
【請求項８】
第１の電子装置であって、
ディスプレイ装置と、
請求項７に記載のコンピュータプログラムを記憶するメモリと、
前記メモリに記憶されたコンピュータプログラムを実行可能な１つ以上のプロセッサと、を含む、第１の電子装置。
【請求項９】
第１の電子装置であって、
ディスプレイ装置と、
請求項１から６のいずれか一項に記載の方法を実行するための手段と、を備える、第１の電子装置。
【国際調査報告】
2021530754.tif 000094
2021530754.tif 000095
2021530754.tif 000096
2021530754.tif 000097
2021530754.tif 000098
2021530754.tif 000099